(57)【要約】【課題】既存発電所の海水温度上昇に換えて水道水温熱を需要家に供給、燃焼ガス質量の排気温度を−２７３℃に近付けてＣＯ２等排気０等の内燃機関で水道水冷熱を需要家に供給。【解決手段】全動翼蒸気ガスタービン合体機関の燃焼器兼熱交換器で限りなく高圧燃焼熱交換し、燃焼ガス質量の排気温度を−２７３℃に近付け、既存ボイラの２倍前後の熱回収量とし、撥水鍍金タービン全動翼により、燃焼ガス熱量出力乃至発電量＋燃焼ガス質量出力乃至発電量＝既存ガスタービンの２７０〜５４０倍仮説出力乃至発電量に増大して、１０倍速度や１／１０電気料金を狙い、気化潜熱回収器を設けた全動翼蒸気タービンを使用して、加えた熱量略全部の１００℃以下の水道水温熱を製造原価略０で需要家に供給し、全動翼ガスタービン冷熱回収器により、低温燃焼ガス全部を５℃前後の水道水冷熱に変換して製造原価略０で需要家に供給しＣＯ２等の燃焼ガス質量の排気を０や０に近付ける。【選択図】図２
2005002981.tif 000002
【特許請求の範囲】
【請求項１】
撥水鍍金水冷却翼（８７）で空気圧縮して燃焼器兼熱交換器（４）により燃焼ガス熱量＋燃焼ガス質量に分離することが特徴の全動翼蒸気ガスタービン合体機関。
【請求項２】
撥水鍍金水冷却翼（８７）で空気圧縮して燃焼器兼熱交換器（４）により燃焼ガス熱量＋燃焼ガス質量に分離して海水温度の上昇を皆無にすることが特徴の全動翼蒸気ガスタービン合体機関。
【請求項３】
撥水鍍金水冷却翼（８７）で空気圧縮して燃焼器兼熱交換器（４）により燃焼ガス熱量＋燃焼ガス質量に分離して燃焼ガス質量の排気を０に近付けることが特徴の全動翼蒸気ガスタービン合体機関。
【請求項４】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生することが特徴の全動翼蒸気ガスタービン合体機関。
【請求項５】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して海水温度の上昇を皆無にすることが特徴の全動翼蒸気ガスタービン合体機関。
【請求項６】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付けることが特徴の全動翼蒸気ガスタービン合体機関。
【請求項７】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けることが特徴の全動翼蒸気ガスタービン合体機関。
【請求項８】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して海水温度の上昇を皆無にし、高温水供給熱量を最少の気化熱に近付けることが特徴の全動翼蒸気ガスタービン合体機関。
【請求項９】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けることが特徴の全動翼蒸気ガスタービン合体機関。
【請求項１０】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収することが特徴の全動翼蒸気ガスタービン合体機関。
【請求項１１】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して海水温度の上昇を皆無にすることが特徴の全動翼蒸気ガスタービン合体機関。
【請求項１２】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けてその熱を気化潜熱回収器（６６ａ）で回収することが特徴の全動翼蒸気ガスタービン合体機関。
【請求項１３】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給することが特徴の全動翼蒸気ガスタービン合体機関。
【請求項１４】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給して海水温度の上昇を皆無にすることが特徴の全動翼蒸気ガスタービン合体機関。
【請求項１５】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けてその熱を気化潜熱回収器（６６ａ）で回収して水道水温熱で供給することが特徴の全動翼蒸気ガスタービン合体機関。
【請求項１６】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給することが特徴の全動翼蒸気ガスタービン合体機関。
【請求項１７】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給して海水温度の上昇を皆無にすることが特徴の全動翼蒸気ガスタービン合体機関。
【請求項１８】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けてその熱を気化潜熱回収器（６６ａ）で回収して１００℃以下の水道水温熱で供給することが特徴の全動翼蒸気ガスタービン合体機関。
【請求項１９】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房設備を供給することが特徴の全動翼蒸気ガスタービン合体機関。
【請求項２０】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房設備を供給して海水温度の上昇を皆無にすることが特徴の全動翼蒸気ガスタービン合体機関。
【請求項２１】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けてその熱を気化潜熱回収器（６６ａ）で回収して水道水温熱で供給すると共に、水道水温熱利用の暖房設備を供給することが特徴の全動翼蒸気ガスタービン合体機関。
【請求項２２】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房設備を供給することが特徴の全動翼蒸気ガスタービン合体機関。
【請求項２３】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房設備を供給して海水温度の上昇を皆無にすることが特徴の全動翼蒸気ガスタービン合体機関。
【請求項２４】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けてその熱を気化潜熱回収器（６６ａ）で回収して１００℃以下の水道水温熱で供給すると共に、水道水温熱利用の暖房設備を供給することが特徴の全動翼蒸気ガスタービン合体機関。
【請求項２５】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房機器を供給することが特徴の全動翼蒸気ガスタービン合体機関。
【請求項２６】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房機器を供給して海水温度の上昇を皆無にすることが特徴の全動翼蒸気ガスタービン合体機関。
【請求項２７】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けてその熱を気化潜熱回収器（６６ａ）で回収して水道水温熱で供給すると共に、水道水温熱利用の暖房機器を供給することが特徴の全動翼蒸気ガスタービン合体機関。
【請求項２８】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房機器を供給することが特徴の全動翼蒸気ガスタービン合体機関。
【請求項２９】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房機器を供給して海水温度の上昇を皆無にすることが特徴の全動翼蒸気ガスタービン合体機関。
【請求項３０】
撥水鍍金水冷却翼（８７）で空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けてその熱を気化潜熱回収器（６６ａ）で回収して１００℃以下の水道水温熱で供給すると共に、水道水温熱利用の暖房機器を供給することが特徴の全動翼蒸気ガスタービン合体機関。
【請求項３１】
撥水鍍金水冷却翼（８７）で空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項３２】
撥水鍍金水冷却翼（８７）で空気圧縮して燃焼器兼熱交換器（４）により燃焼ガス熱量＋燃焼ガス質量に分離して、燃焼ガス質量で出力を発生して海水温度の上昇を皆無にすることが特徴の全動翼蒸気ガスタービン合体機関。
【請求項３３】
撥水鍍金水冷却翼（８７）で空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項３４】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にすることが特徴の全動翼蒸気ガスタービン合体機関。
【請求項３５】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして燃焼ガス質量の排気を０に近付けることが特徴の全動翼蒸気ガスタービン合体機関。
【請求項３６】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にすることが特徴の全動翼蒸気ガスタービン合体機関。
【請求項３７】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして燃焼ガス質量の排気を０に近付けることが特徴の全動翼蒸気ガスタービン合体機関。
【請求項３８】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給することが特徴の全動翼蒸気ガスタービン合体機関。
【請求項３９】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給して燃焼ガス質量の排気を０に近付けることが特徴の全動翼蒸気ガスタービン合体機関。
【請求項４０】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給することが特徴の全動翼蒸気ガスタービン合体機関。
【請求項４１】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給して燃焼ガス質量の排気を０に近付けることが特徴の全動翼蒸気ガスタービン合体機関。
【請求項４２】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍設備を供給することが特徴の全動翼蒸気ガスタービン合体機関。
【請求項４３】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍設備を供給して脱フロンにより地球温暖化防止することが特徴の全動翼蒸気ガスタービン合体機関。
【請求項４４】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍設備を供給して燃焼ガス質量の排気を０に近付けることが特徴の全動翼蒸気ガスタービン合体機関。
【請求項４５】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍設備を供給することが特徴の全動翼蒸気ガスタービン合体機関。
【請求項４６】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍設備を供給して脱フロンにより地球温暖化防止することが特徴の全動翼蒸気ガスタービン合体機関。
【請求項４７】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍設備を供給して燃焼ガス質量の排気を０に近付けることが特徴の全動翼蒸気ガスタービン合体機関。
【請求項４８】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍機器を供給することが特徴の全動翼蒸気ガスタービン合体機関。
【請求項４９】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍機器を供給して脱フロンにより地球温暖化防止することが特徴の全動翼蒸気ガスタービン合体機関。
【請求項５０】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍機器を供給して燃焼ガス質量の排気を０に近付けることが特徴の全動翼蒸気ガスタービン合体機関。
【請求項５１】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍機器を供給することが特徴の全動翼蒸気ガスタービン合体機関。
【請求項５２】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍機器を供給して脱フロンにより地球温暖化防止することが特徴の全動翼蒸気ガスタービン合体機関。
【請求項５３】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍機器を供給して燃焼ガス質量の排気を０に近付けることが特徴の全動翼蒸気ガスタービン合体機関。
【請求項５４】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵機器を供給することが特徴の全動翼蒸気ガスタービン合体機関。
【請求項５５】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵機器を供給して脱フロンにより地球温暖化防止することが特徴の全動翼蒸気ガスタービン合体機関。
【請求項５６】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵機器を供給して燃焼ガス質量の排気を０に近付けることが特徴の全動翼蒸気ガスタービン合体機関。
【請求項５７】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵機器を供給することが特徴の全動翼蒸気ガスタービン合体機関。
【請求項５８】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵機器を供給して脱フロンにより地球温暖化防止することが特徴の全動翼蒸気ガスタービン合体機関。
【請求項５９】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵機器を供給して燃焼ガス質量の排気を０に近付けることが特徴の全動翼蒸気ガスタービン合体機関。
【請求項６０】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵設備を供給することが特徴の全動翼蒸気ガスタービン合体機関。
【請求項６１】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵設備を供給して脱フロンにより地球温暖化防止することが特徴の全動翼蒸気ガスタービン合体機関。
【請求項６２】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵設備を供給して燃焼ガス質量の排気を０に近付けることが特徴の全動翼蒸気ガスタービン合体機関。
【請求項６３】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵設備を供給することが特徴の全動翼蒸気ガスタービン合体機関。
【請求項６４】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵設備を供給して脱フロンにより地球温暖化防止することが特徴の全動翼蒸気ガスタービン合体機関。
【請求項６５】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵設備を供給して燃焼ガス質量の排気を０に近付けることが特徴の全動翼蒸気ガスタービン合体機関。
【請求項６６】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房設備を供給することが特徴の全動翼蒸気ガスタービン合体機関。
【請求項６７】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房設備を供給して脱フロンにより地球温暖化防止することが特徴の全動翼蒸気ガスタービン合体機関。
【請求項６８】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房設備を供給して燃焼ガス質量の排気を０に近付けることが特徴の全動翼蒸気ガスタービン合体機関。
【請求項６９】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房設備を供給することが特徴の全動翼蒸気ガスタービン合体機関。
【請求項７０】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房設備を供給して脱フロンにより地球温暖化防止することが特徴の全動翼蒸気ガスタービン合体機関。
【請求項７１】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房設備を供給して燃焼ガス質量の排気を０に近付けることが特徴の全動翼蒸気ガスタービン合体機関。
【請求項７２】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房機器を供給することが特徴の全動翼蒸気ガスタービン合体機関。
【請求項７３】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房機器を供給して脱フロンにより地球温暖化防止することが特徴の全動翼蒸気ガスタービン合体機関。
【請求項７４】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房機器を供給して燃焼ガス質量の排気を０に近付けることが特徴の全動翼蒸気ガスタービン合体機関。
【請求項７５】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房機器を供給することが特徴の全動翼蒸気ガスタービン合体機関。
【請求項７６】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房機器を供給して脱フロンにより地球温暖化防止することが特徴の全動翼蒸気ガスタービン合体機関。
【請求項７７】
撥水鍍金水冷却翼（８７）で空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房機器を供給して燃焼ガス質量の排気を０に近付けることが特徴の全動翼蒸気ガスタービン合体機関。
【請求項７８】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離することが特徴の全動翼蒸気ガスタービン合体機関。
【請求項７９】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して燃焼ガス質量の排気を０に近付けることが特徴の全動翼蒸気ガスタービン合体機関。
【請求項８０】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生することが特徴の全動翼蒸気ガスタービン合体機関。
【請求項８１】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付けることが特徴の全動翼蒸気ガスタービン合体機関。
【請求項８２】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けることが特徴の全動翼蒸気ガスタービン合体機関。
【請求項８３】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けることが特徴の全動翼蒸気ガスタービン合体機関。
【請求項８４】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収することが特徴の全動翼蒸気ガスタービン合体機関。
【請求項８５】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けてその熱を気化潜熱回収器（６６ａ）で回収することが特徴の全動翼蒸気ガスタービン合体機関。
【請求項８６】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給することが特徴の全動翼蒸気ガスタービン合体機関。
【請求項８７】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けてその熱を気化潜熱回収器（６６ａ）で回収して水道水温熱で供給することが特徴の全動翼蒸気ガスタービン合体機関。
【請求項８８】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給することが特徴の全動翼蒸気ガスタービン合体機関。
【請求項８９】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給して燃焼ガス質量の排気を０に近付けることが特徴の全動翼蒸気ガスタービン合体機関。
【請求項９０】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房設備を供給することが特徴の全動翼蒸気ガスタービン合体機関。
【請求項９１】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房設備を供給して燃焼ガス質量の排気を０に近付けることが特徴の全動翼蒸気ガスタービン合体機関。
【請求項９２】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房設備を供給することが特徴の全動翼蒸気ガスタービン合体機関。
【請求項９３】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房設備を供給して燃焼ガス質量の排気を０に近付けることが特徴の全動翼蒸気ガスタービン合体機関。
【請求項９４】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房機器を供給することが特徴の全動翼蒸気ガスタービン合体機関。
【請求項９５】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房機器を供給して燃焼ガス質量の排気を０に近付けることが特徴の全動翼蒸気ガスタービン合体機関。
【請求項９６】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房機器を供給することが特徴の全動翼蒸気ガスタービン合体機関。
【請求項９７】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房機器を供給して燃焼ガス質量の排気を０に近付けることが特徴の全動翼蒸気ガスタービン合体機関。
【請求項９８】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項９９】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項１００】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にすることが特徴の全動翼蒸気ガスタービン合体機関。
【請求項１０１】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして燃焼ガス質量の排気を０に近付けることが特徴の全動翼蒸気ガスタービン合体機関。
【請求項１０２】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にすることが特徴の全動翼蒸気ガスタービン合体機関。
【請求項１０３】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして燃焼ガス質量の排気を０に近付けることが特徴の全動翼蒸気ガスタービン合体機関。
【請求項１０４】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給することが特徴の全動翼蒸気ガスタービン合体機関。
【請求項１０５】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給して燃焼ガス質量の排気を０に近付けることが特徴の全動翼蒸気ガスタービン合体機関。
【請求項１０６】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給することが特徴の全動翼蒸気ガスタービン合体機関。
【請求項１０７】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給して燃焼ガス質量の排気を０に近付けることが特徴の全動翼蒸気ガスタービン合体機関。
【請求項１０８】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍設備を供給することが特徴の全動翼蒸気ガスタービン合体機関。
【請求項１０９】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍設備を供給して燃焼ガス質量の排気を０に近付けることが特徴の全動翼蒸気ガスタービン合体機関。
【請求項１１０】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍設備を供給することが特徴の全動翼蒸気ガスタービン合体機関。
【請求項１１１】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍設備を供給して燃焼ガス質量の排気を０に近付けることが特徴の全動翼蒸気ガスタービン合体機関。
【請求項１１２】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍機器を供給することが特徴の全動翼蒸気ガスタービン合体機関。
【請求項１１３】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍機器を供給して燃焼ガス質量の排気を０に近付けることが特徴の全動翼蒸気ガスタービン合体機関。
【請求項１１４】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍機器を供給することが特徴の全動翼蒸気ガスタービン合体機関。
【請求項１１５】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍機器を供給して燃焼ガス質量の排気を０に近付けることが特徴の全動翼蒸気ガスタービン合体機関。
【請求項１１６】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵機器を供給することが特徴の全動翼蒸気ガスタービン合体機関。
【請求項１１７】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵機器を供給して燃焼ガス質量の排気を０に近付けることが特徴の全動翼蒸気ガスタービン合体機関。
【請求項１１８】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵機器を供給することが特徴の全動翼蒸気ガスタービン合体機関。
【請求項１１９】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵機器を供給して燃焼ガス質量の排気を０に近付けることが特徴の全動翼蒸気ガスタービン合体機関。
【請求項１２０】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵設備を供給することが特徴の全動翼蒸気ガスタービン合体機関。
【請求項１２１】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵設備を供給して燃焼ガス質量の排気を０に近付けることが特徴の全動翼蒸気ガスタービン合体機関。
【請求項１２２】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵設備を供給することが特徴の全動翼蒸気ガスタービン合体機関。
【請求項１２３】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵設備を供給して燃焼ガス質量の排気を０に近付けることが特徴の全動翼蒸気ガスタービン合体機関。
【請求項１２４】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房設備を供給することが特徴の全動翼蒸気ガスタービン合体機関。
【請求項１２５】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房設備を供給して燃焼ガス質量の排気を０に近付けることが特徴の全動翼蒸気ガスタービン合体機関。
【請求項１２６】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房設備を供給することが特徴の全動翼蒸気ガスタービン合体機関。
【請求項１２７】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房設備を供給して燃焼ガス質量の排気を０に近付けることが特徴の全動翼蒸気ガスタービン合体機関。
【請求項１２８】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房機器を供給することが特徴の全動翼蒸気ガスタービン合体機関。
【請求項１２９】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房機器を供給して燃焼ガス質量の排気を０に近付けることが特徴の全動翼蒸気ガスタービン合体機関。
【請求項１３０】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房機器を供給することが特徴の全動翼蒸気ガスタービン合体機関。
【請求項１３１】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房機器を供給して燃焼ガス質量の排気を０に近付けることが特徴の全動翼蒸気ガスタービン合体機関。
【請求項１３２】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離することが特徴の全動翼蒸気ガスタービン合体機関。
【請求項１３３】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して燃焼ガス質量の排気を０に近付けることが特徴の全動翼蒸気ガスタービン合体機関。
【請求項１３４】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生することが特徴の全動翼蒸気ガスタービン合体機関。
【請求項１３５】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付けることが特徴の全動翼蒸気ガスタービン合体機関。
【請求項１３６】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けることが特徴の全動翼蒸気ガスタービン合体機関。
【請求項１３７】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生して燃焼ガス質量の排気を０に近付け、高温水供給熱量を最少の気化熱に近付けることが特徴の全動翼蒸気ガスタービン合体機関。
【請求項１３８】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収することが特徴の全動翼蒸気ガスタービン合体機関。
【請求項１３９】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して燃焼ガス質量の排気を０に近付けることが特徴の全動翼蒸気ガスタービン合体機関。
【請求項１４０】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給することが特徴の全動翼蒸気ガスタービン合体機関。
【請求項１４１】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給して燃焼ガス質量の排気を０に近付けることが特徴の全動翼蒸気ガスタービン合体機関。
【請求項１４２】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給することが特徴の全動翼蒸気ガスタービン合体機関。
【請求項１４３】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給して燃焼ガス質量の排気を０に近付けることが特徴の全動翼蒸気ガスタービン合体機関。
【請求項１４４】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房設備を供給することが特徴の全動翼蒸気ガスタービン合体機関。
【請求項１４５】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房設備を供給して燃焼ガス質量の排気を０に近付けることが特徴の全動翼蒸気ガスタービン合体機関。
【請求項１４６】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房設備を供給することが特徴の全動翼蒸気ガスタービン合体機関。
【請求項１４７】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房設備を供給して燃焼ガス質量の排気を０に近付けることが特徴の全動翼蒸気ガスタービン合体機関。
【請求項１４８】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房機器を供給することが特徴の全動翼蒸気ガスタービン合体機関。
【請求項１４９】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して水道水温熱で供給すると共に、水道水温熱利用の暖房機器を供給して燃焼ガス質量の排気を０に近付けることが特徴の全動翼蒸気ガスタービン合体機関。
【請求項１５０】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房機器を供給することが特徴の全動翼蒸気ガスタービン合体機関。
【請求項１５１】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス熱量を超臨界温度等複数温度水（５ｂ）に変換して、最高温度水（５ｂ）爆発力により低温水（５ｂ）を加速して出力を発生し、高温水供給熱量を最少の気化熱に近付けてその熱を気化潜熱回収器（６６ａ）で回収して１００℃以下の水道水温熱で供給すると共に、水道水温熱利用の暖房機器を供給して燃焼ガス質量の排気を０に近付けることが特徴の全動翼蒸気ガスタービン合体機関。
【請求項１５２】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項１５３】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項１５４】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にすることが特徴の全動翼蒸気ガスタービン合体機関。
【請求項１５５】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして燃焼ガス質量の排気を０に近付けることが特徴の全動翼蒸気ガスタービン合体機関。
【請求項１５６】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にすることが特徴の全動翼蒸気ガスタービン合体機関。
【請求項１５７】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして燃焼ガス質量の排気を０に近付けることが特徴の全動翼蒸気ガスタービン合体機関。
【請求項１５８】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給することが特徴の全動翼蒸気ガスタービン合体機関。
【請求項１５９】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給して燃焼ガス質量の排気を０に近付けることが特徴の全動翼蒸気ガスタービン合体機関。
【請求項１６０】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給することが特徴の全動翼蒸気ガスタービン合体機関。
【請求項１６１】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給して燃焼ガス質量の排気を０に近付けることが特徴の全動翼蒸気ガスタービン合体機関。
【請求項１６２】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍設備を供給することが特徴の全動翼蒸気ガスタービン合体機関。
【請求項１６３】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍設備を供給して脱フロンにより地球温暖化防止することが特徴の全動翼蒸気ガスタービン合体機関。
【請求項１６４】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍設備を供給して燃焼ガス質量の排気を０に近付けることが特徴の全動翼蒸気ガスタービン合体機関。
【請求項１６５】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍設備を供給することが特徴の全動翼蒸気ガスタービン合体機関。
【請求項１６６】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍設備を供給して脱フロンにより地球温暖化防止することが特徴の全動翼蒸気ガスタービン合体機関。
【請求項１６７】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍設備を供給して燃焼ガス質量の排気を０に近付けることが特徴の全動翼蒸気ガスタービン合体機関。
【請求項１６８】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍機器を供給することが特徴の全動翼蒸気ガスタービン合体機関。
【請求項１６９】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍機器を供給して脱フロンにより地球温暖化防止することが特徴の全動翼蒸気ガスタービン合体機関。
【請求項１７０】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷凍機器を供給して燃焼ガス質量の排気を０に近付けることが特徴の全動翼蒸気ガスタービン合体機関。
【請求項１７１】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍機器を供給することが特徴の全動翼蒸気ガスタービン合体機関。
【請求項１７２】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍機器を供給して脱フロンにより地球温暖化防止することが特徴の全動翼蒸気ガスタービン合体機関。
【請求項１７３】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷凍機器を供給して燃焼ガス質量の排気を０に近付けることが特徴の全動翼蒸気ガスタービン合体機関。
【請求項１７４】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵機器を供給することが特徴の全動翼蒸気ガスタービン合体機関。
【請求項１７５】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵機器を供給して脱フロンにより地球温暖化防止することが特徴の全動翼蒸気ガスタービン合体機関。
【請求項１７６】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵機器を供給して燃焼ガス質量の排気を０に近付けることが特徴の全動翼蒸気ガスタービン合体機関。
【請求項１７７】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵機器を供給することが特徴の全動翼蒸気ガスタービン合体機関。
【請求項１７８】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵機器を供給して脱フロンにより地球温暖化防止することが特徴の全動翼蒸気ガスタービン合体機関。
【請求項１７９】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵機器を供給して燃焼ガス質量の排気を０に近付けることが特徴の全動翼蒸気ガスタービン合体機関。
【請求項１８０】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵設備を供給することが特徴の全動翼蒸気ガスタービン合体機関。
【請求項１８１】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵設備を供給して脱フロンにより地球温暖化防止することが特徴の全動翼蒸気ガスタービン合体機関。
【請求項１８２】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷蔵設備を供給して燃焼ガス質量の排気を０に近付けることが特徴の全動翼蒸気ガスタービン合体機関。
【請求項１８３】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵設備を供給することが特徴の全動翼蒸気ガスタービン合体機関。
【請求項１８４】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵設備を供給して脱フロンにより地球温暖化防止することが特徴の全動翼蒸気ガスタービン合体機関。
【請求項１８５】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷蔵設備を供給して燃焼ガス質量の排気を０に近付けることが特徴の全動翼蒸気ガスタービン合体機関。
【請求項１８６】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房設備を供給することが特徴の全動翼蒸気ガスタービン合体機関。
【請求項１８７】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房設備を供給して脱フロンにより地球温暖化防止することが特徴の全動翼蒸気ガスタービン合体機関。
【請求項１８８】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房設備を供給して燃焼ガス質量の排気を０に近付けることが特徴の全動翼蒸気ガスタービン合体機関。
【請求項１８９】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房設備を供給することが特徴の全動翼蒸気ガスタービン合体機関。
【請求項１９０】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房設備を供給して脱フロンにより地球温暖化防止することが特徴の全動翼蒸気ガスタービン合体機関。
【請求項１９１】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房設備を供給して燃焼ガス質量の排気を０に近付けることが特徴の全動翼蒸気ガスタービン合体機関。
【請求項１９２】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房機器を供給することが特徴の全動翼蒸気ガスタービン合体機関。
【請求項１９３】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房機器を供給して脱フロンにより地球温暖化防止することが特徴の全動翼蒸気ガスタービン合体機関。
【請求項１９４】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を水道水冷熱にして需要家に供給すると共に、水道水冷熱利用の冷房機器を供給して燃焼ガス質量の排気を０に近付けることが特徴の全動翼蒸気ガスタービン合体機関。
【請求項１９５】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房機器を供給することが特徴の全動翼蒸気ガスタービン合体機関。
【請求項１９６】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房機器を供給して脱フロンにより地球温暖化防止することが特徴の全動翼蒸気ガスタービン合体機関。
【請求項１９７】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して冷熱回収器（１０２）により排気燃焼ガス質量を５℃前後の水道水冷熱にして需要家に供給すると共に、水道水冷熱利用の冷房機器を供給して燃焼ガス質量の排気を０に近付けることが特徴の全動翼蒸気ガスタービン合体機関。
【請求項１９８】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して遠心力により二酸化炭素を分離することが特徴の全動翼蒸気ガスタービン合体機関。
【請求項１９９】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して遠心力により二酸化炭素を分離して地球温暖化防止することが特徴の全動翼蒸気ガスタービン合体機関。
【請求項２００】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して遠心力により二酸化炭素を分離して燃焼ガス質量の排気を０に近付けることが特徴の全動翼蒸気ガスタービン合体機関。
【請求項２０１】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して遠心力により二酸化炭素を分離することが特徴の全動翼蒸気ガスタービン合体機関。
【請求項２０２】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して遠心力により二酸化炭素を分離して地球温暖化防止することが特徴の全動翼蒸気ガスタービン合体機関。
【請求項２０３】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して遠心力により二酸化炭素を分離して燃焼ガス質量の排気を０に近付けることが特徴の全動翼蒸気ガスタービン合体機関。
【請求項２０４】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して遠心力により液体窒素を分離することが特徴の全動翼蒸気ガスタービン合体機関。
【請求項２０５】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して遠心力により液体窒素を分離して燃焼ガス質量の排気を０に近付けることが特徴の全動翼蒸気ガスタービン合体機関。
【請求項２０６】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して遠心力により液体窒素を分離することが特徴の全動翼蒸気ガスタービン合体機関。
【請求項２０７】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して遠心力により液体窒素を分離して燃焼ガス質量の排気を０に近付けることが特徴の全動翼蒸気ガスタービン合体機関。
【請求項２０８】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して遠心力により二酸化炭素を分離して回収することが特徴の全動翼蒸気ガスタービン合体機関。
【請求項２０９】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して遠心力により二酸化炭素を分離して回収して燃焼ガス質量の排気を０に近付けることが特徴の全動翼蒸気ガスタービン合体機関。
【請求項２１０】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して遠心力により二酸化炭素を分離して回収することが特徴の全動翼蒸気ガスタービン合体機関。
【請求項２１１】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して遠心力により二酸化炭素を分離して回収して燃焼ガス質量の排気を０に近付けることが特徴の全動翼蒸気ガスタービン合体機関。
【請求項２１２】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して遠心力により液体窒素を分離して回収することが特徴の全動翼蒸気ガスタービン合体機関。
【請求項２１３】
撥水鍍金水冷却翼（８７）と送水ポンプ兼磁気摩擦動力伝達装置（１００ａ）で限り無く高圧空気圧縮して燃焼器兼熱交換器（４）により燃焼ガス熱量＋燃焼ガス質量に分離して、燃焼ガス質量で出力を発生して遠心力により液体窒素を分離して回収して燃焼ガス質量の排気を０に近付けることが特徴の全動翼蒸気ガスタービン合体機関。
【請求項２１４】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して遠心力により液体窒素を分離して回収することが特徴の全動翼蒸気ガスタービン合体機関。
【請求項２１５】
撥水鍍金水冷却翼（８７）と送水ポンプ兼二重反転磁気摩擦動力伝達装置（１４ａ）で限り無く高圧空気圧縮して燃焼器兼熱交換器（４）により燃焼ガス熱量＋燃焼ガス質量に分離して、燃焼ガス質量で出力を発生して遠心力により液体窒素を分離して回収して燃焼ガス質量の排気を０に近付けることが特徴の全動翼蒸気ガスタービン合体機関。
【請求項２１６】
撥水鍍金水冷却翼（８７）と送水ポンプ兼磁気摩擦動力伝達装置（１００ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により液体窒素を分離して回収することが特徴の全動翼蒸気ガスタービン合体機関。
【請求項２１７】
撥水鍍金水冷却翼（８７）と送水ポンプ兼磁気摩擦動力伝達装置（１００ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により液体窒素を分離して回収して燃焼ガス質量の排気を０に近付けることが特徴の全動翼蒸気ガスタービン合体機関。
【請求項２１８】
撥水鍍金水冷却翼（８７）と送水ポンプ兼二重反転磁気摩擦動力伝達装置（１４ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により液体窒素を分離して回収することが特徴の全動翼蒸気ガスタービン合体機関。
【請求項２１９】
撥水鍍金水冷却翼（８７）と送水ポンプ兼二重反転磁気摩擦動力伝達装置（１４ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により液体窒素を分離して回収して燃焼ガス質量の排気を０に近付けることが特徴の全動翼蒸気ガスタービン合体機関。
【請求項２２０】
撥水鍍金水冷却翼（８７）と送水ポンプ兼磁気摩擦動力伝達装置（１００ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により二酸化炭素を分離して回収することが特徴の全動翼蒸気ガスタービン合体機関。
【請求項２２１】
撥水鍍金水冷却翼（８７）と送水ポンプ兼磁気摩擦動力伝達装置（１００ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により二酸化炭素を分離して回収して燃焼ガス質量の排気を０に近付けることが特徴の全動翼蒸気ガスタービン合体機関。
【請求項２２２】
撥水鍍金水冷却翼（８７）と送水ポンプ兼二重反転磁気摩擦動力伝達装置（１４ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により二酸化炭素を分離して回収することが特徴の全動翼蒸気ガスタービン合体機関。
【請求項２２３】
撥水鍍金水冷却翼（８７）と送水ポンプ兼二重反転磁気摩擦動力伝達装置（１４ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により二酸化炭素を分離して回収して燃焼ガス質量の排気を０に近付けることが特徴の全動翼蒸気ガスタービン合体機関。
【請求項２２４】
撥水鍍金水冷却翼（８７）と送水ポンプ兼磁気摩擦動力伝達装置（１００ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により液体窒素を分離することが特徴の全動翼蒸気ガスタービン合体機関。
【請求項２２５】
撥水鍍金水冷却翼（８７）と送水ポンプ兼磁気摩擦動力伝達装置（１００ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により液体窒素を分離して燃焼ガス質量の排気を０に近付けることが特徴の全動翼蒸気ガスタービン合体機関。
【請求項２２６】
撥水鍍金水冷却翼（８７）と送水ポンプ兼二重反転磁気摩擦動力伝達装置（１４ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により液体窒素を分離することが特徴の全動翼蒸気ガスタービン合体機関。
【請求項２２７】
撥水鍍金水冷却翼（８７）と送水ポンプ兼二重反転磁気摩擦動力伝達装置（１４ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により液体窒素を分離して燃焼ガス質量の排気を０に近付けることが特徴の全動翼蒸気ガスタービン合体機関。
【請求項２２８】
撥水鍍金水冷却翼（８７）と送水ポンプ兼磁気摩擦動力伝達装置（１００ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により二酸化炭素を分離することが特徴の全動翼蒸気ガスタービン合体機関。
【請求項２２９】
撥水鍍金水冷却翼（８７）と送水ポンプ兼磁気摩擦動力伝達装置（１００ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により二酸化炭素を分離して燃焼ガス質量の排気を０に近付けることが特徴の全動翼蒸気ガスタービン合体機関。
【請求項２３０】
撥水鍍金水冷却翼（８７）と送水ポンプ兼二重反転磁気摩擦動力伝達装置（１４ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により二酸化炭素を分離することが特徴の全動翼蒸気ガスタービン合体機関。
【請求項２３１】
撥水鍍金水冷却翼（８７）と送水ポンプ兼二重反転磁気摩擦動力伝達装置（１４ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して遠心力により二酸化炭素を分離して燃焼ガス質量の排気を０に近付けることが特徴の全動翼蒸気ガスタービン合体機関。
【請求項２３２】
撥水鍍金水冷却翼（８７）と送水ポンプ兼磁気摩擦動力伝達装置（１００ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項２３３】
撥水鍍金水冷却翼（８７）と送水ポンプ兼磁気摩擦動力伝達装置（１００ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項２３４】
撥水鍍金水冷却翼（８７）と送水ポンプ兼二重反転磁気摩擦動力伝達装置（１４ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項２３５】
撥水鍍金水冷却翼（８７）と送水ポンプ兼二重反転磁気摩擦動力伝達装置（１４ａ）で全動翼圧縮機の構造を簡単超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項２３６】
撥水鍍金水冷却翼（８７）と送水ポンプ兼磁気摩擦動力伝達装置（１００ａ）で全動翼圧縮機の構造を簡単にして環状に一体鋳造を可能にし、超高速回転にして限り無く高圧空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項２３７】
撥水鍍金水冷却翼（８７）と送水ポンプ兼磁気摩擦動力伝達装置（１００ａ）で全動翼圧縮機の構造を簡単にして環状に一体鋳造を可能にし、超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項２３８】
撥水鍍金水冷却翼（８７）と送水ポンプ兼二重反転磁気摩擦動力伝達装置（１４ａ）で全動翼圧縮機の構造を簡単にして環状に一体鋳造を可能にし、超高速回転にして限り無く高圧空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項２３９】
撥水鍍金水冷却翼（８７）と送水ポンプ兼二重反転磁気摩擦動力伝達装置（１４ａ）で全動翼圧縮機の構造を簡単にして環状に一体鋳造を可能にし、超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項２４０】
撥水鍍金水冷却翼（８７）と送水ポンプ兼磁気摩擦動力伝達装置（１００ａ）で全動翼圧縮機の構造を簡単にして全自動加工を可能にし、超高速回転にして限り無く高圧空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項２４１】
撥水鍍金水冷却翼（８７）と送水ポンプ兼磁気摩擦動力伝達装置（１００ａ）で全動翼圧縮機の構造を簡単にして全自動加工を可能にし、超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項２４２】
撥水鍍金水冷却翼（８７）と送水ポンプ兼二重反転磁気摩擦動力伝達装置（１４ａ）で全動翼圧縮機の構造を簡単にして全自動加工を可能にし、超高速回転にして限り無く高圧空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項２４３】
撥水鍍金水冷却翼（８７）と送水ポンプ兼二重反転磁気摩擦動力伝達装置（１４ａ）で全動翼圧縮機の構造を簡単にして全自動加工を可能にし、超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項２４４】
撥水鍍金水冷却翼（８７）と送水ポンプ兼磁気摩擦動力伝達装置（１００ａ）で全動翼圧縮機の構造を簡単にして全自動組立を可能にし、超高速回転にして限り無く高圧空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項２４５】
撥水鍍金水冷却翼（８７）と送水ポンプ兼磁気摩擦動力伝達装置（１００ａ）で全動翼圧縮機の構造を簡単にして全自動組立を可能にし、超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項２４６】
撥水鍍金水冷却翼（８７）と送水ポンプ兼二重反転磁気摩擦動力伝達装置（１４ａ）で全動翼圧縮機の構造を簡単にして全自動組立を可能にし、超高速回転にして限り無く高圧空気圧縮して燃焼器兼熱交換器（４）により燃焼ガス熱量＋燃焼ガス質量に分離して、燃焼ガス質量で出力を発生することが特徴の全動翼蒸気ガスタービン合体機関。
【請求項２４７】
撥水鍍金水冷却翼（８７）と送水ポンプ兼二重反転磁気摩擦動力伝達装置（１４ａ）で全動翼圧縮機の構造を簡単にして全自動組立を可能にし、超高速回転にして限り無く高圧空気圧縮して燃焼器兼熱交換器（４）により燃焼ガス熱量＋燃焼ガス質量に分離して、燃焼ガス質量で出力を発生して燃焼ガス質量の排気を０に近付けることが特徴の全動翼蒸気ガスタービン合体機関。
【請求項２４８】
撥水鍍金水冷却翼（８７）で空気圧縮して燃焼器兼熱交換器（４）により超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けることが特徴の全動翼蒸気ガスタービン合体機関。
【請求項２４９】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生することが特徴の全動翼蒸気ガスタービン合体機関。
【請求項２５０】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生することが特徴の全動翼蒸気ガスタービン合体機関。
【請求項２５１】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けることが特徴の全動翼蒸気ガスタービン合体機関。
【請求項２５２】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けることが特徴の全動翼蒸気ガスタービン合体機関。
【請求項２５３】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収することが特徴の全動翼蒸気ガスタービン合体機関。
【請求項２５４】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収することが特徴の全動翼蒸気ガスタービン合体機関。
【請求項２５５】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収して水道水温熱で供給することが特徴の全動翼蒸気ガスタービン合体機関。
【請求項２５６】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収して水道水温熱で供給することが特徴の全動翼蒸気ガスタービン合体機関。
【請求項２５７】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収して１００℃以下の水道水温熱で供給することが特徴の全動翼蒸気ガスタービン合体機関。
【請求項２５８】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収して１００℃以下の水道水温熱で供給することが特徴の全動翼蒸気ガスタービン合体機関。
【請求項２５９】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収して水道水温熱で供給すると共に、水道水温熱利用の暖房設備を供給することが特徴の全動翼蒸気ガスタービン合体機関。
【請求項２６０】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収して水道水温熱で供給すると共に、水道水温熱利用の暖房設備を供給することが特徴の全動翼蒸気ガスタービン合体機関。
【請求項２６１】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収して１００℃以下の水道水温熱で供給すると共に、水道水温熱利用の暖房設備を供給することが特徴の全動翼蒸気ガスタービン合体機関。
【請求項２６２】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収して１００℃以下の水道水温熱で供給すると共に、水道水温熱利用の暖房設備を供給することが特徴の全動翼蒸気ガスタービン合体機関。
【請求項２６３】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収して水道水温熱で供給すると共に、水道水温熱利用の暖房機器を供給することが特徴の全動翼蒸気ガスタービン合体機関。
【請求項２６４】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収して水道水温熱で供給すると共に、水道水温熱利用の暖房機器を供給することが特徴の全動翼蒸気ガスタービン合体機関。
【請求項２６５】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収して１００℃以下の水道水温熱で供給すると共に、水道水温熱利用の暖房機器を供給することが特徴の全動翼蒸気ガスタービン合体機関。
【請求項２６６】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収して１００℃以下の水道水温熱で供給すると共に、水道水温熱利用の暖房機器を供給することが特徴の全動翼蒸気ガスタービン合体機関。
【請求項２６７】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収して水道水温熱で供給すると共に、水道水温熱利用の調理機器を供給することが特徴の全動翼蒸気ガスタービン合体機関。
【請求項２６８】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収して水道水温熱で供給すると共に、水道水温熱利用の調理機器を供給することが特徴の全動翼蒸気ガスタービン合体機関。
【請求項２６９】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収して１００℃以下の水道水温熱で供給すると共に、水道水温熱利用の調理機器を供給することが特徴の全動翼蒸気ガスタービン合体機関。
【請求項２７０】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収して１００℃以下の水道水温熱で供給すると共に、水道水温熱利用の調理機器を供給することが特徴の全動翼蒸気ガスタービン合体機関。
【請求項２７１】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収して水道水温熱で供給すると共に、水道水温熱利用の調理設備を供給することが特徴の全動翼蒸気ガスタービン合体機関。
【請求項２７２】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収して水道水温熱で供給すると共に、水道水温熱利用の調理設備を供給することが特徴の全動翼蒸気ガスタービン合体機関。
【請求項２７３】
燃焼ガス熱量を超臨界圧力超臨界温度等複数温度水（５ｂ）に変換して、最高温度水（５ｂ）爆発力により低温水（５ｂ）を加速して全動翼蒸気タービンで出力を発生し、高温水供給熱量を最少の気化熱に近付けてその熱を気化潜熱回収器（６６ａ）で回収して１００℃以下の水道水温熱で供給すると共に、水道水温熱利用の調理設備を供給することが特徴の全動翼蒸気ガスタービン合体機関。
【請求項２７４】
燃焼ガス熱量を超臨界圧力超臨界温度等複数温度水（５ｂ）に変換して、最高温度水（５ｂ）爆発力により低温水（５ｂ）を加速して全動翼蒸気ガスタービンで出力を発生し、高温水供給熱量を最少の気化熱に近付けてその熱を気化潜熱回収器（６６ａ）で回収して１００℃以下の水道水温熱で供給すると共に、水道水温熱利用の調理設備を供給することが特徴の全動翼蒸気ガスタービン合体機関。
【請求項２７５】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大し、全動翼蒸気タービンで出力を発生することが特徴の全動翼蒸気ガスタービン合体機関。
【請求項２７６】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大し、全動翼蒸気ガスタービンで出力を発生することが特徴の全動翼蒸気ガスタービン合体機関。
【請求項２７７】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大し、竪型全動翼蒸気タービンで出力を発生することが特徴の全動翼蒸気ガスタービン合体機関。
【請求項２７８】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小した、全動翼蒸気タービンで出力を発生することが特徴の全動翼蒸気ガスタービン合体機関。
【請求項２７９】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小した、全動翼蒸気ガスタービンで出力を発生することが特徴の全動翼蒸気ガスタービン合体機関。
【請求項２８０】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小した、竪型全動翼蒸気タービンで出力を発生することが特徴の全動翼蒸気ガスタービン合体機関。
【請求項２８１】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／１７００に近付けた、全動翼蒸気タービンで出力を発生することが特徴の全動翼蒸気ガスタービン合体機関。
【請求項２８２】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／１７００に近付けた、全動翼蒸気ガスタービンで出力を発生することが特徴の全動翼蒸気ガスタービン合体機関。
【請求項２８３】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／１７００に近付けた、竪型全動翼蒸気タービンで出力を発生することが特徴の全動翼蒸気ガスタービン合体機関。
【請求項２８４】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／５０に近付けた、全動翼蒸気タービンで出力を発生することが特徴の全動翼蒸気ガスタービン合体機関。
【請求項２８５】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／５０に近付けた、全動翼蒸気ガスタービンで出力を発生することが特徴の全動翼蒸気ガスタービン合体機関。
【請求項２８６】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／５０に近付けた、竪型全動翼蒸気タービンで出力を発生することが特徴の全動翼蒸気ガスタービン合体機関。
【請求項２８７】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／２０に近付けた、全動翼蒸気タービンで出力を発生することが特徴の全動翼蒸気ガスタービン合体機関。
【請求項２８８】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／２０に近付けた、全動翼蒸気ガスタービンで出力を発生することが特徴の全動翼蒸気ガスタービン合体機関。
【請求項２８９】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／２０に近付けた、竪型全動翼蒸気タービンで出力を発生することが特徴の全動翼蒸気ガスタービン合体機関。
【請求項２９０】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／１０に近付けた、全動翼蒸気タービンで出力を発生することが特徴の全動翼蒸気ガスタービン合体機関。
【請求項２９１】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／１０に近付けた、全動翼蒸気ガスタービンで出力を発生することが特徴の全動翼蒸気ガスタービン合体機関。
【請求項２９２】
燃焼ガス熱量を超臨界圧力超臨界温度等複数温度水（５ｂ）に変換して、最高温度水（５ｂ）爆発力により低温水（５ｂ）を加速して大気圧重力仕事率が水蒸気の１７００倍の（５ｂ）質量を増大して動翼面積の一部乃至大部分を１／１７００に縮小して構造を１／１０に近付けた、竪型全動翼蒸気タービンで出力を発生することが特徴の全動翼蒸気ガスタービン合体機関。
【請求項２９３】
撥水鍍金タービン全動翼（８１）と送水ポンプ兼磁気摩擦動力伝達装置（１００ａ）でタービン構造を簡単にして全自動組立を可能にし、超高速回転にして燃焼ガス熱量で出力を発生することが特徴の全動翼蒸気ガスタービン合体機関。
【請求項２９４】
撥水鍍金タービン全動翼（８１）と送水ポンプ兼磁気摩擦動力伝達装置（１００ａ）でタービン構造を簡単にして全自動組立を可能にし、超高速回転にして燃焼ガス熱量で出力を発生して燃焼ガス質量の排気を０に近付けることが特徴の全動翼蒸気ガスタービン合体機関。
【請求項２９５】
撥水鍍金タービン全動翼（８１）と送水ポンプ兼二重反転磁気摩擦動力伝達装置（１４ａ）でタービン構造を簡単にして全自動組立を可能にし、超高速回転にして燃焼ガス熱量で出力を発生することが特徴の全動翼蒸気ガスタービン合体機関。
【請求項２９６】
撥水鍍金タービン全動翼（８１）と送水ポンプ兼二重反転磁気摩擦動力伝達装置（１４ａ）でタービン構造を簡単にして全自動組立を可能にし、超高速回転にして燃焼ガス熱量で出力を発生して燃焼ガス質量の排気を０に近付けることが特徴の全動翼蒸気ガスタービン合体機関。
【請求項２９７】
撥水鍍金タービン全動翼（８１）と送水ポンプ兼磁気摩擦動力伝達装置（１００ａ）でタービン構造を簡単にして全自動加工を可能にし、超高速回転にして燃焼ガス熱量で出力を発生することが特徴の全動翼蒸気ガスタービン合体機関。
【請求項２９８】
撥水鍍金タービン全動翼（８１）と送水ポンプ兼磁気摩擦動力伝達装置（１００ａ）でタービン構造を簡単にして全自動加工を可能にし、超高速回転にして燃焼ガス熱量で出力を発生して燃焼ガス質量の排気を０に近付けることが特徴の全動翼蒸気ガスタービン合体機関。
【請求項２９９】
撥水鍍金タービン全動翼（８１）と送水ポンプ兼二重反転磁気摩擦動力伝達装置（１４ａ）でタービン構造を簡単にして全自動加工を可能にし、超高速回転にして燃焼ガス熱量で出力を発生することが特徴の全動翼蒸気ガスタービン合体機関。
【請求項３００】
撥水鍍金タービン全動翼（８１）と送水ポンプ兼二重反転磁気摩擦動力伝達装置（１４ａ）でタービン構造を簡単にして全自動加工を可能にし、超高速回転にして燃焼ガス熱量で出力を発生して燃焼ガス質量の排気を０に近付けることが特徴の全動翼蒸気ガスタービン合体機関。
【請求項３０１】
撥水鍍金タービン全動翼（８１）と送水ポンプ兼磁気摩擦動力伝達装置（１００ａ）でタービン構造を簡単にして環状に一体鋳造を可能にし、超高速回転にして燃焼ガス熱量で出力を発生することが特徴の全動翼蒸気ガスタービン合体機関。
【請求項３０２】
撥水鍍金タービン全動翼（８１）と送水ポンプ兼磁気摩擦動力伝達装置（１００ａ）でタービン構造を簡単にして環状に一体鋳造を可能にし、超高速回転にして燃焼ガス熱量で出力を発生して燃焼ガス質量の排気を０に近付けることが特徴の全動翼蒸気ガスタービン合体機関。
【請求項３０３】
撥水鍍金タービン全動翼（８１）と送水ポンプ兼二重反転磁気摩擦動力伝達装置（１４ａ）でタービン構造を簡単にして環状に一体鋳造を可能にし、超高速回転にして燃焼ガス熱量で出力を発生することが特徴の全動翼蒸気ガスタービン合体機関。
【請求項３０４】
撥水鍍金タービン全動翼（８１）と送水ポンプ兼二重反転磁気摩擦動力伝達装置（１４ａ）でタービン構造を簡単にして環状に一体鋳造を可能にし、超高速回転にして燃焼ガス熱量で出力を発生して燃焼ガス質量の排気を０に近付けることが特徴の全動翼蒸気ガスタービン合体機関。
【請求項３０５】
撥水鍍金タービン全動翼（８１）と送水ポンプ兼磁気摩擦動力伝達装置（１００ａ）でタービン構造を簡単超高速回転にして燃焼ガス熱量で出力を発生することが特徴の全動翼蒸気ガスタービン合体機関。
【請求項３０６】
撥水鍍金タービン全動翼（８１）と送水ポンプ兼磁気摩擦動力伝達装置（１００ａ）でタービン構造を簡単超高速回転にして燃焼ガス熱量で出力を発生して燃焼ガス質量の排気を０に近付けることが特徴の全動翼蒸気ガスタービン合体機関。
【請求項３０７】
撥水鍍金タービン全動翼（８１）と送水ポンプ兼二重反転磁気摩擦動力伝達装置（１４ａ）でタービン構造を簡単超高速回転にして燃焼ガス熱量で出力を発生することが特徴の全動翼蒸気ガスタービン合体機関。
【請求項３０８】
撥水鍍金タービン全動翼（８１）と送水ポンプ兼二重反転磁気摩擦動力伝達装置（１４ａ）でタービン構造を簡単超高速回転にして燃焼ガス熱量で出力を発生して燃焼ガス質量の排気を０に近付けることが特徴の全動翼蒸気ガスタービン合体機関。
【請求項３０９】
撥水鍍金タービン全動翼（８１）と送水ポンプ兼磁気摩擦動力伝達装置（１００ａ）と最高温度水（５ｂ）爆発力で複数温度水（５ｂ）を加速して、タービン構造を簡単超高速回転にして燃焼ガス熱量で出力を発生することが特徴の全動翼蒸気ガスタービン合体機関。
【請求項３１０】
撥水鍍金タービン全動翼（８１）と送水ポンプ兼磁気摩擦動力伝達装置（１００ａ）と最高温度水（５ｂ）爆発力で複数温度水（５ｂ）を加速して、タービン構造を簡単超高速回転にして燃焼ガス熱量出力を特殊装置（９２ｅ）でバイパス噴射して出力を発生することが特徴の全動翼蒸気ガスタービン合体機関。
【請求項３１１】
撥水鍍金タービン全動翼（８１）と送水ポンプ兼磁気摩擦動力伝達装置（１００ａ）と最高温度水（５ｂ）爆発力で複数温度水（５ｂ）を加速して、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３１２】
撥水鍍金タービン全動翼（８１）と送水ポンプ兼磁気摩擦動力伝達装置（１００ａ）と最高温度水（５ｂ）爆発力で複数温度水（５ｂ）を加速して、タービン構造を簡単超高速回転にして燃焼ガス熱量で出力を発生して燃焼ガス質量の排気を０に近付けることが特徴の全動翼蒸気ガスタービン合体機関。
【請求項３１３】
撥水鍍金タービン全動翼（８１）と送水ポンプ兼二重反転磁気摩擦動力伝達装置（１４ａ）と最高温度水（５ｂ）爆発力で複数温度水（５ｂ）を加速して、タービン構造を簡単超高速回転にして燃焼ガス熱量で出力を発生することが特徴の全動翼蒸気ガスタービン合体機関。
【請求項３１４】
撥水鍍金タービン全動翼（８１）と送水ポンプ兼二重反転磁気摩擦動力伝達装置（１４ａ）と最高温度水（５ｂ）爆発力で複数温度水（５ｂ）を加速して、タービン構造を簡単超高速回転にして燃焼ガス熱量出力を特殊装置（９２ｅ）でバイパス噴射して出力を発生することが特徴の全動翼蒸気ガスタービン合体機関。
【請求項３１５】
撥水鍍金タービン全動翼（８１）と送水ポンプ兼二重反転磁気摩擦動力伝達装置（１４ａ）と最高温度水（５ｂ）爆発力で複数温度水（５ｂ）を加速して、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３１６】
撥水鍍金タービン全動翼（８１）と送水ポンプ兼二重反転磁気摩擦動力伝達装置（１４ａ）と最高温度水（５ｂ）爆発力で複数温度水（５ｂ）を加速して、タービン構造を簡単超高速回転にして燃焼ガス熱量で出力を発生して燃焼ガス質量の排気を０に近付けることが特徴の全動翼蒸気ガスタービン合体機関。
【請求項３１７】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を増大し、タービン構造を簡単超高速回転にして燃焼ガス熱量で出力を発生することが特徴の全動翼蒸気ガスタービン合体機関。
【請求項３１８】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を増大し、タービン構造を簡単超高速回転にして燃焼ガス熱量出力を特殊装置（９２ｅ）でバイパス噴射して出力を発生することが特徴の全動翼蒸気ガスタービン合体機関。
【請求項３１９】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３２０】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を増大し、タービン構造を簡単超高速回転にして燃焼ガス熱量で出力を発生して燃焼ガス質量の排気を０に近付けることが特徴の全動翼蒸気ガスタービン合体機関。
【請求項３２１】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量で出力を発生することが特徴の全動翼蒸気ガスタービン合体機関。
【請求項３２２】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を特殊装置（９２ｅ）でバイパス噴射して出力を発生することが特徴の全動翼蒸気ガスタービン合体機関。
【請求項３２３】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３２４】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量で出力を発生して燃焼ガス質量の排気を０に近付けることが特徴の全動翼蒸気ガスタービン合体機関。
【請求項３２５】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの１０倍前後に増大し、タービン構造を簡単超高速回転にして燃焼ガス熱量で出力を発生することが特徴の全動翼蒸気ガスタービン合体機関。
【請求項３２６】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの１０倍前後に増大し、タービン構造を簡単超高速回転にして燃焼ガス熱量出力を特殊装置（９２ｅ）でバイパス噴射して出力を発生することが特徴の全動翼蒸気ガスタービン合体機関。
【請求項３２７】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの１０倍前後に増大し、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３２８】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの１０倍前後に増大し、タービン構造を簡単超高速回転にして燃焼ガス熱量で出力を発生して燃焼ガス質量の排気を０に近付けることが特徴の全動翼蒸気ガスタービン合体機関。
【請求項３２９】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの１０倍前後に増大し、タービン構造を簡単超高速回転にして燃焼ガス熱量で出力を発生することが特徴の全動翼蒸気ガスタービン合体機関。
【請求項３３０】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの１０倍前後に増大し、タービン構造を簡単超高速回転にして燃焼ガス熱量出力を特殊装置（９２ｅ）でバイパス噴射して出力を発生することが特徴の全動翼蒸気ガスタービン合体機関。
【請求項３３１】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの１０倍前後に増大し、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３３２】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの１０倍前後に増大し、タービン構造を簡単超高速回転にして燃焼ガス熱量で出力を発生して燃焼ガス質量の排気を０に近付けることが特徴の全動翼蒸気ガスタービン合体機関。
【請求項３３３】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの３０倍前後に増大し、タービン構造を簡単超高速回転にして燃焼ガス熱量で出力を発生することが特徴の全動翼蒸気ガスタービン合体機関。
【請求項３３４】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの３０倍前後に増大し、タービン構造を簡単超高速回転にして燃焼ガス熱量出力を特殊装置（９２ｅ）でバイパス噴射して出力を発生することが特徴の全動翼蒸気ガスタービン合体機関。
【請求項３３５】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの３０倍前後に増大し、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３３６】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの３０倍前後に増大し、タービン構造を簡単超高速回転にして燃焼ガス熱量で出力を発生して燃焼ガス質量の排気を０に近付けることが特徴の全動翼蒸気ガスタービン合体機関。
【請求項３３７】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの３０倍前後に増大し、タービン構造を簡単超高速回転にして燃焼ガス熱量で出力を発生することが特徴の全動翼蒸気ガスタービン合体機関。
【請求項３３８】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの３０倍前後に増大し、タービン構造を簡単超高速回転にして燃焼ガス熱量出力を特殊装置（９２ｅ）でバイパス噴射して出力を発生することが特徴の全動翼蒸気ガスタービン合体機関。
【請求項３３９】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの３０倍前後に増大し、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３４０】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの３０倍前後に増大し、タービン構造を簡単超高速回転にして燃焼ガス熱量で出力を発生して燃焼ガス質量の排気を０に近付けることが特徴の全動翼蒸気ガスタービン合体機関。
【請求項３４１】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの５０倍前後に増大し、タービン構造を簡単超高速回転にして燃焼ガス熱量で出力を発生することが特徴の全動翼蒸気ガスタービン合体機関。
【請求項３４２】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの５０倍前後に増大し、タービン構造を簡単超高速回転にして燃焼ガス熱量出力を特殊装置（９２ｅ）でバイパス噴射して出力を発生することが特徴の全動翼蒸気ガスタービン合体機関。
【請求項３４３】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの５０倍前後に増大し、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３４４】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの５０倍前後に増大し、タービン構造を簡単超高速回転にして燃焼ガス熱量で出力を発生して燃焼ガス質量の排気を０に近付けることが特徴の全動翼蒸気ガスタービン合体機関。
【請求項３４５】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの５０倍前後に増大し、タービン構造を簡単超高速回転にして燃焼ガス熱量で出力を発生することが特徴の全動翼蒸気ガスタービン合体機関。
【請求項３４６】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの５０倍前後に増大し、タービン構造を簡単超高速回転にして燃焼ガス熱量出力を特殊装置（９２ｅ）でバイパス噴射して出力を発生することが特徴の全動翼蒸気ガスタービン合体機関。
【請求項３４７】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの５０倍前後に増大し、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３４８】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの５０倍前後に増大し、タービン構造を簡単超高速回転にして燃焼ガス熱量で出力を発生して燃焼ガス質量の排気を０に近付けることが特徴の全動翼蒸気ガスタービン合体機関。
【請求項３４９】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの７０倍前後に増大し、タービン構造を簡単超高速回転にして燃焼ガス熱量で出力を発生することが特徴の全動翼蒸気ガスタービン合体機関。
【請求項３５０】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの７０倍前後に増大し、タービン構造を簡単超高速回転にして燃焼ガス熱量出力を特殊装置（９２ｅ）でバイパス噴射して出力を発生することが特徴の全動翼蒸気ガスタービン合体機関。
【請求項３５１】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの７０倍前後に増大し、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３５２】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの７０倍前後に増大し、タービン構造を簡単超高速回転にして燃焼ガス熱量で出力を発生して燃焼ガス質量の排気を０に近付けることが特徴の全動翼蒸気ガスタービン合体機関。
【請求項３５３】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの７０倍前後に増大し、タービン構造を簡単超高速回転にして燃焼ガス熱量で出力を発生することが特徴の全動翼蒸気ガスタービン合体機関。
【請求項３５４】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの７０倍前後に増大し、タービン構造を簡単超高速回転にして燃焼ガス熱量出力を特殊装置（９２ｅ）でバイパス噴射して出力を発生することが特徴の全動翼蒸気ガスタービン合体機関。
【請求項３５５】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの７０倍前後に増大し、タービン構造を簡単超高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３５６】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの７０倍前後に増大し、タービン構造を簡単超高速回転にして燃焼ガス熱量で出力を発生して燃焼ガス質量の排気を０に近付けることが特徴の全動翼蒸気ガスタービン合体機関。
【請求項３５７】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を増大し、タービン構造を１／１０〜１／５０等に簡単高速回転にして燃焼ガス熱量で出力を発生することが特徴の全動翼蒸気ガスタービン合体機関。
【請求項３５８】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を増大し、タービン構造を１／１０〜１／５０等に簡単高速回転にして燃焼ガス熱量出力を特殊装置（９２ｅ）でバイパス噴射して出力を発生することが特徴の全動翼蒸気ガスタービン合体機関。
【請求項３５９】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を増大し、タービン構造を１／１０〜１／５０等に簡単高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３６０】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を増大し、タービン構造を１／１０〜１／５０等に簡単高速回転にして燃焼ガス熱量で出力を発生して燃焼ガス質量の排気を０に近付けることが特徴の全動翼蒸気ガスタービン合体機関。
【請求項３６１】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を１／１０〜１／５０等に簡単高速回転にして燃焼ガス熱量で出力を発生することが特徴の全動翼蒸気ガスタービン合体機関。
【請求項３６２】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を１／１０〜１／５０等に簡単高速回転にして燃焼ガス熱量出力を特殊装置（９２ｅ）でバイパス噴射して出力を発生することが特徴の全動翼蒸気ガスタービン合体機関。
【請求項３６３】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を１／１０〜１／５０等に簡単高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３６４】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を１／１０〜１／５０等に簡単高速回転にして燃焼ガス熱量で出力を発生して燃焼ガス質量の排気を０に近付けることが特徴の全動翼蒸気ガスタービン合体機関。
【請求項３６５】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの１０倍前後に増大し、タービン構造を１／１０〜１／５０等に簡単高速回転にして燃焼ガス熱量で出力を発生することが特徴の全動翼蒸気ガスタービン合体機関。
【請求項３６６】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの１０倍前後に増大し、タービン構造を１／１０〜１／５０等に簡単高速回転にして燃焼ガス熱量出力を特殊装置（９２ｅ）でバイパス噴射して出力を発生することが特徴の全動翼蒸気ガスタービン合体機関。
【請求項３６７】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの１０倍前後に増大し、タービン構造を１／１０〜１／５０等に簡単高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３６８】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの１０倍前後に増大し、タービン構造を１／１０〜１／５０等に簡単高速回転にして燃焼ガス熱量で出力を発生して燃焼ガス質量の排気を０に近付けることが特徴の全動翼蒸気ガスタービン合体機関。
【請求項３６９】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの１０倍前後に増大し、タービン構造を１／１０〜１／５０等に簡単高速回転にして燃焼ガス熱量で出力を発生することが特徴の全動翼蒸気ガスタービン合体機関。
【請求項３７０】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの１０倍前後に増大し、タービン構造を１／１０〜１／５０等に簡単高速回転にして燃焼ガス熱量出力を特殊装置（９２ｅ）でバイパス噴射して出力を発生することが特徴の全動翼蒸気ガスタービン合体機関。
【請求項３７１】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの１０倍前後に増大し、タービン構造を１／１０〜１／５０等に簡単高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３７２】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの１０倍前後に増大し、タービン構造を１／１０〜１／５０等に簡単高速回転にして燃焼ガス熱量で出力を発生して燃焼ガス質量の排気を０に近付けることが特徴の全動翼蒸気ガスタービン合体機関。
【請求項３７３】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの３０倍前後に増大し、タービン構造を１／１０〜１／５０等に簡単高速回転にして燃焼ガス熱量で出力を発生することが特徴の全動翼蒸気ガスタービン合体機関。
【請求項３７４】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの３０倍前後に増大し、タービン構造を１／１０〜１／５０等に簡単高速回転にして燃焼ガス熱量出力を特殊装置（９２ｅ）でバイパス噴射して出力を発生することが特徴の全動翼蒸気ガスタービン合体機関。
【請求項３７５】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの３０倍前後に増大し、タービン構造を１／１０〜１／５０等に簡単高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３７６】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの３０倍前後に増大し、タービン構造を１／１０〜１／５０等に簡単高速回転にして燃焼ガス熱量で出力を発生して燃焼ガス質量の排気を０に近付けることが特徴の全動翼蒸気ガスタービン合体機関。
【請求項３７７】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの３０倍前後に増大し、タービン構造を１／１０〜１／５０等に簡単高速回転にして燃焼ガス熱量で出力を発生することが特徴の全動翼蒸気ガスタービン合体機関。
【請求項３７８】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの３０倍前後に増大し、タービン構造を１／１０〜１／５０等に簡単高速回転にして燃焼ガス熱量出力を特殊装置（９２ｅ）でバイパス噴射して出力を発生することが特徴の全動翼蒸気ガスタービン合体機関。
【請求項３７９】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの３０倍前後に増大し、タービン構造を１／１０〜１／５０等に簡単高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３８０】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの３０倍前後に増大し、タービン構造を１／１０〜１／５０等に簡単高速回転にして燃焼ガス熱量で出力を発生して燃焼ガス質量の排気を０に近付けることが特徴の全動翼蒸気ガスタービン合体機関。
【請求項３８１】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの５０倍前後に増大し、タービン構造を１／１０〜１／５０等に簡単高速回転にして燃焼ガス熱量で出力を発生することが特徴の全動翼蒸気ガスタービン合体機関。
【請求項３８２】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの５０倍前後に増大し、タービン構造を１／１０〜１／５０等に簡単高速回転にして燃焼ガス熱量出力を特殊装置（９２ｅ）でバイパス噴射して出力を発生することが特徴の全動翼蒸気ガスタービン合体機関。
【請求項３８３】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの５０倍前後に増大し、タービン構造を１／１０〜１／５０等に簡単高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３８４】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの５０倍前後に増大し、タービン構造を１／１０〜１／５０等に簡単高速回転にして燃焼ガス熱量で出力を発生して燃焼ガス質量の排気を０に近付けることが特徴の全動翼蒸気ガスタービン合体機関。
【請求項３８５】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの５０倍前後に増大し、タービン構造を１／１０〜１／５０等に簡単高速回転にして燃焼ガス熱量で出力を発生することが特徴の全動翼蒸気ガスタービン合体機関。
【請求項３８６】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの５０倍前後に増大し、タービン構造を１／１０〜１／５０等に簡単高速回転にして燃焼ガス熱量出力を特殊装置（９２ｅ）でバイパス噴射して出力を発生することが特徴の全動翼蒸気ガスタービン合体機関。
【請求項３８７】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの５０倍前後に増大し、タービン構造を１／１０〜１／５０等に簡単高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３８８】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの５０倍前後に増大し、タービン構造を１／１０〜１／５０等に簡単高速回転にして燃焼ガス熱量で出力を発生して燃焼ガス質量の排気を０に近付けることが特徴の全動翼蒸気ガスタービン合体機関。
【請求項３８９】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの７０倍前後に増大し、タービン構造を１／１０〜１／５０等に簡単高速回転にして燃焼ガス熱量で出力を発生することが特徴の全動翼蒸気ガスタービン合体機関。
【請求項３９０】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの７０倍前後に増大し、タービン構造を１／１０〜１／５０等に簡単高速回転にして燃焼ガス熱量出力を特殊装置（９２ｅ）でバイパス噴射して出力を発生することが特徴の全動翼蒸気ガスタービン合体機関。
【請求項３９１】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの７０倍前後に増大し、タービン構造を１／１０〜１／５０等に簡単高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３９２】
撥水鍍金タービン全動翼（８１）と送水ポンプ兼磁気摩擦動力伝達装置（１００ａ）と最高温度水（５ｂ）爆発力で複数温度水（５ｂ）を加速して５ｂ質量を燃焼ガスの７０倍前後に増大し、タービン構造を１／１０〜１／５０等に簡単高速回転にして燃焼ガス熱量で出力を発生して燃焼ガス質量の排気を０に近付けることが特徴の全動翼蒸気ガスタービン合体機関。
【請求項３９３】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの７０倍前後に増大し、タービン構造を１／１０〜１／５０等に簡単高速回転にして燃焼ガス熱量で出力を発生することが特徴の全動翼蒸気ガスタービン合体機関。
【請求項３９４】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの７０倍前後に増大し、タービン構造を１／１０〜１／５０等に簡単高速回転にして燃焼ガス熱量出力を特殊装置（９２ｅ）でバイパス噴射して出力を発生することが特徴の全動翼蒸気ガスタービン合体機関。
【請求項３９５】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの７０倍前後に増大し、タービン構造を１／１０〜１／５０等に簡単高速回転にして燃焼ガス熱量出力＋燃焼ガス質量出力を特殊装置（９２ｅ）＋特殊装置（９２ｂ）でバイパス噴射して出力を発生することが特徴の全動翼蒸気ガスタービン合体機関。
【請求項３９６】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を燃焼ガスの７０倍前後に増大し、タービン構造を１／１０〜１／５０等に簡単高速回転にして燃焼ガス熱量で出力を発生して燃焼ガス質量の排気を０に近付けることが特徴の全動翼蒸気ガスタービン合体機関。
【請求項３９７】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を特殊装置（９２ｅ）でバイパス噴射して噴射推進出力を発生することが特徴の全動翼蒸気ガスタービン合体機関。
【請求項３９８】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を特殊装置（９２ｅ）＋特殊装置（９２ｂ）でバイパス噴射して噴射推進出力を発生することが特徴の全動翼蒸気ガスタービン合体機関。
【請求項３９９】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を特殊装置（９２ｅ）でバイパス噴射してジェット旅客機にすることが特徴の全動翼蒸気ガスタービン合体機関。
【請求項４００】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を特殊装置（９２ｅ）＋特殊装置（９２ｂ）でバイパス噴射してジェット旅客機にすることが特徴の全動翼蒸気ガスタービン合体機関。
【請求項４０１】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を特殊装置（９２ｅ）でバイパス噴射して宇宙往還親飛行機にすることが特徴の全動翼蒸気ガスタービン合体機関。
【請求項４０２】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を特殊装置（９２ｅ）＋特殊装置（９２ｂ）でバイパス噴射して宇宙往還親飛行機にすることが特徴の全動翼蒸気ガスタービン合体機関。
【請求項４０３】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を特殊装置（９２ｅ）でバイパス噴射して宇宙往還親飛行機にして宇宙往還機を発射することが特徴の全動翼蒸気ガスタービン合体機関。
【請求項４０４】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を特殊装置（９２ｅ）＋特殊装置（９２ｂ）でバイパス噴射して宇宙往還親飛行機にして宇宙往還機を発射することが特徴の全動翼蒸気ガスタービン合体機関。
【請求項４０５】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を特殊装置（９２ｅ）でバイパス噴射して宇宙往還親飛行機にして宇宙往還機を固体ロケットで発射することが特徴の全動翼蒸気ガスタービン合体機関。
【請求項４０６】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を特殊装置（９２ｅ）＋特殊装置（９２ｂ）でバイパス噴射して宇宙往還親飛行機にして宇宙往還機を固体ロケットで発射することが特徴の全動翼蒸気ガスタービン合体機関。
【請求項４０７】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を特殊装置（９２ｅ）でバイパス噴射して各種ジェット機にすることが特徴の全動翼蒸気ガスタービン合体機関。
【請求項４０８】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を特殊装置（９２ｅ）＋特殊装置（９２ｂ）でバイパス噴射して各種ジェット機にすることが特徴の全動翼蒸気ガスタービン合体機関。
【請求項４０９】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を特殊装置（９２ｅ）でバイパス噴射して各種飛行船舶にすることが特徴の全動翼蒸気ガスタービン合体機関。
【請求項４１０】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を特殊装置（９２ｅ）＋特殊装置（９２ｂ）でバイパス噴射して各種飛行船舶にすることが特徴の全動翼蒸気ガスタービン合体機関。
【請求項４１１】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を特殊装置（９２ｅ）でバイパス噴射して各種超高速船舶にすることが特徴の全動翼蒸気ガスタービン合体機関。
【請求項４１２】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を特殊装置（９２ｅ）＋特殊装置（９２ｂ）でバイパス噴射して各種超高速船舶にすることが特徴の全動翼蒸気ガスタービン合体機関。
【請求項４１３】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を水噴射装置（９３ｇ）でバイパス噴射して各種超高速船舶にすることが特徴の全動翼蒸気ガスタービン合体機関。
【請求項４１４】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を水噴射装置（９３ｇ）＋水噴射装置（９３ｂ）でバイパス噴射して各種超高速船舶にすることが特徴の全動翼蒸気ガスタービン合体機関。
【請求項４１５】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を水噴射装置（９３ｆ）でバイパス噴射して各種超高速船舶にすることが特徴の全動翼蒸気ガスタービン合体機関。
【請求項４１６】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を水噴射装置（９３ｆ）＋水噴射装置（９３ｂ）でバイパス噴射して各種超高速船舶にすることが特徴の全動翼蒸気ガスタービン合体機関。
【請求項４１７】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を水噴射装置（９３ｇ）でバイパス噴射して各種高速船舶にすることが特徴の全動翼蒸気ガスタービン合体機関。
【請求項４１８】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を水噴射装置（９３ｇ）＋水噴射装置（９３ｂ）でバイパス噴射して各種高速船舶にすることが特徴の全動翼蒸気ガスタービン合体機関。
【請求項４１９】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を水噴射装置（９３ｆ）でバイパス噴射して各種高速船舶にすることが特徴の全動翼蒸気ガスタービン合体機関。
【請求項４２０】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を水噴射装置（９３ｆ）＋水噴射装置（９３ｂ）でバイパス噴射して各種高速船舶にすることが特徴の全動翼蒸気ガスタービン合体機関。
【請求項４２１】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を水噴射装置（９３ｇ）でバイパス噴射して各種船舶にすることが特徴の全動翼蒸気ガスタービン合体機関。
【請求項４２２】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を水噴射装置（９３ｇ）＋水噴射装置（９３ｂ）でバイパス噴射して各種船舶にすることが特徴の全動翼蒸気ガスタービン合体機関。
【請求項４２３】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力を水噴射装置（９３ｆ）でバイパス噴射して各種船舶にすることが特徴の全動翼蒸気ガスタービン合体機関。
【請求項４２４】
撥水鍍金タービン全動翼（８１）と送水ポンプ兼二重反転磁気摩擦動力伝達装置（１４ａ）と最高温度水（５ｂ）爆発力で複数温度水（５ｂ）を加速して５ｂ質量を増大し、タービン構造を簡単超高速回転にして燃焼ガス熱量出力＋燃焼ガス質量出力を水噴射装置（９３ｆ）＋水噴射装置（９３ｂ）でバイパス噴射して各種船舶にすることが特徴の全動翼蒸気ガスタービン合体機関。
【請求項４２５】
撥水鍍金タービン全動翼（８１）出力で最高温度水爆発力を利用して加熱高温手段（１０１）により加熱高温とした高温水噴射ノズル（５９ｂ）より噴射することが特徴の全動翼蒸気ガスタービン合体機関。
【請求項４２６】
撥水鍍金タービン全動翼（８１）出力で最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項４２７】
撥水鍍金タービン全動翼（８１）出力で最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項４２８】
撥水鍍金タービン全動翼（８１）出力で最高温度水爆発力を利用して加熱高温手段（１０１）により加熱高温とした高温水噴射ノズル（５９ｂ）より全動翼ガスタービンの最上流に噴射することが特徴の全動翼蒸気ガスタービン合体機関。
【請求項４２９】
撥水鍍金タービン全動翼（８１）出力で最高温度水爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給することが特徴の全動翼蒸気ガスタービン合体機関。
【請求項４３０】
撥水鍍金タービン全動翼（８１）出力で最高温度水爆発力を利用して加熱高温手段（１０１）により加熱高温とした高温水噴射ノズル（５９ｂ）より全動翼ガスタービンの最上流に噴射し、中流最適段に燃焼ガス（１０）を供給することが特徴の全動翼蒸気ガスタービン合体機関。
【請求項４３１】
撥水鍍金タービン全動翼（８１）出力で最高温度水爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却することが特徴の全動翼蒸気ガスタービン合体機関。
【請求項４３２】
撥水鍍金タービン全動翼（８１）出力で最高温度水爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却することが特徴の全動翼蒸気ガスタービン合体機関。
【請求項４３３】
撥水鍍金タービン全動翼（８１）出力で最高温度水爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項４３４】
撥水鍍金タービン全動翼（８１）出力で最高温度水爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項４３５】
撥水鍍金タービン全動翼（８１）出力で最高温度水爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項４３６】
撥水鍍金タービン全動翼（８１）出力で最高温度水爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項４３７】
撥水鍍金タービン全動翼（８１）出力で最高温度水爆発力を利用して加熱高温手段（１０１）により加熱高温とした高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４３８】
撥水鍍金タービン全動翼（８１）出力で最高温度水爆発力を利用して加熱高温手段（１０１）により加熱高温とした高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４３９】
撥水鍍金タービン全動翼（８１）出力で最高温度水爆発力を利用して加熱高温手段（１０１）により加熱高温とした複数の高温水噴射ノズル（５９ｂ）より噴射することが特徴の全動翼蒸気ガスタービン合体機関。
【請求項４４０】
撥水鍍金タービン全動翼（８１）出力で最高温度水爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項４４１】
撥水鍍金タービン全動翼（８１）出力で最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項４４２】
撥水鍍金タービン全動翼（８１）出力で最高温度水爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収することが特徴の全動翼蒸気ガスタービン合体機関。
【請求項４４３】
撥水鍍金タービン全動翼（８１）出力で最高温度水爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収することが特徴の全動翼蒸気ガスタービン合体機関。
【請求項４４４】
撥水鍍金タービン全動翼（８１）出力で最高温度水爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収して燃焼器兼熱交換器４に供給することが特徴の全動翼蒸気ガスタービン合体機関。
【請求項４４５】
撥水鍍金タービン全動翼（８１）出力で最高温度水爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収して燃焼器兼熱交換器４に供給することが特徴の全動翼蒸気ガスタービン合体機関。
【請求項４４６】
撥水鍍金タービン全動翼（８１）出力で最高温度水爆発力を利用して加熱高温手段（１０１）により加熱高温とした複数の高温水噴射ノズル（５９ｂ）より全動翼蒸気タービンの最上流に噴射し、出力発生後に気化潜熱回収器（６６ａ）により熱回収して燃焼器兼熱交換器４に供給すると共に、需要家に温熱として供給することが特徴の全動翼蒸気ガスタービン合体機関。
【請求項４４７】
撥水鍍金タービン全動翼（８１）出力で最高温度水爆発力を利用して加熱高温手段（１０１）により加熱高温とした高温水噴射ノズル（５９ｂ）より全動翼蒸気タービンの最上流に噴射し、出力発生後に気化潜熱回収器（６６ａ）により熱回収して燃焼器兼熱交換器４に供給すると共に、需要家に温熱として供給することが特徴の全動翼蒸気ガスタービン合体機関。
【請求項４４８】
撥水鍍金タービン全動翼（８１）出力で最高温度水爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項４４９】
撥水鍍金タービン全動翼（８１）出力で最高温度水爆発力を利用して加熱高温手段（１０１）により加熱高温とした複数の高温水噴射ノズル（５９ｂ）より全動翼ガスタービンの最上流に噴射することが特徴の全動翼蒸気ガスタービン合体機関。
【請求項４５０】
撥水鍍金タービン全動翼（８１）出力で最高温度水爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却することが特徴の全動翼蒸気ガスタービン合体機関。
【請求項４５１】
撥水鍍金タービン全動翼（８１）出力で最高温度水爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却することが特徴の全動翼蒸気ガスタービン合体機関。
【請求項４５２】
撥水鍍金タービン全動翼（８１）出力で最高温度水爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項４５３】
撥水鍍金タービン全動翼（８１）出力で最高温度水爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集することが特徴の全動翼蒸気ガスタービン合体機関。
【請求項４５４】
撥水鍍金タービン全動翼（８１）出力で最高温度水爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項４５５】
撥水鍍金タービン全動翼（８１）出力で最高温度水爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集して復水器真空を可能にすることが特徴の全動翼蒸気ガスタービン合体機関。
【請求項４５６】
撥水鍍金タービン全動翼（８１）出力で最高温度水爆発力を利用して加熱高温手段（１０１）により加熱高温とした複数の高温水噴射ノズル（５９ｂ）より全動翼蒸気ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４５７】
撥水鍍金タービン全動翼（８１）出力で最高温度水爆発力を利用して加熱高温手段（１０１）により加熱高温とした複数の高温水噴射ノズル（５９ｂ）より全動翼ガスタービンの最上流に噴射し、中流最適段に燃焼ガス（１０）を供給して高温水（５ｂ）で冷却し、低温燃焼ガスに膨張して水分を凝集してＣＯ２等の排気を０に近付けることが特徴の全動翼蒸気ガスタービン合体機関。
【請求項４５８】
燃焼器兼熱交換器（４）により超臨界温度等複数温度水に変換して、撥水鍍金タービン全動翼（８１）出力で高温水供給熱量を最少の気化熱に近付けることが特徴の全動翼蒸気ガスタービン合体機関。
【請求項４５９】
燃焼器兼熱交換器（４）により超臨界温度等複数温度水に変換して、撥水鍍金タービン全動翼（８１）出力で超臨界圧力水供給熱量を最少の気化熱に近付けることが特徴の全動翼蒸気ガスタービン合体機関。
【請求項４６０】
燃焼器兼熱交換器（４）により超臨界温度等複数温度水に変換して、撥水鍍金タービン全動翼（８１）出力で高温水供給熱量を気化熱に近付けることが特徴の全動翼蒸気ガスタービン合体機関。
【請求項４６１】
燃焼器兼熱交換器（４）により超臨界温度等複数温度水に変換して、撥水鍍金タービン全動翼（８１）出力で超臨界圧力水供給熱量を気化熱に近付けることが特徴の全動翼蒸気ガスタービン合体機関。
【請求項４６２】
燃焼器兼熱交換器（４）により超臨界温度等複数温度水に変換して、撥水鍍金タービン全動翼（８１）出力で高温水供給熱量を最少の気化熱に近付けて最高温度水爆発力を利用することが特徴の全動翼蒸気ガスタービン合体機関。
【請求項４６３】
燃焼器兼熱交換器（４）により超臨界温度等複数温度水に変換して、撥水鍍金タービン全動翼（８１）出力で超臨界圧力水供給熱量を最少の気化熱に近付けて最高温度水爆発力を利用することが特徴の全動翼蒸気ガスタービン合体機関。
【請求項４６４】
燃焼器兼熱交換器（４）により超臨界温度等複数温度水に変換して、撥水鍍金タービン全動翼（８１）出力で高温水供給熱量を気化熱に近付けて最高温度水爆発力を利用することが特徴の全動翼蒸気ガスタービン合体機関。
【請求項４６５】
燃焼器兼熱交換器（４）により超臨界温度等複数温度水に変換して、撥水鍍金タービン全動翼（８１）出力で超臨界圧力水供給熱量を気化熱に近付けて最高温度水爆発力を利用することが特徴の全動翼蒸気ガスタービン合体機関。
【請求項４６６】
燃焼器兼熱交換器（４）により超臨界温度等複数温度水に変換して、撥水鍍金タービン全動翼（８１）出力で高温水供給熱量を最少の気化熱に近付けて最高温度水爆発力を利用して高温水噴射ノズル（５９ｂ）より噴射することが特徴の全動翼蒸気ガスタービン合体機関。
【請求項４６７】
燃焼器兼熱交換器（４）により超臨界温度等複数温度水に変換して、撥水鍍金タービン全動翼（８１）出力で超臨界圧力水供給熱量を最少の気化熱に近付けて最高温度水爆発力を利用して高温水噴射ノズル（５９ｂ）より噴射することが特徴の全動翼蒸気ガスタービン合体機関。
【請求項４６８】
燃焼器兼熱交換器（４）により超臨界温度等複数温度水に変換して、撥水鍍金タービン全動翼（８１）出力で高温水供給熱量を気化熱に近付けて最高温度水爆発力を利用して高温水噴射ノズル（５９ｂ）より噴射することが特徴の全動翼蒸気ガスタービン合体機関。
【請求項４６９】
燃焼器兼熱交換器（４）により超臨界温度等複数温度水に変換して、撥水鍍金タービン全動翼（８１）出力で超臨界圧力水供給熱量を気化熱に近付けて最高温度水爆発力を利用して高温水噴射ノズル（５９ｂ）より噴射することが特徴の全動翼蒸気ガスタービン合体機関。
【請求項４７０】
燃焼器兼熱交換器（４）により超臨界温度等複数温度水に変換して、撥水鍍金タービン全動翼（８１）出力で高温水供給熱量を最少の気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項４７１】
燃焼器兼熱交換器（４）により超臨界温度等複数温度水に変換して、撥水鍍金タービン全動翼（８１）出力で超臨界圧力水供給熱量を最少の気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項４７２】
燃焼器兼熱交換器（４）により超臨界温度等複数温度水に変換して、撥水鍍金タービン全動翼（８１）出力で高温水供給熱量を気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項４７３】
燃焼器兼熱交換器（４）により超臨界温度等複数温度水に変換して、撥水鍍金タービン全動翼（８１）出力で超臨界圧力水供給熱量を気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項４７４】
燃焼器兼熱交換器（４）により超臨界温度等複数温度水に変換して、撥水鍍金タービン全動翼（８１）出力で高温水供給熱量を最少の気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項４７５】
燃焼器兼熱交換器（４）により超臨界温度等複数温度水に変換して、撥水鍍金タービン全動翼（８１）出力で超臨界圧力水供給熱量を最少の気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項４７６】
燃焼器兼熱交換器（４）により超臨界温度等複数温度水に変換して、撥水鍍金タービン全動翼（８１）出力で高温水供給熱量を気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項４７７】
燃焼器兼熱交換器（４）により超臨界温度等複数温度水に変換して、撥水鍍金タービン全動翼（８１）出力で超臨界圧力水供給熱量を気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項４７８】
燃焼器兼熱交換器（４）により超臨界温度等複数温度水に変換して、撥水鍍金タービン全動翼（８１）出力で高温水供給熱量を最少の気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項４７９】
燃焼器兼熱交換器（４）により超臨界温度等複数温度水に変換して、撥水鍍金タービン全動翼（８１）出力で超臨界圧力水供給熱量を最少の気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項４８０】
燃焼器兼熱交換器（４）により超臨界温度等複数温度水に変換して、撥水鍍金タービン全動翼（８１）出力で高温水供給熱量を気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項４８１】
燃焼器兼熱交換器（４）により超臨界温度等複数温度水に変換して、撥水鍍金タービン全動翼（８１）出力で超臨界圧力水供給熱量を気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項４８２】
燃焼器兼熱交換器（４）により超臨界温度等複数温度水に変換して、撥水鍍金タービン全動翼（８１）出力で高温水供給熱量を最少の気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項４８３】
燃焼器兼熱交換器（４）により超臨界温度等複数温度水に変換して、撥水鍍金タービン全動翼（８１）出力で超臨界圧力水供給熱量を最少の気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項４８４】
燃焼器兼熱交換器（４）により超臨界温度等複数温度水に変換して、撥水鍍金タービン全動翼（８１）出力で高温水供給熱量を気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項４８５】
燃焼器兼熱交換器（４）により超臨界温度等複数温度水に変換して、撥水鍍金タービン全動翼（８１）出力で超臨界圧力水供給熱量を気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項４８６】
燃焼器兼熱交換器（４）により超臨界温度等複数温度水に変換して、撥水鍍金タービン全動翼（８１）出力で高温水供給熱量を最少の気化熱に近付けて最高温度水爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項４８７】
燃焼器兼熱交換器（４）により超臨界温度等複数温度水に変換して、撥水鍍金タービン全動翼（８１）出力で超臨界圧力水供給熱量を最少の気化熱に近付けて最高温度水爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項４８８】
燃焼器兼熱交換器（４）により超臨界温度等複数温度水に変換して、撥水鍍金タービン全動翼（８１）出力で高温水供給熱量を気化熱に近付けて最高温度水爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項４８９】
燃焼器兼熱交換器（４）により超臨界温度等複数温度水に変換して、撥水鍍金タービン全動翼（８１）出力で超臨界圧力水供給熱量を気化熱に近付けて最高温度水爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項４９０】
燃焼器兼熱交換器（４）により超臨界温度等複数温度水に変換して、撥水鍍金タービン全動翼（８１）出力で高温水供給熱量を最少の気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項４９１】
燃焼器兼熱交換器（４）により超臨界温度等複数温度水に変換して、撥水鍍金タービン全動翼（８１）出力で超臨界圧力水供給熱量を最少の気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項４９２】
燃焼器兼熱交換器（４）により超臨界温度等複数温度水に変換して、撥水鍍金タービン全動翼（８１）出力で高温水供給熱量を気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項４９３】
燃焼器兼熱交換器（４）により超臨界温度等複数温度水に変換して、撥水鍍金タービン全動翼（８１）出力で超臨界圧力水供給熱量を気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項４９４】
燃焼器兼熱交換器（４）により超臨界温度等複数温度水に変換して、撥水鍍金タービン全動翼（８１）出力で高温水供給熱量を最少の気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項４９５】
燃焼器兼熱交換器（４）により超臨界温度等複数温度水に変換して、撥水鍍金タービン全動翼（８１）出力で超臨界圧力水供給熱量を最少の気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項４９６】
燃焼器兼熱交換器（４）により超臨界温度等複数温度水に変換して、撥水鍍金タービン全動翼（８１）出力で高温水供給熱量を気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項４９７】
燃焼器兼熱交換器（４）により超臨界温度等複数温度水に変換して、撥水鍍金タービン全動翼（８１）出力で超臨界圧力水供給熱量を気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項４９８】
燃焼器兼熱交換器（４）により超臨界温度等複数温度水に変換して、撥水鍍金タービン全動翼（８１）出力で高温水供給熱量を最少の気化熱に近付けて最高温度水爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項４９９】
燃焼器兼熱交換器（４）により超臨界温度等複数温度水に変換して、撥水鍍金タービン全動翼（８１）出力で超臨界圧力水供給熱量を最少の気化熱に近付けて最高温度水爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項５００】
燃焼器兼熱交換器（４）により超臨界温度等複数温度水に変換して、撥水鍍金タービン全動翼（８１）出力で高温水供給熱量を気化熱に近付けて最高温度水爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項５０１】
燃焼器兼熱交換器（４）により超臨界温度等複数温度水に変換して、撥水鍍金タービン全動翼（８１）出力で超臨界圧力水供給熱量を気化熱に近付けて最高温度水爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項５０２】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けることが特徴の全動翼蒸気ガスタービン合体機関。
【請求項５０３】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けることが特徴の全動翼蒸気ガスタービン合体機関。
【請求項５０４】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けることが特徴の全動翼蒸気ガスタービン合体機関。
【請求項５０５】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けることが特徴の全動翼蒸気ガスタービン合体機関。
【請求項５０６】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて全動翼蒸気タービンの最上流に噴射することが特徴の全動翼蒸気ガスタービン合体機関。
【請求項５０７】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて全動翼蒸気タービンの最上流に噴射することが特徴の全動翼蒸気ガスタービン合体機関。
【請求項５０８】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて全動翼蒸気タービンの最上流に噴射することが特徴の全動翼蒸気ガスタービン合体機関。
【請求項５０９】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて全動翼蒸気タービンの最上流に噴射することが特徴の全動翼蒸気ガスタービン合体機関。
【請求項５１０】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて全動翼蒸気ガスタービンの最上流に噴射することが特徴の全動翼蒸気ガスタービン合体機関。
【請求項５１１】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて全動翼蒸気ガスタービンの最上流に噴射することが特徴の全動翼蒸気ガスタービン合体機関。
【請求項５１２】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて全動翼蒸気ガスタービンの最上流に噴射することが特徴の全動翼蒸気ガスタービン合体機関。
【請求項５１３】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて全動翼蒸気ガスタービンの最上流に噴射することが特徴の全動翼蒸気ガスタービン合体機関。
【請求項５１４】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて最高温度水爆発力を利用することが特徴の全動翼蒸気ガスタービン合体機関。
【請求項５１５】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて最高温度水爆発力を利用することが特徴の全動翼蒸気ガスタービン合体機関。
【請求項５１６】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて最高温度水爆発力を利用することが特徴の全動翼蒸気ガスタービン合体機関。
【請求項５１７】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて最高温度水爆発力を利用することが特徴の全動翼蒸気ガスタービン合体機関。
【請求項５１８】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて全動翼蒸気タービンの最上流に噴射して最高温度水爆発力を利用することが特徴の全動翼蒸気ガスタービン合体機関。
【請求項５１９】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて全動翼蒸気タービンの最上流に噴射して最高温度水爆発力を利用することが特徴の全動翼蒸気ガスタービン合体機関。
【請求項５２０】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて全動翼蒸気タービンの最上流に噴射して最高温度水爆発力を利用することが特徴の全動翼蒸気ガスタービン合体機関。
【請求項５２１】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて全動翼蒸気タービンの最上流に噴射して最高温度水爆発力を利用することが特徴の全動翼蒸気ガスタービン合体機関。
【請求項５２２】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて全動翼蒸気ガスタービンの最上流に噴射して最高温度水爆発力を利用することが特徴の全動翼蒸気ガスタービン合体機関。
【請求項５２３】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて全動翼蒸気ガスタービンの最上流に噴射して最高温度水爆発力を利用することが特徴の全動翼蒸気ガスタービン合体機関。
【請求項５２４】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて全動翼蒸気ガスタービンの最上流に噴射して最高温度水爆発力を利用することが特徴の全動翼蒸気ガスタービン合体機関。
【請求項５２５】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて全動翼蒸気ガスタービンの最上流に噴射して最高温度水爆発力を利用することが特徴の全動翼蒸気ガスタービン合体機関。
【請求項５２６】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて最高温度水爆発力を利用して高温水噴射ノズル（５９ｂ）より噴射することが特徴の全動翼蒸気ガスタービン合体機関。
【請求項５２７】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて最高温度水爆発力を利用して高温水噴射ノズル（５９ｂ）より噴射することが特徴の全動翼蒸気ガスタービン合体機関。
【請求項５２８】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて最高温度水爆発力を利用して高温水噴射ノズル（５９ｂ）より噴射することが特徴の全動翼蒸気ガスタービン合体機関。
【請求項５２９】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて最高温度水爆発力を利用して高温水噴射ノズル（５９ｂ）より噴射することが特徴の全動翼蒸気ガスタービン合体機関。
【請求項５３０】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項５３１】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項５３２】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項５３３】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項５３４】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項５３５】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項５３６】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項５３７】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項５３８】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項５３９】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項５４０】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項５４１】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項５４２】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項５４３】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項５４４】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項５４５】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項５４６】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項５４７】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項５４８】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項５４９】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項５５０】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項５５１】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項５５２】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項５５３】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項５５４】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて最高温度水爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項５５５】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて最高温度水爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項５５６】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて最高温度水爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項５５７】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて最高温度水爆発力を利用して加熱高温手段（１０１）により加熱高温とした複数の高温水噴射ノズル（５９ｂ）より全動翼蒸気タービンの最上流に噴射することが特徴の全動翼蒸気ガスタービン合体機関。
【請求項５５８】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を最少の、気化熱に近付けて最高温度水爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項５５９】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を最少の、気化熱に近付けて最高温度水爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項５６０】
燃焼器兼熱交換器（４）により超臨界温度等複数温度水に変換して、撥水鍍金タービン全動翼（８１）出力で気化潜熱回収器（６６ａ）の回収熱量を含めて高温水供給熱量を、気化熱に近付けて最高温度水爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項５６１】
燃焼器兼熱交換器（４）により超臨界温度等複数温度水に変換して、撥水鍍金タービン全動翼（８１）出力で気化潜熱回収器（６６ａ）の回収熱量を含めて超臨界圧力水供給熱量を、気化熱に近付けて最高温度水爆発力を利用して加熱高温手段（１０１）により加熱高温とした複数の高温水噴射ノズル（５９ｂ）より全動翼蒸気ガスタービンの最上流に噴射することが特徴の全動翼蒸気ガスタービン合体機関。
【請求項５６２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けることが特徴の全動翼蒸気ガスタービン合体機関。
【請求項５６３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けることが特徴の全動翼蒸気ガスタービン合体機関。
【請求項５６４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けることが特徴の全動翼蒸気ガスタービン合体機関。
【請求項５６５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けることが特徴の全動翼蒸気ガスタービン合体機関。
【請求項５６６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて全動翼蒸気タービンの最上流に噴射することが特徴の全動翼蒸気ガスタービン合体機関。
【請求項５６７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて全動翼蒸気タービンの最上流に噴射することが特徴の全動翼蒸気ガスタービン合体機関。
【請求項５６８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて全動翼蒸気タービンの最上流に噴射することが特徴の全動翼蒸気ガスタービン合体機関。
【請求項５６９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて全動翼蒸気タービンの最上流に噴射することが特徴の全動翼蒸気ガスタービン合体機関。
【請求項５７０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて全動翼蒸気ガスタービンの最上流に噴射することが特徴の全動翼蒸気ガスタービン合体機関。
【請求項５７１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて全動翼蒸気ガスタービンの最上流に噴射することが特徴の全動翼蒸気ガスタービン合体機関。
【請求項５７２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて全動翼蒸気ガスタービンの最上流に噴射することが特徴の全動翼蒸気ガスタービン合体機関。
【請求項５７３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて全動翼蒸気ガスタービンの最上流に噴射することが特徴の全動翼蒸気ガスタービン合体機関。
【請求項５７４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて最高温度水爆発力を利用することが特徴の全動翼蒸気ガスタービン合体機関。
【請求項５７５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて最高温度水爆発力を利用することが特徴の全動翼蒸気ガスタービン合体機関。
【請求項５７６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて最高温度水爆発力を利用することが特徴の全動翼蒸気ガスタービン合体機関。
【請求項５７７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて最高温度水爆発力を利用することが特徴の全動翼蒸気ガスタービン合体機関。
【請求項５７８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて全動翼蒸気タービンの最上流に噴射して最高温度水爆発力を利用することが特徴の全動翼蒸気ガスタービン合体機関。
【請求項５７９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて全動翼蒸気タービンの最上流に噴射して最高温度水爆発力を利用することが特徴の全動翼蒸気ガスタービン合体機関。
【請求項５８０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて全動翼蒸気タービンの最上流に噴射して最高温度水爆発力を利用することが特徴の全動翼蒸気ガスタービン合体機関。
【請求項５８１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて全動翼蒸気タービンの最上流に噴射して最高温度水爆発力を利用することが特徴の全動翼蒸気ガスタービン合体機関。
【請求項５８２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて全動翼蒸気ガスタービンの最上流に噴射して最高温度水爆発力を利用することが特徴の全動翼蒸気ガスタービン合体機関。
【請求項５８３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて全動翼蒸気ガスタービンの最上流に噴射して最高温度水爆発力を利用することが特徴の全動翼蒸気ガスタービン合体機関。
【請求項５８４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて全動翼蒸気ガスタービンの最上流に噴射して最高温度水爆発力を利用することが特徴の全動翼蒸気ガスタービン合体機関。
【請求項５８５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて全動翼蒸気ガスタービンの最上流に噴射して最高温度水爆発力を利用することが特徴の全動翼蒸気ガスタービン合体機関。
【請求項５８６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて最高温度水爆発力を利用して高温水噴射ノズル（５９ｂ）より噴射することが特徴の全動翼蒸気ガスタービン合体機関。
【請求項５８７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて最高温度水爆発力を利用して高温水噴射ノズル（５９ｂ）より噴射することが特徴の全動翼蒸気ガスタービン合体機関。
【請求項５８８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて最高温度水爆発力を利用して高温水噴射ノズル（５９ｂ）より噴射することが特徴の全動翼蒸気ガスタービン合体機関。
【請求項５８９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて最高温度水爆発力を利用して高温水噴射ノズル（５９ｂ）より噴射することが特徴の全動翼蒸気ガスタービン合体機関。
【請求項５９０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項５９１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項５９２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項５９３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて最高温度水爆発力を利用して高温水噴射ノズル（５９ｂ）より全動翼蒸気タービンの最上流に噴射することが特徴の全動翼蒸気ガスタービン合体機関。
【請求項５９４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項５９５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項５９６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項５９７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて最高温度水爆発力を利用して高温水噴射ノズル（５９ｂ）より全動翼蒸気ガスタービンの最上流に噴射することが特徴の全動翼蒸気ガスタービン合体機関。
【請求項５９８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項５９９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項６００】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項６０１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて最高温度水爆発力を利用して加熱高温手段（１０１）により加熱高温とした高温水噴射ノズル（５９ｂ）より噴射することが特徴の全動翼蒸気ガスタービン合体機関。
【請求項６０２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項６０３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項６０４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項６０５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて最高温度水爆発力を利用して加熱高温手段（１０１）により加熱高温とした高温水噴射ノズル（５９ｂ）より全動翼蒸気タービンの最上流に噴射することが特徴の全動翼蒸気ガスタービン合体機関。
【請求項６０６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項６０７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項６０８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項６０９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて最高温度水爆発力を利用して加熱高温手段（１０１）により加熱高温とした高温水噴射ノズル（５９ｂ）より全動翼蒸気ガスタービンの最上流に噴射することが特徴の全動翼蒸気ガスタービン合体機関。
【請求項６１０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項６１１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項６１２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項６１３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて最高温度水爆発力を利用して加熱高温手段（１０１）により加熱高温とした複数の高温水噴射ノズル（５９ｂ）より噴射することが特徴の全動翼蒸気ガスタービン合体機関。
【請求項６１４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）に連絡することが特徴の全動翼蒸気ガスタービン合体機関。
【請求項６１５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）に連絡することが特徴の全動翼蒸気ガスタービン合体機関。
【請求項６１６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）に連絡することが特徴の全動翼蒸気ガスタービン合体機関。
【請求項６１７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）に連絡することが特徴の全動翼蒸気ガスタービン合体機関。
【請求項６１８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）に連絡して全動翼蒸気タービンの最上流に噴射することが特徴の全動翼蒸気ガスタービン合体機関。
【請求項６１９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）に連絡して全動翼蒸気タービンの最上流に噴射することが特徴の全動翼蒸気ガスタービン合体機関。
【請求項６２０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）に連絡して全動翼蒸気タービンの最上流に噴射することが特徴の全動翼蒸気ガスタービン合体機関。
【請求項６２１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）に連絡して全動翼蒸気タービンの最上流に噴射することが特徴の全動翼蒸気ガスタービン合体機関。
【請求項６２２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）に連絡して全動翼蒸気ガスタービンの最上流に噴射することが特徴の全動翼蒸気ガスタービン合体機関。
【請求項６２３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）に連絡して全動翼蒸気ガスタービンの最上流に噴射することが特徴の全動翼蒸気ガスタービン合体機関。
【請求項６２４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）に連絡して全動翼蒸気ガスタービンの最上流に噴射することが特徴の全動翼蒸気ガスタービン合体機関。
【請求項６２５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）に連絡して全動翼蒸気ガスタービンの最上流に噴射することが特徴の全動翼蒸気ガスタービン合体機関。
【請求項６２６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）に連絡して全動翼ガスタービンの最上流に噴射することが特徴の全動翼蒸気ガスタービン合体機関。
【請求項６２７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）に連絡して全動翼ガスタービンの最上流に噴射することが特徴の全動翼蒸気ガスタービン合体機関。
【請求項６２８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）に連絡して全動翼ガスタービンの最上流に噴射することが特徴の全動翼蒸気ガスタービン合体機関。
【請求項６２９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）に連絡して全動翼ガスタービンの最上流に噴射することが特徴の全動翼蒸気ガスタービン合体機関。
【請求項６３０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）に連絡して最高温度水爆発力を利用することが特徴の全動翼蒸気ガスタービン合体機関。
【請求項６３１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）に連絡して最高温度水爆発力を利用することが特徴の全動翼蒸気ガスタービン合体機関。
【請求項６３２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）に連絡して最高温度水爆発力を利用することが特徴の全動翼蒸気ガスタービン合体機関。
【請求項６３３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）に連絡して最高温度水爆発力を利用することが特徴の全動翼蒸気ガスタービン合体機関。
【請求項６３４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）に連絡して全動翼蒸気タービンの最上流に噴射して最高温度水爆発力を利用することが特徴の全動翼蒸気ガスタービン合体機関。
【請求項６３５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）に連絡して全動翼蒸気タービンの最上流に噴射して最高温度水爆発力を利用することが特徴の全動翼蒸気ガスタービン合体機関。
【請求項６３６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）に連絡して全動翼蒸気タービンの最上流に噴射して最高温度水爆発力を利用することが特徴の全動翼蒸気ガスタービン合体機関。
【請求項６３７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）に連絡して全動翼蒸気タービンの最上流に噴射して最高温度水爆発力を利用することが特徴の全動翼蒸気ガスタービン合体機関。
【請求項６３８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）に連絡して全動翼蒸気ガスタービンの最上流に噴射して最高温度水爆発力を利用することが特徴の全動翼蒸気ガスタービン合体機関。
【請求項６３９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）に連絡して全動翼蒸気ガスタービンの最上流に噴射して最高温度水爆発力を利用することが特徴の全動翼蒸気ガスタービン合体機関。
【請求項６４０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）に連絡して全動翼蒸気ガスタービンの最上流に噴射して最高温度水爆発力を利用することが特徴の全動翼蒸気ガスタービン合体機関。
【請求項６４１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）に連絡して全動翼蒸気ガスタービンの最上流に噴射して最高温度水爆発力を利用することが特徴の全動翼蒸気ガスタービン合体機関。
【請求項６４２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）に連絡して全動翼ガスタービンの最上流に噴射して最高温度水爆発力を利用することが特徴の全動翼蒸気ガスタービン合体機関。
【請求項６４３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）に連絡して全動翼ガスタービンの最上流に噴射して最高温度水爆発力を利用することが特徴の全動翼蒸気ガスタービン合体機関。
【請求項６４４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）に連絡して全動翼ガスタービンの最上流に噴射して最高温度水爆発力を利用することが特徴の全動翼蒸気ガスタービン合体機関。
【請求項６４５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）に連絡して全動翼ガスタービンの最上流に噴射して最高温度水爆発力を利用することが特徴の全動翼蒸気ガスタービン合体機関。
【請求項６４６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）に連絡して、最高温度水爆発力を利用して高温水噴射ノズル（５９ｂ）より噴射することが特徴の全動翼蒸気ガスタービン合体機関。
【請求項６４７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）に連絡して、最高温度水爆発力を利用して高温水噴射ノズル（５９ｂ）より噴射することが特徴の全動翼蒸気ガスタービン合体機関。
【請求項６４８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）に連絡して、最高温度水爆発力を利用して高温水噴射ノズル（５９ｂ）より噴射することが特徴の全動翼蒸気ガスタービン合体機関。
【請求項６４９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）に連絡して、最高温度水爆発力を利用して高温水噴射ノズル（５９ｂ）より噴射することが特徴の全動翼蒸気ガスタービン合体機関。
【請求項６５０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）に連絡して、最高温度水爆発力を利用して加熱高温手段（１０１）により加熱高温とした高温水噴射ノズル（５９ｂ）より噴射することが特徴の全動翼蒸気ガスタービン合体機関。
【請求項６５１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）に連絡して、最高温度水爆発力を利用して加熱高温手段（１０１）により加熱高温とした高温水噴射ノズル（５９ｂ）より噴射することが特徴の全動翼蒸気ガスタービン合体機関。
【請求項６５２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）に連絡して、最高温度水爆発力を利用して加熱高温手段（１０１）により加熱高温とした高温水噴射ノズル（５９ｂ）より噴射することが特徴の全動翼蒸気ガスタービン合体機関。
【請求項６５３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）に連絡して、最高温度水爆発力を利用して加熱高温手段（１０１）により加熱高温とした高温水噴射ノズル（５９ｂ）より噴射することが特徴の全動翼蒸気ガスタービン合体機関。
【請求項６５４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡することが特徴の全動翼蒸気ガスタービン合体機関。
【請求項６５５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）の高温水管（６ａ）に連絡することが特徴の全動翼蒸気ガスタービン合体機関。
【請求項６５６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡することが特徴の全動翼蒸気ガスタービン合体機関。
【請求項６５７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）の高温水管（６ａ）に連絡することが特徴の全動翼蒸気ガスタービン合体機関。
【請求項６５８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼蒸気タービンの最上流に噴射することが特徴の全動翼蒸気ガスタービン合体機関。
【請求項６５９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）の高温水管（６ａ）に連絡して全動翼蒸気タービンの最上流に噴射することが特徴の全動翼蒸気ガスタービン合体機関。
【請求項６６０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼蒸気タービンの最上流に噴射することが特徴の全動翼蒸気ガスタービン合体機関。
【請求項６６１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）の高温水管（６ａ）に連絡して全動翼蒸気タービンの最上流に噴射することが特徴の全動翼蒸気ガスタービン合体機関。
【請求項６６２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼蒸気ガスタービンの最上流に噴射することが特徴の全動翼蒸気ガスタービン合体機関。
【請求項６６３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）の高温水管（６ａ）に連絡して全動翼蒸気ガスタービンの最上流に噴射することが特徴の全動翼蒸気ガスタービン合体機関。
【請求項６６４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼蒸気ガスタービンの最上流に噴射することが特徴の全動翼蒸気ガスタービン合体機関。
【請求項６６５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）の高温水管（６ａ）に連絡して全動翼蒸気ガスタービンの最上流に噴射することが特徴の全動翼蒸気ガスタービン合体機関。
【請求項６６６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼ガスタービンの最上流に噴射することが特徴の全動翼蒸気ガスタービン合体機関。
【請求項６６７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）の高温水管（６ａ）に連絡して全動翼ガスタービンの最上流に噴射することが特徴の全動翼蒸気ガスタービン合体機関。
【請求項６６８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼ガスタービンの最上流に噴射することが特徴の全動翼蒸気ガスタービン合体機関。
【請求項６６９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）の高温水管（６ａ）に連絡して全動翼ガスタービンの最上流に噴射することが特徴の全動翼蒸気ガスタービン合体機関。
【請求項６７０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して最高温度水爆発力を利用することが特徴の全動翼蒸気ガスタービン合体機関。
【請求項６７１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）の高温水管（６ａ）に連絡して最高温度水爆発力を利用することが特徴の全動翼蒸気ガスタービン合体機関。
【請求項６７２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して最高温度水爆発力を利用することが特徴の全動翼蒸気ガスタービン合体機関。
【請求項６７３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）の高温水管（６ａ）に連絡して最高温度水爆発力を利用することが特徴の全動翼蒸気ガスタービン合体機関。
【請求項６７４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼蒸気タービンの最上流に噴射して最高温度水爆発力を利用することが特徴の全動翼蒸気ガスタービン合体機関。
【請求項６７５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）の高温水管（６ａ）に連絡して全動翼蒸気タービンの最上流に噴射して最高温度水爆発力を利用することが特徴の全動翼蒸気ガスタービン合体機関。
【請求項６７６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼蒸気タービンの最上流に噴射して最高温度水爆発力を利用することが特徴の全動翼蒸気ガスタービン合体機関。
【請求項６７７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）の高温水管（６ａ）に連絡して全動翼蒸気タービンの最上流に噴射して最高温度水爆発力を利用することが特徴の全動翼蒸気ガスタービン合体機関。
【請求項６７８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼蒸気ガスタービンの最上流に噴射して最高温度水爆発力を利用することが特徴の全動翼蒸気ガスタービン合体機関。
【請求項６７９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）の高温水管（６ａ）に連絡して全動翼蒸気ガスタービンの最上流に噴射して最高温度水爆発力を利用することが特徴の全動翼蒸気ガスタービン合体機関。
【請求項６８０】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼蒸気ガスタービンの最上流に噴射して最高温度水爆発力を利用することが特徴の全動翼蒸気ガスタービン合体機関。
【請求項６８１】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）の高温水管（６ａ）に連絡して全動翼蒸気ガスタービンの最上流に噴射して最高温度水爆発力を利用することが特徴の全動翼蒸気ガスタービン合体機関。
【請求項６８２】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して全動翼ガスタービンの最上流に噴射して最高温度水爆発力を利用することが特徴の全動翼蒸気ガスタービン合体機関。
【請求項６８３】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）の高温水管（６ａ）に連絡して全動翼ガスタービンの最上流に噴射して最高温度水爆発力を利用することが特徴の全動翼蒸気ガスタービン合体機関。
【請求項６８４】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して全動翼ガスタービンの最上流に噴射して最高温度水爆発力を利用することが特徴の全動翼蒸気ガスタービン合体機関。
【請求項６８５】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）の高温水管（６ａ）に連絡して全動翼ガスタービンの最上流に噴射して最高温度水爆発力を利用することが特徴の全動翼蒸気ガスタービン合体機関。
【請求項６８６】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を最少の、気化熱に近付けて夫々の高温水加減弁（７ａ）の高温水管（６ａ）に連絡して、最高温度水爆発力を利用して高温水噴射ノズル（５９ｂ）より噴射することが特徴の全動翼蒸気ガスタービン合体機関。
【請求項６８７】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を最少の、気化熱に近付けて夫々の高温水加減弁（７ａ）の高温水管（６ａ）に連絡して、最高温度水爆発力を利用して高温水噴射ノズル（５９ｂ）より噴射することが特徴の全動翼蒸気ガスタービン合体機関。
【請求項６８８】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて高温水供給熱量を、気化熱に近付けて夫々の高温水加減弁（７ａ）の高温水管（６ａ）に連絡して、最高温度水爆発力を利用して高温水噴射ノズル（５９ｂ）より噴射することが特徴の全動翼蒸気ガスタービン合体機関。
【請求項６８９】
燃焼器兼熱交換器（４）により超臨界温度等複数温度水に変換して、撥水鍍金タービン全動翼（８１）出力で燃料燃焼質量を低減する気化潜熱回収器（６６ａ）の回収熱量を含めて超臨界圧力水供給熱量を、気化熱に近付けて夫々の高温水加減弁（７ａ）の高温水管（６ａ）に連絡して、最高温度水爆発力を利用して高温水噴射ノズル（５９ｂ）より噴射することが特徴の全動翼蒸気ガスタービン合体機関。
【請求項６９０】
夫々の高温水加減弁（７ａ）により撥水鍍金タービン全動翼を具備した全動翼ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射することが特徴の全動翼蒸気ガスタービン合体機関。
【請求項６９１】
夫々の高温水加減弁（７ａ）により撥水鍍金タービン全動翼を具備した全動翼蒸気ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射することが特徴の全動翼蒸気ガスタービン合体機関。
【請求項６９２】
夫々の高温水加減弁（７ａ）により撥水鍍金タービン全動翼を具備した全動翼ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射することが特徴の全動翼蒸気ガスタービン合体機関。
【請求項６９３】
夫々の高温水加減弁（７ａ）により撥水鍍金タービン全動翼を具備した全動翼蒸気ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射することが特徴の全動翼蒸気ガスタービン合体機関。
【請求項６９４】
夫々の高温水加減弁（７ａ）により撥水鍍金タービン全動翼を具備した全動翼ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項６９５】
夫々の高温水加減弁（７ａ）により撥水鍍金タービン全動翼を具備した全動翼蒸気ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項６９６】
夫々の高温水加減弁（７ａ）により撥水鍍金タービン全動翼を具備した全動翼ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項６９７】
夫々の高温水加減弁（７ａ）により撥水鍍金タービン全動翼を具備した全動翼蒸気ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項６９８】
夫々の高温水加減弁（７ａ）により撥水鍍金タービン全動翼を具備した全動翼ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項６９９】
夫々の高温水加減弁（７ａ）により撥水鍍金タービン全動翼を具備した全動翼蒸気ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項７００】
夫々の高温水加減弁（７ａ）により撥水鍍金タービン全動翼を具備した全動翼ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項７０１】
夫々の高温水加減弁（７ａ）により撥水鍍金タービン全動翼を具備した全動翼蒸気ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力することが特徴の全動翼蒸気ガスタービン合体機関。
【請求項７０２】
夫々の高温水加減弁（７ａ）により撥水鍍金タービン全動翼を具備した全動翼ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項７０３】
夫々の高温水加減弁（７ａ）により撥水鍍金タービン全動翼を具備した全動翼蒸気ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項７０４】
夫々の高温水加減弁（７ａ）により撥水鍍金タービン全動翼を具備した全動翼ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項７０５】
夫々の高温水加減弁（７ａ）により撥水鍍金タービン全動翼を具備した全動翼蒸気ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項７０６】
夫々の高温水加減弁（７ａ）により撥水鍍金タービン全動翼を具備した全動翼ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項７０７】
夫々の高温水加減弁（７ａ）により撥水鍍金タービン全動翼を具備した全動翼蒸気ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項７０８】
夫々の高温水加減弁（７ａ）により撥水鍍金タービン全動翼を具備した全動翼ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項７０９】
夫々の高温水加減弁（７ａ）により撥水鍍金タービン全動翼を具備した全動翼蒸気ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、最適中流段に燃焼ガスを供給して出力する夫々前方の空気を吸引して噴射推進することが特徴の全動翼蒸気ガスタービン合体機関。
【請求項７１０】
夫々の高温水加減弁（７ａ）により撥水鍍金タービン全動翼を具備した全動翼蒸気タービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７１１】
夫々の高温水加減弁（７ａ）により撥水鍍金タービン全動翼を具備した全動翼蒸気ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７１２】
夫々の高温水加減弁（７ａ）により撥水鍍金タービン全動翼を具備した全動翼蒸気タービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７１３】
夫々の高温水加減弁（７ａ）により撥水鍍金タービン全動翼を具備した全動翼蒸気ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７１４】
夫々の高温水加減弁（７ａ）により撥水鍍金タービン全動翼を具備した全動翼蒸気タービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７１５】
夫々の高温水加減弁（７ａ）により撥水鍍金タービン全動翼を具備した全動翼蒸気ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７１６】
夫々の高温水加減弁（７ａ）により撥水鍍金タービン全動翼を具備した全動翼蒸気タービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７１７】
夫々の高温水加減弁（７ａ）により撥水鍍金タービン全動翼を具備した全動翼蒸気ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７１８】
夫々の高温水加減弁（７ａ）により撥水鍍金タービン全動翼を具備した全動翼蒸気タービン複数の霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７１９】
夫々の高温水加減弁（７ａ）により撥水鍍金タービン全動翼を具備した全動翼蒸気ガスタービン複数の霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７２０】
夫々の高温水加減弁（７ａ）により撥水鍍金タービン全動翼を具備した全動翼蒸気タービン霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７２１】
夫々の高温水加減弁（７ａ）により撥水鍍金タービン全動翼を具備した全動翼蒸気ガスタービン霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７２２】
夫々の高温水加減弁（７ａ）により撥水鍍金タービン全動翼を具備した全動翼蒸気タービン複数の霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７２３】
夫々の高温水加減弁（７ａ）により撥水鍍金タービン全動翼を具備した全動翼蒸気ガスタービン複数の霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７２４】
夫々の高温水加減弁（７ａ）により撥水鍍金タービン全動翼を具備した全動翼蒸気タービン霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７２５】
夫々の高温水加減弁（７ａ）により撥水鍍金タービン全動翼を具備した全動翼蒸気ガスタービン霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射することが特徴の全動翼蒸気ガスタービン合体機関。
【請求項７２６】
夫々の高温水加減弁（７ａ）により撥水鍍金タービン全動翼を具備した全動翼蒸気タービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７２７】
夫々の高温水加減弁（７ａ）により撥水鍍金タービン全動翼を具備した全動翼蒸気ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７２８】
夫々の高温水加減弁（７ａ）により撥水鍍金タービン全動翼を具備した全動翼蒸気タービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７２９】
夫々の高温水加減弁（７ａ）により撥水鍍金タービン全動翼を具備した全動翼蒸気ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７３０】
夫々の高温水加減弁（７ａ）により撥水鍍金タービン全動翼を具備した全動翼蒸気タービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７３１】
夫々の高温水加減弁（７ａ）により撥水鍍金タービン全動翼を具備した全動翼蒸気ガスタービン複数の霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７３２】
夫々の高温水加減弁（７ａ）により撥水鍍金タービン全動翼を具備した全動翼蒸気タービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７３３】
夫々の高温水加減弁（７ａ）により撥水鍍金タービン全動翼を具備した全動翼蒸気ガスタービン霧吹きの原理（実施例２）の最上流の夫々の高温水溜（３２ａ）に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７３４】
夫々の高温水加減弁（７ａ）により撥水鍍金タービン全動翼を具備した全動翼蒸気タービン複数の霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７３５】
夫々の高温水加減弁（７ａ）により撥水鍍金タービン全動翼を具備した全動翼蒸気ガスタービン複数の霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７３６】
夫々の高温水加減弁（７ａ）により撥水鍍金タービン全動翼を具備した全動翼蒸気タービン霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７３７】
夫々の高温水加減弁（７ａ）により撥水鍍金タービン全動翼を具備した全動翼蒸気ガスタービン霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７３８】
夫々の高温水加減弁（７ａ）により撥水鍍金タービン全動翼を具備した全動翼蒸気タービン複数の霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７３９】
夫々の高温水加減弁（７ａ）により撥水鍍金タービン全動翼を具備した全動翼蒸気ガスタービン複数の霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７４０】
夫々の高温水加減弁（７ａ）により撥水鍍金タービン全動翼を具備した全動翼蒸気タービン霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７４１】
夫々の高温水加減弁（７ａ）により撥水鍍金タービン全動翼を具備した全動翼蒸気ガスタービン霧吹きの原理（実施例２）の最上流に連絡して、最高温度水爆発力を利用して加熱高温手段（１０１）により加熱高温とした複数の高温水噴射ノズル（５９ｂ）より噴射し、環状の燃焼ガス溜（９）の燃焼ガス（１０）を霧吹きの原理（９１ｂ）より噴射し、夫々により前方の空気を吸引して噴射推進することが特徴の全動翼蒸気ガスタービン合体機関。
【請求項７４２】
夫々の高温水加減弁（７ａ）により、撥水鍍金タービン全動翼を具備した全動翼蒸気タービンの最上流の高温水溜（３２ａ）及び複数の霧吹きの原理（９１ｆ）の最上流及び中流の夫々の高温水溜（３２ａ）に連絡して、最高温度水爆発力を利用して加熱高温手段（１０１）により加熱高温とした複数の高温水噴射ノズル（５９ｂ）より水を噴射することが特徴の全動翼蒸気ガスタービン合体機関。
【請求項７４３】
夫々の高温水加減弁（７ａ）により、撥水鍍金タービン全動翼を具備した全動翼蒸気タービンの最上流の高温水溜（３２ａ）及び複数の霧吹きの原理（９１ｆ）の最上流及び中流の夫々の高温水溜（３２ａ）に連絡して、最高温度水爆発力を利用して複数の高温水噴射ノズル（５９ｂ）より水を噴射することが特徴の全動翼蒸気ガスタービン合体機関。
【請求項７４４】
夫々の高温水加減弁（７ａ）により、撥水鍍金タービン全動翼を具備した全動翼蒸気タービンの最上流の高温水溜（３２ａ）及び複数の霧吹きの原理（９１ｇ）の最上流の夫々の高温水溜（３２ａ）に連絡して、最高温度水爆発力を利用して複数の高温水噴射ノズル（５９ｂ）より水を噴射することが特徴の全動翼蒸気ガスタービン合体機関。
【請求項７４５】
夫々の高温水加減弁（７ａ）により、撥水鍍金タービン全動翼を具備した全動翼蒸気タービンの最上流の高温水溜（３２ａ）及び霧吹きの原理（９１ｆ）の最上流及び中流の夫々の高温水溜（３２ａ）に連絡して、最高温度水爆発力を利用して加熱高温手段（１０１）により加熱高温とした複数の高温水噴射ノズル（５９ｂ）より水を噴射することが特徴の全動翼蒸気ガスタービン合体機関。
【請求項７４６】
夫々の高温水加減弁（７ａ）により、撥水鍍金タービン全動翼を具備した全動翼蒸気タービンの最上流の高温水溜（３２ａ）及び霧吹きの原理（９１ｆ）の最上流及び中流の夫々の高温水溜（３２ａ）に連絡して、最高温度水爆発力を利用して加熱高温手段（１０１）により加熱高温とした複数の高温水噴射ノズル（５９ｂ）より水を噴射することが特徴の全動翼蒸気ガスタービン合体機関。
【請求項７４７】
夫々の高温水加減弁（７ａ）により、撥水鍍金タービン全動翼を具備した全動翼蒸気タービンの最上流の高温水溜（３２ａ）及び霧吹きの原理（９１ｇ）の最上流の夫々の高温水溜（３２ａ）に連絡して、最高温度水爆発力を利用して複数の高温水噴射ノズル（５９ｂ）より水を噴射することが特徴の全動翼蒸気ガスタービン合体機関。
【請求項７４８】
夫々の高温水加減弁（７ａ）により、撥水鍍金タービン全動翼を具備した全動翼蒸気タービンの最上流の高温水溜（３２ａ）及び複数の霧吹きの原理（９１ｆ）の最上流及び中流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｄ）の１以上のノズルより燃焼ガス（１０）全部を噴射することが特徴の全動翼蒸気ガスタービン合体機関。
【請求項７４９】
夫々の高温水加減弁（７ａ）により、撥水鍍金タービン全動翼を具備した全動翼蒸気タービンの最上流の高温水溜（３２ａ）及び複数の霧吹きの原理（９１ｇ）の最上流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｈ）の１以上のノズルより燃焼ガス（１０）全部を噴射することが特徴の全動翼蒸気ガスタービン合体機関。
【請求項７５０】
夫々の高温水加減弁（７ａ）により、撥水鍍金タービン全動翼を具備した全動翼蒸気タービンの最上流の高温水溜（３２ａ）及び複数の霧吹きの原理（９１ｆ）の最上流及び中流の夫々の高温水溜（３２ａ）に連絡して、最高温度水爆発力を利用して複数の高温水噴射ノズル（５９ｂ）より水を噴射し、霧吹きの原理（９１ｄ）の１以上のノズルより燃焼ガス（１０）全部を噴射することが特徴の全動翼蒸気ガスタービン合体機関。
【請求項７５１】
夫々の高温水加減弁（７ａ）により、撥水鍍金タービン全動翼を具備した全動翼蒸気タービンの最上流の高温水溜（３２ａ）及び複数の霧吹きの原理（９１ｇ）の最上流の夫々の高温水溜（３２ａ）に連絡して、最高温度水爆発力を利用して複数の高温水噴射ノズル（５９ｂ）より水を噴射し、霧吹きの原理（９１ｈ）の１以上のノズルより燃焼ガス（１０）全部を噴射することが特徴の全動翼蒸気ガスタービン合体機関。
【請求項７５２】
夫々の高温水加減弁（７ａ）により、撥水鍍金タービン全動翼を具備した全動翼蒸気タービンの最上流の高温水溜（３２ａ）及び霧吹きの原理（９１ｆ）の最上流及び中流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｄ）の１以上のノズルより燃焼ガス（１０）全部を噴射することが特徴の全動翼蒸気ガスタービン合体機関。
【請求項７５３】
夫々の高温水加減弁（７ａ）により、撥水鍍金タービン全動翼を具備した全動翼蒸気タービンの最上流の高温水溜（３２ａ）及び霧吹きの原理（９１ｇ）の最上流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｈ）の１以上のノズルより燃焼ガス（１０）全部を噴射することが特徴の全動翼蒸気ガスタービン合体機関。
【請求項７５４】
夫々の高温水加減弁（７ａ）により、撥水鍍金タービン全動翼を具備した全動翼蒸気タービンの最上流の高温水溜（３２ａ）及び霧吹きの原理（９１ｆ）の最上流及び中流の夫々の高温水溜（３２ａ）に連絡して、最高温度水爆発力を利用して複数の高温水噴射ノズル（５９ｂ）より水を噴射し、霧吹きの原理（９１ｄ）の１以上のノズルより燃焼ガス（１０）全部を噴射することが特徴の全動翼蒸気ガスタービン合体機関。
【請求項７５５】
夫々の高温水加減弁（７ａ）により、撥水鍍金タービン全動翼を具備した全動翼蒸気タービンの最上流の高温水溜（３２ａ）及び霧吹きの原理（９１ｇ）の最上流の夫々の高温水溜（３２ａ）に連絡して、最高温度水爆発力を利用して複数の高温水噴射ノズル（５９ｂ）より水を噴射し、霧吹きの原理（９１ｈ）の１以上のノズルより燃焼ガス（１０）全部を噴射することが特徴の全動翼蒸気ガスタービン合体機関。
【請求項７５６】
夫々の高温水加減弁（７ａ）により、撥水鍍金タービン全動翼を具備した全動翼蒸気タービンの最上流の高温水溜（３２ａ）及び複数の霧吹きの原理（９１ｆ）の最上流及び中流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｄ）の１以上のノズルより燃焼ガス（１０）全部を噴射して夫々前方の水を吸引して噴射推進することが特徴の全動翼蒸気ガスタービン合体機関。
【請求項７５７】
夫々の高温水加減弁（７ａ）により、撥水鍍金タービン全動翼を具備した全動翼蒸気タービンの最上流の高温水溜（３２ａ）及び複数の霧吹きの原理（９１ｇ）の最上流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｈ）の１以上のノズルより燃焼ガス（１０）全部を噴射して夫々前方の水を吸引して噴射推進することが特徴の全動翼蒸気ガスタービン合体機関。
【請求項７５８】
夫々の高温水加減弁（７ａ）により、撥水鍍金タービン全動翼を具備した全動翼蒸気タービンの最上流の高温水溜（３２ａ）及び複数の霧吹きの原理（９１ｇ）の最上流の夫々の高温水溜（３２ａ）に連絡して、最高温度水爆発力を利用して複数の高温水噴射ノズル（５９ｂ）より水を噴射し、霧吹きの原理（９１ｈ）の１以上のノズルより燃焼ガス（１０）全部を噴射して夫々前方の水を吸引して噴射推進することが特徴の全動翼蒸気ガスタービン合体機関。
【請求項７５９】
夫々の高温水加減弁（７ａ）により、撥水鍍金タービン全動翼を具備した全動翼蒸気タービンの最上流の高温水溜（３２ａ）及び霧吹きの原理（９１ｇ）の最上流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｈ）の１以上のノズルより燃焼ガス（１０）全部を噴射して夫々前方の水を吸引して噴射推進することが特徴の全動翼蒸気ガスタービン合体機関。
【請求項７６０】
夫々の高温水加減弁（７ａ）により、撥水鍍金タービン全動翼を具備した全動翼蒸気タービンの最上流の高温水溜（３２ａ）及び霧吹きの原理（９１ｇ）の最上流の夫々の高温水溜（３２ａ）に連絡して、最高温度水爆発力を利用して複数の高温水噴射ノズル（５９ｂ）より水を噴射し、霧吹きの原理（９１ｈ）の１以上のノズルより燃焼ガス（１０）全部を噴射して夫々前方の水を吸引して噴射推進することが特徴の全動翼蒸気ガスタービン合体機関。
【請求項７６１】
夫々の高温水加減弁（７ａ）により、撥水鍍金タービン全動翼を具備した全動翼蒸気タービンの最上流の高温水溜（３２ａ）及び複数の霧吹きの原理（９１ｇ）の最上流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｈ）の１以上のノズルより燃焼ガス（１０）全部を噴射して夫々前方の水を吸引して噴射推進し、全動翼蒸気タービン排気で浮上推進することが特徴の全動翼蒸気ガスタービン合体機関。
【請求項７６２】
夫々の高温水加減弁（７ａ）により、撥水鍍金タービン全動翼を具備した全動翼蒸気タービンの最上流の高温水溜（３２ａ）及び複数の霧吹きの原理（９１ｇ）の最上流の夫々の高温水溜（３２ａ）に連絡して、最高温度水爆発力を利用して複数の高温水噴射ノズル（５９ｂ）より水を噴射し、霧吹きの原理（９１ｈ）の１以上のノズルより燃焼ガス（１０）全部を噴射して夫々前方の水を吸引して噴射推進し、全動翼蒸気タービン排気で浮上推進することが特徴の全動翼蒸気ガスタービン合体機関。
【請求項７６３】
夫々の高温水加減弁（７ａ）により、撥水鍍金タービン全動翼を具備した全動翼蒸気タービンの最上流の高温水溜（３２ａ）及び霧吹きの原理（９１ｇ）の最上流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｈ）の１以上のノズルより燃焼ガス（１０）全部を噴射して夫々前方の水を吸引して噴射推進し、全動翼蒸気タービン排気で浮上推進することが特徴の全動翼蒸気ガスタービン合体機関。
【請求項７６４】
夫々の高温水加減弁（７ａ）により、撥水鍍金タービン全動翼を具備した全動翼蒸気タービンの最上流の高温水溜（３２ａ）及び霧吹きの原理（９１ｇ）の最上流の夫々の高温水溜（３２ａ）に連絡して、最高温度水爆発力を利用して複数の高温水噴射ノズル（５９ｂ）より水を噴射し、霧吹きの原理（９１ｈ）の１以上のノズルより燃焼ガス（１０）全部を噴射して夫々前方の水を吸引して噴射推進し、全動翼蒸気タービン排気で浮上推進することが特徴の全動翼蒸気ガスタービン合体機関。
【請求項７６５】
夫々の高温水加減弁（７ａ）により、撥水鍍金タービン全動翼を具備した全動翼蒸気タービンの最上流の高温水溜（３２ａ）及び複数の霧吹きの原理（９１ｇ）の最上流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｈ）の１以上のノズルより燃焼ガス（１０）全部を噴射して夫々前方の水を吸引して噴射推進し、燃焼ガスで水を冷却してＣＯ２等を海底などに供給することが特徴の全動翼蒸気ガスタービン合体機関。
【請求項７６６】
夫々の高温水加減弁（７ａ）により、撥水鍍金タービン全動翼を具備した全動翼蒸気タービンの最上流の高温水溜（３２ａ）及び複数の霧吹きの原理（９１ｇ）の最上流の夫々の高温水溜（３２ａ）に連絡して、最高温度水爆発力を利用して複数の高温水噴射ノズル（５９ｂ）より水を噴射し、霧吹きの原理（９１ｈ）の１以上のノズルより燃焼ガス（１０）全部を噴射して夫々前方の水を吸引して噴射推進し、燃焼ガスで水を冷却してＣＯ２等を海底などに供給することが特徴の全動翼蒸気ガスタービン合体機関。
【請求項７６７】
夫々の高温水加減弁（７ａ）により、撥水鍍金タービン全動翼を具備した全動翼蒸気タービンの最上流の高温水溜（３２ａ）及び霧吹きの原理（９１ｇ）の最上流の夫々の高温水溜（３２ａ）に連絡して、最高温度水爆発力を利用して加熱高温手段（１０１）により加熱高温とした複数の高温水噴射ノズル（５９ｂ）より水を噴射し、霧吹きの原理（９１ｈ）の１以上のノズルより燃焼ガス（１０）全部を噴射して夫々前方の水を吸引して噴射推進し、燃焼ガスで水を冷却してＣＯ２等を海底などに供給することが特徴の全動翼蒸気ガスタービン合体機関。
【請求項７６８】
夫々の高温水加減弁（７ａ）により、撥水鍍金タービン全動翼を具備した全動翼蒸気タービンの最上流の高温水溜（３２ａ）及び霧吹きの原理（９１ｇ）の最上流の夫々の高温水溜（３２ａ）に連絡して、最高温度水爆発力を利用して複数の高温水噴射ノズル（５９ｂ）より水を噴射し、霧吹きの原理（９１ｈ）の１以上のノズルより燃焼ガス（１０）全部を噴射して夫々前方の水を吸引して噴射推進し、燃焼ガスで水を冷却してＣＯ２等を海底などに供給することが特徴の全動翼蒸気ガスタービン合体機関。
【請求項７６９】
加熱高温手段（１０１）により加熱高温とした霧吹きの原理（実施例２）を利用した高温水噴射ノズル（５９ｂ）より超臨界温度等複数温度水（５ｂ）を噴射することが特徴の全動翼蒸気ガスタービン合体機関。
【請求項７７０】
加熱高温手段（１０１）により加熱高温とした霧吹きの原理（実施例２）を利用した高温水噴射ノズル（５９ｂ）より超臨界圧力超臨界温度最高温度水（５ｂ）爆発力により複数温度水（５ｂ）を噴射することが特徴の全動翼蒸気ガスタービン合体機関。
【請求項７７１】
加熱高温手段（１０１）により加熱高温とした複数の霧吹きの原理（実施例２）を利用した高温水噴射ノズル（５９ｂ）より超臨界温度最高温度水（５ｂ）爆発力により複数温度水（５ｂ）を噴射することが特徴の全動翼蒸気ガスタービン合体機関。
【請求項７７２】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射することが特徴の全動翼蒸気ガスタービン合体機関。
【請求項７７３】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸のように加速することが特徴の全動翼蒸気ガスタービン合体機関。
【請求項７７４】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸のように加速することが特徴の全動翼蒸気ガスタービン合体機関。
【請求項７７５】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速することが特徴の全動翼蒸気ガスタービン合体機関。
【請求項７７６】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速することが特徴の全動翼蒸気ガスタービン合体機関。
【請求項７７７】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速することが特徴の全動翼蒸気ガスタービン合体機関。
【請求項７７８】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速することが特徴の全動翼蒸気ガスタービン合体機関。
【請求項７７９】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速することが特徴の全動翼蒸気ガスタービン合体機関。
【請求項７８０】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速することが特徴の全動翼蒸気ガスタービン合体機関。
【請求項７８１】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪のように加速し、ノズル外では散弾や吹雪のように加速して気化潜熱を最適利用することが特徴の全動翼蒸気ガスタービン合体機関。
【請求項７８２】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して気化潜熱を最適利用することが特徴の全動翼蒸気ガスタービン合体機関。
【請求項７８３】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して気化潜熱を最適利用することが特徴の全動翼蒸気ガスタービン合体機関。
【請求項７８４】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して気化潜熱を最適利用することが特徴の全動翼蒸気ガスタービン合体機関。
【請求項７８５】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼に噴射することが特徴の全動翼蒸気ガスタービン合体機関。
【請求項７８６】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼に噴射することが特徴の全動翼蒸気ガスタービン合体機関。
【請求項７８７】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪のように加速し、ノズル外では散弾や吹雪のように加速して全動翼に噴射することが特徴の全動翼蒸気ガスタービン合体機関。
【請求項７８８】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼に噴射することが特徴の全動翼蒸気ガスタービン合体機関。
【請求項７８９】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼の最上流に噴射することが特徴の全動翼蒸気ガスタービン合体機関。
【請求項７９０】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼の最上流に噴射することが特徴の全動翼蒸気ガスタービン合体機関。
【請求項７９１】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼の最上流に噴射することが特徴の全動翼蒸気ガスタービン合体機関。
【請求項７９２】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼の最上流に噴射することが特徴の全動翼蒸気ガスタービン合体機関。
【請求項７９３】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼ガスタービンの最上流に噴射することが特徴の全動翼蒸気ガスタービン合体機関。
【請求項７９４】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼ガスタービンの最上流に噴射することが特徴の全動翼蒸気ガスタービン合体機関。
【請求項７９５】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼ガスタービンの最上流に噴射することが特徴の全動翼蒸気ガスタービン合体機関。
【請求項７９６】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼ガスタービンの最上流に噴射することが特徴の全動翼蒸気ガスタービン合体機関。
【請求項７９７】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気ガスタービンの最上流に噴射することが特徴の全動翼蒸気ガスタービン合体機関。
【請求項７９８】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気ガスタービンの最上流に噴射することが特徴の全動翼蒸気ガスタービン合体機関。
【請求項７９９】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気ガスタービンの最上流に噴射することが特徴の全動翼蒸気ガスタービン合体機関。
【請求項８００】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気ガスタービンの最上流に噴射することが特徴の全動翼蒸気ガスタービン合体機関。
【請求項８０１】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気タービンの最上流に噴射することが特徴の全動翼蒸気ガスタービン合体機関。
【請求項８０２】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気タービンの最上流に噴射することが特徴の全動翼蒸気ガスタービン合体機関。
【請求項８０３】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気タービンの最上流に噴射することが特徴の全動翼蒸気ガスタービン合体機関。
【請求項８０４】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気タービンの最上流に噴射することが特徴の全動翼蒸気ガスタービン合体機関。
【請求項８０５】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼ガスタービンの最上流より順次下流に噴射することが特徴の全動翼蒸気ガスタービン合体機関。
【請求項８０６】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼ガスタービンの最上流より順次下流に噴射することが特徴の全動翼蒸気ガスタービン合体機関。
【請求項８０７】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼ガスタービンの最上流より順次下流に噴射することが特徴の全動翼蒸気ガスタービン合体機関。
【請求項８０８】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼ガスタービンの最上流より順次下流に噴射することが特徴の全動翼蒸気ガスタービン合体機関。
【請求項８０９】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気ガスタービンの最上流より順次下流に噴射することが特徴の全動翼蒸気ガスタービン合体機関。
【請求項８１０】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気ガスタービンの最上流より順次下流に噴射することが特徴の全動翼蒸気ガスタービン合体機関。
【請求項８１１】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気ガスタービンの最上流より順次下流に噴射することが特徴の全動翼蒸気ガスタービン合体機関。
【請求項８１２】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気ガスタービンの最上流より順次下流に噴射することが特徴の全動翼蒸気ガスタービン合体機関。
【請求項８１３】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射することが特徴の全動翼蒸気ガスタービン合体機関。
【請求項８１４】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射することが特徴の全動翼蒸気ガスタービン合体機関。
【請求項８１５】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射することが特徴の全動翼蒸気ガスタービン合体機関。
【請求項８１６】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射することが特徴の全動翼蒸気ガスタービン合体機関。
【請求項８１７】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼ガスタービンの最上流より順次下流に噴射して回転出力を発生することが特徴の全動翼蒸気ガスタービン合体機関。
【請求項８１８】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼ガスタービンの最上流より順次下流に噴射して回転出力を発生することが特徴の全動翼蒸気ガスタービン合体機関。
【請求項８１９】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼ガスタービンの最上流より順次下流に噴射して回転出力を発生することが特徴の全動翼蒸気ガスタービン合体機関。
【請求項８２０】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼ガスタービンの最上流より順次下流に噴射して回転出力を発生することが特徴の全動翼蒸気ガスタービン合体機関。
【請求項８２１】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気ガスタービンの最上流より順次下流に噴射して回転出力を発生することが特徴の全動翼蒸気ガスタービン合体機関。
【請求項８２２】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気ガスタービンの最上流より順次下流に噴射して回転出力を発生することが特徴の全動翼蒸気ガスタービン合体機関。
【請求項８２３】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気ガスタービンの最上流より順次下流に噴射して回転出力を発生することが特徴の全動翼蒸気ガスタービン合体機関。
【請求項８２４】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気ガスタービンの最上流より順次下流に噴射して回転出力を発生することが特徴の全動翼蒸気ガスタービン合体機関。
【請求項８２５】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して回転出力を発生することが特徴の全動翼蒸気ガスタービン合体機関。
【請求項８２６】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して回転出力を発生することが特徴の全動翼蒸気ガスタービン合体機関。
【請求項８２７】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して回転出力を発生することが特徴の全動翼蒸気ガスタービン合体機関。
【請求項８２８】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して回転出力を発生することが特徴の全動翼蒸気ガスタービン合体機関。
【請求項８２９】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して断熱膨張大気圧まで回転出力を発生することが特徴の全動翼蒸気ガスタービン合体機関。
【請求項８３０】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して断熱膨張大気圧まで回転出力を発生することが特徴の全動翼蒸気ガスタービン合体機関。
【請求項８３１】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して断熱膨張大気圧まで回転出力を発生することが特徴の全動翼蒸気ガスタービン合体機関。
【請求項８３２】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して断熱膨張大気圧まで回転出力を発生することが特徴の全動翼蒸気ガスタービン合体機関。
【請求項８３３】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項８３４】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項８３５】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項８３６】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力によりノズル内では機関銃の弾丸や吹雪等のように加速し、ノズル外では散弾や吹雪のように加速して全動翼蒸気タービンの最上流より順次下流に噴射して断熱膨張大気圧まで回転出力を発生し、気化潜熱回収器（６６ａ）で気化潜熱を回収することが特徴の全動翼蒸気ガスタービン合体機関。
【請求項８３７】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給することが特徴の全動翼蒸気ガスタービン合体機関。
【請求項８３８】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給することが特徴の全動翼蒸気ガスタービン合体機関。
【請求項８３９】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給することが特徴の全動翼蒸気ガスタービン合体機関。
【請求項８４０】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給することが特徴の全動翼蒸気ガスタービン合体機関。
【請求項８４１】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給することが特徴の全動翼蒸気ガスタービン合体機関。
【請求項８４２】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給することが特徴の全動翼蒸気ガスタービン合体機関。
【請求項８４３】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給することが特徴の全動翼蒸気ガスタービン合体機関。
【請求項８４４】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給することが特徴の全動翼蒸気ガスタービン合体機関。
【請求項８４５】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水にすることが特徴の全動翼蒸気ガスタービン合体機関。
【請求項８４６】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水にすることが特徴の全動翼蒸気ガスタービン合体機関。
【請求項８４７】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水にすることが特徴の全動翼蒸気ガスタービン合体機関。
【請求項８４８】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水にすることが特徴の全動翼蒸気ガスタービン合体機関。
【請求項８４９】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水にすることが特徴の全動翼蒸気ガスタービン合体機関。
【請求項８５０】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水にすることが特徴の全動翼蒸気ガスタービン合体機関。
【請求項８５１】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水にすることが特徴の全動翼蒸気ガスタービン合体機関。
【請求項８５２】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水にすることが特徴の全動翼蒸気ガスタービン合体機関。
【請求項８５３】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項８５４】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項８５５】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項８５６】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼ガスタービンの燃焼器兼熱交換器（４）に供給して加熱高温水とし、夫々の高温水加減弁（７ａ）に連絡することが特徴の全動翼蒸気ガスタービン合体機関。
【請求項８５７】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項８５８】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項８５９】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項８６０】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気タービンの最上流より順次下流に噴射して断熱膨張大気圧まで回転出力を発生し、気化潜熱回収器（６６ａ）で気化潜熱を回収して全動翼蒸気ガスタービンの燃焼器兼熱交換器（４）に供給して加熱高温水とし、夫々の高温水加減弁（７ａ）に連絡することが特徴の全動翼蒸気ガスタービン合体機関。
【請求項８６１】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼ガスタービンの最上流より順次下流に噴射して回転出力を発生し、最適中流段に燃焼ガス（１０）を供給することが特徴の全動翼蒸気ガスタービン合体機関。
【請求項８６２】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼ガスタービンの最上流より順次下流に噴射して回転出力を発生し、最適中流段に燃焼ガス（１０）を供給することが特徴の全動翼蒸気ガスタービン合体機関。
【請求項８６３】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼ガスタービンの最上流より順次下流に噴射して回転出力を発生し、最適中流段に燃焼ガス（１０）を供給することが特徴の全動翼蒸気ガスタービン合体機関。
【請求項８６４】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼ガスタービンの最上流より順次下流に噴射して回転出力を発生し、最適中流段に燃焼ガス（１０）を供給することが特徴の全動翼蒸気ガスタービン合体機関。
【請求項８６５】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気ガスタービンの最上流より順次下流に噴射して回転出力を発生し、最適中流段に燃焼ガス（１０）を供給することが特徴の全動翼蒸気ガスタービン合体機関。
【請求項８６６】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気ガスタービンの最上流より順次下流に噴射して回転出力を発生し、最適中流段に燃焼ガス（１０）を供給することが特徴の全動翼蒸気ガスタービン合体機関。
【請求項８６７】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気ガスタービンの最上流より順次下流に噴射して回転出力を発生し、最適中流段に燃焼ガス（１０）を供給することが特徴の全動翼蒸気ガスタービン合体機関。
【請求項８６８】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気ガスタービンの最上流より順次下流に噴射して回転出力を発生し、最適中流段に燃焼ガス（１０）を供給することが特徴の全動翼蒸気ガスタービン合体機関。
【請求項８６９】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項８７０】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項８７１】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項８７２】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼ガスタービンの最上流より順次下流に噴射して回転出力を発生し、最適中流段に燃焼ガス（１０）を供給して高温水により冷却することが特徴の全動翼蒸気ガスタービン合体機関。
【請求項８７３】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項８７４】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項８７５】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項８７６】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気ガスタービンの最上流より順次下流に噴射して回転出力を発生し、最適中流段に燃焼ガス（１０）を供給して高温水により冷却することが特徴の全動翼蒸気ガスタービン合体機関。
【請求項８７７】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８７８】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８７９】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８８０】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８８１】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８８２】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８８３】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８８４】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生することが特徴の全動翼蒸気ガスタービン合体機関。
【請求項８８５】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８８６】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８８７】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８８８】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８８９】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８９０】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８９１】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８９２】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集することが特徴の全動翼蒸気ガスタービン合体機関。
【請求項８９３】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８９４】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８９５】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８９６】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８９７】
加熱高温手段（１０１）により加熱高温とした霧吹きの原理（実施例２）を利用した高温水噴射ノズル（５９ｂ）より超臨界温度等複数温度水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８９８】
加熱高温手段（１０１）により加熱高温とした霧吹きの原理（実施例２）を利用した高温水噴射ノズル（５９ｂ）より超臨界温度等複数温度の超臨界圧力水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項８９９】
加熱高温手段（１０１）により加熱高温とした複数の霧吹きの原理（実施例２）を利用した高温水噴射ノズル（５９ｂ）より超臨界温度等複数温度水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項９００】
加熱高温手段（１０１）により加熱高温とした複数の霧吹きの原理（実施例２）を利用した高温水噴射ノズル（５９ｂ）より超臨界温度等複数温度の超臨界圧力水（５ｂ）を噴射して最高温度水爆発力により全動翼蒸気ガスタービンの最上流より順次下流に噴射して回転出力を発生し、最適中流段に燃焼ガス（１０）を供給して高温水により冷却して回転出力を発生の過程で断熱膨張低温燃焼ガスを核に水分を凝集してＣＯ２等の排気を０に近付けることが特徴の全動翼蒸気ガスタービン合体機関。
【請求項９０１】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項９０２】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項９０３】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気タービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項９０４】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項９０５】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項９０６】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気タービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項９０７】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項９０８】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項９０９】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気タービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項９１０】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項９１１】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項９１２】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気タービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項９１３】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気ガスタービンにおいて、環状に一体鋳造（８４）して組立構造とした撥水鍍金内側タービン動翼群（２０）としたことを特徴とする全動翼蒸気ガスタービン合体機関。
【請求項９１４】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気ガスタービンにおいて、環状に一体鋳造（８４）して組立構造とした撥水鍍金外側タービン動翼群（１９）としたことを特徴とする全動翼蒸気ガスタービン合体機関。
【請求項９１５】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気タービンにおいて、環状に一体鋳造（８４）して組立構造とした撥水鍍金内側タービン動翼群（２０）としたことを特徴とする全動翼蒸気ガスタービン合体機関。
【請求項９１６】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気タービンにおいて、環状に一体鋳造（８４）して組立構造とした撥水鍍金外側タービン動翼群（１９）としたことを特徴とする全動翼蒸気ガスタービン合体機関。
【請求項９１７】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼ガスタービンにおいて、環状に一体鋳造（８４）して組立構造とした撥水鍍金内側タービン動翼群（２０）としたことを特徴とする全動翼蒸気ガスタービン合体機関。
【請求項９１８】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼ガスタービンにおいて、環状に一体鋳造（８４）して組立構造とした撥水鍍金外側タービン動翼群（１９）としたことを特徴とする全動翼蒸気ガスタービン合体機関。
【請求項９１９】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気タービンにおいて、環状に一体鋳造（８４）して全自動加工組立可能とした撥水鍍金内側タービン動翼群（２０）としたことを特徴とする全動翼蒸気ガスタービン合体機関。
【請求項９２０】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する竪型全動翼蒸気タービンにおいて、環状に一体鋳造（８４）して全自動加工組立可能とした撥水鍍金内側タービン動翼群（２０）としたことを特徴とする全動翼蒸気ガスタービン合体機関。
【請求項９２１】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気タービンにおいて、環状に一体鋳造（８４）して全自動加工組立可能とした撥水鍍金外側タービン動翼群（１９）としたことを特徴とする全動翼蒸気ガスタービン合体機関。
【請求項９２２】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する竪型全動翼蒸気タービンにおいて、環状に一体鋳造（８４）して全自動加工組立可能とした撥水鍍金外側タービン動翼群（１９）としたことを特徴とする全動翼蒸気ガスタービン合体機関。
【請求項９２３】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気ガスタービンにおいて、環状に一体鋳造（８４）して全自動加工組立可能とした撥水鍍金内側タービン動翼群（２０）としたことを特徴とする全動翼蒸気ガスタービン合体機関。
【請求項９２４】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気タービンにおいて、環状に一体鋳造（８４）して全自動加工組立可能な組立構造とした撥水鍍金内側タービン動翼群（２０）としたことを特徴とする全動翼蒸気ガスタービン合体機関。
【請求項９２５】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する竪型全動翼蒸気タービンにおいて、環状に一体鋳造（８４）して全自動加工組立可能な組立構造とした撥水鍍金内側タービン動翼群（２０）としたことを特徴とする全動翼蒸気ガスタービン合体機関。
【請求項９２６】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気ガスタービンにおいて、環状に一体鋳造（８４）して全自動加工組立可能な組立構造とした撥水鍍金外側タービン動翼群（１９）としたことを特徴とする全動翼蒸気ガスタービン合体機関。
【請求項９２７】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気タービンにおいて、環状に一体鋳造（８４）して全自動加工組立可能な組立構造とした撥水鍍金外側タービン動翼群（１９）としたことを特徴とする全動翼蒸気ガスタービン合体機関。
【請求項９２８】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する竪型全動翼蒸気タービンにおいて、環状に一体鋳造（８４）して全自動加工組立可能な組立構造とした撥水鍍金外側タービン動翼群（１９）としたことを特徴とする全動翼蒸気ガスタービン合体機関。
【請求項９２９】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼ガスタービンにおいて、環状に一体鋳造（８４）して全自動加工組立可能な組立構造とした撥水鍍金内側タービン動翼群（２０）としたことを特徴とする全動翼蒸気ガスタービン合体機関。
【請求項９３０】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼ガスタービンにおいて、環状に一体鋳造（８４）して全自動加工組立可能な組立構造とした撥水鍍金外側タービン動翼群（１９）としたことを特徴とする全動翼蒸気ガスタービン合体機関。
【請求項９３１】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気タービンにおいて、環状に一体鋳造（８４）して全自動加工可能とした撥水鍍金内側タービン動翼群（２０）としたことを特徴とする全動翼蒸気ガスタービン合体機関。
【請求項９３２】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する竪型全動翼蒸気タービンにおいて、環状に一体鋳造（８４）して組立構造とした撥水鍍金内側タービン動翼群（２０）としたことを特徴とする全動翼蒸気ガスタービン合体機関。
【請求項９３３】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気タービンにおいて、環状に一体鋳造（８４）して全自動加工組立可能な組立構造とした撥水鍍金外側タービン動翼群（１９）としたことを特徴とする全動翼蒸気ガスタービン合体機関。
【請求項９３４】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する竪型全動翼蒸気タービンにおいて、環状に一体鋳造（８４）して全自動加工組立可能な組立構造とした撥水鍍金外側タービン動翼群（１９）としたことを特徴とする全動翼蒸気ガスタービン合体機関。
【請求項９３５】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気ガスタービンにおいて、環状に一体鋳造（８４）して組立構造とした撥水鍍金内側タービン動翼群（２０）とすることを特徴とする全動翼蒸気ガスタービン合体機関。
【請求項９３６】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼ガスタービンにおいて、環状に一体鋳造（８４）して組立構造とした撥水鍍金内側タービン動翼群（２０）とすることを特徴とする全動翼蒸気ガスタービン合体機関。
【請求項９３７】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する全動翼蒸気タービンにおいて、環状に一体鋳造（８４）して組立構造とした撥水鍍金内側タービン動翼群（２０）とすることを特徴とする全動翼蒸気ガスタービン合体機関。
【請求項９３８】
２台の発電機により互いに反対方向に回転する外側軸装置と内側軸装置を最適回転比で結合し、撥水鍍金タービン全動翼（８１）を具備した超臨界圧力超臨界温度等最高温度水（５ｂ）爆発力と複数温度水（５ｂ）で駆動する竪型全動翼蒸気タービンにおいて、環状に一体鋳造（８４）して組立構造とした撥水鍍金内側タービン動翼群（２０）とすることを特徴とする全動翼蒸気ガスタービン合体機関。
【請求項９３９】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気ガスタービンにおいて、環状に一体鋳造（８４）して組立構造とした撥水鍍金内側タービン動翼群（２０）とすることを特徴とする全動翼蒸気ガスタービン合体機関。
【請求項９４０】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼ガスタービンにおいて、環状に一体鋳造（８４）して組立構造とした撥水鍍金内側タービン動翼群（２０）とすることを特徴とする全動翼蒸気ガスタービン合体機関。
【請求項９４１】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する全動翼蒸気タービンにおいて、環状に一体鋳造（８４）して組立構造とした撥水鍍金内側タービン動翼群（２０）とすることを特徴とする全動翼蒸気ガスタービン合体機関。
【請求項９４２】
２台の発電機により互いに反対方向に回転する外側軸装置と内側軸装置を最適回転比で結合し、撥水鍍金タービン全動翼（８１）を具備した超臨界温度等最高温度水（５ｂ）爆発力と複数温度水（５ｂ）で駆動する竪型全動翼蒸気タービンにおいて、環状に一体鋳造（８４）して組立構造とした撥水鍍金内側タービン動翼群（２０）とすることを特徴とする全動翼蒸気ガスタービン合体機関。
【請求項９４３】
燃焼ガス排気温度を−２７３℃に近付ける撥水鍍金タービン全動翼（８１）の全動翼ガスタービンにおいて、低温燃焼ガスにより水道水を冷却して貯蔵することを特徴とする全動翼蒸気ガスタービン合体機関。
【請求項９４４】
燃焼ガス排気温度を−２７３℃に近付ける撥水鍍金タービン全動翼（８１）の全動翼ガスタービンにおいて、低温燃焼ガスにより水道水を冷却して貯蔵して水道水冷熱を需要家に供給することを特徴とする全動翼蒸気ガスタービン合体機関。
【請求項９４５】
燃焼ガス排気温度を−２７３℃に近付ける撥水鍍金タービン全動翼（８１）の全動翼ガスタービンにおいて、燃焼器兼熱交換器４の圧縮空気圧力を全動翼により極限まで上昇することを特徴とする全動翼蒸気ガスタービン合体機関。
【請求項９４６】
燃焼ガス排気温度を−２７３℃に近付ける撥水鍍金タービン全動翼（８１）の全動翼ガスタービンにおいて、燃焼器兼熱交換器４の圧縮空気圧力を全動翼により極限まで上昇し、低温燃焼ガスにより水道水を冷却して貯蔵することを特徴とする全動翼蒸気ガスタービン合体機関。
【請求項９４７】
燃焼ガス排気温度を−２７３℃に近付ける撥水鍍金タービン全動翼（８１）の全動翼ガスタービンにおいて、燃焼器兼熱交換器４の圧縮空気圧力を全動翼により極限まで上昇し、低温燃焼ガスにより水道水を冷却して貯蔵して水道水冷熱を需要家に供給することを特徴とする全動翼蒸気ガスタービン合体機関。
【請求項９４８】
燃焼ガス排気温度を−２７３℃に近付けて撥水鍍金タービン全動翼（８１）と冷熱回収器（１０２）を使用し、低温燃焼ガスにより水道水を冷却して水道水冷熱を需要家に供給して、その水道水冷熱により直接空気を冷却することを特徴とする全動翼蒸気ガスタービン合体機関。
【請求項９４９】
燃焼ガス排気温度を−２７３℃に近付けて撥水鍍金タービン全動翼（８１）と冷熱回収器（１０２）を使用し、低温燃焼ガスにより水道水を冷却して水道水冷熱を需要家に供給して、その水道水冷熱により直接空気を冷却して室内を冷却することを特徴とする全動翼蒸気ガスタービン合体機関。
【請求項９５０】
燃焼ガス排気温度を−２７３℃に近付けて撥水鍍金タービン全動翼（８１）と冷熱回収器（１０２）を使用し、低温燃焼ガスにより水道水を冷却して水道水冷熱を需要家に供給して、その水道水冷熱により圧縮空気を冷却することを特徴とする全動翼蒸気ガスタービン合体機関。
【請求項９５１】
燃焼ガス排気温度を−２７３℃に近付けて撥水鍍金タービン全動翼（８１）と冷熱回収器（１０２）を使用し、低温燃焼ガスにより水道水を冷却して水道水冷熱を需要家に供給して、その水道水冷熱により圧縮空気を冷却して室内を冷却することを特徴とする全動翼蒸気ガスタービン合体機関。
【請求項９５２】
燃焼ガス排気温度を−２７３℃に近付けて撥水鍍金タービン全動翼（８１）と冷熱回収器（１０２）を使用し、低温燃焼ガスにより水道水を冷却して水道水冷熱を需要家に供給して、その水道水冷熱により圧縮空気を冷却して冷凍設備にすることを特徴とする全動翼蒸気ガスタービン合体機関。
【請求項９５３】
燃焼ガス排気温度を−２７３℃に近付けて撥水鍍金タービン全動翼（８１）と冷熱回収器（１０２）を使用し、低温燃焼ガスにより水道水を冷却して水道水冷熱を需要家に供給して、その水道水冷熱により圧縮空気を冷却して冷凍庫にすることを特徴とする全動翼蒸気ガスタービン合体機関。
【請求項９５４】
燃焼ガス排気温度を−２７３℃に近付けて撥水鍍金タービン全動翼（８１）と冷熱回収器（１０２）を使用し、低温燃焼ガスにより水道水を冷却して水道水冷熱を需要家に供給して、その水道水冷熱により圧縮空気を冷却して冷蔵庫にすることを特徴とする全動翼蒸気ガスタービン合体機関。
【請求項９５５】
燃焼ガス排気温度を−２７３℃に近付けて撥水鍍金タービン全動翼（８１）と冷熱回収器（１０２）を使用し、低温燃焼ガスにより水道水を冷却して水道水冷熱を需要家に供給して、その水道水冷熱により圧縮空気を冷却してクーラーにすることを特徴とする全動翼蒸気ガスタービン合体機関。
【請求項９５６】
燃焼ガス排気温度を−２７３℃に近付けて撥水鍍金タービン全動翼（８１）と冷熱回収器（１０２）を使用し、低温燃焼ガスにより水道水を冷却して水道水冷熱を需要家に供給して、その水道水冷熱により圧縮空気を冷却して家庭用クーラーにすることを特徴とする全動翼蒸気ガスタービン合体機関。
【請求項９５７】
燃焼ガス排気温度を−２７３℃に近付けて撥水鍍金タービン全動翼（８１）と冷熱回収器（１０２）を使用し、低温燃焼ガスにより水道水を冷却して水道水冷熱を需要家に供給して、その水道水冷熱により圧縮空気を冷却して業務用クーラーにすることを特徴とする全動翼蒸気ガスタービン合体機関。
【請求項９５８】
燃焼ガス排気温度を−２７３℃に近付ける撥水鍍金タービン全動翼（８１）の全動翼ガスタービンにおいて、燃焼器兼熱交換器４の圧縮空気圧力を全動翼と送水ポンプ兼二重反転磁気摩擦動力伝達装置（１４ａ）により極限まで上昇し、二酸化炭素を回収可能にすることを特徴とする全動翼蒸気ガスタービン合体機関。
【請求項９５９】
燃焼ガス排気温度を−２７３℃に近付ける撥水鍍金タービン全動翼（８１）の全動翼ガスタービンにおいて、燃焼器兼熱交換器４の圧縮空気圧力を全動翼と送水ポンプ兼二重反転磁気摩擦動力伝達装置（１４ａ）により極限まで上昇し、液体窒素を回収可能にすることを特徴とする全動翼蒸気ガスタービン合体機関。
【請求項９６０】
燃焼ガス排気温度を−２７３℃に近付けて撥水鍍金タービン全動翼（８１）と冷熱回収器（１０２）を使用し、低温燃焼ガスにより水道水を冷却して貯蔵することを特徴とする全動翼蒸気ガスタービン合体機関。
【請求項９６１】
燃焼ガス排気温度を−２７３℃に近付けて撥水鍍金タービン全動翼（８１）と冷熱回収器（１０２）を使用し、低温燃焼ガスにより水道水を冷却して貯蔵して水道水冷熱を需要家に供給することを特徴とする全動翼蒸気ガスタービン合体機関。
【請求項９６２】
燃焼ガス排気温度を−２７３℃に近付ける撥水鍍金タービン全動翼（８１）と、燃焼器兼熱交換器４の圧縮空気圧力を全動翼と送水ポンプ兼二重反転磁気摩擦動力伝達装置（１４ａ）により極限まで上昇して冷熱回収器（１０２）を使用することを特徴とする全動翼蒸気ガスタービン合体機関。
【請求項９６３】
燃焼ガス排気温度を−２７３℃に近付ける撥水鍍金タービン全動翼（８１）と、燃焼器兼熱交換器４の圧縮空気圧力を全動翼と送水ポンプ兼二重反転磁気摩擦動力伝達装置（１４ａ）により極限まで上昇して冷熱回収器（１０２）の低温燃焼ガスにより水道水を冷却して貯蔵することを特徴とする全動翼蒸気ガスタービン合体機関。
【請求項９６４】
燃焼ガス排気温度を−２７３℃に近付ける撥水鍍金タービン全動翼（８１）と、燃焼器兼熱交換器４の圧縮空気圧力を全動翼と送水ポンプ兼二重反転磁気摩擦動力伝達装置（１４ａ）により極限まで上昇して冷熱回収器（１０２）の低温燃焼ガスにより水道水を冷却して貯蔵して水道水冷熱を需要家に供給することを特徴とする全動翼蒸気ガスタービン合体機関。
【請求項９６５】
燃焼ガス排気温度を−２７３℃に近付ける撥水鍍金タービン全動翼（８１）と、燃焼器兼熱交換器４の圧縮空気圧力を全動翼と送水ポンプ兼二重反転磁気摩擦動力伝達装置（１４ａ）により極限まで上昇して、遠心力により二酸化炭素を分別回収可能にすることを特徴とする全動翼蒸気ガスタービン合体機関。
【請求項９６６】
燃焼ガス排気温度を−２７３℃に近付ける撥水鍍金タービン全動翼（８１）と、燃焼器兼熱交換器４の圧縮空気圧力を全動翼と送水ポンプ兼二重反転磁気摩擦動力伝達装置（１４ａ）により極限まで上昇して、遠心力により液体窒素を分別回収可能にすることを特徴とする全動翼蒸気ガスタービン合体機関。
【請求項９６７】
燃焼ガス排気温度を−２７３℃に近付ける撥水鍍金タービン全動翼（８１）と、冷熱回収器（１０２）を使用することを特徴とする全動翼蒸気ガスタービン合体機関。
【請求項９６８】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、低温燃焼ガスを核に水や水蒸気を凝集して、雹や水滴等として分別回収可能にすることを特徴とする全動翼蒸気ガスタービン合体機関。
【請求項９６９】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、石炭灰を含む低温燃焼ガスを核に水や水蒸気を凝集して、雹や水滴等として分別回収可能にすることを特徴とする全動翼蒸気ガスタービン合体機関。
【請求項９７０】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、石炭灰を含む低温燃焼ガスを核に水や水蒸気を凝集して、雹や水滴等として分別回収可能にすることを特徴とする全動翼蒸気ガスタービン合体機関。
【請求項９７１】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、石炭灰を含む低温燃焼ガスを核に水や水蒸気を凝集して、雹や水滴等として分別回収可能にすることを特徴とする全動翼蒸気ガスタービン合体機関。
【請求項９７２】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、石炭灰を含む低温燃焼ガスを核に水や水蒸気を凝集して、雹や水滴等として分別回収可能にすることを特徴とする全動翼蒸気ガスタービン合体機関。
【請求項９７３】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９７４】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、低温燃焼ガスを核に水や水蒸気を凝集して、雹や水滴等として分別回収可能にすることを特徴とする全動翼蒸気ガスタービン合体機関。
【請求項９７５】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９７６】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、低温燃焼ガスを核に水や水蒸気を凝集して、雹や水滴等として分別回収可能にすることを特徴とする全動翼蒸気ガスタービン合体機関。
【請求項９７７】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９７８】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、低温燃焼ガスを核に水や水蒸気を凝集して、雹や水滴等として分別回収可能にすることを特徴とする全動翼蒸気ガスタービン合体機関。
【請求項９７９】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項９８０】
燃焼ガス排気温度を−２７３℃に近付ける、撥水鍍金タービン全動翼（８１）を具備した超臨界圧力超臨界温度等最高温度水（５ｂ）の爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、水冷却翼（８７）を段落毎環状に設けたことを特徴とする全動翼蒸気ガスタービン合体機関。
【請求項９８１】
燃焼ガス排気温度を−２７３℃に近付ける、撥水鍍金タービン全動翼（８１）を具備した超臨界圧力超臨界温度等最高温度水（５ｂ）の爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、水冷却翼（８７）を段落毎環状に設けたことを特徴とする全動翼蒸気ガスタービン合体機関。
【請求項９８２】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、水冷却翼（８７）を段落毎環状に設けたことを特徴とする全動翼蒸気ガスタービン合体機関。
【請求項９８３】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、水冷却翼（８７）を段落毎環状に設けたことを特徴とする全動翼蒸気ガスタービン合体機関。
【請求項９８４】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射することを特徴とする全動翼蒸気ガスタービン合体機関。
【請求項９８５】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射することを特徴とする全動翼蒸気ガスタービン合体機関。
【請求項９８６】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射することを特徴とする全動翼蒸気ガスタービン合体機関。
【請求項９８７】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射することを特徴とする全動翼蒸気ガスタービン合体機関。
【請求項９８８】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射することを特徴とする全動翼蒸気ガスタービン合体機関。
【請求項９８９】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射する撥水鍍金水冷却翼（８７）を含めたことを特徴とする全動翼蒸気ガスタービン合体機関。
【請求項９９０】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射することを特徴とする全動翼蒸気ガスタービン合体機関。
【請求項９９１】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射する撥水鍍金水冷却翼（８７）を含めたことを特徴とする全動翼蒸気ガスタービン合体機関。
【請求項９９２】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、該出力で駆動する装置を具備したことを特徴とする全動翼蒸気ガスタービン合体機関。
【請求項９９３】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、該出力で駆動する装置を具備したことを特徴とする全動翼蒸気ガスタービン合体機関。
【請求項９９４】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、該出力で駆動する装置を具備したことを特徴とする全動翼蒸気ガスタービン合体機関。
【請求項９９５】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、該出力で駆動する装置を具備したことを特徴とする全動翼蒸気ガスタービン合体機関。
【請求項９９６】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射して、該出力で駆動する装置を具備したことを特徴とする全動翼蒸気ガスタービン合体機関。
【請求項９９７】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射して、該出力で駆動する装置を具備したことを特徴とする全動翼蒸気ガスタービン合体機関。
【請求項９９８】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射して、該出力で駆動する装置を具備したことを特徴とする全動翼蒸気ガスタービン合体機関。
【請求項９９９】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射して、該出力で駆動する装置を具備したことを特徴とする全動翼蒸気ガスタービン合体機関。
【請求項１０００】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射して、該出力で駆動する装置を具備したことを特徴とする全動翼蒸気ガスタービン合体機関。
【請求項１００１】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射して、該出力で駆動する装置を具備したことを特徴とする全動翼蒸気ガスタービン合体機関。
【請求項１００２】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射して、該出力で駆動する装置を具備したことを特徴とする全動翼蒸気ガスタービン合体機関。
【請求項１００３】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射して、該出力で駆動する装置を具備したことを特徴とする全動翼蒸気ガスタービン合体機関。
【請求項１００４】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等とすることを特徴とする全動翼蒸気ガスタービン合体機関。
【請求項１００５】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、石炭灰や有害物質を含む低温燃焼ガスを核に水や水蒸気を凝集して雹や水滴等とすることを特徴とする全動翼蒸気ガスタービン合体機関。
【請求項１００６】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等とすることを特徴とする全動翼蒸気ガスタービン合体機関。
【請求項１００７】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、石炭灰や有害物質を含む低温燃焼ガスを核に水や水蒸気を凝集して雹や水滴等とすることを特徴とする全動翼蒸気ガスタービン合体機関。
【請求項１００８】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等として分別し、分別した有害物質合成溶解を促進する物質を含む水中に排出して、無害に近付けて放出することを特徴とする全動翼蒸気ガスタービン合体機関。
【請求項１００９】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して雹や水滴等として分別し、分別した有害物質を該合成溶解を促進する物質を含む水中に排出して、無害に近付けて放出することを特徴とする全動翼蒸気ガスタービン合体機関。
【請求項１０１０】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等として分別し、分別した有害物質を該合成溶解を促進する物質を含む水中に排出して、無害に近付けて放出することを特徴とする全動翼蒸気ガスタービン合体機関。
【請求項１０１１】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して雹や水滴等として分別し、分別した有害物質合成溶解を促進する物質を含む水中に排出して、無害に近付けて放出することを特徴とする全動翼蒸気ガスタービン合体機関。
【請求項１０１２】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１０１３】
燃焼ガス排気温度を−２７３℃に近付ける、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１０１４】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１０１５】
燃焼ガス排気温度を−２７３℃に近付ける、撥水鍍金タービン全動翼（８１）を具備した超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１０１６】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、低温燃焼ガスを核に水や水蒸気を凝集して、雹や水滴等として分別回収可能にすることを特徴とする全動翼蒸気ガスタービン合体機関。
【請求項１０１７】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項１０１８】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、低温燃焼ガスを核に水や水蒸気を凝集して、雹や水滴等として分別回収可能にすることを特徴とする全動翼蒸気ガスタービン合体機関。
【請求項１０１９】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項１０２０】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、低温燃焼ガスを核に水や水蒸気を凝集して、雹や水滴等として分別回収可能にすることを特徴とする全動翼蒸気ガスタービン合体機関。
【請求項１０２１】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項１０２２】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、低温燃焼ガスを核に水や水蒸気を凝集して、雹や水滴等として分別回収可能にすることを特徴とする全動翼蒸気ガスタービン合体機関。
【請求項１０２３】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して、雹や水滴等として分別回収可能にすることを特徴とする全動翼蒸気ガスタービン合体機関。
【請求項１０２４】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、水冷却翼（８７）を段落毎環状に設けたことを特徴とする全動翼蒸気ガスタービン合体機関。
【請求項１０２５】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、水冷却翼（８７）を段落毎環状に設けたことを特徴とする全動翼蒸気ガスタービン合体機関。
【請求項１０２６】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、水冷却翼（８７）を段落毎環状に設けたことを特徴とする全動翼蒸気ガスタービン合体機関。
【請求項１０２７】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、水冷却翼（８７）を段落毎環状に設けたことを特徴とする全動翼蒸気ガスタービン合体機関。
【請求項１０２８】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造として、夫々の撥水鍍金外側圧縮機動翼群（１６）及び撥水鍍金内側圧縮機動翼群（１７）の大部分に撥水鍍金水冷却翼（８７）を設けて、段落毎１以上複数の撥水鍍金水冷却翼を冷却後に水噴射手段（５６）より水噴射することを特徴とする全動翼蒸気ガスタービン合体機関。
【請求項１０２９】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射することを特徴とする全動翼蒸気ガスタービン合体機関。
【請求項１０３０】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造として、夫々の撥水鍍金外側圧縮機動翼群（１６）及び撥水鍍金内側圧縮機動翼群（１７）の大部分に撥水鍍金水冷却翼（８７）を設けて、段落毎１以上複数の撥水鍍金水冷却翼を冷却後に水噴射手段（５６）より水噴射することを特徴とする全動翼蒸気ガスタービン合体機関。
【請求項１０３１】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射することを特徴とする全動翼蒸気ガスタービン合体機関。
【請求項１０３２】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射する撥水鍍金水冷却翼（８７）を含めたことを特徴とする全動翼蒸気ガスタービン合体機関。
【請求項１０３３】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射する撥水鍍金水冷却翼（８７）を含めたことを特徴とする全動翼蒸気ガスタービン合体機関。
【請求項１０３４】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射する撥水鍍金水冷却翼（８７）を含めたことを特徴とする全動翼蒸気ガスタービン合体機関。
【請求項１０３５】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射する撥水鍍金水冷却翼（８７）を含めたことを特徴とする全動翼蒸気ガスタービン合体機関。
【請求項１０３６】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、該出力で駆動する装置を具備したことを特徴とする全動翼蒸気ガスタービン合体機関。
【請求項１０３７】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、該出力で駆動する装置を具備したことを特徴とする全動翼蒸気ガスタービン合体機関。
【請求項１０３８】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、該出力で駆動する装置を具備したことを特徴とする全動翼蒸気ガスタービン合体機関。
【請求項１０３９】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、該出力で駆動する装置を具備したことを特徴とする全動翼蒸気ガスタービン合体機関。
【請求項１０４０】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射して、該出力で駆動する装置を具備したことを特徴とする全動翼蒸気ガスタービン合体機関。
【請求項１０４１】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造とした夫々の外側圧縮動機翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射して、該出力で駆動する装置を具備したことを特徴とする全動翼蒸気ガスタービン合体機関。
【請求項１０４２】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射して、該出力で駆動する装置を具備したことを特徴とする全動翼蒸気ガスタービン合体機関。
【請求項１０４３】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造とした夫々の外側圧縮動機翼群（１６）及び撥水鍍金内側圧縮機動翼群（１７）の大部分に、撥水鍍金水冷却翼（８７）を設けて、段落毎１以上複数の撥水鍍金水冷却翼を冷却後に水噴射手段（５６）より水噴射して、該出力で駆動する装置を具備したことを特徴とする全動翼蒸気ガスタービン合体機関。
【請求項１０４４】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射して、該出力で駆動する装置を具備したことを特徴とする全動翼蒸気ガスタービン合体機関。
【請求項１０４５】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、環状に一体鋳造（８４）して組立構造として、夫々の外側圧縮動機翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射して、該出力で駆動する装置を具備したことを特徴とする全動翼蒸気ガスタービン合体機関。
【請求項１０４６】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、環状に一体鋳造（８４）して組立構造として、夫々の撥水鍍金外側圧縮機動翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射して、該出力で駆動する装置を具備したことを特徴とする全動翼蒸気ガスタービン合体機関。
【請求項１０４７】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、環状に一体鋳造（８４）して組立構造として、夫々の外側圧縮動機翼群（１６）及び撥水鍍金内側圧縮機動翼群（１７）の大部分に、撥水鍍金水冷却翼（８７）を設けて、段落毎全部以下半分の撥水鍍金水冷却翼を冷却後に水噴射手段（５６）より水噴射して、該出力で駆動する装置を具備したことを特徴とする全動翼蒸気ガスタービン合体機関。
【請求項１０４８】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等とすることを特徴とする全動翼蒸気ガスタービン合体機関。
【請求項１０４９】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、石炭灰や有害物質を含む低温燃焼ガスを核に水や水蒸気を凝集して雹や水滴等とすることを特徴とする全動翼蒸気ガスタービン合体機関。
【請求項１０５０】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等とすることを特徴とする全動翼蒸気ガスタービン合体機関。
【請求項１０５１】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、石炭灰や有害物質を含む低温燃焼ガスを核に水や水蒸気を凝集して雹や水滴等とすることを特徴とする全動翼蒸気ガスタービン合体機関。
【請求項１０５２】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等として分別し、分別した有害物質合成溶解を促進する物質を含む水中に排出して、無害に近付けて放出することを特徴とする全動翼蒸気ガスタービン合体機関。
【請求項１０５３】
燃焼ガス排気温度を−２７３℃に近付ける送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して雹や水滴等として分別し、分別した有害物質を、該合成溶解を促進する物質を含む水中に排出して、無害に近付けて放出することを特徴とする全動翼蒸気ガスタービン合体機関。
【請求項１０５４】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等として分別し、分別した有害物質合成溶解を促進する物質を含む水中に排出して、無害に近付けて放出することを特徴とする全動翼蒸気ガスタービン合体機関。
【請求項１０５５】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して雹や水滴等として分別し、分別した有害物質を、該合成溶解を促進する物質を含む水中に排出して、無害に近付けて放出することを特徴とする全動翼蒸気ガスタービン合体機関。
【請求項１０５６】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１０５７】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界圧力超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１０５８】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１０５９】
燃焼ガス排気温度を−２７３℃に近付ける、送水ポンプ兼二重反転磁気摩擦動力伝達装置（１４ａ）により互いに反対方向に回転する外側軸装置と内側軸装置を最適回転比で結合し、撥水鍍金タービン全動翼（８１）を具備した超臨界温度等最高温度水（５ｂ）爆発力により複数温度水（５ｂ）を噴射して駆動する全動翼蒸気ガスタービンにおいて、有害物質を含む低温燃焼ガスを核に水や水蒸気を凝集して雹や水滴等として分別し、該出力で駆動する装置を具備したことを特徴とする全動翼蒸気ガスタービン合体機関。
【請求項１０６０】
送水ポンプ兼二重反転磁気摩擦動力伝達装置（１４ａ）により互いに反対方向に回転する外側軸装置と内側軸装置を、最適回転比で結合した超臨界圧力超臨界温度等駆動する撥水鍍金タービン全動翼（８１）の全動翼ガスタービンとしたことが特徴の全動翼蒸気ガスタービン合体機関。
【請求項１０６１】
送水ポンプ兼二重反転磁気摩擦動力伝達装置（１４ａ）により互いに反対方向に回転する外側軸装置と内側軸装置を、最適回転比で結合した超臨界圧力超臨界温度等最高温度水（５ｂ）爆発力により複数温度水（５ｂ）を噴射して駆動する撥水鍍金タービン全動翼（８１）の全動翼蒸気ガスタービンとしたことが特徴の全動翼蒸気ガスタービン合体機関。
【請求項１０６２】
送水ポンプ兼二重反転磁気摩擦動力伝達装置（１４ａ）により互いに反対方向に回転する外側軸装置と内側軸装置を、最適回転比で結合した超臨界圧力超臨界温度等最高温度水（５ｂ）爆発力により複数温度水（５ｂ）を噴射して駆動する撥水鍍金タービン全動翼（８１）の全動翼蒸気タービンとしたことが特徴の全動翼蒸気ガスタービン合体機関。
【請求項１０６３】
送水ポンプ兼二重反転磁気摩擦動力伝達装置（１４ａ）により互いに反対方向に回転する外側軸装置と内側軸装置を、最適回転比で結合した超臨界圧力超臨界温度等最高温度水（５ｂ）爆発力により複数温度水（５ｂ）を噴射して駆動する全動翼ガスタービンの高温水噴射ノズル（５９ｂ）を加熱高温としたことが特徴の全動翼蒸気ガスタービン合体機関。
【請求項１０６４】
送水ポンプ兼二重反転磁気摩擦動力伝達装置（１４ａ）により互いに反対方向に回転する外側軸装置と内側軸装置を、最適回転比で結合した超臨界圧力超臨界温度等最高温度水（５ｂ）爆発力により複数温度水（５ｂ）を噴射して駆動する全動翼蒸気ガスタービンの高温水噴射ノズル（５９ｂ）を加熱高温としたことが特徴の全動翼蒸気ガスタービン合体機関。
【請求項１０６５】
送水ポンプ兼二重反転磁気摩擦動力伝達装置（１４ａ）により互いに反対方向に回転する外側軸装置と内側軸装置を、最適回転比で結合した超臨界圧力超臨界温度等最高温度水（５ｂ）爆発力により複数温度水（５ｂ）を噴射して駆動する全動翼蒸気タービンの高温水噴射ノズル（５９ｂ）を加熱高温としたことが特徴の全動翼蒸気ガスタービン合体機関。
【請求項１０６６】
送水ポンプ兼二重反転磁気摩擦動力伝達装置（１４ａ）により互いに反対方向に回転する外側軸装置と内側軸装置を、最適回転比で結合した超臨界圧力超臨界温度等最高温度水（５ｂ）爆発力により複数温度水（５ｂ）を噴射して駆動する全動翼ガスタービンの撥水鍍金噴口（８３）としたことが特徴の全動翼蒸気ガスタービン合体機関。
【請求項１０６７】
送水ポンプ兼二重反転磁気摩擦動力伝達装置（１４ａ）により互いに反対方向に回転する外側軸装置と内側軸装置を、最適回転比で結合した超臨界圧力超臨界温度等最高温度水（５ｂ）爆発力により複数温度水（５ｂ）を噴射して駆動する全動翼蒸気ガスタービンの撥水鍍金噴口（８３）としたことを特徴とする全動翼蒸気ガスタービン合体機関。
【請求項１０６８】
送水ポンプ兼二重反転磁気摩擦動力伝達装置（１４ａ）により互いに反対方向に回転する外側軸装置と内側軸装置を、最適回転比で結合した超臨界圧力超臨界温度等最高温度水（５ｂ）爆発力により複数温度水（５ｂ）を噴射して複数温度水（５ｂ）で駆動する全動翼蒸気タービンの撥水鍍金噴口（８３）としたことが特徴の全動翼蒸気ガスタービン合体機関。
【請求項１０６９】
送水ポンプ兼二重反転磁気摩擦動力伝達装置（１４ａ）により互いに反対方向に回転する外側軸装置と内側軸装置を、最適回転比で結合した超臨界温度等最高温度水（５ｂ）爆発力により複数温度水（５ｂ）を噴射して駆動する全動翼ガスタービンの撥水鍍金タービン全動翼（８１）としたことが特徴の全動翼蒸気ガスタービン合体機関。
【請求項１０７０】
送水ポンプ兼二重反転磁気摩擦動力伝達装置（１４ａ）により互いに反対方向に回転する外側軸装置と内側軸装置を、最適回転比で結合した超臨界温度等最高温度水（５ｂ）爆発力により複数温度水（５ｂ）を噴射して駆動する全動翼蒸気ガスタービンの撥水鍍金タービン全動翼（８１）としたことを特徴とする全動翼蒸気ガスタービン合体機関。
【請求項１０７１】
送水ポンプ兼二重反転磁気摩擦動力伝達装置（１４ａ）により互いに反対方向に回転する外側軸装置と内側軸装置を、最適回転比で結合した超臨界温度等最高温度水（５ｂ）爆発力により複数温度水（５ｂ）を噴射して駆動する全動翼蒸気タービンの撥水鍍金タービン全動翼（８１）としたことが特徴の全動翼蒸気ガスタービン合体機関。
【請求項１０７２】
送水ポンプ兼二重反転磁気摩擦動力伝達装置（１４ａ）により互いに反対方向に回転する外側軸装置と内側軸装置を、最適回転比で結合した超臨界温度等最高温度水（５ｂ）爆発力により複数温度水（５ｂ）を噴射して駆動する全動翼ガスタービンの高温水噴射ノズル（５９ｂ）を加熱高温としたことが特徴の全動翼蒸気ガスタービン合体機関。
【請求項１０７３】
送水ポンプ兼二重反転磁気摩擦動力伝達装置（１４ａ）により互いに反対方向に回転する外側軸装置と内側軸装置を、最適回転比で結合した超臨界温度等最高温度水（５ｂ）爆発力により複数温度水（５ｂ）を噴射して駆動する全動翼蒸気ガスタービンの高温水噴射ノズル（５９ｂ）を加熱高温としたことを特徴とする全動翼蒸気ガスタービン合体機関。
【請求項１０７４】
送水ポンプ兼二重反転磁気摩擦動力伝達装置（１４ａ）により互いに反対方向に回転する外側軸装置と内側軸装置を、最適回転比で結合した超臨界温度等最高温度水（５ｂ）爆発力により複数温度水（５ｂ）を噴射して駆動する全動翼蒸気タービンの高温水噴射ノズル（５９ｂ）を加熱高温としたことが特徴の全動翼蒸気ガスタービン合体機関。
【請求項１０７５】
送水ポンプ兼二重反転磁気摩擦動力伝達装置（１４ａ）により互いに反対方向に回転する外側軸装置と内側軸装置を、最適回転比で結合した超臨界温度等最高温度水（５ｂ）爆発力により複数温度水（５ｂ）を噴射して駆動する全動翼ガスタービンの撥水鍍金噴口（８３）としたことが特徴の全動翼蒸気ガスタービン合体機関。
【請求項１０７６】
送水ポンプ兼二重反転磁気摩擦動力伝達装置（１４ａ）により互いに反対方向に回転する外側軸装置と内側軸装置を、最適回転比で結合した超臨界温度等最高温度水（５ｂ）爆発力により複数温度水（５ｂ）を噴射して駆動する全動翼蒸気ガスタービンの撥水鍍金噴口（８３）としたことを特徴とする全動翼蒸気ガスタービン合体機関。
【請求項１０７７】
送水ポンプ兼二重反転磁気摩擦動力伝達装置（１４ａ）により互いに反対方向に回転する外側軸装置と内側軸装置を、最適回転比で結合した超臨界温度等最高温度水（５ｂ）爆発力により複数温度水（５ｂ）を噴射して駆動する全動翼蒸気タービンの撥水鍍金噴口（８３）としたことが特徴の全動翼蒸気ガスタービン合体機関。
【請求項１０７８】
超臨界温度等最高温度水（５ｂ）爆発力により複数温度水（５ｂ）を噴射して駆動する全動翼ガスタービンにおいて、環状に一体鋳造（８４）して組立構造とした夫々の撥水鍍金外側タービン動翼群（１９）及び撥水鍍金内側タービン動翼群（２０）としたことを特徴とする全動翼蒸気ガスタービン合体機関。
【請求項１０７９】
超臨界温度等最高温度水（５ｂ）爆発力により複数温度水（５ｂ）を噴射して駆動する全動翼蒸気ガスタービンにおいて、環状に一体鋳造（８４）して組立構造とした夫々の撥水鍍金外側タービン動翼群（１９）及び撥水鍍金内側タービン動翼群（２０）としたことを特徴とする全動翼蒸気ガスタービン合体機関。
【請求項１０８０】
超臨界温度等最高温度水（５ｂ）爆発力により複数温度水（５ｂ）を噴射して駆動する全動翼ガスタービンの全動翼圧縮機において、環状に一体鋳造（８４）して組立構造とした夫々の撥水鍍金外側圧縮機動翼群（１６）及び撥水鍍金内側圧縮機動翼群（１７）としたことを特徴とする全動翼蒸気ガスタービン合体機関。
【請求項１０８１】
超臨界温度等最高温度水（５ｂ）爆発力により複数温度水（５ｂ）を噴射して駆動する全動翼蒸気ガスタービンの全動翼圧縮機において、環状に一体鋳造（８４）して組立構造とした夫々の撥水鍍金外側圧縮機動翼群（１６）及び撥水鍍金内側圧縮機動翼群（１７）としたことを特徴とする全動翼蒸気ガスタービン合体機関。
【請求項１０８２】
超臨界温度等最高温度水（５ｂ）爆発力により複数温度水（５ｂ）を噴射して駆動する全動翼ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けたことを特徴とする全動翼蒸気ガスタービン合体機関。
【請求項１０８３】
超臨界温度等最高温度水（５ｂ）爆発力により複数温度水（５ｂ）を噴射して駆動する全動翼蒸気ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を設けたことを特徴とする全動翼蒸気ガスタービン合体機関。
【請求項１０８４】
超臨界圧力超臨界温度等最高温度水（５ｂ）爆発力により複数温度水（５ｂ）を噴射して駆動する全動翼ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射することを特徴とする全動翼蒸気ガスタービン合体機関。
【請求項１０８５】
超臨界圧力超臨界温度等最高温度水（５ｂ）爆発力により複数温度水（５ｂ）を噴射して駆動する全動翼蒸気ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射することを特徴とする全動翼蒸気ガスタービン合体機関。
【請求項１０８６】
超臨界温度等最高温度水（５ｂ）爆発力により複数温度水（５ｂ）を噴射して駆動する全動翼ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射することを特徴とする全動翼蒸気ガスタービン合体機関。
【請求項１０８７】
超臨界温度等最高温度水（５ｂ）爆発力により複数温度水（５ｂ）を噴射して駆動する全動翼蒸気ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射することを特徴とする全動翼蒸気ガスタービン合体機関。
【請求項１０８８】
超臨界圧力超臨界温度等最高温度水（５ｂ）爆発力により複数温度水（５ｂ）を噴射して駆動する全動翼ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１０８９】
超臨界圧力超臨界温度等最高温度水（５ｂ）爆発力により複数温度水（５ｂ）を噴射して駆動する全動翼蒸気ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１０９０】
超臨界温度等最高温度水（５ｂ）爆発力により複数温度水（５ｂ）を噴射して駆動する全動翼ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１０９１】
超臨界温度等最高温度水（５ｂ）爆発力により複数温度水（５ｂ）を噴射して駆動する全動翼蒸気ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１０９２】
超臨界圧力超臨界温度等最高温度水（５ｂ）爆発力により複数温度水（５ｂ）を噴射して駆動する全動翼ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１０９３】
超臨界圧力超臨界温度等最高温度水（５ｂ）爆発力により複数温度水（５ｂ）を噴射して駆動する全動翼蒸気ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１０９４】
超臨界温度等最高温度水（５ｂ）爆発力により複数温度水（５ｂ）を噴射して駆動する全動翼ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１０９５】
超臨界温度等最高温度水（５ｂ）爆発力により複数温度水（５ｂ）を噴射して駆動する全動翼蒸気ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１０９６】
超臨界圧力超臨界温度等最高温度水（５ｂ）爆発力により複数温度水（５ｂ）を噴射して駆動する全動翼ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて該出力で駆動する装置を具備したことを特徴とする全動翼蒸気ガスタービン合体機関。
【請求項１０９７】
超臨界圧力超臨界温度等最高温度水（５ｂ）爆発力により複数温度水（５ｂ）を噴射して駆動する全動翼蒸気ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて該出力で駆動する装置を具備したことを特徴とする全動翼蒸気ガスタービン合体機関。
【請求項１０９８】
超臨界温度等最高温度水（５ｂ）爆発力により複数温度水（５ｂ）を噴射して駆動する全動翼ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて該出力で駆動する装置を具備したことを特徴とする全動翼蒸気ガスタービン合体機関。
【請求項１０９９】
超臨界温度等最高温度水（５ｂ）爆発力により複数温度水（５ｂ）を噴射して駆動する全動翼蒸気ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて該出力で駆動する装置を具備したことを特徴とする全動翼蒸気ガスタービン合体機関。
【請求項１１００】
超臨界圧力超臨界温度等最高温度水（５ｂ）爆発力により複数温度水（５ｂ）を噴射して駆動する全動翼ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射して該出力で駆動する装置を具備したことを特徴とする全動翼蒸気ガスタービン合体機関。
【請求項１１０１】
超臨界圧力超臨界温度等最高温度水（５ｂ）爆発力により複数温度水（５ｂ）を噴射して駆動する全動翼蒸気ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射して該出力で駆動する装置を具備したことを特徴とする全動翼蒸気ガスタービン合体機関。
【請求項１１０２】
超臨界温度等最高温度水（５ｂ）爆発力により複数温度水（５ｂ）を噴射して駆動する全動翼ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射して該出力で駆動する装置を具備したことを特徴とする全動翼蒸気ガスタービン合体機関。
【請求項１１０３】
超臨界温度等最高温度水（５ｂ）爆発力により複数温度水（５ｂ）を噴射して駆動する全動翼蒸気ガスタービンの全動翼圧縮機において、環状に一体鋳造（８４）して組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射して該出力で駆動する装置を具備したことを特徴とする全動翼蒸気ガスタービン合体機関。
【請求項１１０４】
超臨界圧力超臨界温度等最高温度水（５ｂ）爆発力により複数温度水（５ｂ）を噴射して駆動する全動翼ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項１１０５】
超臨界圧力超臨界温度等最高温度水（５ｂ）爆発力により複数温度水（５ｂ）を噴射して駆動する全動翼蒸気ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項１１０６】
超臨界温度等最高温度水（５ｂ）爆発力により複数温度水（５ｂ）を噴射して駆動する全動翼ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項１１０７】
超臨界温度等最高温度水（５ｂ）爆発力により複数温度水（５ｂ）を噴射して駆動する全動翼蒸気ガスタービンにおいて、環状に一体鋳造（８４）して組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項１１０８】
超臨界圧力超臨界温度等最高温度水（５ｂ）爆発力により複数温度水（５ｂ）を噴射して駆動する全動翼ガスタービンの内側軸装置を中空として、霧吹きの原理（９１ｅ）を利用して前方の空気を吸引噴射することを特徴とする全動翼蒸気ガスタービン合体機関。
【請求項１１０９】
超臨界圧力超臨界温度等最高温度水（５ｂ）爆発力により複数温度水（５ｂ）を噴射して駆動する全動翼蒸気ガスタービンの内側軸装置を中空として、霧吹きの原理（９１ｅ）を利用して前方の空気を吸引噴射することを特徴とする全動翼蒸気ガスタービン合体機関。
【請求項１１１０】
超臨界圧力超臨界温度等最高温度水（５ｂ）爆発力により複数温度水（５ｂ）を噴射して駆動する全動翼蒸気タービンの内側軸装置を中空として、霧吹きの原理（９１ｅ）を利用して前方の空気を吸引噴射することを特徴とする全動翼蒸気ガスタービン合体機関。
【請求項１１１１】
超臨界圧力超臨界温度等最高温度水（５ｂ）爆発力により複数温度水（５ｂ）を噴射して駆動する全動翼ガスタービンの燃焼器兼熱交換器出口に、燃焼ガス取出口（８８）を設けたことを特徴とする全動翼蒸気ガスタービン合体機関。
【請求項１１１２】
超臨界圧力超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けたことを特徴とする全動翼蒸気ガスタービン合体機関。
【請求項１１１３】
超臨界圧力超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けたことを特徴とする全動翼蒸気ガスタービン合体機関。
【請求項１１１４】
超臨界圧力超臨界温度等最高温度水（５ｂ）爆発力により複数温度水（５ｂ）を噴射して駆動する全動翼ガスタービンの燃焼器兼熱交換器出口に、燃焼ガス取出口（８８）を設けて、マイクロガスタービンを駆動することを特徴とする全動翼蒸気ガスタービン合体機関。
【請求項１１１５】
超臨界圧力超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、マイクロガスタービンを駆動することを特徴とする全動翼蒸気ガスタービン合体機関。
【請求項１１１６】
超臨界圧力超臨界温度等最高温度水（５ｂ）爆発力により複数温度水（５ｂ）を噴射して駆動する全動翼ガスタービンに於いて、霧吹きの原理（９１ｅ）を利用して１以上複数の特殊装置（９２ｅ）より高温水を噴射し、前方の空気を吸引して噴射することを特徴とする全動翼蒸気ガスタービン合体機関。
【請求項１１１７】
超臨界圧力超臨界温度等最高温度水（５ｂ）爆発力により複数温度水（５ｂ）を噴射して駆動する全動翼蒸気ガスタービンに於いて、霧吹きの原理（９１ｅ）を利用して１以上複数の特殊装置（９２ｅ）より高温水を噴射し、前方の空気を吸引して噴射することを特徴とする全動翼蒸気ガスタービン合体機関。
【請求項１１１８】
超臨界圧力超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１１１９】
超臨界圧力超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１１２０】
超臨界圧力超臨界温度等最高温度水（５ｂ）爆発力により複数温度水（５ｂ）を噴射して駆動する全動翼ガスタービンに於いて、霧吹きの原理（９１ｇ）を利用して１以上複数の水噴射装置（９３ｇ）より高温水を噴射し、前方の水を吸引して噴射することを特徴とする全動翼蒸気ガスタービン合体機関。
【請求項１１２１】
超臨界圧力超臨界温度等最高温度水（５ｂ）爆発力により複数温度水（５ｂ）を噴射して駆動する全動翼蒸気ガスタービンに於いて、霧吹きの原理（９１ｇ）を利用して１以上複数の水噴射装置（９３ｇ）より高温水を噴射し、前方の水を吸引して噴射することを特徴とする全動翼蒸気ガスタービン合体機関。
【請求項１１２２】
超臨界圧力超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｈ）を利用して１以上複数の水噴射装置（９３ｂ）より燃焼ガスを噴射し、前方の水を吸引して噴射することを特徴とする全動翼蒸気ガスタービン合体機関。
【請求項１１２３】
超臨界圧力超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｈ）を利用して１以上複数の水噴射装置（９３ｂ）より燃焼ガス質量を噴射し、前方の水を吸引して噴射することを特徴とする全動翼蒸気ガスタービン合体機関。
【請求項１１２４】
超臨界圧力超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射することを特徴とする全動翼蒸気ガスタービン合体機関。
【請求項１１２５】
超臨界圧力超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射することを特徴とする全動翼蒸気ガスタービン合体機関。
【請求項１１２６】
超臨界圧力超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射することを特徴とする全動翼蒸気ガスタービン合体機関。
【請求項１１２７】
超臨界圧力超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射することを特徴とする全動翼蒸気ガスタービン合体機関。
【請求項１１２８】
超臨界圧力等の超臨界温度等複数温度水（５ｂ）で駆動する全動翼ガスタービンに於いて、霧吹きの原理（９１ｅ）を利用して１以上複数の特殊装置（９２ｅ）より高温水（５ｂ）を噴射し、前方の空気を吸引して噴射推進し、該出力で駆動する装置を具備したことを特徴とする全動翼蒸気ガスタービン合体機関。
【請求項１１２９】
超臨界圧力超臨界温度等最高温度水（５ｂ）爆発力により複数温度水（５ｂ）を噴射して駆動する全動翼蒸気ガスタービンに於いて、霧吹きの原理（９１ｅ）を利用して１以上複数の特殊装置（９２ｅ）より高温水（５ｂ）を噴射し、前方の空気を吸引して噴射推進し、該出力で駆動する装置を具備したことが特徴の全動翼蒸気ガスタービン合体機関。
【請求項１１３０】
超臨界圧力超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｂ）を利用して１以上複数の特殊装置（９２ｂ）より燃焼ガス質量を噴射し、前方の空気を吸引して噴射推進し、該出力で駆動する装置を具備したことを特徴とする全動翼蒸気ガスタービン合体機関。
【請求項１１３１】
超臨界圧力超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｂ）を利用して１以上複数の特殊装置（９２ｂ）より燃焼ガス質量を噴射し、前方の空気を吸引して噴射推進し、該出力で駆動する装置を具備したことを特徴とする全動翼蒸気ガスタービン合体機関。
【請求項１１３２】
超臨界圧力超臨界温度等最高温度水（５ｂ）爆発力により複数温度水（５ｂ）を噴射して駆動する全動翼ガスタービンに於いて、霧吹きの原理（９１ｇ）を利用して１以上複数の水噴射装置（９３ｇ）より高温水（５ｂ）を噴射し、前方の水を吸引して噴射推進し、該出力で駆動する装置を具備したことを特徴とする全動翼蒸気ガスタービン合体機関。
【請求項１１３３】
超臨界圧力超臨界温度等最高温度水（５ｂ）爆発力により複数温度水（５ｂ）を噴射して駆動する全動翼蒸気ガスタービンに於いて、霧吹きの原理（９１ｇ）を利用して１以上複数の水噴射装置（９３ｇ）より高温水（５ｂ）を噴射し、前方の水を吸引して噴射推進し、該出力で駆動する装置を具備したことが特徴の全動翼蒸気ガスタービン合体機関。
【請求項１１３４】
超臨界圧力超臨界温度等複最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｈ）を利用して１以上複数の水噴射装置（９３ｂ）より燃焼ガス質量を噴射し、前方の水を吸引して噴射推進し、該出力で駆動する装置を具備したことを特徴とする全動翼蒸気ガスタービン合体機関。
【請求項１１３５】
超臨界圧力超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｈ）を利用して１以上複数の水噴射装置（９３ｂ）より燃焼ガス質量を噴射し、前方の水を吸引して噴射推進し、該出力で駆動する装置を具備したことを特徴とする全動翼蒸気ガスタービン合体機関。
【請求項１１３６】
超臨界圧力超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射推進し、該出力で駆動する装置を具備したことを特徴とする全動翼蒸気ガスタービン合体機関。
【請求項１１３７】
超臨界圧力超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射推進し、該出力で駆動する装置を具備したことが特徴の全動翼蒸気ガスタービン合体機関。
【請求項１１３８】
超臨界圧力超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射推進し、該出力で駆動する装置を具備したことを特徴とする全動翼蒸気ガスタービン合体機関。
【請求項１１３９】
超臨界圧力超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射推進し、該出力で駆動する装置を具備したことが特徴の全動翼蒸気ガスタービン合体機関。
【請求項１１４０】
超臨界温度等最高温度水（５ｂ）爆発力により複数温度水（５ｂ）を噴射して駆動する超臨界圧力等の高温水（５ｂ）等で駆動する全動翼ガスタービンの内側軸装置を中空として、霧吹きの原理（９１）を利用して前方の空気を吸引噴射することを特徴とする全動翼蒸気ガスタービン合体機関。
【請求項１１４１】
超臨界温度等最高温度水（５ｂ）爆発力により複数温度水（５ｂ）を噴射して駆動する全動翼蒸気ガスタービンの内側軸装置を中空として、霧吹きの原理（９１）を利用して前方の空気を吸引噴射することを特徴とする全動翼蒸気ガスタービン合体機関。
【請求項１１４２】
超臨界温度等最高温度水（５ｂ）爆発力により複数温度水（５ｂ）を噴射して駆動する全動翼蒸気タービンの内側軸装置を中空として、霧吹きの原理（９１）を利用して前方の空気を吸引噴射することを特徴とする全動翼蒸気ガスタービン合体機関。
【請求項１１４３】
超臨界温度等最高温度水（５ｂ）爆発力により複数温度水（５ｂ）を噴射して駆動する全動翼ガスタービンの燃焼器兼熱交換器出口に、燃焼ガス取出口（８８）を設けたことを特徴とする全動翼蒸気ガスタービン合体機関。
【請求項１１４４】
超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けたことを特徴とする全動翼蒸気ガスタービン合体機関。
【請求項１１４５】
超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けたことを特徴とする全動翼蒸気ガスタービン合体機関。
【請求項１１４６】
超臨界温度等最高温度水（５ｂ）爆発力により複数温度水（５ｂ）を噴射して駆動する全動翼ガスタービンの燃焼器兼熱交換器出口に、燃焼ガス取出口（８８）を設けて、マイクロガスタービンを駆動することを特徴とする全動翼蒸気ガスタービン合体機関。
【請求項１１４７】
超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、マイクロガスタービンを駆動することを特徴とする全動翼蒸気ガスタービン合体機関。
【請求項１１４８】
超臨界温度等最高温度水（５ｂ）爆発力により複数温度水（５ｂ）を噴射して駆動する全動翼ガスタービンに於いて、霧吹きの原理（９１ｅ）を利用して１以上複数の特殊装置（９２ｅ）より高温水（５ｂ）を噴射し、前方の空気を吸引して噴射することを特徴とする全動翼蒸気ガスタービン合体機関。
【請求項１１４９】
超臨界温度等最高温度水（５ｂ）爆発力により複数温度水（５ｂ）を噴射して駆動する全動翼蒸気ガスタービンに於いて、霧吹きの原理（９１ｅ）を利用して１以上複数の特殊装置（９２ｅ）より高温水（５ｂ）を噴射し、前方の空気を吸引して噴射することを特徴とする全動翼蒸気ガスタービン合体機関。
【請求項１１５０】
超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｂ）を利用して１以上複数の特殊装置（９２ｂ）より燃焼ガスを噴射し、前方の空気を吸引して噴射することを特徴とする全動翼蒸気ガスタービン合体機関。
【請求項１１５１】
超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｂ）を利用して１以上複数の特殊装置（９２ｂ）より燃焼ガス質量を噴射し、前方の空気を吸引して噴射することを特徴とする全動翼蒸気ガスタービン合体機関。
【請求項１１５２】
超臨界温度等最高温度水（５ｂ）爆発力により複数温度水（５ｂ）を噴射して駆動する全動翼ガスタービンに於いて、霧吹きの原理（９１ｇ）を利用して１以上複数の水噴射装置（９３ｇ）より高温水（５ｂ）を噴射し、前方の水を吸引して噴射することを特徴とする全動翼蒸気ガスタービン合体機関。
【請求項１１５３】
超臨界温度等最高温度水（５ｂ）爆発力により複数温度水（５ｂ）を噴射して駆動する全動翼蒸気ガスタービンに於いて、霧吹きの原理（９１ｇ）を利用して１以上複数の水噴射装置（９３ｇ）より高温水（５ｂ）を噴射し、前方の水を吸引して噴射することを特徴とする全動翼蒸気ガスタービン合体機関。
【請求項１１５４】
超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｈ）を利用して１以上複数の水噴射装置（９３ｂ）より燃焼ガス質量を噴射し、前方の水を吸引して噴射することを特徴とする全動翼蒸気ガスタービン合体機関。
【請求項１１５５】
超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｈ）を利用して１以上複数の水噴射装置（９３ｂ）より燃焼ガス質量を噴射し、前方の水を吸引して噴射することを特徴とする全動翼蒸気ガスタービン合体機関。
【請求項１１５６】
超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射することを特徴とする全動翼蒸気ガスタービン合体機関。
【請求項１１５７】
超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射することを特徴とする全動翼蒸気ガスタービン合体機関。
【請求項１１５８】
超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射することを特徴とする全動翼蒸気ガスタービン合体機関。
【請求項１１５９】
超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射することを特徴とする全動翼蒸気ガスタービン合体機関。
【請求項１１６０】
超臨界温度等最高温度水（５ｂ）爆発力により複数温度水（５ｂ）を噴射して駆動する全動翼ガスタービンに於いて、霧吹きの原理（９１ｅ）を利用して１以上複数の特殊装置（９２ｅ）より高温水（５ｂ）を噴射し、前方の空気を吸引して噴射推進し、該出力で駆動する装置を具備したことを特徴とする全動翼蒸気ガスタービン合体機関。
【請求項１１６１】
超臨界温度等最高温度水（５ｂ）爆発力により複数温度水（５ｂ）を噴射して駆動する全動翼蒸気ガスタービンに於いて、霧吹きの原理（９１ｅ）を利用して１以上複数の特殊装置（９２ｅ）より高温水（５ｂ）を噴射し、前方の空気を吸引して噴射推進し、該出力で駆動する装置を具備したことを特徴とする全動翼蒸気ガスタービン合体機関。
【請求項１１６２】
超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｂ）を利用して１以上複数の特殊装置（９２ｂ）より燃焼ガス質量を噴射し、前方の空気を吸引して噴射推進し、該出力で駆動する装置を具備したことを特徴とする全動翼蒸気ガスタービン合体機関。
【請求項１１６３】
超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｂ）を利用して１以上複数の特殊装置（９２ｂ）より燃焼ガス質量を噴射し、前方の空気を吸引して噴射推進し、該出力で駆動する装置を具備したことを特徴とする全動翼蒸気ガスタービン合体機関。
【請求項１１６４】
超臨界温度等最高温度水（５ｂ）爆発力により複数温度水（５ｂ）を噴射して駆動する全動翼ガスタービンに於いて、霧吹きの原理（９１ｇ）を利用して１以上複数の水噴射装置（９３ｇ）より高温水（５ｂ）を噴射し、前方の水を吸引して噴射推進し、該出力で駆動する装置を具備したことを特徴とする全動翼蒸気ガスタービン合体機関。
【請求項１１６５】
超臨界温度等最高温度水（５ｂ）爆発力により複数温度水（５ｂ）を噴射して駆動する全動翼蒸気ガスタービンに於いて、霧吹きの原理（９１ｇ）を利用して１以上複数の水噴射装置（９３ｇ）より高温水（５ｂ）を噴射し、前方の水を吸引して噴射推進し、該出力で駆動する装置を具備したことを特徴とする全動翼蒸気ガスタービン合体機関。
【請求項１１６６】
超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｈ）を利用して１以上複数の水噴射装置（９３ｂ）より燃焼ガス質量を噴射し、前方の水を吸引して噴射推進し、該出力で駆動する装置を具備したことを特徴とする全動翼蒸気ガスタービン合体機関。
【請求項１１６７】
超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｈ）を利用して１以上複数の水噴射装置（９３ｂ）より燃焼ガス質量を噴射し、前方の水を吸引して噴射推進し、該出力で駆動する装置を具備したことを特徴とする全動翼蒸気ガスタービン合体機関。
【請求項１１６８】
超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射推進し、該出力で駆動する装置を具備したことを特徴とする全動翼蒸気ガスタービン合体機関。
【請求項１１６９】
超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射推進し、該出力で駆動する装置を具備したことを特徴とする全動翼蒸気ガスタービン合体機関。
【請求項１１７０】
超臨界温度等最高温度水（５ｂ）爆発力により複数温度水（５ｂ）を噴射して駆動する全動翼蒸気ガスタービンの燃焼器兼熱交換器出口に、燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射推進し、該出力で駆動する装置を具備したことを特徴とする全動翼蒸気ガスタービン合体機関。
【請求項１１７１】
超臨界温度等最高温度水（５ｂ）爆発力により複数温度水（５ｂ）を噴射して駆動する全動翼蒸気タービンの燃焼器兼熱交換器出口に、燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射推進し、該出力で駆動する装置を具備したことを特徴とする全動翼蒸気ガスタービン合体機関。
【請求項１１７２】
撥水鍍金タービン全動翼（８１）を具備した全動翼ガスタービンの全動翼圧縮機において、環状に一体鋳造（８４）して全自動加工組立とした夫々の撥水鍍金外側圧縮機動翼群（１６）及び撥水鍍金内側圧縮機動翼群（１７）の大部分に、撥水鍍金水冷却翼（８７）を段落毎環状に設けたことを特徴とする全動翼蒸気ガスタービン合体機関。
【請求項１１７３】
撥水鍍金タービン全動翼（８１）を具備した全動翼蒸気ガスタービンの全動翼圧縮機において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けたことを特徴とする全動翼蒸気ガスタービン合体機関。
【請求項１１７４】
撥水鍍金タービン全動翼（８１）を具備した全動翼ガスタービンの全動翼圧縮機において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射することを特徴とする全動翼蒸気ガスタービン合体機関。
【請求項１１７５】
撥水鍍金タービン全動翼（８１）を具備した全動翼蒸気ガスタービンの全動翼圧縮機において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射することを特徴とする全動翼蒸気ガスタービン合体機関。
【請求項１１７６】
撥水鍍金タービン全動翼（８１）を具備した全動翼ガスタービンの全動翼圧縮機において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１１７７】
撥水鍍金タービン全動翼（８１）を具備した全動翼蒸気ガスタービンの全動翼圧縮機において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１１７８】
撥水鍍金タービン全動翼（８１）を具備した全動翼ガスタービンにおいて、環状に一体鋳造（８４）して全自動加工組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１１７９】
撥水鍍金タービン全動翼（８１）を具備した全動翼蒸気ガスタービンにおいて、環状に一体鋳造（８４）して全自動加工組立構造として水路を連通した夫々の撥水鍍金外側圧縮機動翼群（１６）及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射することを特徴とする全動翼蒸気ガスタービン合体機関。
【請求項１１８０】
撥水鍍金タービン全動翼（８１）を具備した全動翼ガスタービンの全動翼圧縮機において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて該出力で駆動する装置を具備したことを特徴とする全動翼蒸気ガスタービン合体機関。
【請求項１１８１】
撥水鍍金タービン全動翼（８１）を具備した全動翼蒸気ガスタービンの全動翼圧縮機において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて該出力で駆動する装置を具備したことを特徴とする全動翼蒸気ガスタービン合体機関。
【請求項１１８２】
撥水鍍金タービン全動翼（８１）を具備した全動翼ガスタービンの全動翼圧縮機において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射して該出力で駆動する装置を具備したことを特徴とする全動翼蒸気ガスタービン合体機関。
【請求項１１８３】
撥水鍍金タービン全動翼（８１）を具備した全動翼蒸気ガスタービンの全動翼圧縮機において、環状に一体鋳造（８４）して全自動加工組立構造とした夫々の撥水鍍金外側圧縮機動翼群（１６）及び撥水鍍金内側圧縮機動翼群（１７）の大部分に、撥水鍍金水冷却翼（８７）を段落毎環状に設けて、段落毎１以上複数の撥水鍍金水冷却翼を冷却後に水噴射手段（５６）より水噴射し該出力で駆動する装置を具備したことを特徴とする全動翼蒸気ガスタービン合体機関。
【請求項１１８４】
撥水鍍金タービン全動翼（８１）を具備した全動翼ガスタービンにおいて、環状に一体鋳造（８４）して全自動加工組立構造として水路を連通した夫々の外側圧縮機翼群及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことが特徴の全動翼蒸気ガスタービン合体機関。
【請求項１１８５】
撥水鍍金タービン全動翼（８１）を具備した全動翼蒸気ガスタービンにおいて、環状に一体鋳造（８４）して全自動加工組立構造として水路を連通した夫々の外側圧縮機翼群及び撥水鍍金内側圧縮機動翼群（１７）の大部分に、撥水鍍金水冷却翼（８７）を段落毎環状に設けて、段落毎全部以下半分の撥水鍍金水冷却翼を冷却後に水噴射手段（５６）より水噴射して該出力で駆動する装置を具備したことを特徴とする全動翼蒸気ガスタービン合体機関。
【請求項１１８６】
撥水鍍金タービン全動翼（８１）を具備した全動翼ガスタービンの燃焼器兼熱交換器（４）において、霧吹きの原理（９１ｅ）を利用して１以上複数の特殊装置（９２ｅ）より高温水（５ｂ）を噴射し、前方の空気を吸引して噴射することを特徴とする全動翼蒸気ガスタービン合体機関。
【請求項１１８７】
撥水鍍金タービン全動翼（８１）を具備した超臨界温度等複数温度水（５ｂ）で駆動する全動翼ガスタービンの燃焼器兼熱交換器（４）において、霧吹きの原理（９１ｇ）を利用して１以上複数の水噴射装置（９３ｇ）より高温水（５ｂ）を噴射し、前方の水を吸引して噴射することを特徴とする全動翼蒸気ガスタービン合体機関。
【請求項１１８８】
撥水鍍金タービン全動翼（８１）を具備した超臨界温度等複数温度水（５ｂ）で駆動する全動翼蒸気ガスタービンの燃焼器兼熱交換器（４）において、霧吹きの原理（９１ｅ）を利用して１以上複数の特殊装置（９２ｅ）より高温水（５ｂ）を噴射し、前方の空気を吸引して噴射することを特徴とする全動翼蒸気ガスタービン合体機関。
【請求項１１８９】
撥水鍍金タービン全動翼（８１）を具備した全動翼蒸気ガスタービンの燃焼器兼熱交換器（４）において、霧吹きの原理（９１ｇ）を利用して１以上複数の水噴射装置（９３ｇ）より高温水（５ｂ）を噴射し、前方の水を吸引して噴射することを特徴とする全動翼蒸気ガスタービン合体機関。
【請求項１１９０】
撥水鍍金タービン全動翼（８１）を具備した全動翼蒸気ガスタービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射することを特徴とする全動翼蒸気ガスタービン合体機関。
【請求項１１９１】
撥水鍍金タービン全動翼（８１）を具備した全動翼蒸気ガスタービンの燃焼器兼熱交換器（４）において、燃焼ガス出口に燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射することを特徴とする全動翼蒸気ガスタービン合体機関。
【請求項１１９２】
撥水鍍金タービン全動翼（８１）を具備した全動翼蒸気タービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射することを特徴とする全動翼蒸気ガスタービン合体機関。
【請求項１１９３】
撥水鍍金タービン全動翼（８１）を具備した全動翼蒸気タービンの燃焼器兼熱交換器（４）において、燃焼ガス出口に燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射することを特徴とする全動翼蒸気ガスタービン合体機関。
【請求項１１９４】
撥水鍍金タービン全動翼（８１）を具備した全動翼蒸気ガスタービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガス質量を噴射し、前方の空気を吸引して噴射することを特徴とする全動翼蒸気ガスタービン合体機関。
【請求項１１９５】
撥水鍍金タービン全動翼（８１）を具備した全動翼蒸気ガスタービンの燃焼器兼熱交換器（４）において、燃焼ガス出口に燃焼ガス取出口（８８）を設けて、霧吹きの原理（９１ｈ）を利用して１以上複数の水噴射装置（９３ｂ）より燃焼ガス質量を噴射し、前方の水を吸引して噴射することを特徴とする全動翼蒸気ガスタービン合体機関。
【請求項１１９６】
撥水鍍金タービン全動翼（８１）を具備した全動翼蒸気タービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガス質量を噴射し、前方の空気を吸引して噴射することを特徴とする全動翼蒸気ガスタービン合体機関。
【請求項１１９７】
撥水鍍金タービン全動翼（８１）を具備した全動翼蒸気タービンの燃焼器兼熱交換器（４）において、燃焼ガス出口に燃焼ガス取出口（８８）を設けて、霧吹きの原理（９１ｈ）を利用して１以上複数の水噴射装置（９３ｂ）より燃焼ガス質量を噴射し、前方の水を吸引して噴射することを特徴とする全動翼蒸気ガスタービン合体機関。
【請求項１１９８】
撥水鍍金タービン全動翼（８１）を具備した全動翼ガスタービンの燃焼器兼熱交換器（４）において、霧吹きの原理を利用して１以上複数の特殊装置（９２ｅ）より高温水を噴射し、前方の空気を吸引して噴射推進し、該出力で駆動する装置を具備したことを特徴とする全動翼蒸気ガスタービン合体機関。
【請求項１１９９】
撥水鍍金タービン全動翼（８１）を具備した超臨界温度等複数温度水（５ｂ）で駆動する全動翼ガスタービンの燃焼器兼熱交換器（４）において、霧吹きの原理を利用して１以上複数の水噴射装置（９３ｇ）より高温水（５ｂ）を噴射し、前方の水を吸引して噴射推進し、該出力で駆動する装置を具備したことが特徴の全動翼蒸気ガスタービン合体機関。
【請求項１２００】
撥水鍍金タービン全動翼（８１）を具備した全動翼蒸気ガスタービンの燃焼器兼熱交換器（４）において、霧吹きの原理（９１ｅ）を利用して１以上複数の特殊装置（９２ｅ）より高温水（５ｂ）を噴射し、前方の空気を吸引して噴射推進し、該出力で駆動する装置を具備したことを特徴とする全動翼蒸気ガスタービン合体機関。
【請求項１２０１】
撥水鍍金タービン全動翼（８１）を具備した全動翼蒸気ガスタービンの燃焼器兼熱交換器（４）において、霧吹きの原理（９１ｇ）を利用して１以上複数の水噴射装置（９３ｇ）より高温水（５ｂ）を噴射し、前方の水を吸引して噴射推進し、該出力で駆動する装置を具備したことを特徴とする全動翼蒸気ガスタービン合体機関。
【請求項１２０２】
撥水鍍金タービン全動翼（８１）を具備した全動翼蒸気ガスタービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ｅ）（９２ｂ）より高温水（５ｂ）及び燃焼ガス質量を噴射し、前方の空気を吸引して噴射推進し、該出力で駆動する装置を具備したことを特徴とする全動翼蒸気ガスタービン合体機関。
【請求項１２０３】
撥水鍍金タービン全動翼（８１）を具備した全動翼蒸気ガスタービンの燃焼器兼熱交換器（４）において、燃焼ガス出口に燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射推進し、該出力で駆動する装置を具備したことを特徴とする全動翼蒸気ガスタービン合体機関。
【請求項１２０４】
撥水鍍金タービン全動翼（８１）を具備した超臨界温度等複数温度水（５ｂ）で駆動する全動翼蒸気タービンの燃焼器兼熱交換器（４）において、燃焼ガス出口に燃焼ガス取出口（８８）を設けて、霧吹きの原理（９１ｅ）（９１ｂ）を利用して夫々の１以上複数の特殊装置（９２ａ）（９２ｂ）より高温水及び燃焼ガスを噴射し、前方の空気を吸引して噴射推進し、該出力で駆動する装置を具備したことを特徴とする全動翼蒸気ガスタービン合体機関。
【請求項１２０５】
撥水鍍金タービン全動翼（８１）を具備した全動翼蒸気タービンの燃焼器兼熱交換器（４）において、燃焼ガス出口に燃焼ガス取出口（８８）を設けて、霧吹きの原理（９１ｇ）（９１ｈ）を利用して夫々の１以上複数の水噴射装置（９３ｇ）（９３ｂ）より高温水（５ｂ）及び燃焼ガス質量を噴射し、前方の水を吸引して噴射推進し、該出力で駆動する装置を具備したことを特徴とする全動翼蒸気ガスタービン合体機関。
【請求項１２０６】
撥水鍍金タービン全動翼（８１）を具備した全動翼蒸気ガスタービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガス質量を噴射し、前方の空気を吸引して噴射推進し、該出力で駆動する装置を具備したことを特徴とする全動翼蒸気ガスタービン合体機関。
【請求項１２０７】
撥水鍍金タービン全動翼（８１）を具備した全動翼蒸気ガスタービンの燃焼器兼熱交換器（４）において、燃焼ガス出口に燃焼ガス取出口（８８）を設けて、霧吹きの原理（９１ｈ）を利用して１以上複数の水噴射装置（９３ｂ）より燃焼ガス質量を噴射し、前方の水を吸引して噴射推進し、該出力で駆動する装置を具備したことを特徴とする全動翼蒸気ガスタービン合体機関。
【請求項１２０８】
撥水鍍金タービン全動翼（８１）を具備した全動翼蒸気タービンの燃焼器兼熱交換器（４）において、燃焼ガス出口に燃焼ガス取出口（８８）を設けて、霧吹きの原理（９１ｂ）を利用して１以上複数の特殊装置（９２ｂ）より燃焼ガス質量を噴射し、前方の空気を吸引して噴射推進し、該出力で駆動する装置を具備したことを特徴とする全動翼蒸気ガスタービン合体機関。
【請求項１２０９】
撥水鍍金タービン全動翼（８１）を具備した全動翼蒸気タービンの燃焼器兼熱交換器（４）において、燃焼ガス出口に燃焼ガス取出口（８８）を設けて、霧吹きの原理（９１ｈ）を利用して１以上複数の水噴射装置（９３ｂ）より燃焼ガス質量を噴射し、前方の水を吸引して噴射推進し、該出力で駆動する装置を具備したことを特徴とする全動翼蒸気ガスタービン合体機関。
【請求項１２１０】
前記撥水鍍金タービン全動翼（８１）を具備した超臨界温度等最高温度水（５ｂ）爆発力により複数温度水（５ｂ）を噴射して駆動する全動翼蒸気タービンに、撥水鍍金噴口（８３）を具備したことを特徴とする全動翼蒸気ガスタービン合体機関。
【請求項１２１１】
前記撥水鍍金タービン全動翼（８１）を具備した超臨界温度等最高温度水（５ｂ）爆発力により複数温度水（５ｂ）を噴射して駆動する全動翼蒸気ガスタービンに、撥水鍍金噴口（８３）を具備したことを特徴とする全動翼蒸気ガスタービン合体機関。
【請求項１２１２】
前記撥水鍍金タービン全動翼（８１）を具備した超臨界温度等最高温度水（５ｂ）爆発力により複数温度水（５ｂ）を噴射して駆動する全動翼ガスタービンに、撥水鍍金噴口（８３）を具備したことを特徴とする全動翼蒸気ガスタービン合体機関。
【請求項１２１３】
前記撥水鍍金タービン全動翼（８１）を具備した超臨界温度等最高温度水（５ｂ）爆発力により複数温度水（５ｂ）を噴射して駆動する全動翼蒸気タービンに、加熱高温手段（１０１）により撥水鍍金高温の高温水噴射ノズル（５９ｂ）を具備したことを特徴とする全動翼蒸気ガスタービン合体機関。
【請求項１２１４】
前記撥水鍍金タービン全動翼（８１）を具備した超臨界温度等最高温度水（５ｂ）爆発力により複数温度水（５ｂ）を噴射して駆動する全動翼蒸気ガスタービンに、加熱高温手段（１０１）により撥水鍍金高温の高温水噴射ノズル（５９ｂ）を具備したことを特徴とする全動翼蒸気ガスタービン合体機関。
【請求項１２１５】
前記撥水鍍金タービン全動翼（８１）を具備した超臨界温度等最高温度水（５ｂ）爆発力により複数温度水（５ｂ）を噴射して駆動する全動翼ガスタービンに、加熱高温手段（１０１）により撥水鍍金高温の高温水噴射ノズル（５９ｂ）を具備したことを特徴とする全動翼蒸気ガスタービン合体機関。
【請求項１２１６】
前記撥水鍍金タービン全動翼（８１）を具備した超臨界圧力超臨界温度等最高温度水（５ｂ）爆発力により複数温度水（５ｂ）を噴射して駆動する全動翼蒸気タービンに、撥水鍍金噴口（８３）を具備したことを特徴とする全動翼蒸気ガスタービン合体機関。
【請求項１２１７】
前記撥水鍍金タービン全動翼（８１）を具備した超臨界温度等最高温度水（５ｂ）爆発力により複数温度水（５ｂ）を噴射して駆動する全動翼蒸気ガスタービンに、撥水鍍金噴口（８３）を具備したことを特徴とする全動翼蒸気ガスタービン合体機関。
【請求項１２１８】
前記撥水鍍金タービン全動翼（８１）を具備した超臨界圧力超臨界温度等最高温度水（５ｂ）爆発力により複数温度水（５ｂ）を噴射して駆動する全動翼ガスタービンに、撥水鍍金噴口（８３）を具備したことを特徴とする全動翼蒸気ガスタービン合体機関。
【請求項１２１９】
前記撥水鍍金タービン全動翼（８１）を具備した超臨界圧力超臨界温度等最高温度水（５ｂ）爆発力により複数温度水（５ｂ）を噴射して駆動する全動翼蒸気タービンに、加熱高温手段（１０１）により加熱高温の高温水噴射ノズル（５９ｂ）を具備したことを特徴とする全動翼蒸気ガスタービン合体機関。
【請求項１２２０】
前記撥水鍍金タービン全動翼（８１）を具備した超臨界圧力超臨界温度等最高温度水（５ｂ）爆発力により複数温度水（５ｂ）を噴射して駆動する全動翼蒸気ガスタービンに、加熱高温手段（１０１）により加熱高温の高温水噴射ノズル（５９ｂ）を具備したことを特徴とする全動翼蒸気ガスタービン合体機関。
【請求項１２２１】
前記撥水鍍金タービン全動翼（８１）を具備した超臨界圧力超臨界温度等最高温度水（５ｂ）爆発力により複数温度水（５ｂ）を噴射して駆動する全動翼ガスタービンに、加熱高温手段（１０１）により加熱高温の高温水噴射ノズル（５９ｂ）を具備したことを特徴とする全動翼蒸気ガスタービン合体機関。
【請求項１２２２】
前記撥水鍍金タービン全動翼（８１）を具備した超臨界圧力超臨界温度等最高温度水（５ｂ）爆発力により複数温度水（５ｂ）を噴射して駆動する全動翼蒸気タービンに、加熱高温手段（１０１）により電気抵抗で高温の高温水噴射ノズル（５９ｂ）を具備したことを特徴とする全動翼蒸気ガスタービン合体機関。
【請求項１２２３】
前記撥水鍍金タービン全動翼（８１）を具備した超臨界圧力超臨界温度等最高温度水（５ｂ）爆発力により複数温度水（５ｂ）を噴射して駆動する全動翼蒸気ガスタービンに、加熱高温手段（１０１）により電気抵抗で高温の高温水噴射ノズル（５９ｂ）を具備したことを特徴とする全動翼蒸気ガスタービン合体機関。
【請求項１２２４】
前記撥水鍍金タービン全動翼（８１）を具備した超臨界圧力超臨界温度等最高温度水（５ｂ）爆発力により複数温度水（５ｂ）を噴射して駆動する全動翼ガスタービンに、加熱高温手段（１０１）により電気抵抗で高温の高温水噴射ノズル（５９ｂ）を具備したことを特徴とする全動翼蒸気ガスタービン合体機関。
【請求項１２２５】
前記加熱高温手段（１０１）は、高温水噴射ノズル（５９ｂ）に外嵌することを特徴とする全動翼蒸気ガスタービン合体機関。
【請求項１２２６】
前記加熱高温手段（１０１）は、高温水噴射ノズル（５９ｂ）に外嵌して加熱高温にすることを特徴とする全動翼蒸気ガスタービン合体機関。
【請求項１２２７】
前記加熱高温手段（１０１）は、高温水噴射ノズル（５９ｂ）に外嵌して撥水鍍金高温にすることを特徴とする全動翼蒸気ガスタービン合体機関。
【請求項１２２８】
前記加熱高温手段（１０１）は、高温水噴射ノズル（５９ｂ）に外嵌して電気抵抗により加熱高温にすることを特徴とする全動翼蒸気ガスタービン合体機関。
【請求項１２２９】
前記高温水噴射ノズル（５９ｂ）は、加熱高温にすることを特徴とする全動翼蒸気ガスタービン合体機関。
【請求項１２３０】
前記高温水噴射ノズル（５９ｂ）は、銃身状ノズルにすることを特徴とする全動翼蒸気ガスタービン合体機関。
【請求項１２３１】
前記高温水噴射ノズル（５９ｂ）は、銃身状ノズルにして加熱高温にすることを特徴とする全動翼蒸気ガスタービン合体機関。
【請求項１２３２】
前記高温水噴射ノズル（５９ｂ）は、銃身状末広ノズルにすることを特徴とする全動翼蒸気ガスタービン合体機関。
【請求項１２３３】
前記高温水噴射ノズル（５９ｂ）は、銃身状末広ノズルにして加熱高温にすることを特徴とする全動翼蒸気ガスタービン合体機関。
【請求項１２３４】
前記高温水噴射ノズル（５９ｂ）は、銃身状ノズルにして最高温度水爆発力により高温水（５ｂ）を機関銃の弾丸のように加速することを特徴とする全動翼蒸気ガスタービン合体機関。
【請求項１２３５】
前記高温水噴射ノズル（５９ｂ）は、銃身状ノズルにして加熱高温にして最高温度水爆発力により高温水（５ｂ）を機関銃の弾丸のように加速することを特徴とする全動翼蒸気ガスタービン合体機関。
【請求項１２３６】
前記高温水噴射ノズル（５９ｂ）は、銃身状末広ノズルにして最高温度水爆発力により高温水（５ｂ）を機関銃の弾丸のように加速することを特徴とする全動翼蒸気ガスタービン合体機関。
【請求項１２３７】
前記高温水噴射ノズル（５９ｂ）は、銃身状末広ノズルにして加熱高温にして最高温度水爆発力により高温水（５ｂ）を機関銃の弾丸のように加速することを特徴とする全動翼蒸気ガスタービン合体機関。
【請求項１２３８】
前記気化潜熱回収器（６６ａ）は、復水器と略同様に構成して冷却水に給水（３）を使用することを特徴とする全動翼蒸気ガスタービン合体機関。
【請求項１２３９】
前記気化潜熱回収器（６６ａ）は、復水器と略同様に構成して空気抽出器により飽和温度を１００℃前後として冷却水に給水（３）を使用することを特徴とする全動翼蒸気ガスタービン合体機関。
【請求項１２４０】
前記気化潜熱回収器（６６ａ）は、復水器と略同様に構成して空気抽出器により飽和温度を８０℃前後として冷却水に給水（３）を使用することを特徴とする全動翼蒸気ガスタービン合体機関。
【請求項１２４１】
前記気化潜熱回収器（６６ａ）は、復水器と略同様に構成して空気抽出器により飽和温度を６０℃前後として冷却水に給水（３）を使用することを特徴とする全動翼蒸気ガスタービン合体機関。
【請求項１２４２】
前記気化潜熱回収器（６６ａ）は、復水器と略同様に構成して冷却水に給水（３）を使用して海水温度等の上昇を廃止することを特徴とする全動翼蒸気ガスタービン合体機関。
【請求項１２４３】
前記気化潜熱回収器（６６ａ）は、復水器と略同様に構成して冷却水に給水（３）を使用して地球温暖化を防止することを特徴とする全動翼蒸気ガスタービン合体機関。
【請求項１２４４】
前記気化潜熱回収器（６６ａ）は、復水器と略同様に構成して冷却水に給水（３）を使用して熱回収し、燃焼器兼熱交換器（４）に供給することを特徴とする全動翼蒸気ガスタービン合体機関。
【請求項１２４５】
前記気化潜熱回収器（６６ａ）は、復水器と略同様に構成して冷却水に給水（３）を使用して熱回収し該凝縮水と共に、燃焼器兼熱交換器（４）に供給することを特徴とする全動翼蒸気ガスタービン合体機関。
【請求項１２４６】
前記気化潜熱回収器（６６ａ）は、復水器と略同様に構成して冷却水に給水（３）を使用して熱回収し該凝縮水と共に燃焼器兼熱交換器（４）に供給し、燃料燃焼質量を低減することを特徴とする全動翼蒸気ガスタービン合体機関。
【請求項１２４７】
前記気化潜熱回収器（６６ａ）は、復水器と略同様に構成して冷却水に給水（３）を使用して熱回収し飽和温度１００℃前後の凝縮水と共に、燃焼器兼熱交換器（４）に供給することを特徴とする全動翼蒸気ガスタービン合体機関。
【請求項１２４８】
前記気化潜熱回収器（６６ａ）は、復水器と略同様に構成して冷却水に給水（３）を使用して熱回収し飽和温度８０℃前後の凝縮水と共に、燃焼器兼熱交換器（４）に供給することを特徴とする全動翼蒸気ガスタービン合体機関。
【請求項１２４９】
前記気化潜熱回収器（６６ａ）は、復水器と略同様に構成して冷却水に給水（３）を使用して熱回収し飽和温度６０℃前後の凝縮水と共に、燃焼器兼熱交換器（４）に供給することを特徴とする全動翼蒸気ガスタービン合体機関。
【請求項１２５０】
前記気化潜熱回収器（６６ａ）は、復水器と略同様に構成して冷却水に給水（３）を使用して熱回収し飽和温度１００℃前後の凝縮水と共に燃焼器兼熱交換器（４）に供給し、温熱としても貯蔵することを特徴とする全動翼蒸気ガスタービン合体機関。
【請求項１２５１】
前記気化潜熱回収器（６６ａ）は、復水器と略同様に構成して冷却水に給水（３）を使用して熱回収し飽和温度８０℃前後の凝縮水と共に燃焼器兼熱交換器（４）に供給し、温熱としても貯蔵することを特徴とする全動翼蒸気ガスタービン合体機関。
【請求項１２５２】
前記気化潜熱回収器（６６ａ）は、復水器と略同様に構成して冷却水に給水（３）を使用して熱回収し飽和温度６０℃前後の凝縮水と共に燃焼器兼熱交換器（４）に供給し、温熱としても貯蔵することを特徴とする全動翼蒸気ガスタービン合体機関。
【請求項１２５３】
前記気化潜熱回収器（６６ａ）は、復水器と略同様に構成して冷却水に給水（３）を使用して熱回収し飽和温度１００℃前後の凝縮水と共に燃焼器兼熱交換器（４）に供給し、温熱としても貯蔵して需要家に供給することを特徴とする全動翼蒸気ガスタービン合体機関。
【請求項１２５４】
前記気化潜熱回収器（６６ａ）は、復水器と略同様に構成して冷却水に給水（３）を使用して熱回収し飽和温度８０℃前後の凝縮水と共に燃焼器兼熱交換器（４）に供給し、温熱としても貯蔵して需要家に供給することを特徴とする全動翼蒸気ガスタービン合体機関。
【請求項１２５５】
前記気化潜熱回収器（６６ａ）は、復水器と略同様に構成して冷却水に給水（３）を使用して熱回収し飽和温度６０℃前後の凝縮水と共に燃焼器兼熱交換器（４）に供給し、温熱としても貯蔵して需要家に供給することを特徴とする全動翼蒸気ガスタービン合体機関。
【請求項１２５６】
前記気化潜熱回収器（６６ａ）は、復水器と略同様に構成して冷却水に水道水（７０）を使用することを特徴とする全動翼蒸気ガスタービン合体機関。
【請求項１２５７】
前記気化潜熱回収器（６６ａ）は、復水器と略同様に構成して空気抽出器により飽和温度を１００℃前後として冷却水に水道水（７０）を使用することを特徴とする全動翼蒸気ガスタービン合体機関。
【請求項１２５８】
前記気化潜熱回収器（６６ａ）は、復水器と略同様に構成して空気抽出器により飽和温度を８０℃前後として冷却水に水道水（７０）を使用することを特徴とする全動翼蒸気ガスタービン合体機関。
【請求項１２５９】
前記気化潜熱回収器（６６ａ）は、復水器と略同様に構成して空気抽出器により飽和温度を６０℃前後として冷却水に水道水（７０）を使用することを特徴とする全動翼蒸気ガスタービン合体機関。
【請求項１２６０】
前記気化潜熱回収器（６６ａ）は、復水器と略同様に構成して冷却水に水道水（７０）を使用して海水温度等の上昇を廃止することを特徴とする全動翼蒸気ガスタービン合体機関。
【請求項１２６１】
前記気化潜熱回収器（６６ａ）は、復水器と略同様に構成して冷却水に水道水（７０）を使用して地球温暖化を防止することを特徴とする全動翼蒸気ガスタービン合体機関。
【請求項１２６２】
前記気化潜熱回収器（６６ａ）は、復水器と略同様に構成して冷却水に水道水（７０）を使用して熱回収し、凝縮水を燃焼器兼熱交換器（４）に供給することを特徴とする全動翼蒸気ガスタービン合体機関。
【請求項１２６３】
前記気化潜熱回収器（６６ａ）は、復水器と略同様に構成して冷却水に給水（３）を使用して熱回収し該凝縮水と共に、燃焼器兼熱交換器（４）に供給することを特徴とする全動翼蒸気ガスタービン合体機関。
【請求項１２６４】
前記気化潜熱回収器（６６ａ）は、復水器と略同様に構成して冷却水に給水（３）を使用して熱回収し該凝縮水と共に燃焼器兼熱交換器（４）に供給し、燃料燃焼質量を低減することを特徴とする全動翼蒸気ガスタービン合体機関。
【請求項１２６５】
前記気化潜熱回収器（６６ａ）は、復水器と略同様に構成して冷却水に給水（３）を使用して熱回収し飽和温度１００℃前後の凝縮水を燃焼器兼熱交換器（４）に供給することを特徴とする全動翼蒸気ガスタービン合体機関。
【請求項１２６６】
前記気化潜熱回収器（６６ａ）は、復水器と略同様に構成して冷却水に給水（３）を使用して熱回収し飽和温度８０℃前後の凝縮水を燃焼器兼熱交換器（４）に供給することを特徴とする全動翼蒸気ガスタービン合体機関。
【請求項１２６７】
前記気化潜熱回収器（６６ａ）は、復水器と略同様に構成して冷却水に給水（３）を使用して熱回収し飽和温度６０℃前後の凝縮水を燃焼器兼熱交換器（４）に供給することを特徴とする全動翼蒸気ガスタービン合体機関。
【請求項１２６８】
前記気化潜熱回収器（６６ａ）は、復水器と略同様に構成して冷却水に水道水（７０）を使用して熱回収し飽和温度１００℃前後の凝縮水を燃焼器兼熱交換器（４）に供給し、水道水温熱としても貯蔵することを特徴とする全動翼蒸気ガスタービン合体機関。
【請求項１２６９】
前記気化潜熱回収器（６６ａ）は、復水器と略同様に構成して冷却水に水道水（７０）を使用して熱回収し飽和温度８０℃前後の凝縮水を燃焼器兼熱交換器（４）に供給し、水道水温熱としても貯蔵することを特徴とする全動翼蒸気ガスタービン合体機関。
【請求項１２７０】
前記気化潜熱回収器（６６ａ）は、復水器と略同様に構成して冷却水に水道水（７０）を使用して熱回収し飽和温度６０℃前後の凝縮水を燃焼器兼熱交換器（４）に供給し、水道水温熱としても貯蔵することを特徴とする全動翼蒸気ガスタービン合体機関。
【請求項１２７１】
前記気化潜熱回収器（６６ａ）は、復水器と略同様に構成して冷却水に水道水（７０）を使用して熱回収し飽和温度１００℃前後の凝縮水を燃焼器兼熱交換器（４）に供給し、水道水温熱としても貯蔵して需要家に供給することを特徴とする全動翼蒸気ガスタービン合体機関。
【請求項１２７２】
前記気化潜熱回収器（６６ａ）は、復水器と略同様に構成して冷却水に水道水（７０）を使用して熱回収し飽和温度８０℃前後の凝縮水を燃焼器兼熱交換器（４）に供給し、水道水温熱としても貯蔵して需要家に供給することを特徴とする全動翼蒸気ガスタービン合体機関。
【請求項１２７３】
前記気化潜熱回収器（６６ａ）は、復水器と略同様に構成して冷却水に水道水（７０）を使用して熱回収し飽和温度６０℃前後の凝縮水を燃焼器兼熱交換器（４）に供給し、水道水温熱としても貯蔵して需要家に供給することを特徴とする全動翼蒸気ガスタービン合体機関。
【請求項１２７４】
前記気化潜熱回収器（６６ａ）の冷却水に水道水を使用することを特徴とする全動翼蒸気ガスタービン合体機関。
【請求項１２７５】
前記気化潜熱回収器（６６ａ）の冷却水に水道水を使用して貯蔵し水道水温熱を需要家に供給することを特徴とする全動翼蒸気ガスタービン合体機関。
【請求項１２７６】
前記気化潜熱回収器（６６ａ）の冷却水に水道水を使用して貯蔵し１００℃に近い水道水温熱を需要家に供給することを特徴とする全動翼蒸気ガスタービン合体機関。
【請求項１２７７】
前記気化潜熱回収器（６６ａ）の冷却水に水道水を使用して貯蔵し１００℃以下の水道水温熱を需要家に供給することを特徴とする全動翼蒸気ガスタービン合体機関。
【請求項１２７８】
前記気化潜熱回収器（６６ａ）の冷却水に水道水を使用して貯蔵し水道水温熱と共に水道水温熱利用機器を需要家に製造販売供給することを特徴とする全動翼蒸気ガスタービン合体機関。
【請求項１２７９】
前記気化潜熱回収器（６６ａ）の冷却水に水道水を使用して貯蔵し１００℃に近い水道水温熱と共に水道水温熱利用機器を需要家に製造販売供給することを特徴とする全動翼蒸気ガスタービン合体機関。
【請求項１２８０】
前記気化潜熱回収器（６６ａ）の冷却水に水道水を使用して貯蔵し１００℃以下の水道水温熱と共に水道水温熱利用機器を需要家に製造販売供給することを特徴とする全動翼蒸気ガスタービン合体機関。
【請求項１２８１】
前記気化潜熱回収器（６６ａ）の冷却水に水道水を使用して貯蔵し水道水温熱と共に水道水温熱利用の暖房設備器具を需要家に製造供給することを特徴とする全動翼蒸気ガスタービン合体機関。
【請求項１２８２】
前記気化潜熱回収器（６６ａ）の冷却水に水道水を使用して貯蔵し水道水温熱と共に水道水温熱利用の暖房設備機器を需要家に製造供給することを特徴とする全動翼蒸気ガスタービン合体機関。
【請求項１２８３】
前記気化潜熱回収器（６６ａ）の冷却水に水道水を使用して貯蔵し水道水温熱と共に水道水温熱利用の厨房設備器具を需要家に製造供給することを特徴とする全動翼蒸気ガスタービン合体機関。
【請求項１２８４】
前記気化潜熱回収器（６６ａ）の冷却水に水道水を使用して貯蔵し水道水温熱と共に水道水温熱利用の厨房設備機器を需要家に製造供給することを特徴とする全動翼蒸気ガスタービン合体機関。
【請求項１２８５】
前記気化潜熱回収器（６６ａ）の冷却水に水道水を使用して貯蔵し水道水温熱と共に水道水温熱利用の暖房設備を需要家に製造供給することを特徴とする全動翼蒸気ガスタービン合体機関。
【請求項１２８６】
前記気化潜熱回収器（６６ａ）の冷却水に水道水を使用して貯蔵し１００℃に近い水道水温熱と共に水道水温熱利用の暖房設備機器を需要家に製造供給することを特徴とする全動翼蒸気ガスタービン合体機関。
【請求項１２８７】
前記気化潜熱回収器（６６ａ）の冷却水に水道水を使用して貯蔵し１００℃に近い水道水温熱と共に水道水温熱利用の厨房設備機器を需要家に製造供給することを特徴とする全動翼蒸気ガスタービン合体機関。
【請求項１２８８】
前記気化潜熱回収器（６６ａ）の冷却水に水道水を使用して貯蔵し１００℃以下の水道水温熱と共に水道水温熱利用の暖房設備機器を需要家に製造供給することを特徴とする全動翼蒸気ガスタービン合体機関。
【請求項１２８９】
前記気化潜熱回収器（６６ａ）の冷却水に水道水を使用して貯蔵し水道水温熱と共に水道水温熱利用の調理器具を需要家に製造供給することを特徴とする全動翼蒸気ガスタービン合体機関。
【請求項１２９０】
前記気化潜熱回収器（６６ａ）の冷却水に水道水を使用して貯蔵し１００℃に近い水道水温熱と共に水道水温熱利用の調理器具を需要家に製造供給することを特徴とする全動翼蒸気ガスタービン合体機関。
【請求項１２９１】
前記気化潜熱回収器（６６ａ）の冷却水に水道水を使用して貯蔵し１００℃以下の水道水温熱と共に水道水温熱利用の調理器具を需要家に製造供給することを特徴とする全動翼蒸気ガスタービン合体機関。
【請求項１２９２】
前記気化潜熱回収器（６６ａ）の凝縮水全部を燃焼器兼熱交換器（４）に供給して超臨界圧力水（５ｂ）にすることを特徴とする全動翼蒸気ガスタービン合体機関。
【請求項１２９３】
前記気化潜熱回収器（６６ａ）の凝縮水全部を燃焼器兼熱交換器（４）に供給して高温水（５ｂ）にすることを特徴とする全動翼蒸気ガスタービン合体機関。
【請求項１２９４】
前記気化潜熱回収器（６６ａ）の凝縮水全部を燃焼器兼熱交換器（４）に供給して燃料供給熱量を気化潜熱に近付けて低減し、超臨界圧力水（５ｂ）にすることを特徴とする全動翼蒸気ガスタービン合体機関。
【請求項１２９５】
前記気化潜熱回収器（６６ａ）の凝縮水全部を燃焼器兼熱交換器（４）に供給して燃料供給熱量を気化潜熱に近付けて低減し、高温水（５ｂ）にすることを特徴とする全動翼蒸気ガスタービン合体機関。
【請求項１２９６】
前記気化潜熱回収器（６６ａ）は、復水器と略同様に構成して冷却水に水道水を使用することを特徴とする全動翼蒸気ガスタービン合体機関。
【請求項１２９７】
前記気化潜熱回収器（６６ａ）は、復水器と略同様に構成して空気抽出器により飽和温度を１００℃前後として冷却水に水道水を使用することを特徴とする全動翼蒸気ガスタービン合体機関。
【請求項１２９８】
前記気化潜熱回収器（６６ａ）は、復水器と略同様に構成して空気抽出器により飽和温度を８０℃前後として冷却水に水道水を使用することを特徴とする全動翼蒸気ガスタービン合体機関。
【請求項１２９９】
前記気化潜熱回収器（６６ａ）は、復水器と略同様に構成して空気抽出器により飽和温度を６０℃前後として冷却水に水道水を使用することを特徴とする全動翼蒸気ガスタービン合体機関。
【請求項１３００】
前記気化潜熱回収器（６６ａ）は、復水器と略同様に構成して冷却水に水道水を使用して海水温度等の上昇を廃止することを特徴とする全動翼蒸気ガスタービン合体機関。
【請求項１３０１】
前記気化潜熱回収器（６６ａ）は、復水器と略同様に構成して冷却水に水道水を使用して地球温暖化を防止することを特徴とする全動翼蒸気ガスタービン合体機関。
【請求項１３０２】
前記気化潜熱回収器（６６ａ）は、復水器と略同様に構成して冷却水に水道水を使用して熱回収し、凝縮水を燃焼器兼熱交換器（４）に供給することを特徴とする全動翼蒸気ガスタービン合体機関。
【請求項１３０３】
前記気化潜熱回収器（６６ａ）は、復水器と略同様に構成して冷却水に水道水を使用して熱回収需要家に供給して、凝縮水を燃焼器兼熱交換器（４）に供給することを特徴とする全動翼蒸気ガスタービン合体機関。
【請求項１３０４】
前記気化潜熱回収器（６６ａ）は、復水器と略同様に構成して冷却水に水道水を使用して熱回収需要家に供給して、凝縮水を燃焼器兼熱交換器（４）に供給し、燃料燃焼質量を低減することを特徴とする全動翼蒸気ガスタービン合体機関。
【請求項１３０５】
前記気化潜熱回収器（６６ａ）は、復水器と略同様に構成して冷却水に水道水を使用して熱回収需要家に供給して、飽和温度１００℃前後の凝縮水を燃焼器兼熱交換器（４）に供給することを特徴とする全動翼蒸気ガスタービン合体機関。
【請求項１３０６】
前記気化潜熱回収器（６６ａ）は、復水器と略同様に構成して冷却水に水道水を使用して熱回収需要家に供給して、飽和温度８０℃前後の凝縮水を燃焼器兼熱交換器（４）に供給することを特徴とする全動翼蒸気ガスタービン合体機関。
【請求項１３０７】
前記気化潜熱回収器（６６ａ）は、復水器と略同様に構成して冷却水に水道水を使用して熱回収需要家に供給して、飽和温度６０℃前後の凝縮水を燃焼器兼熱交換器（４）に供給することを特徴とする全動翼蒸気ガスタービン合体機関。
【請求項１３０８】
前記気化潜熱回収器（６６ａ）は、復水器と略同様に構成して冷却水に水道水を使用して熱回収需要家に供給して、飽和温度１００℃前後の凝縮水を燃焼器兼熱交換器（４）に供給し、水道水を水道水温熱としても貯蔵することを特徴とする全動翼蒸気ガスタービン合体機関。
【請求項１３０９】
前記気化潜熱回収器（６６ａ）は、復水器と略同様に構成して冷却水に水道水を使用して熱回収需要家に供給して、飽和温度８０℃前後の凝縮水を燃焼器兼熱交換器（４）に供給し、水道水を水道水温熱としても貯蔵することを特徴とする全動翼蒸気ガスタービン合体機関。
【請求項１３１０】
前記気化潜熱回収器（６６ａ）は、復水器と略同様に構成して冷却水に水道水を使用して熱回収し飽和温度６０℃前後の凝縮水を燃焼器兼熱交換器（４）に供給し、水道水を水道水温熱としても貯蔵することを特徴とする全動翼蒸気ガスタービン合体機関。
【請求項１３１１】
前記気化潜熱回収器（６６ａ）は、復水器と略同様に構成して冷却水に水道水を使用して熱回収し飽和温度１００℃前後の凝縮水を燃焼器兼熱交換器（４）に供給し、水道水を水道水温熱としても貯蔵して需要家に供給することを特徴とする全動翼蒸気ガスタービン合体機関。
【請求項１３１２】
前記気化潜熱回収器（６６ａ）は、復水器と略同様に構成して冷却水に水道水を使用して熱回収し飽和温度８０℃前後の凝縮水を燃焼器兼熱交換器（４）に供給し、水道水を水道水温熱としても貯蔵して需要家に供給することを特徴とする全動翼蒸気ガスタービン合体機関。
【請求項１３１３】
前記気化潜熱回収器（６６ａ）は、復水器と略同様に構成して冷却水に水道水を使用して熱回収し飽和温度６０℃前後の凝縮水を燃焼器兼熱交換器（４）に供給し、水道水を水道水温熱としても貯蔵して需要家に供給することを特徴とする全動翼蒸気ガスタービン合体機関。
【請求項１３１４】
前記気化潜熱回収器（６６ａ）は、復水器と略同様に構成して冷却水に水道水（７０）を使用して水道水温熱を需要家に供給することを特徴とする全動翼蒸気ガスタービン合体機関。
【請求項１３１５】
前記気化潜熱回収器（６６ａ）は、復水器と略同様に構成して空気抽出器により飽和温度を１００℃前後として冷却水に水道水（７０）を使用して水道水温熱を需要家に供給することを特徴とする全動翼蒸気ガスタービン合体機関。
【請求項１３１６】
前記気化潜熱回収器（６６ａ）は、復水器と略同様に構成して空気抽出器により飽和温度を８０℃前後として冷却水に水道水（７０）を使用して水道水温熱を需要家に供給することを特徴とする全動翼蒸気ガスタービン合体機関。
【請求項１３１７】
前記気化潜熱回収器（６６ａ）は、復水器と略同様に構成して空気抽出器により飽和温度を６０℃前後として冷却水に水道水（７０）を使用して水道水温熱を需要家に供給することを特徴とする全動翼蒸気ガスタービン合体機関。
【請求項１３１８】
前記気化潜熱回収器（６６ａ）は、復水器と略同様に構成して冷却水に水道水（７０）を使用して水道水温熱を需要家に供給して海水温度等の上昇を廃止することを特徴とする全動翼蒸気ガスタービン合体機関。
【請求項１３１９】
前記気化潜熱回収器（６６ａ）は、復水器と略同様に構成して冷却水に水道水（７０）を使用して水道水温熱を需要家に供給して地球温暖化を防止することを特徴とする全動翼蒸気ガスタービン合体機関。
【請求項１３２０】
前記気化潜熱回収器（６６ａ）は、復水器と略同様に構成して冷却水に水道水（７０）を使用して熱回収し、凝縮水を燃焼器兼熱交換器（４）に供給することを特徴とする全動翼蒸気ガスタービン合体機関。
【請求項１３２１】
前記気化潜熱回収器（６６ａ）は、復水器と略同様に構成して冷却水に水道水（７０）を使用して熱回収して水道水温熱を需要家に供給し、凝縮水を燃焼器兼熱交換器（４）に供給することを特徴とする全動翼蒸気ガスタービン合体機関。
【請求項１３２２】
前記気化潜熱回収器（６６ａ）は、復水器と略同様に構成して冷却水に水道水（７０）を使用して熱回収して水道水温熱を需要家に供給し、凝縮水を燃焼器兼熱交換器（４）に供給し、燃料燃焼質量を低減することを特徴とする全動翼蒸気ガスタービン合体機関。
【請求項１３２３】
前記気化潜熱回収器（６６ａ）は、復水器と略同様に構成して冷却水に水道水（７０）を使用して熱回収して水道水温熱を需要家に供給し、飽和温度１００℃前後の凝縮水を燃焼器兼熱交換器（４）に供給することを特徴とする全動翼蒸気ガスタービン合体機関。
【請求項１３２４】
前記気化潜熱回収器（６６ａ）は、復水器と略同様に構成して冷却水に水道水（７０）を使用して熱回収して水道水温熱を需要家に供給し、飽和温度８０℃前後の凝縮水を燃焼器兼熱交換器（４）に供給することを特徴とする全動翼蒸気ガスタービン合体機関。
【請求項１３２５】
前記気化潜熱回収器（６６ａ）は、復水器と略同様に構成して冷却水に水道水（７０）を使用して熱回収して水道水温熱を需要家に供給し、飽和温度６０℃前後の凝縮水を燃焼器兼熱交換器（４）に供給することを特徴とする全動翼蒸気ガスタービン合体機関。
【請求項１３２６】
前記気化潜熱回収器（６６ａ）は、復水器と略同様に構成して冷却水に水道水（７０）を使用して熱回収して水道水温熱を需要家に供給し、飽和温度１００℃前後の凝縮水を燃焼器兼熱交換器（４）に供給し、水道水を水道水温熱としても貯蔵することを特徴とする全動翼蒸気ガスタービン合体機関。
【請求項１３２７】
前記気化潜熱回収器（６６ａ）は、復水器と略同様に構成して冷却水に水道水（７０）を使用して熱回収して水道水温熱を需要家に供給し、飽和温度８０℃前後の凝縮水を燃焼器兼熱交換器（４）に供給し、水道水を水道水温熱としても貯蔵することを特徴とする全動翼蒸気ガスタービン合体機関。
【請求項１３２８】
前記気化潜熱回収器（６６ａ）は、復水器と略同様に構成して冷却水に水道水（７０）を使用して熱回収して水道水温熱を需要家に供給し、飽和温度６０℃前後の凝縮水を燃焼器兼熱交換器（４）に供給し、水道水を水道水温熱としても貯蔵することを特徴とする全動翼蒸気ガスタービン合体機関。
【請求項１３２９】
前記気化潜熱回収器（６６ａ）は、復水器と略同様に構成して冷却水に水道水（７０）を使用して熱回収して水道水温熱を需要家に供給し、飽和温度１００℃前後の凝縮水を燃焼器兼熱交換器（４）に供給し、水道水を水道水温熱としても貯蔵して需要家に供給することを特徴とする全動翼蒸気ガスタービン合体機関。
【請求項１３３０】
前記気化潜熱回収器（６６ａ）は、復水器と略同様に構成して冷却水に水道水（７０）を使用して熱回収して水道水温熱を需要家に供給し、飽和温度８０℃前後の凝縮水を燃焼器兼熱交換器（４）に供給し、水道水を水道水温熱としても貯蔵して需要家に供給することを特徴とする全動翼蒸気ガスタービン合体機関。
【請求項１３３１】
前記気化潜熱回収器（６６ａ）は、復水器と略同様に構成して冷却水に水道水（７０）を使用して熱回収して水道水温熱を需要家に供給し、飽和温度６０℃前後の凝縮水を燃焼器兼熱交換器（４）に供給し、水道水を水道水温熱としても貯蔵して需要家に供給することを特徴とする全動翼蒸気ガスタービン合体機関。
【請求項１３３２】
前記気化潜熱回収器（６６ａ）の冷却水に水道水を使用して水蒸気を冷却することを特徴とする全動翼蒸気ガスタービン合体機関。
【請求項１３３３】
前記気化潜熱回収器（６６ａ）の冷却水に水道水を使用して水蒸気を冷却して貯蔵し水道水温熱を需要家に供給することを特徴とする全動翼蒸気ガスタービン合体機関。
【請求項１３３４】
前記気化潜熱回収器（６６ａ）の冷却水に水道水を使用して水蒸気を冷却して貯蔵し１００℃に近い水道水温熱を需要家に供給することを特徴とする全動翼蒸気ガスタービン合体機関。
【請求項１３３５】
前記気化潜熱回収器（６６ａ）の冷却水に水道水を使用して水蒸気を冷却して貯蔵し１００℃以下の水道水温熱を需要家に供給することを特徴とする全動翼蒸気ガスタービン合体機関。
【請求項１３３６】
前記気化潜熱回収器（６６ａ）の冷却水に水道水を使用して水蒸気を冷却し、凝縮水全部を燃焼器兼熱交換器（４）に供給して超臨界圧力水（５ｂ）にすることを特徴とする全動翼蒸気ガスタービン合体機関。
【請求項１３３７】
前記気化潜熱回収器（６６ａ）の冷却水に水道水を使用して水蒸気を冷却し、凝縮水全部を燃焼器兼熱交換器（４）に供給して高温水（５ｂ）にすることを特徴とする全動翼蒸気ガスタービン合体機関。
【請求項１３３８】
前記気化潜熱回収器（６６ａ）の冷却水に水道水を使用して水蒸気を冷却し、凝縮水全部を燃焼器兼熱交換器（４）に供給して燃料供給熱量を気化潜熱に近付けて低減し、超臨界圧力水（５ｂ）にすることを特徴とする全動翼蒸気ガスタービン合体機関。
【請求項１３３９】
前記気化潜熱回収器（６６ａ）の冷却水に水道水を使用して水蒸気を冷却し、凝縮水全部を燃焼器兼熱交換器（４）に供給して燃料供給熱量を気化潜熱に近付けて低減し、高温水（５ｂ）にすることを特徴とする全動翼蒸気ガスタービン合体機関。
【請求項１３４０】
前記冷熱回収器（１０２）は、全動翼ガスタービン出口に具備することを特徴とする全動翼蒸気ガスタービン合体機関。
【請求項１３４１】
前記冷熱回収器（１０２）は、通常の熱交換器と同様に全動翼ガスタービン出口に具備することを特徴とする全動翼蒸気ガスタービン合体機関。
【請求項１３４２】
前記冷熱回収器（１０２）は全動翼ガスタービン出口に具備して、冷熱を回収することを特徴とする全動翼蒸気ガスタービン合体機関。
【請求項１３４３】
前記冷熱回収器（１０２）は全動翼ガスタービン出口に具備して低温燃焼ガスと熱交換して冷熱を回収することを特徴とする全動翼蒸気ガスタービン合体機関。
【請求項１３４４】
前記冷熱回収器（１０２）は全動翼ガスタービン出口に具備して、低温燃焼ガスと熱交換して水道水冷熱を回収することを特徴とする全動翼蒸気ガスタービン合体機関。
【請求項１３４５】
前記冷熱回収器（１０２）は全動翼ガスタービン出口に具備して、燃焼ガス質量を水道水冷熱に変換して回収することを特徴とする全動翼蒸気ガスタービン合体機関。
【請求項１３４６】
前記冷熱回収器（１０２）は全動翼ガスタービン出口に具備して、燃焼ガス質量を水道水冷熱に変換して需要家に供給することを特徴とする全動翼蒸気ガスタービン合体機関。
【請求項１３４７】
前記冷熱回収器（１０２）は全動翼ガスタービン出口に具備して、燃焼ガス質量を水道水冷熱に変換して水道水冷熱利用の冷凍設備と共に需要家に製造供給することを特徴とする全動翼蒸気ガスタービン合体機関。
【請求項１３４８】
前記冷熱回収器（１０２）は全動翼ガスタービン出口に具備して、燃焼ガス質量を水道水冷熱に変換して水道水冷熱利用の冷蔵設備と共に需要家に製造供給することを特徴とする全動翼蒸気ガスタービン合体機関。
【請求項１３４９】
前記冷熱回収器（１０２）は全動翼ガスタービン出口に具備して、燃焼ガス質量を水道水冷熱に変換して水道水冷熱利用の冷凍庫と共に需要家に製造供給することを特徴とする全動翼蒸気ガスタービン合体機関。
【請求項１３５０】
前記冷熱回収器（１０２）は全動翼ガスタービン出口に具備して、燃焼ガス質量を水道水冷熱に変換して水道水冷熱利用の冷蔵庫と共に需要家に供給することを特徴とする全動翼蒸気ガスタービン合体機関。
【請求項１３５１】
前記冷熱回収器（１０２）は全動翼ガスタービン出口に具備して、燃焼ガス質量を水道水冷熱に変換して水道水冷熱利用の冷却機と共に需要家に製造供給することを特徴とする全動翼蒸気ガスタービン合体機関。
【請求項１３５２】
前記冷熱回収器（１０２）は全動翼ガスタービン出口に具備して、燃焼ガス質量を水道水冷熱に変換して水道水冷熱利用の空気冷却機と共に需要家に製造供給することを特徴とする全動翼蒸気ガスタービン合体機関。
【請求項１３５３】
前記冷熱回収器（１０２）は全動翼ガスタービン出口に具備して、燃焼ガス質量を水道水冷熱に変換して水道水冷熱利用の業務用クーラーと共に需要家に製造供給することを特徴とする全動翼蒸気ガスタービン合体機関。
【請求項１３５４】
前記冷熱回収器（１０２）は全動翼ガスタービン出口に具備して、燃焼ガス質量を水道水冷熱に変換して水道水冷熱利用の家庭用クーラーと共に需要家に製造供給することを特徴とする全動翼蒸気ガスタービン合体機関。
【請求項１３５５】
前記冷熱回収器（１０２）は全動翼ガスタービン出口に具備して、遠心力により分離した二酸化炭素や液体窒素等を回収することが特徴の全動翼蒸気ガスタービン合体機関。
【請求項１３５６】
前記冷熱回収器（１０２）は全動翼ガスタービン出口に具備して、遠心力により分離した二酸化炭素を回収することを特徴とする全動翼蒸気ガスタービン合体機関。
【請求項１３５７】
前記冷熱回収器（１０２）は全動翼ガスタービンに出口具備して、遠心力により分離した液体窒素を回収することを特徴とする全動翼蒸気ガスタービン合体機関。
【請求項１３５８】
前記冷熱回収器（１０２）は全動翼ガスタービンに出口具備して、遠心力により分離した物質を回収することを特徴とする全動翼蒸気ガスタービン合体機関。
【請求項１３５９】
前記冷熱回収器（１０２）は、全動翼ガスタービンに換えて全動翼蒸気ガスタービンに具備することを特徴とする全動翼蒸気ガスタービン合体機関。
【請求項１３６０】
前記送水ポンプ兼二重反転磁気摩擦動力伝達装置（１４ａ）の各種着磁摩擦車や各種磁着摩擦車は、回転方向上流側に、電磁石（３４）を設けて、夫々適宜に互換して使用すると共に、途中水路を水噴射手段（５６）に連絡したことを特徴とする全動翼蒸気ガスタービン合体機関。
【請求項１３６１】
前記送水ポンプ兼二重反転磁気摩擦動力伝達装置（１４ａ）の各種着磁摩擦車や各種磁着摩擦車は、回転方向上流側に、棒磁石（３３）を設けて、夫々適宜に互換して使用すると共に、途中水路を水噴射手段（５６）に連絡したことを特徴とする全動翼蒸気ガスタービン合体機関。
【請求項１３６２】
前記送水ポンプ兼二重反転磁気摩擦動力伝達装置（１４ａ）の各種着磁摩擦車や各種磁着摩擦車は、回転方向下流側に、電磁石（３４）を設けて、夫々適宜に互換して使用すると共に、途中水路を水噴射手段（５６）に連絡したことを特徴とする全動翼蒸気ガスタービン合体機関。
【請求項１３６３】
前記送水ポンプ兼二重反転磁気摩擦動力伝達装置（１４ａ）の各種着磁摩擦車や各種磁着摩擦車は、回転方向下流側に、棒磁石（３３）を設けて、夫々適宜に互換して使用すると共に、途中水路を水噴射手段（５６）に連絡したことを特徴とする全動翼蒸気ガスタービン合体機関。
【請求項１３６４】
前記送水ポンプ兼二重反転磁気摩擦動力伝達装置（１４ａ）の各種内着磁摩擦車や各種内磁着摩擦車は、回転方向上流側及び下流側に、電磁石（３４）を設けて、夫々適宜に互換して使用すると共に、途中水路を水噴射手段（５６）に連絡したことを特徴とする全動翼蒸気ガスタービン合体機関。
【請求項１３６５】
前記送水ポンプ兼二重反転磁気摩擦動力伝達装置（１４ａ）の各種内着磁摩擦車や各種内磁着摩擦車は、回転方向上流側及び下流側に、棒磁石（３３）を設けて、夫々適宜に互換して使用すると共に、途中水路を水噴射手段（５６）に連絡したことを特徴とする全動翼蒸気ガスタービン合体機関。
【請求項１３６６】
前記送水ポンプ兼二重反転磁気摩擦動力伝達装置（１４ａ）の各種内着磁摩擦車や各種内磁着摩擦車は、回転方向上流側に、電磁石（３４）を設けて、夫々適宜に互換して使用すると共に、途中水路を水噴射手段（５６）に連絡したことを特徴とする全動翼蒸気ガスタービン合体機関。
【請求項１３６７】
前記送水ポンプ兼二重反転磁気摩擦動力伝達装置（１４ａ）の各種内着磁摩擦車や各種内磁着摩擦車は、回転方向上流側に、棒磁石（３３）を設けて、夫々適宜に互換して使用すると共に、途中水路を水噴射手段（５６）に連絡したことを特徴とする全動翼蒸気ガスタービン合体機関。
【請求項１３６８】
前記送水ポンプ兼二重反転磁気摩擦動力伝達装置（１４ａ）の各種内着磁摩擦車や各種内磁着摩擦車は、回転方向下流側に、電磁石（３４）を設けて、夫々適宜に互換して使用すると共に、途中水路を水噴射手段（５６）に連絡したことを特徴とする全動翼蒸気ガスタービン合体機関。
【請求項１３６９】
前記送水ポンプ兼二重反転磁気摩擦動力伝達装置（１４ａ）の各種内着磁摩擦車や各種内磁着摩擦車は、回転方向下流側に、棒磁石（３３）を設けて、夫々適宜に互換して使用すると共に、途中水路を水噴射手段（５６）に連絡したことを特徴とする全動翼蒸気ガスタービン合体機関。
【請求項１３７０】
前記送水ポンプ兼二重反転磁気摩擦動力伝達装置（１４ａ）により、燃焼器兼熱交換器（４）に供給する水を昇圧して使用すると共に、途中水路を水噴射手段（５６）に連絡したことを特徴とする全動翼蒸気ガスタービン合体機関。
【請求項１３７１】
前記送水ポンプ兼二重反転磁気摩擦動力伝達装置（１４ａ）により、燃焼器兼熱交換器（４）に供給する水を多段に昇圧して使用すると共に、途中水路を水噴射手段（５６）に連絡したことを特徴とする全動翼蒸気ガスタービン合体機関。
【請求項１３７２】
前記複数の送水ポンプ兼二重反転磁気摩擦動力伝達装置（１４ａ）により、燃焼器兼熱交換器（４）に供給する水を多段に昇圧して使用すると共に、途中水路を水噴射手段（５６）に連絡したことを特徴とする全動翼蒸気ガスタービン合体機関。
【請求項１３７３】
前記送水ポンプ兼二重反転磁気摩擦動力伝達装置（１４ａ）は、燃焼器兼熱交換器（４）に供給する水を使用すると共に、途中水路を水噴射手段（５６）に連絡したことを特徴とする全動翼蒸気ガスタービン合体機関。
【請求項１３７４】
前記送水ポンプ兼二重反転磁気摩擦動力伝達装置（１４ａ）は、燃焼器兼熱交換器（４）に供給する水を使用すると共に、該水圧上昇により送水ポンプ（９７）を非接触に近付けると共に、途中水路を水噴射手段（５６）に連絡したことを特徴とする全動翼蒸気ガスタービン合体機関。
【請求項１３７５】
前記送水ポンプ兼二重反転磁気摩擦動力伝達装置（１４ａ）は、燃焼器兼熱交換器（４）に供給する水を使用すると共に、該水圧上昇により送水ポンプ（９７）を非接触に近付けて超高速回転に対応すると共に、途中水路を水噴射手段（５６）に連絡したことを特徴とする全動翼蒸気ガスタービン合体機関。
【請求項１３７６】
前記送水ポンプ兼二重反転磁気摩擦動力伝達装置（１４ａ）は、燃焼器兼熱交換器（４）に供給する水を使用すると共に、該水温を上昇して使用すると共に、途中水路を水噴射手段（５６）に連絡したことを特徴とする全動翼蒸気ガスタービン合体機関。
【請求項１３７７】
前記送水送水ポンプ兼二重反転磁気摩擦動力伝達装置（１４ａ）は、燃焼器兼熱交換器（４）に供給する水を使用すると共に水温を上昇して使用し、該水に物質を混入して公害低減し、潤滑すると共に、途中水路を水噴射手段（５６）に連絡したことを特徴とする全動翼蒸気ガスタービン合体機関。
【請求項１３７８】
前記水噴射手段（５６）は組立環状接続部付近に設け、翼段落毎に環状に一体鋳造（８４）して、該組立環状接続部で水路を接続使用することを特徴とする撥水鍍金タービン全動翼（８１）を具備した全動翼蒸気ガスタービン合体機関。
【請求項１３７９】
前記水噴射手段（５６）は組立環状接続部付近に設け、翼段落毎に環状に一体鋳造（８４）して、該組立環状接続部で水路を接続使用し、該組立環状接続部付近から水噴射することを特徴とする撥水鍍金タービン全動翼（８１）を具備した全動翼蒸気ガスタービン合体機関。
【請求項１３８０】
前記水噴射手段（５６）は組立環状接続部付近に設け、翼段落毎に環状に一体鋳造（８４）して、該組立環状接続部で水路を接続使用し、該組立環状接続部付近から水噴射して圧縮空気を冷却し、熱回収することを特徴とする撥水鍍金タービン全動翼（８１）を具備した全動翼蒸気ガスタービン合体機関。
【請求項１３８１】
前記水噴射手段（５６）は組立環状接続部付近に設け、翼段落毎に環状に一体鋳造（８４）して、該組立環状接続部で水路を接続使用し、該組立環状接続部付近から水噴射して圧縮空気を冷却し、熱回収した冷空気を略直線蛇行的に圧縮することを特徴とする撥水鍍金タービン全動翼（８１）を具備した全動翼蒸気ガスタービン合体機関。
【請求項１３８２】
前記水噴射手段（５６）は組立環状接続部付近に設け、撥水鍍金水冷却翼（８７）を冷却手段（５５）の水路で段落半分を冷却後に水噴射手段（５６）より水噴射する全動翼蒸気ガスタービン合体機関。
【請求項１３８３】
前記水噴射手段（５６）は組立環状接続部付近に設け、撥水鍍金水冷却翼（８７）を冷却手段（５５）の水路で段落全部を冷却後に水噴射手段（５６）より水噴射する全動翼蒸気ガスタービン合体機関。
【請求項１３８４】
前記水噴射手段（５６）は組立環状接続部付近に設け、撥水鍍金水冷却翼（８７）を冷却手段（５５）の水路で段落複数を冷却後に水噴射手段（５６）より水噴射する全動翼蒸気ガスタービン合体機関。
【請求項１３８５】
前記水噴射手段（５６）は組立環状接続部付近に設け、撥水鍍金水冷却翼（８７）を冷却手段（５５）の水路で段落多数を冷却後に水噴射手段（５６）より水噴射する全動翼蒸気ガスタービン合体機関。
【請求項１３８６】
前記水により撥水鍍金水冷却翼（８７）を冷却後に、組立環状接続部付近に設けた水噴射手段（５６）より水噴射する組立環状接続部は、翼段落毎に環状に一体鋳造（８４）して、該組立環状接続部で冷却手段（５５）の水路を接続使用することを特徴とする撥水鍍金タービン全動翼（８１）を具備した全動翼蒸気ガスタービン合体機関。
【請求項１３８７】
前記水により撥水鍍金水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする撥水鍍金タービン全動翼（８１）を具備した全動翼蒸気ガスタービン合体機関。
【請求項１３８８】
前記水により１以上複数の撥水鍍金水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする撥水鍍金タービン全動翼（８１）を具備した全動翼蒸気ガスタービン合体機関。
【請求項１３８９】
前記水により段落全部の撥水鍍金水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする撥水鍍金タービン全動翼（８１）を具備した全動翼蒸気ガスタービン合体機関。
【請求項１３９０】
前記水により段落半分の撥水鍍金水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする撥水鍍金タービン全動翼（８１）を具備した全動翼蒸気ガスタービン合体機関。
【請求項１３９１】
前記水により撥水鍍金水冷却翼（８７）を冷却後に、組立環状接続部付近に設けた水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ｂ）で出力を発生する全動翼蒸気ガスタービン合体機関。
【請求項１３９２】
前記水により撥水鍍金水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ｂ）で出力を発生する全動翼蒸気ガスタービン合体機関。
【請求項１３９３】
前記水により１以上複数の撥水鍍金水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ｂ）で出力を発生する全動翼蒸気ガスタービン合体機関。
【請求項１３９４】
前記水により段落全部の撥水鍍金水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ｂ）で出力を発生する全動翼蒸気ガスタービン合体機関。
【請求項１３９５】
前記水により段落半分の撥水鍍金水冷却翼を冷却後に水噴射手段（５６）より水噴射する組立環状接続部は、翼段落毎に環状に一体鋳造（８４）して、該組立環状接続部で冷却手段（５５）の水路を接続使用することを特徴とする超臨界圧力等の高温水（５ｂ）で出力を発生する全動翼蒸気ガスタービン合体機関。
【請求項１３９６】
前記燃焼ガス質量の排気温度を−２７３℃に近付けることで、全動翼蒸気ガスタービンの熱回収量を増大することを特徴とする撥水鍍金タービン全動翼（８１）を具備した全動翼蒸気ガスタービン合体機関。
【請求項１３９７】
前記燃焼ガス質量の排気温度を−２７３℃に近付けることで、全動翼ガスタービンの熱回収量を増大することを特徴とする撥水鍍金タービン全動翼（８１）を具備した全動翼蒸気ガスタービン合体機関。
【請求項１３９８】
前記燃焼ガス質量の排気温度を−２７３℃に近付けることで、全動翼蒸気ガスタービンの排気近傍で、低温燃焼ガスによる水蒸気の冷却凝集を容易にすることを特徴とする撥水鍍金タービン全動翼（８１）を具備した全動翼蒸気ガスタービン合体機関。
【請求項１３９９】
前記燃焼ガス質量の排気温度を−２７３℃に近付けることで、全動翼ガスタービンの排気近傍で、低温燃焼ガスによる水蒸気の冷却凝集を容易にすることを特徴とする撥水鍍金タービン全動翼（８１）を具備した全動翼蒸気ガスタービン合体機関。
【請求項１４００】
前記燃焼ガス質量の排気温度を−２７３℃に近付けることで、全動翼ガスタービンの排気過程で、低温燃焼ガスによる水蒸気の冷却凝集を容易にすることを特徴とする撥水鍍金タービン全動翼（８１）を具備した全動翼蒸気ガスタービン合体機関。
【請求項１４０１】
前記燃焼ガス質量の排気温度を−２７３℃に近付ける、全動翼蒸気ガスタービン合体機関において、低温燃焼ガスにより水蒸気を冷却凝集して、水等として分別回収し、肥料として供給することを特徴とする撥水鍍金タービン全動翼（８１）を具備した全動翼蒸気ガスタービン合体機関。
【請求項１４０２】
前記燃焼ガス質量の排気温度を−２７３℃に近付ける、全動翼蒸気ガスタービン合体機関において、低温燃焼ガスにより水蒸気を冷却凝集して、水等として分別回収し、土や植物に固定して肥料として供給することを特徴とする撥水鍍金タービン全動翼（８１）を具備した全動翼蒸気ガスタービン合体機関。
【請求項１４０３】
前記燃焼ガス質量の排気温度を−２７３℃に近付ける、全動翼蒸気ガスタービン合体機関において、低温燃焼ガスにより水蒸気を冷却凝集して、水等として分別回収し、土や植物に固定して肥料として供給し、食物を増産することを特徴とする撥水鍍金タービン全動翼（８１）を具備した全動翼蒸気ガスタービン合体機関。
【請求項１４０４】
前記燃焼ガス質量の排気温度を−２７３℃に近付ける、全動翼蒸気ガスタービン合体機関において、低温燃焼ガスにより水蒸気を冷却凝集して、水等として分別回収し、土や植物に固定して肥料として供給し、植物を増産することを特徴とする撥水鍍金タービン全動翼（８１）を具備した全動翼蒸気ガスタービン合体機関。
【請求項１４０５】
前記燃焼ガス質量の排気温度を−２７３℃に近付ける、全動翼蒸気ガスタービン合体機関において、低温燃焼ガスにより水蒸気を冷却凝集して、水等として分別回収して、海中に供給することを特徴とする撥水鍍金タービン全動翼（８１）を具備した全動翼蒸気ガスタービン合体機関。
【請求項１４０６】
前記燃焼ガス質量の排気温度を−２７３℃に近付ける、全動翼蒸気ガスタービン合体機関において、低温燃焼ガスにより水蒸気を冷却凝集して、水等として分別回収し、海中に供給して、海藻類を繁殖させることを特徴とする撥水鍍金タービン全動翼（８１）を具備した全動翼蒸気ガスタービン合体機関。
【請求項１４０７】
前記燃焼ガス質量の排気温度を−２７３℃に近付ける、全動翼蒸気ガスタービン合体機関において、低温燃焼ガスにより水蒸気を冷却凝集して、水等として分別回収し、海中に供給して、珊瑚類を繁殖させることを特徴とする撥水鍍金タービン全動翼（８１）を具備した全動翼蒸気ガスタービン合体機関。
【請求項１４０８】
前記燃焼ガス質量の排気温度を−２７３℃に近付ける、全動翼蒸気ガスタービン合体機関において、低温燃焼ガスにより水蒸気を冷却凝集して、水等として分別回収し、海中に供給して、魚介類を繁殖させることを特徴とする撥水鍍金タービン全動翼（８１）を具備した全動翼蒸気ガスタービン合体機関。
【請求項１４０９】
前記燃焼ガス質量の排気温度を−２７３℃に近付ける、全動翼蒸気ガスタービン合体機関において、低温燃焼ガスにより水蒸気を冷却凝集して、水等として分別回収して、海水を冷却する過程で酸素等を吸入して、海中に供給することを特徴とする撥水鍍金タービン全動翼（８１）を具備した全動翼蒸気ガスタービン合体機関。
【請求項１４１０】
前記燃焼ガス質量の排気温度を−２７３℃に近付ける、全動翼蒸気ガスタービン合体機関において、低温燃焼ガスにより水蒸気を冷却凝集して、水等として分別回収して、酸素等と共に海中に供給して、海藻類を繁殖させることを特徴とする撥水鍍金タービン全動翼（８１）を具備した全動翼蒸気ガスタービン合体機関。
【請求項１４１１】
前記燃焼ガス質量の排気温度を−２７３℃に近付ける、全動翼蒸気ガスタービン合体機関において、低温燃焼ガスにより水蒸気を冷却凝集して、水等として分別回収して、酸素等と共に海中に供給して、珊瑚類を繁殖させることを特徴とする撥水鍍金タービン全動翼（８１）を具備した全動翼蒸気ガスタービン合体機関。
【請求項１４１２】
前記燃焼ガス質量の排気温度を−２７３℃に近付ける、全動翼蒸気ガスタービン合体機関において、低温燃焼ガスにより水蒸気を冷却凝集して、水等として分別回収して、酸素等と共に海中に供給して、微生物や魚介類を繁殖させることを特徴とする撥水鍍金タービン全動翼（８１）を具備した全動翼蒸気ガスタービン合体機関。
【請求項１４１３】
前記燃焼ガス質量の排気温度を−２７３℃に近付ける、全動翼蒸気ガスタービン合体機関において、低温燃焼ガスにより水蒸気を冷却凝集して、水等として分別回収して、水道水を冷却することを特徴とする撥水鍍金タービン全動翼（８１）を具備した全動翼蒸気ガスタービン合体機関。
【請求項１４１４】
前記燃焼ガス質量の排気温度を−２７３℃に近付ける、全動翼蒸気ガスタービン合体機関において、低温燃焼ガスにより水蒸気を冷却凝集して、水等として分別回収して、水道水を冷却して冷熱で貯蔵することを特徴とする撥水鍍金タービン全動翼（８１）を具備した全動翼蒸気ガスタービン合体機関。
【請求項１４１５】
前記燃焼ガス質量の排気温度を−２７３℃に近付ける、全動翼蒸気ガスタービン合体機関において、低温燃焼ガスにより水蒸気を冷却凝集して、水等として分別回収して、水道水を冷却して水道水冷熱で貯蔵し、供給することを特徴とする撥水鍍金タービン全動翼（８１）を具備した全動翼蒸気ガスタービン合体機関。
【請求項１４１６】
前記燃焼ガス質量の排気温度を−２７３℃に近付ける、全動翼蒸気ガスタービン合体機関において、低温燃焼ガスにより水蒸気を冷却凝集して、水等として分別回収して、水道水を冷却して水道水冷熱で貯蔵し、業務用家庭用として供給することを特徴とする撥水鍍金タービン全動翼（８１）を具備した全動翼蒸気ガスタービン合体機関。
【請求項１４１７】
前記燃焼ガス質量の排気温度を−２７３℃に近付けることで、全動翼蒸気ガスタービンの熱回収量を増大することを特徴とする超臨界圧力等の高温水（５ｂ）で出力を発生する全動翼蒸気ガスタービン合体機関。
【請求項１４１８】
前記燃焼ガス質量の排気温度を−２７３℃に近付けることで、全動翼ガスタービンの熱回収量を増大することを特徴とする超臨界圧力等の高温水（５ｂ）で出力を発生する全動翼蒸気ガスタービン合体機関。
【請求項１４１９】
前記燃焼ガス質量の排気温度を−２７３℃に近付けることで、全動翼蒸気ガスタービンの排気近傍で、低温燃焼ガスによる水蒸気の冷却凝集を容易にすることを特徴とする超臨界圧力等の高温水（５ｂ）で出力を発生する全動翼蒸気ガスタービン合体機関。
【請求項１４２０】
前記燃焼ガス質量の排気温度を−２７３℃に近付けることで、全動翼ガスタービンの排気近傍で、低温燃焼ガスによる水蒸気の冷却凝集を容易にすることを特徴とする超臨界圧力等の高温水（５ｂ）で出力を発生する全動翼蒸気ガスタービン合体機関。
【請求項１４２１】
前記燃焼ガス質量の排気温度を−２７３℃に近付けることで、全動翼ガスタービンの排気近傍で、低温燃焼ガスによる水蒸気の冷却凝集を容易にすることを特徴とする超臨界圧力等の高温水（５ｂ）で出力を発生する全動翼蒸気ガスタービン合体機関。
【請求項１４２２】
前記燃焼ガス質量の排気温度を−２７３℃に近付ける、全動翼蒸気ガスタービン合体機関において、低温燃焼ガスにより水蒸気を冷却凝集して、水滴等として分別回収して、海中に供給することを特徴とする超臨界圧力等の高温水（５ｂ）で出力を発生する全動翼蒸気ガスタービン合体機関。
【請求項１４２３】
前記燃焼ガス質量の排気温度を−２７３℃に近付ける、全動翼蒸気ガスタービン合体機関において、低温燃焼ガスにより水蒸気を冷却凝集して、水滴等として分別回収し、海中に供給して、海藻類を繁殖させることを特徴とする超臨界圧力等の高温水（５ｂ）で出力を発生する全動翼蒸気ガスタービン合体機関。
【請求項１４２４】
前記燃焼ガス質量の排気温度を−２７３℃に近付ける、全動翼蒸気ガスタービン合体機関において、低温燃焼ガスにより水蒸気を冷却凝集して、水滴等として分別回収し、海中に供給して、珊瑚類を繁殖させることを特徴とする超臨界圧力等の高温水（５ｂ）で出力を発生する全動翼蒸気ガスタービン合体機関。
【請求項１４２５】
前記燃焼ガス質量の排気温度を−２７３℃に近付ける、全動翼蒸気ガスタービン合体機関において、低温燃焼ガスにより水蒸気を冷却凝集して、水滴等として分別回収し、海中に供給して、魚介類を繁殖させることを特徴とする超臨界圧力等の高温水（５ｂ）で出力を発生する全動翼蒸気ガスタービン合体機関。
【請求項１４２６】
前記燃焼ガス質量の排気温度を−２７３℃に近付ける、全動翼蒸気ガスタービン合体機関において、低温燃焼ガスにより水蒸気を冷却凝集して、水滴等として分別回収して、海水を冷却する過程で酸素等を吸入して、海中に供給することを特徴とする超臨界圧力等の高温水（５ｂ）で出力を発生する全動翼蒸気ガスタービン合体機関。
【請求項１４２７】
前記燃焼ガス質量の排気温度を−２７３℃に近付ける、全動翼蒸気ガスタービン合体機関において、低温燃焼ガスにより水蒸気を冷却凝集して、水滴等として分別回収して、酸素等と共に海中に供給して、海藻類を繁殖させることを特徴とする超臨界圧力等の高温水（５ｂ）で出力を発生する全動翼蒸気ガスタービン合体機関。
【請求項１４２８】
前記燃焼ガス質量の排気温度を−２７３℃に近付ける、全動翼蒸気ガスタービン合体機関において、低温燃焼ガスにより水蒸気を冷却凝集して、水滴等として分別回収して、酸素等と共に海中に供給して、珊瑚類を繁殖させることを特徴とする超臨界圧力等の高温水（５ｂ）で出力を発生する全動翼蒸気ガスタービン合体機関。
【請求項１４２９】
前記燃焼ガス質量の排気温度を−２７３℃に近付ける、全動翼蒸気ガスタービン合体機関において、低温燃焼ガスにより水蒸気を冷却凝集して、水滴等として分別回収して、酸素等と共に海中に供給して、微生物や魚介類を繁殖させることを特徴とする超臨界圧力等の高温水（５ｂ）で出力を発生する全動翼蒸気ガスタービン合体機関。
【請求項１４３０】
前記燃焼ガス質量の排気温度を−２７３℃に近付ける、全動翼蒸気ガスタービン合体機関において、低温燃焼ガスにより水蒸気を冷却凝集して、水滴等として分別回収して、肥料にすることを特徴とする全動翼蒸気ガスタービン合体機関。
【請求項１４３１】
前記燃焼ガス質量の排気温度を−２７３℃に近付ける、全動翼蒸気ガスタービン合体機関において、低温燃焼ガスにより水蒸気を冷却凝集して、水滴等として分別回収し、肥料にすることを特徴とする超臨界圧力等の高温水（５ｂ）で出力を発生する全動翼蒸気ガスタービン合体機関。
【請求項１４３２】
前記燃焼ガス質量の排気温度を−２７３℃に近付ける、全動翼蒸気ガスタービン合体機関において、低温燃焼ガスにより水蒸気を冷却凝集して、水滴等として分別回収し、生ゴミや泥土や植物片に固定して肥料にすることを特徴とする全動翼蒸気ガスタービン合体機関。
【請求項１４３３】
前記燃焼ガス質量の排気温度を−２７３℃に近付ける、全動翼蒸気ガスタービン合体機関において、低温燃焼ガスにより水蒸気を冷却凝集して、水滴等として分別回収し、生ゴミや泥土や植物片に固定して肥料にすることを特徴とする超臨界圧力等の高温水（５ｂ）で出力を発生する全動翼蒸気ガスタービン合体機関。
【請求項１４３４】
前記燃焼ガス質量の排気温度を−２７３℃に近付ける、全動翼蒸気ガスタービン合体機関において、低温燃焼ガスにより水蒸気を冷却凝集して、水滴等として分別回収して、生ゴミに固定して肥料にすることを特徴とする超臨界圧力等の高温水（５ｂ）で出力を発生する全動翼蒸気ガスタービン合体機関。
【請求項１４３５】
前記燃焼ガス質量の排気温度を−２７３℃に近付ける、全動翼蒸気ガスタービン合体機関において、低温燃焼ガスにより水蒸気を冷却凝集して、水滴等として分別回収して、泥土に固定して肥料にすることを特徴とする超臨界圧力等の高温水（５ｂ）で出力を発生する全動翼蒸気ガスタービン合体機関。
【請求項１４３６】
前記燃焼ガス質量の排気温度を−２７３℃に近付ける、全動翼蒸気ガスタービン合体機関において、低温燃焼ガスにより水蒸気を冷却凝集して、水滴等として分別回収して、植物片に固定して肥料にすることを特徴とする超臨界圧力等の高温水（５ｂ）で出力を発生する全動翼蒸気ガスタービン合体機関。
【請求項１４３７】
前記燃焼ガス質量の排気温度を−２７３℃に近付ける、全動翼蒸気ガスタービン合体機関において、低温燃焼ガスにより水蒸気を冷却凝集して、水滴等として分別回収して、生ゴミに固定して肥料にすることを特徴とする全動翼蒸気ガスタービン合体機関。
【請求項１４３８】
前記燃焼ガス質量の排気温度を−２７３℃に近付ける、全動翼蒸気ガスタービン合体機関において、低温燃焼ガスにより水蒸気を冷却凝集して、水滴等として分別回収して、泥土に固定して肥料にすることを特徴とする全動翼蒸気ガスタービン合体機関。
【請求項１４３９】
前記燃焼ガス質量の排気温度を−２７３℃に近付ける、全動翼蒸気ガスタービン合体機関において、低温燃焼ガスにより水蒸気を冷却凝集して、水滴等として分別回収して、植物片に固定して肥料にすることを特徴とする全動翼蒸気ガスタービン合体機関。
【請求項１４４０】
前記燃焼ガス質量の排気温度を−２７３℃に近付ける、全動翼蒸気ガスタービン合体機関において、低温燃焼ガスにより水蒸気を冷却凝集して、水滴等として分別回収して、水道水を冷却することを特徴とする超臨界圧力等の高温水（５ｂ）で出力を発生する全動翼蒸気ガスタービン合体機関。
【請求項１４４１】
前記燃焼ガス質量の排気温度を−２７３℃に近付ける、全動翼蒸気ガスタービン合体機関において、低温燃焼ガスにより水蒸気を冷却凝集して、水滴等として分別回収して、水道水を冷却して冷熱で貯蔵することを特徴とする超臨界圧力等の高温水（５ｂ）で出力を発生する全動翼蒸気ガスタービン合体機関。
【請求項１４４２】
前記燃焼ガス質量の排気温度を−２７３℃に近付ける、全動翼蒸気ガスタービン合体機関において、低温燃焼ガスにより水蒸気を冷却凝集して、水滴等として分別回収して、水道水を冷却して冷熱で貯蔵し、供給することを特徴とする超臨界圧力等の高温水（５ｂ）で出力を発生する全動翼蒸気ガスタービン合体機関。
【請求項１４４３】
前記燃焼ガス質量の排気温度を−２７３℃に近付ける、全動翼蒸気ガスタービン合体機関において、低温燃焼ガスにより水蒸気を冷却凝集して、水滴等として分別回収して、水道水を冷却して冷熱で貯蔵し、業務用家庭用として供給することを特徴とする超臨界圧力等の高温水（５ｂ）で出力を発生する全動翼蒸気ガスタービン合体機関。
【請求項１４４４】
前記燃焼ガス質量の排気温度を−２７３℃に近付ける、全動翼蒸気ガスタービン合体機関において、燃焼器兼熱交換器（４）で微粉炭燃料を使用することを特徴とする全動翼蒸気ガスタービン合体機関。
【請求項１４４５】
前記燃焼ガス質量の排気温度を−２７３℃に近付ける、全動翼蒸気ガスタービン合体機関において、燃焼器兼熱交換器（４）で微粉炭燃料を燃焼させて超臨界圧力等の高温水（５ｂ）で熱回収して使用することを特徴とする全動翼蒸気ガスタービン合体機関。
【請求項１４４６】
前記燃焼ガス質量の排気温度を−２７３℃に近付ける、全動翼蒸気ガスタービン合体機関において、燃焼器兼熱交換器（４）で微粉炭燃料を燃焼させて超臨界圧力等の高温水（５ｂ）で熱回収し、発電用として使用することを特徴とする全動翼蒸気ガスタービン合体機関。
【請求項１４４７】
前記燃焼ガス質量の排気温度を−２７３℃に近付ける、全動翼蒸気ガスタービン合体機関において、ゴミガス化燃料を補助使用することを特徴とする全動翼蒸気ガスタービン合体機関。
【請求項１４４８】
前記燃焼ガス質量の排気温度を−２７３℃に近付ける、全動翼蒸気ガスタービン合体機関において、ゴミガス化燃料を燃焼させて超臨界圧力等の高温水（５ｂ）で熱回収して補助使用することを特徴とする全動翼蒸気ガスタービン合体機関。
【請求項１４４９】
前記燃焼ガス質量の排気温度を−２７３℃に近付ける、全動翼蒸気ガスタービン合体機関において、ゴミガス化燃料を燃焼させて超臨界圧力等の高温水（５ｂ）で熱回収して補助使用し、該燃焼ガス空気を全動翼圧縮機で圧縮することを特徴とする全動翼蒸気ガスタービン合体機関。
【請求項１４５０】
前記燃焼ガス質量の排気温度を−２７３℃に近付ける、全動翼蒸気ガスタービン合体機関において、ゴミガス化燃料を燃焼させて超臨界圧力等の高温水（５ｂ）で熱回収して補助使用し、該燃焼ガス空気を全動翼圧縮機で圧縮して燃焼器兼熱交換器（４）に供給することを特徴とする全動翼蒸気ガスタービン合体機関。
【請求項１４５１】
前記燃焼ガス質量の排気温度を−２７３℃に近付ける、全動翼蒸気ガスタービン合体機関において、燃えるもの全部を燃料として補助使用することを特徴とする全動翼蒸気ガスタービン合体機関。
【請求項１４５２】
前記燃焼ガス質量の排気温度を−２７３℃に近付ける、全動翼蒸気ガスタービン合体機関において、燃えるもの全部を燃料として燃焼させて超臨界圧力等の高温水（５ｂ）で熱回収して補助使用することを特徴とする全動翼蒸気ガスタービン合体機関。
【請求項１４５３】
前記燃焼ガス質量の排気温度を−２７３℃に近付ける、全動翼蒸気ガスタービン合体機関において、燃えるもの全部を燃料として燃焼させて超臨界圧力等の高温水（５ｂ）で熱回収して補助使用し、該燃焼ガス空気を全動翼圧縮機で圧縮することを特徴とする全動翼蒸気ガスタービン合体機関。
【請求項１４５４】
前記燃焼ガス質量の排気温度を−２７３℃に近付ける、全動翼蒸気ガスタービン合体機関において、燃えるもの全部を燃料として燃焼させて超臨界圧力等の高温水（５ｂ）で熱回収して補助使用し、該燃焼ガス空気を全動翼圧縮機で圧縮して燃焼器兼熱交換器４に供給することを特徴とする全動翼蒸気ガスタービン合体機関。
【請求項１４５５】
前記燃焼ガス質量の排気温度を−２７３℃に近付ける、全動翼蒸気タービンにおいて、起動時のみ全動翼ガスタービンとして使用することを特徴とする全動翼蒸気ガスタービン合体機関。
【請求項１４５６】
前記燃焼ガス質量の排気温度を−２７３℃に近付ける、全動翼蒸気ガスタービンにおいて、起動時のみ全動翼ガスタービンとして使用することを特徴とする全動翼蒸気ガスタービン合体機関。
【請求項１４５７】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することを特徴とする全動翼蒸気ガスタービン合体機関。
【請求項１４５８】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで非常に安全なジエツト機としたことを特徴とする全動翼蒸気ガスタービン合体機関。
【請求項１４５９】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで非常に安全な宇宙往還親飛行機としたことを特徴とする全動翼蒸気ガスタービン合体機関。
【請求項１４６０】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで非常に安全な超音速飛行機としたことを特徴とする全動翼蒸気ガスタービン合体機関。
【請求項１４６１】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで非常に安全な超音速旅客機としたことを特徴とする全動翼蒸気ガスタービン合体機関。
【請求項１４６２】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで非常に安全な飛行船舶としたことを特徴とする全動翼蒸気ガスタービン合体機関。
【請求項１４６３】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで非常に安全な飛行物体としたことを特徴とする全動翼蒸気ガスタービン合体機関。
【請求項１４６４】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全なジエツト機としたことを特徴とする全動翼蒸気ガスタービン合体機関。
【請求項１４６５】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全な宇宙往還親飛行機としたことを特徴とする全動翼蒸気ガスタービン合体機関。
【請求項１４６６】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全な超音速飛行機としたことを特徴とする全動翼蒸気ガスタービン合体機関。
【請求項１４６７】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全な超音速旅客機としたことを特徴とする全動翼蒸気ガスタービン合体機関。
【請求項１４６８】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全な飛行船舶としたことを特徴とする全動翼蒸気ガスタービン合体機関。
【請求項１４６９】
前記燃焼ガス質量の排気温度を−２７３℃に近付ける、全動翼蒸気ガスタービン合体機関において、超臨界圧力等の高温水（５ｂ）で燃焼器兼熱交換器（４）に貯蔵することで火災を消火容易発生困難として、非常に安全な飛行物体としたことを特徴とする全動翼蒸気ガスタービン合体機関。
【請求項１４７０】
前記燃焼ガス質量の排気温度を−２７３℃に近付ける、全動翼蒸気ガスタービン合体機関において、特殊装置（９２ａ）によりラムジエツトを遥かに越える落差でバイパス噴射する全動翼蒸気ガスタービン合体機関。
【請求項１４７１】
前記燃焼ガス質量の排気温度を−２７３℃に近付ける、全動翼蒸気ガスタービン合体機関において、複数の特殊装置（９２ａ）によりラムジエツトを遥かに越える落差でバイパス噴射する全動翼蒸気ガスタービン合体機関。
【請求項１４７２】
前記燃焼ガス質量の排気温度を−２７３℃に近付ける、全動翼蒸気ガスタービン合体機関において、特殊装置（９２ｂ）によりラムジエツトを遥かに越える落差でバイパス噴射する全動翼蒸気ガスタービン合体機関。
【請求項１４７３】
前記燃焼ガス質量の排気温度を−２７３℃に近付ける、全動翼蒸気ガスタービン合体機関において、複数の特殊装置（９２ｂ）によりラムジエツトを遥かに越える落差でバイパス噴射する全動翼蒸気ガスタービン合体機関。
【請求項１４７４】
前記燃焼ガス質量の排気温度を−２７３℃に近付ける、全動翼蒸気ガスタービン合体機関において、水噴射装置（９３ｂ）により燃焼ガスをバイパス噴射する全動翼蒸気ガスタービン合体機関。
【請求項１４７５】
前記燃焼ガス質量の排気温度を−２７３℃に近付ける、全動翼蒸気ガスタービン合体機関において、複数の水噴射装置（９３ｂ）により燃焼ガスをバイパス噴射する全動翼蒸気ガスタービン合体機関。
【請求項１４７６】
前記燃焼ガス質量の排気温度を−２７３℃に近付ける、全動翼蒸気ガスタービン合体機関において、水噴射装置（９３ａ）により超臨界圧力等の高温水（５ｂ）をバイパス噴射する全動翼蒸気ガスタービン合体機関。
【請求項１４７７】
前記燃焼ガス質量の排気温度を−２７３℃に近付ける、全動翼蒸気ガスタービン合体機関において、複数の水噴射装置（９３ａ）により超臨界圧力等の高温水（５ｂ）をバイパス噴射する全動翼蒸気ガスタービン合体機関。
【請求項１４７８】
前記燃焼ガス質量の排気温度を−２７３℃に近付ける、全動翼ガスタービンにおいて、燃料の燃焼ガス熱量の使用を略０にすることを特徴とする撥水鍍金タービン全動翼（８１）を具備した全動翼蒸気ガスタービン合体機関。
【請求項１４７９】
前記燃焼ガス質量の排気温度を−２７３℃に近付ける、全動翼ガスタービンにおいて、燃料の燃焼ガス熱量の使用を略０にすることを特徴とする超臨界圧力等の高温水（５ｂ）で出力を発生する全動翼蒸気ガスタービン合体機関。
【請求項１４８０】
前記燃焼ガス質量の排気温度を−２７３℃に近付ける、全動翼蒸気ガスタービン合体機関に於いて、低温燃焼ガスにより水蒸気を冷却凝集して水滴等として回収し、水道水を冷却して貯蔵して需要家に供給して業務用や家庭用のクーラーを全廃し、脱フロンにより地球温暖化防止することを特徴とする全動翼蒸気ガスタービン合体機関。
【請求項１４８１】
前記燃焼ガス質量の排気温度を−２７３℃に近付ける、全動翼蒸気ガスタービン合体機関に於いて、低温燃焼ガスにより水蒸気を冷却凝集して水滴等として回収し、水道水を冷却して貯蔵して需要家に供給して都市部を丸ごと冷却し、脱フロンにより地球温暖化防止することを特徴とする全動翼蒸気ガスタービン合体機関。
【請求項１４８２】
前記燃焼ガス質量の排気温度を−２７３℃に近付ける、全動翼蒸気ガスタービン合体機関に於いて、低温燃焼ガスにより水蒸気を冷却凝集して水滴等として回収し、水道水を５℃前後に冷却して貯蔵して需要家に供給して業務用や家庭用のクーラーを全廃し、脱フロンにより地球温暖化防止することを特徴とする全動翼蒸気ガスタービン合体機関。
【請求項１４８３】
前記燃焼ガス質量の排気温度を−２７３℃に近付ける、全動翼蒸気ガスタービン合体機関に於いて、低温燃焼ガスにより水蒸気を冷却凝集して水滴等として回収し、水道水を５℃前後に冷却して貯蔵して需要家に供給して都市部を丸ごと冷却し、脱フロンにより地球温暖化防止することを特徴とする全動翼蒸気ガスタービン合体機関。
【請求項１４８４】
前記全動翼蒸気ガスタービン合体機関で使用する水に、公害低減地球温暖化防止するため、物質を混入してＣＯ２等の公害ガスを水に合成溶解容易にすることを特徴とする全動翼蒸気ガスタービン合体機関。
【請求項１４８５】
前記全動翼蒸気ガスタービン合体機関で使用する水に、公害低減地球温暖化防止するため、化学物質を混入してＣＯ２等の公害ガスを水に合成溶解容易にすることを特徴とする全動翼蒸気ガスタービン合体機関。
【請求項１４８６】
前記全動翼蒸気ガスタービン合体機関で使用する水に、公害低減地球温暖化防止するため、物質を混入してＣＯ２等の公害ガスを水に合成溶解して排出することを特徴とする全動翼蒸気ガスタービン合体機関。
【請求項１４８７】
前記全動翼蒸気ガスタービン合体機関で使用する水に、公害低減地球温暖化防止するため、化学物質を混入してＣＯ２等の公害ガスを水に合成溶解して排出することを特徴とする全動翼蒸気ガスタービン合体機関。
【請求項１４８８】
前記全動翼蒸気ガスタービン合体機関は、動力伝達装置に送水ポンプ兼二重反転磁気摩擦動力伝達装置（１４ａ）を使用することを特徴とする全動翼蒸気ガスタービン合体機関。
【請求項１４８９】
前記全動翼蒸気ガスタービン合体機関は、動力伝達装置に送水ポンプ兼磁気摩擦動力伝達装置（１００ａ）を使用することを特徴とする全動翼蒸気ガスタービン合体機関。
【請求項１４９０】
前記全動翼蒸気ガスタービン合体機関のタービン翼は撥水鍍金とすることで、水等との間の摩擦損失を低減してタービン翼を動圧反動駆動することを特徴とする全動翼蒸気ガスタービン合体機関。
【請求項１４９１】
前記全動翼蒸気ガスタービン合体機関の圧縮翼は撥水鍍金することで、水等との間の摩擦損失を低減して、効率良く空気圧縮して冷却することを特徴とする全動翼蒸気ガスタービン合体機関。
【請求項１４９２】
前記全動翼圧縮機の撥水鍍金冷却翼（８７）は、撥水鍍金金属・撥水鍍金物質の被覆・撥水鍍金セラミックス・撥水鍍金加工の、何れかで構成して空気圧縮を良好とすることを特徴とする全動翼蒸気ガスタービン合体機関。
【請求項１４９３】
前記撥水鍍金冷却翼（８７）は、撥水鍍金金属・撥水鍍金物質の被覆・撥水鍍金セラミックス・撥水鍍金加工の、何れか１以上で構成して撥水鍍金を良好とすることを特徴とする全動翼蒸気ガスタービン合体機関。
【請求項１４９４】
前記燃焼器兼熱交換器４には、微粉炭燃料から熱回収した超臨界圧力水を供給することを特徴とする全動翼蒸気ガスタービン合体機関。
【請求項１４９５】
前記燃焼器兼熱交換器４には、微粉炭燃料から熱回収した高温水を供給することを特徴とする全動翼蒸気ガスタービン合体機関。
【請求項１４９６】
前記燃焼器兼熱交換器４には、ゴミガス化燃料から熱回収した超臨界圧力水を供給することを特徴とする全動翼蒸気ガスタービン合体機関。
【請求項１４９７】
前記燃焼器兼熱交換器４には、ゴミガス化燃料から熱回収した高温水を供給することを特徴とする全動翼蒸気ガスタービン合体機関。
【請求項１４９８】
前記燃焼器兼熱交換器４には、ゴミ微細化燃料から熱回収した超臨界圧力水を供給することを特徴とする全動翼蒸気ガスタービン合体機関。
【請求項１４９９】
前記燃焼器兼熱交換器４には、ゴミ微細化燃料から熱回収した高温水を供給することを特徴とする全動翼蒸気ガスタービン合体機関。
【請求項１５００】
前記燃焼器兼熱交換器４には、燃えるもの全部の燃料から熱回収した超臨界圧力水を供給することを特徴とする全動翼蒸気ガスタービン合体機関。
【請求項１５０１】
前記燃焼器兼熱交換器４には、燃えるもの全部の燃料から熱回収した高温水を供給することを特徴とする全動翼蒸気ガスタービン合体機関。
【請求項１５０２】
前記燃焼器兼熱交換器４には、微粉炭燃料から熱回収した超臨界圧力水を供給し、電力にすることを特徴とする全動翼蒸気ガスタービン合体機関。
【請求項１５０３】
前記燃焼器兼熱交換器４には、微粉炭燃料から熱回収した高温水を供給し、電力にすることを特徴とする全動翼蒸気ガスタービン合体機関。
【請求項１５０４】
前記燃焼器兼熱交換器４には、ゴミガス化燃料から熱回収した超臨界圧力水を供給し、電力にすることを特徴とする全動翼蒸気ガスタービン合体機関。
【請求項１５０５】
前記燃焼器兼熱交換器４には、ゴミガス化燃料から熱回収した高温水を供給し、電力にすることを特徴とする全動翼蒸気ガスタービン合体機関。
【請求項１５０６】
前記燃焼器兼熱交換器４には、ゴミ微細化燃料から熱回収した超臨界圧力水を供給し、電力にすることを特徴とする全動翼蒸気ガスタービン合体機関。
【請求項１５０７】
前記燃焼器兼熱交換器４には、ゴミ微細化燃料から熱回収した高温水を供給し、電力にすることを特徴とする全動翼蒸気ガスタービン合体機関。
【請求項１５０８】
前記燃焼器兼熱交換器４には、燃えるもの全部の燃料から熱回収した超臨界圧力水を供給し、電力にすることを特徴とする全動翼蒸気ガスタービン合体機関。
【請求項１５０９】
前記燃焼器兼熱交換器４には、燃えるもの全部の燃料から熱回収した高温水を供給し、電力にすることを特徴とする全動翼蒸気ガスタービン合体機関。
【請求項１５１０】
前記燃焼器兼熱交換器４には、微粉炭燃料から熱回収した超臨界圧力水を供給し、電力にして該燃焼ガスも全動翼圧縮機で圧縮して燃焼器兼熱交換器４で再燃焼することを特徴とする全動翼蒸気ガスタービン合体機関。
【請求項１５１１】
前記燃焼器兼熱交換器４には、微粉炭燃料から熱回収した高温水を供給し、電力にして該燃焼ガスも全動翼圧縮機で圧縮して燃焼器兼熱交換器４で再燃焼することを特徴とする全動翼蒸気ガスタービン合体機関。
【請求項１５１２】
前記燃焼器兼熱交換器４には、ゴミガス化燃料から熱回収した超臨界圧力水を供給し、電力にして該燃焼ガスも全動翼圧縮機で圧縮して燃焼器兼熱交換器４で再燃焼することを特徴とする全動翼蒸気ガスタービン合体機関。
【請求項１５１３】
前記燃焼器兼熱交換器４には、ゴミガス化燃料から熱回収した高温水を供給し、電力にして該燃焼ガスも全動翼圧縮機で圧縮して燃焼器兼熱交換器４で再燃焼することを特徴とする全動翼蒸気ガスタービン合体機関。
【請求項１５１４】
前記燃焼器兼熱交換器４には、ゴミ微細化燃料から熱回収した超臨界圧力水を供給し、電力にして該燃焼ガスも全動翼圧縮機で圧縮して燃焼器兼熱交換器４で再燃焼することを特徴とする全動翼蒸気ガスタービン合体機関。
【請求項１５１５】
前記燃焼器兼熱交換器４には、ゴミ微細化燃料から熱回収した高温水を供給し、電力にして該燃焼ガスも全動翼圧縮機で圧縮して燃焼器兼熱交換器４で再燃焼することを特徴とする全動翼蒸気ガスタービン合体機関。
【請求項１５１６】
前記燃焼器兼熱交換器４には、燃えるもの全部の燃料から熱回収した超臨界圧力水を供給し、電力にして該燃焼ガスも全動翼圧縮機で圧縮して燃焼器兼熱交換器４で再燃焼することを特徴とする全動翼蒸気ガスタービン合体機関。
【請求項１５１７】
前記燃焼器兼熱交換器４には、燃えるもの全部の燃料から熱回収した高温水を供給し、電力にして該燃焼ガスも全動翼圧縮機で圧縮して燃焼器兼熱交換器４で再燃焼することを特徴とする全動翼蒸気ガスタービン合体機関。
【請求項１５１８】
前記燃焼器兼熱交換器４には、微粉炭燃料から熱回収した超臨界圧力水を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１５１９】
前記燃焼器兼熱交換器４には、微粉炭燃料から熱回収した高温水を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１５２０】
前記燃焼器兼熱交換器４には、ゴミガス化燃料から熱回収した超臨界圧力水を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１５２１】
前記燃焼器兼熱交換器４には、ゴミガス化燃料から熱回収した高温水を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１５２２】
前記燃焼器兼熱交換器４には、ゴミ微細化燃料から熱回収した超臨界圧力水を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１５２３】
前記燃焼器兼熱交換器４には、ゴミ微細化燃料から熱回収した高温水を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１５２４】
前記燃焼器兼熱交換器４には、燃えるもの全部の燃料から熱回収した超臨界圧力水を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１５２５】
前記燃焼器兼熱交換器４には、燃えるもの全部の燃料から熱回収した高温水を供給し、電力にして該燃焼ガスも全動翼圧縮機で圧縮して燃焼器兼熱交換器４で再燃焼熱回収して通常使用することを特徴とする全動翼蒸気ガスタービン合体機関。
【請求項１５２６】
前記燃焼器兼熱交換器４には、微粉炭燃料から熱回収した超臨界圧力水を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１５２７】
前記燃焼器兼熱交換器４には、微粉炭燃料から熱回収した高温水を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１５２８】
前記燃焼器兼熱交換器４には、ゴミガス化燃料から熱回収した超臨界圧力水を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１５２９】
前記燃焼器兼熱交換器４には、ゴミガス化燃料から熱回収した高温水を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１５３０】
前記燃焼器兼熱交換器４には、ゴミ微細化燃料から熱回収した超臨界圧力水を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１５３１】
前記燃焼器兼熱交換器４には、ゴミ微細化燃料から熱回収した高温水を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１５３２】
前記燃焼器兼熱交換器４には、燃えるもの全部の燃料から熱回収した超臨界圧力水を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１５３３】
前記燃焼器兼熱交換器４には、燃えるもの全部の燃料から熱回収した高温水を供給し、電力にして該燃焼ガスも全動翼圧縮機で圧縮して燃焼器兼熱交換器４で再燃焼熱回収して補助使用することを特徴とする全動翼蒸気ガスタービン合体機関。
【請求項１５３４】
前記全動翼蒸気タービンの高温水溜（３２ａ）には、微粉炭燃料から熱回収した超臨界圧力水（５ｂ）を供給することを特徴とする全動翼蒸気ガスタービン合体機関。
【請求項１５３５】
前記全動翼蒸気タービンの高温水溜（３２ａ）には、微粉炭燃料から熱回収した高温水（５ｂ）を供給することを特徴とする全動翼蒸気ガスタービン合体機関。
【請求項１５３６】
前記全動翼蒸気ガスタービンの高温水溜（３２ａ）には、微粉炭燃料から熱回収した超臨界圧力水（５ｂ）を供給することを特徴とする全動翼蒸気ガスタービン合体機関。
【請求項１５３７】
前記全動翼蒸気ガスタービンの高温水溜（３２ａ）には、微粉炭燃料から熱回収した高温水（５ｂ）を供給することを特徴とする全動翼蒸気ガスタービン合体機関。
【請求項１５３８】
前記全動翼蒸気タービンの高温水溜（３２ａ）には、ゴミガス化燃料から熱回収した超臨界圧力水（５ｂ）を供給することを特徴とする全動翼蒸気ガスタービン合体機関。
【請求項１５３９】
前記全動翼蒸気タービンの高温水溜（３２ａ）には、ゴミガス化燃料から熱回収した高温水（５ｂ）を供給することを特徴とする全動翼蒸気ガスタービン合体機関。
【請求項１５４０】
前記全動翼蒸気ガスタービンの高温水溜（３２ａ）には、ゴミガス化燃料から熱回収した超臨界圧力水（５ｂ）を供給することを特徴とする全動翼蒸気ガスタービン合体機関。
【請求項１５４１】
前記全動翼蒸気ガスタービンの高温水溜（３２ａ）には、ゴミガス化燃料から熱回収した高温水（５ｂ）を供給することを特徴とする全動翼蒸気ガスタービン合体機関。
【請求項１５４２】
前記全動翼蒸気タービンの高温水溜（３２ａ）には、ゴミ微細化燃料から熱回収した超臨界圧力水（５ｂ）を供給することを特徴とする全動翼蒸気ガスタービン合体機関。
【請求項１５４３】
前記全動翼蒸気タービンの高温水溜（３２ａ）には、ゴミ微細化燃料から熱回収した高温水（５ｂ）を供給することを特徴とする全動翼蒸気ガスタービン合体機関。
【請求項１５４４】
前記全動翼蒸気ガスタービンの高温水溜（３２ａ）には、ゴミ微細化燃料から熱回収した超臨界圧力水（５ｂ）を供給することを特徴とする全動翼蒸気ガスタービン合体機関。
【請求項１５４５】
前記全動翼蒸気ガスタービンの高温水溜（３２ａ）には、ゴミ微細化燃料から熱回収した高温水（５ｂ）を供給することを特徴とする全動翼蒸気ガスタービン合体機関。
【請求項１５４６】
前記全動翼蒸気タービンの高温水溜（３２ａ）には、燃えるもの全部の燃料から熱回収した超臨界圧力水（５ｂ）を供給することが特徴の全動翼蒸気ガスタービン合体機関。
【請求項１５４７】
前記全動翼蒸気タービンの高温水溜（３２ａ）には、燃えるもの全部の燃料から熱回収した高温水（５ｂ）を供給することを特徴とする全動翼蒸気ガスタービン合体機関。
【請求項１５４８】
前記全動翼蒸気ガスタービンの高温水溜（３２ａ）には、燃えるもの全部の燃料から熱回収した超臨界圧力水（５ｂ）を供給することを特徴とする全動翼蒸気ガスタービン合体機関。
【請求項１５４９】
前記全動翼蒸気ガスタービンの高温水溜（３２ａ）には、燃えるもの全部の燃料から熱回収した高温水（５ｂ）を供給することを特徴とする全動翼蒸気ガスタービン合体機関。
【請求項１５５０】
前記全動翼蒸気タービンの高温水溜（３２ａ）には、微粉炭燃料から熱回収した超臨界圧力水（５ｂ）を供給し、電力にすることが特徴の全動翼蒸気ガスタービン合体機関。
【請求項１５５１】
前記全動翼蒸気タービンの高温水溜（３２ａ）には、微粉炭燃料から熱回収した高温水（５ｂ）を供給し、電力にすることを特徴とする全動翼蒸気ガスタービン合体機関。
【請求項１５５２】
前記全動翼蒸気ガスタービンの高温水溜（３２ａ）には、微粉炭燃料から熱回収した超臨界圧力水（５ｂ）を供給し、電力にすることを特徴とする全動翼蒸気ガスタービン合体機関。
【請求項１５５３】
前記全動翼蒸気ガスタービンの高温水溜（３２ａ）には、微粉炭燃料から熱回収した高温水（５ｂ）を供給し、電力にすることを特徴とする全動翼蒸気ガスタービン合体機関。
【請求項１５５４】
前記全動翼蒸気タービンの高温水溜（３２ａ）には、ゴミガス化燃料から熱回収した超臨界圧力水（５ｂ）を供給し、電力にすることを特徴とする全動翼蒸気ガスタービン合体機関。
【請求項１５５５】
前記全動翼蒸気タービンの高温水溜（３２ａ）には、ゴミガス化燃料から熱回収した高温水（５ｂ）を供給し、電力にすることを特徴とする全動翼蒸気ガスタービン合体機関。
【請求項１５５６】
前記全動翼蒸気ガスタービンの高温水溜（３２ａ）には、ゴミガス化燃料から熱回収した超臨界圧力水（５ｂ）を供給し、電力にすることを特徴とする全動翼蒸気ガスタービン合体機関。
【請求項１５５７】
前記全動翼蒸気ガスタービンの高温水溜（３２ａ）には、ゴミガス化燃料から熱回収した高温水（５ｂ）を供給し、電力にすることを特徴とする全動翼蒸気ガスタービン合体機関。
【請求項１５５８】
前記全動翼蒸気タービンの高温水溜（３２ａ）には、ゴミ微細化燃料から熱回収した超臨界圧力水（５ｂ）を供給し、電力にすることを特徴とする全動翼蒸気ガスタービン合体機関。
【請求項１５５９】
前記全動翼蒸気タービンの高温水溜（３２ａ）には、ゴミ微細化燃料から熱回収した高温水（５ｂ）を供給し、電力にすることを特徴とする全動翼蒸気ガスタービン合体機関。
【請求項１５６０】
前記全動翼蒸気ガスタービンの高温水溜（３２ａ）には、ゴミ微細化燃料から熱回収した超臨界圧力水（５ｂ）を供給し、電力にすることを特徴とする全動翼蒸気ガスタービン合体機関。
【請求項１５６１】
前記全動翼蒸気ガスタービンの高温水溜（３２ａ）には、ゴミ微細化燃料から熱回収した高温水（５ｂ）を供給し、電力にすることを特徴とする全動翼蒸気ガスタービン合体機関。
【請求項１５６２】
前記全動翼蒸気タービンの高温水溜（３２ａ）には、燃えるもの全部の燃料から熱回収した超臨界圧力水（５ｂ）を供給し、電力にすることを特徴とする全動翼蒸気ガスタービン合体機関。
【請求項１５６３】
前記全動翼蒸気タービンの高温水溜（３２ａ）には、燃えるもの全部の燃料から熱回収した高温水（５ｂ）を供給し、電力にすることを特徴とする全動翼蒸気ガスタービン合体機関。
【請求項１５６４】
前記全動翼蒸気ガスタービンの高温水溜（３２ａ）には、燃えるもの全部の燃料から熱回収した超臨界圧力水（５ｂ）を供給し、電力にすることを特徴とする全動翼蒸気ガスタービン合体機関。
【請求項１５６５】
前記全動翼蒸気ガスタービンの高温水溜（３２ａ）には、燃えるもの全部の燃料から熱回収した高温水（５ｂ）を供給し、電力にすることを特徴とする全動翼蒸気ガスタービン合体機関。
【請求項１５６６】
前記全動翼蒸気タービンの高温水溜（３２ａ）には、微粉炭燃料から熱回収した超臨界圧力水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５６７】
前記全動翼蒸気タービンの高温水溜（３２ａ）には、微粉炭燃料から熱回収した高温水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５６８】
前記全動翼蒸気ガスタービンの高温水溜（３２ａ）には、微粉炭燃料から熱回収した超臨界圧力水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５６９】
前記全動翼蒸気ガスタービンの高温水溜（３２ａ）には、微粉炭燃料から熱回収した高温水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５７０】
前記全動翼蒸気タービンの高温水溜（３２ａ）には、ゴミガス化燃料から熱回収した超臨界圧力水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５７１】
前記全動翼蒸気タービンの高温水溜（３２ａ）には、ゴミガス化燃料から熱回収した高温水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５７２】
前記全動翼蒸気ガスタービンの高温水溜（３２ａ）には、ゴミガス化燃料から熱回収した超臨界圧力水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５７３】
前記全動翼蒸気ガスタービンの高温水溜（３２ａ）には、ゴミガス化燃料から熱回収した高温水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５７４】
前記全動翼蒸気タービンの高温水溜（３２ａ）には、ゴミ微細化燃料から熱回収した超臨界圧力水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５７５】
前記全動翼蒸気タービンの高温水溜（３２ａ）には、ゴミ微細化燃料から熱回収した高温水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５７６】
前記全動翼蒸気ガスタービンの高温水溜（３２ａ）には、ゴミ微細化燃料から熱回収した超臨界圧力水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５７７】
前記全動翼蒸気ガスタービンの高温水溜（３２ａ）には、ゴミ微細化燃料から熱回収した高温水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５７８】
前記全動翼蒸気タービンの高温水溜（３２ａ）には、燃えるもの全部の燃料から熱回収した超臨界圧力水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５７９】
前記全動翼蒸気タービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５８０】
前記全動翼蒸気ガスタービンの高温水溜（３２ａ）には、燃えるもの全部の燃料から熱回収した超臨界圧力水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５８１】
前記全動翼蒸気ガスタービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器（４）で再燃焼することを特徴とする全動翼蒸気ガスタービン合体機関。
【請求項１５８２】
前記全動翼蒸気タービンの高温水溜（３２ａ）には、微粉炭燃料から熱回収した超臨界圧力水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５８３】
前記全動翼蒸気タービンの高温水溜（３２ａ）には、微粉炭燃料から熱回収した高温水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５８４】
前記全動翼蒸気ガスタービンの高温水溜（３２ａ）には、微粉炭燃料から熱回収した超臨界圧力水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５８５】
前記全動翼蒸気ガスタービンの高温水溜（３２ａ）には、微粉炭燃料から熱回収した高温水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５８６】
前記全動翼蒸気タービンの高温水溜（３２ａ）には、ゴミガス化燃料から熱回収した超臨界圧力水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５８７】
前記全動翼蒸気タービンの高温水溜（３２ａ）には、ゴミガス化燃料から熱回収した高温水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５８８】
前記全動翼蒸気ガスタービンの高温水溜（３２ａ）には、ゴミガス化燃料から熱回収した超臨界圧力水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５８９】
前記全動翼蒸気ガスタービンの高温水溜（３２ａ）には、ゴミガス化燃料から熱回収した高温水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５９０】
前記全動翼蒸気タービンの高温水溜（３２ａ）には、ゴミ微細化燃料から熱回収した超臨界圧力水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５９１】
前記全動翼蒸気タービンの高温水溜（３２ａ）には、ゴミ微細化燃料から熱回収した高温水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５９２】
前記全動翼蒸気ガスタービンの高温水溜（３２ａ）には、ゴミ微細化燃料から熱回収した超臨界圧力水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５９３】
前記全動翼蒸気ガスタービンの高温水溜（３２ａ）には、ゴミ微細化燃料から熱回収した高温水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５９４】
前記全動翼蒸気タービンの高温水溜（３２ａ）には、燃えるもの全部の燃料から熱回収した超臨界圧力水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５９５】
前記全動翼蒸気タービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５９６】
前記全動翼蒸気ガスタービンの高温水溜（３２ａ）には、燃えるもの全部の燃料から熱回収した超臨界圧力水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５９７】
前記全動翼蒸気ガスタービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器（４）で再燃焼熱回収して通常使用することを特徴とする全動翼蒸気ガスタービン合体機関。
【請求項１５９８】
前記全動翼蒸気タービンの高温水溜（３２ａ）には、微粉炭燃料から熱回収した超臨界圧力水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１５９９】
前記全動翼蒸気タービンの高温水溜（３２ａ）には、微粉炭燃料から熱回収した高温水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６００】
前記全動翼蒸気ガスタービンの高温水溜（３２ａ）には、微粉炭燃料から熱回収した超臨界圧力水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６０１】
前記全動翼蒸気ガスタービンの高温水溜（３２ａ）には、微粉炭燃料から熱回収した高温水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６０２】
前記全動翼蒸気タービンの高温水溜（３２ａ）には、ゴミガス化燃料から熱回収した超臨界圧力水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６０３】
前記全動翼蒸気タービンの高温水溜（３２ａ）には、ゴミガス化燃料から熱回収した高温水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６０４】
前記全動翼蒸気ガスタービンの高温水溜（３２ａ）には、ゴミガス化燃料から熱回収した超臨界圧力水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６０５】
前記全動翼蒸気ガスタービンの高温水溜（３２ａ）には、ゴミガス化燃料から熱回収した高温水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６０６】
前記全動翼蒸気タービンの高温水溜（３２ａ）には、ゴミ微細化燃料から熱回収した超臨界圧力水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６０７】
前記全動翼蒸気タービンの高温水溜（３２ａ）には、ゴミ微細化燃料から熱回収した高温水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６０８】
前記全動翼蒸気ガスタービンの高温水溜（３２ａ）には、ゴミ微細化燃料から熱回収した超臨界圧力水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６０９】
前記全動翼蒸気ガスタービンの高温水溜（３２ａ）には、ゴミ微細化燃料から熱回収した高温水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６１０】
前記全動翼蒸気タービンの高温水溜（３２ａ）には、燃えるもの全部の燃料から熱回収した超臨界圧力水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６１１】
前記全動翼蒸気タービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６１２】
前記全動翼蒸気ガスタービンの高温水溜（３２ａ）には、燃えるもの全部の燃料から熱回収した超臨界圧力水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６１３】
前記全動翼蒸気ガスタービンの高温水溜（３２ａ）には、燃えるもの全部の燃料から熱回収した高温水（５ｂ）を供給し、電力にして該燃焼ガスも全動翼圧縮機で圧縮して燃焼器兼熱交換器（４）で再燃焼熱回収して補助使用することを特徴とする全動翼蒸気ガスタービン合体機関。
【請求項１６１４】
前記噴射推進する全動翼蒸気ガスタービンは、空気吸引力を含めた噴射高温水と燃焼ガスの質量速度の増大により噴射推進することを特徴とする全動翼蒸気ガスタービン合体機関。
【請求項１６１５】
前記噴射推進する全動翼蒸気タービンは、空気吸引力を含めた噴射高温水の質量速度の増大により噴射推進することを特徴とする全動翼蒸気ガスタービン合体機関。
【請求項１６１６】
前記噴射推進する全動翼蒸気ガスタービンは、霧吹きの原理（９１ｅ）の空気吸引力を含めた噴射高温水と燃焼ガスの質量速度の増大により噴射推進することを特徴とする全動翼蒸気ガスタービン合体機関。
【請求項１６１７】
前記噴射推進する全動翼蒸気タービンは、霧吹きの原理（９１ｅ）の空気吸引力を含めた噴射高温水の質量速度の増大により噴射推進することを特徴とする全動翼蒸気ガスタービン合体機関。
【請求項１６１８】
前記噴射推進する全動翼蒸気ガスタービンは、霧吹きの原理（９１ｅ）・（９１ｂ）の空気吸引力を含めた噴射高温水と燃焼ガスの質量速度の増大により噴射推進することを特徴とする全動翼蒸気ガスタービン合体機関。
【請求項１６１９】
前記噴射推進する全動翼蒸気タービンは、霧吹きの原理（９１ｅ）・（９１ｂ）の空気吸引力を含めた噴射高温水と燃焼ガスの質量速度の増大により噴射推進することを特徴とする全動翼蒸気ガスタービン合体機関。
【請求項１６２０】
前記噴射推進する全動翼蒸気ガスタービンは、空気吸引力を含めた噴射高温水と燃焼ガスの質量速度の増大により船体を浮上させて噴射推進することを特徴とする全動翼蒸気ガスタービン合体機関。
【請求項１６２１】
前記噴射推進する全動翼蒸気タービンは、空気吸引力を含めた噴射高温水の質量速度の増大により船体を浮上させて噴射推進することを特徴とする全動翼蒸気ガスタービン合体機関。
【請求項１６２２】
前記噴射推進する全動翼蒸気ガスタービンは、霧吹きの原理（９１ｇ）・（９１ｈ）の水吸引力を含めた噴射高温水と燃焼ガスの質量速度の増大により噴射推進することを特徴とする全動翼蒸気ガスタービン合体機関。
【請求項１６２３】
前記噴射推進する全動翼蒸気タービンは、霧吹きの原理（９１ｇ）・（９１ｈ）の水吸引力を含めた噴射高温水の質量速度の増大により噴射推進することを特徴とする全動翼蒸気ガスタービン合体機関。
【請求項１６２４】
前記噴射推進する全動翼蒸気ガスタービンは、霧吹きの原理（９１ｇ）の水吸引力を含めた噴射高温水と燃焼ガスの質量速度の増大により噴射推進することを特徴とする全動翼蒸気ガスタービン合体機関。
【請求項１６２５】
前記噴射推進する全動翼蒸気タービンは、霧吹きの原理（９１ｈ）の水吸引力を含めた噴射高温水と燃焼ガスの質量速度の増大により噴射推進することを特徴とする全動翼蒸気ガスタービン合体機関。
【請求項１６２６】
前記噴射推進する全動翼蒸気ガスタービンは、空気吸引力を含めた噴射高温水と燃焼ガスの質量速度の増大により燃料積載量を大幅に低減して噴射推進することを特徴とする全動翼蒸気ガスタービン合体機関。
【請求項１６２７】
前記噴射推進する全動翼蒸気タービンは、空気吸引力を含めた噴射高温水の質量速度の増大により燃料積載量を大幅に低減して噴射推進することを特徴とする全動翼蒸気ガスタービン合体機関。
【請求項１６２８】
前記噴射推進する全動翼蒸気ガスタービンは、霧吹きの原理（９１ｅ）の空気吸引力を含めた噴射高温水と燃焼ガスの質量速度の増大により燃料積載量を大幅に低減して噴射推進することを特徴とする全動翼蒸気ガスタービン合体機関。
【請求項１６２９】
前記噴射推進する全動翼蒸気タービンは、霧吹きの原理（９１ｅ）の空気吸引力を含めた噴射高温水の質量速度の増大により燃料積載量を大幅に低減して噴射推進することを特徴とする全動翼蒸気ガスタービン合体機関。
【請求項１６３０】
前記噴射推進する全動翼蒸気ガスタービンは、霧吹きの原理（９１ｅ）・（９１ｂ）の空気吸引力を含めた噴射高温水と燃焼ガスの質量速度の増大により燃料積載量を大幅に低減して噴射推進することを特徴とする全動翼蒸気ガスタービン合体機関。
【請求項１６３１】
前記噴射推進する全動翼蒸気タービンは、霧吹きの原理（９１ｅ）・（９１ｂ）の空気吸引力を含めた噴射高温水と燃焼ガスの質量速度の増大により燃料積載量を大幅に低減して噴射推進することを特徴とする全動翼蒸気ガスタービン合体機関。
【請求項１６３２】
前記噴射推進する全動翼蒸気ガスタービンは、空気吸引力を含めた噴射高温水と燃焼ガスの質量速度の増大により船体を浮上させて燃料積載量を大幅に低減して噴射推進することを特徴とする全動翼蒸気ガスタービン合体機関。
【請求項１６３３】
前記噴射推進する全動翼蒸気タービンは、空気吸引力を含めた噴射高温水の質量速度の増大により船体を浮上させて燃料積載量を大幅に低減して噴射推進することを特徴とする全動翼蒸気ガスタービン合体機関。
【請求項１６３４】
前記噴射推進する全動翼蒸気ガスタービンは、霧吹きの原理（９１ｇ）・（９１ｈ）の水吸引力を含めた噴射高温水と燃焼ガスの質量速度の増大により燃料積載量を大幅に低減して噴射推進することを特徴とする全動翼蒸気ガスタービン合体機関。
【請求項１６３５】
前記噴射推進する全動翼蒸気タービンは、霧吹きの原理（９１ｇ）・（９１ｈ）の水吸引力を含めた噴射高温水の質量速度の増大により燃料積載量を大幅に低減して噴射推進することを特徴とする全動翼蒸気ガスタービン合体機関。
【請求項１６３６】
前記噴射推進する全動翼蒸気ガスタービンは、霧吹きの原理（９１ｇ）の水吸引力を含めた噴射高温水と燃焼ガスの質量速度の増大により燃料積載量を大幅に低減して噴射推進することを特徴とする全動翼蒸気ガスタービン合体機関。
【請求項１６３７】
前記噴射推進する全動翼蒸気タービンは、霧吹きの原理（９１ｈ）の水吸引力を含めた噴射高温水と燃焼ガスの質量速度の増大により燃料積載量を大幅に低減して噴射推進することを特徴とする全動翼蒸気ガスタービン合体機関。
【請求項１６３８】
前記噴射推進する全動翼蒸気ガスタービンは、空気吸引力を含めた噴射高温水と燃焼ガスの質量速度の増大により燃料積載量を大幅に低減して非常に安全に噴射推進することを特徴とする全動翼蒸気ガスタービン合体機関。
【請求項１６３９】
前記噴射推進する全動翼蒸気タービンは、空気吸引力を含めた噴射高温水の質量速度の増大により燃料積載量を大幅に低減して非常に安全に噴射推進することを特徴とする全動翼蒸気ガスタービン合体機関。
【請求項１６４０】
前記噴射推進する全動翼蒸気ガスタービンは、霧吹きの原理（９１ｅ）の空気吸引力を含めた噴射高温水と燃焼ガスの質量速度の増大により燃料積載量を大幅に低減して非常に安全に噴射推進することを特徴とする全動翼蒸気ガスタービン合体機関。
【請求項１６４１】
前記噴射推進する全動翼蒸気タービンは、霧吹きの原理（９１ｅ）の空気吸引力を含めた噴射高温水の質量速度の増大により燃料積載量を大幅に低減して非常に安全に噴射推進することを特徴とする全動翼蒸気ガスタービン合体機関。
【請求項１６４２】
前記噴射推進する全動翼蒸気ガスタービンは、霧吹きの原理（９１ｅ）・（９１ｂ）の空気吸引力を含めた噴射高温水と燃焼ガスの質量速度の増大により燃料積載量を大幅に低減して非常に安全に噴射推進することを特徴とする全動翼蒸気ガスタービン合体機関。
【請求項１６４３】
前記噴射推進する全動翼蒸気タービンは、霧吹きの原理（９１ｅ）・（９１ｂ）の空気吸引力を含めた噴射高温水と燃焼ガスの質量速度の増大により燃料積載量を大幅に低減して非常に安全に噴射推進することを特徴とする全動翼蒸気ガスタービン合体機関。
【請求項１６４４】
前記噴射推進する全動翼蒸気ガスタービンは、空気吸引力を含めた噴射高温水と燃焼ガスの質量速度の増大により船体を浮上させて燃料積載量を大幅に低減して非常に安全に噴射推進することを特徴とする全動翼蒸気ガスタービン合体機関。
【請求項１６４５】
前記噴射推進する全動翼蒸気タービンは、空気吸引力を含めた噴射高温水の質量速度の増大により船体を浮上させて燃料積載量を大幅に低減して非常に安全に噴射推進することを特徴とする全動翼蒸気ガスタービン合体機関。
【請求項１６４６】
前記噴射推進する全動翼蒸気ガスタービンは、霧吹きの原理（９１ｇ）・（９１ｈ）の水吸引力を含めた噴射高温水と燃焼ガスの質量速度の増大により燃料積載量を大幅に低減して非常に安全に噴射推進することを特徴とする全動翼蒸気ガスタービン合体機関。
【請求項１６４７】
前記噴射推進する全動翼蒸気タービンは、霧吹きの原理（９１ｇ）・（９１ｈ）の水吸引力を含めた噴射高温水の質量速度の増大により燃料積載量を大幅に低減して非常に安全に噴射推進することを特徴とする全動翼蒸気ガスタービン合体機関。
【請求項１６４８】
前記噴射推進する全動翼蒸気ガスタービンは、霧吹きの原理（９１ｇ）の水吸引力を含めた噴射高温水と燃焼ガスの質量速度の増大により燃料積載量を大幅に低減して非常に安全に噴射推進することを特徴とする全動翼蒸気ガスタービン合体機関。
【請求項１６４９】
前記噴射推進する全動翼蒸気タービンは、霧吹きの原理（９１ｈ）の水吸引力を含めた噴射高温水と燃焼ガスの質量速度の増大により燃料積載量を大幅に低減して非常に安全に噴射推進することを特徴とする全動翼蒸気ガスタービン合体機関。
【請求項１６５０】
前記低温燃焼ガスに石炭灰等を含めて、出力発生の過程で全重力仕事率を増大し、出力を増大することを特徴とする撥水鍍金タービン全動翼（８１）を具備した全動翼蒸気ガスタービン合体機関。
【請求項１６５１】
前記低温燃焼ガスに石炭灰等を含めて、出力発生の過程で全重力仕事率を増大し、出力を増大することを特徴とする超臨界圧力等の高温水（５ｂ）で出力を発生する全動翼蒸気ガスタービン合体機関。
【請求項１６５２】
前記撥水鍍金タービン全動翼（８１）に換えて撥水鍍金タービン全動翼（８７ａ）で出力を発生する全動翼蒸気ガスタービン合体機関。
【請求項１６５３】
前記撥水鍍金タービン全動翼（８１）の一部を撥水鍍金タービン全動翼（８７ａ）に換えて出力を発生することを特徴とする全動翼蒸気ガスタービン合体機関。
【請求項１６５４】
前記全動翼蒸気ガスタービンに於いて、燃焼ガスの一部を冷房用等別用途に使用することを特徴とする全動翼蒸気ガスタービン合体機関。
【請求項１６５５】
前記全動翼蒸気ガスタービンに於いて、燃焼ガスの全部を冷房用等別用途に使用することを特徴とする全動翼蒸気ガスタービン合体機関。
【請求項１６５６】
前記全動翼蒸気ガスタービンに於いて、燃焼ガスの一部を別用途に使用することを特徴とする全動翼蒸気ガスタービン合体機関。
【請求項１６５７】
前記全動翼蒸気ガスタービンに於いて、燃焼ガスの全部を別用途に使用することを特徴とする全動翼蒸気ガスタービン合体機関。
【請求項１６５８】
前記全動翼蒸気ガスタービンに於いて、燃焼ガスの全部を別用途の全動翼ガスタービンで使用することを特徴とする全動翼蒸気ガスタービン合体機関。
【請求項１６５９】
前記全動翼蒸気ガスタービンに於いて、燃焼ガスの全部を別用途の全動翼ガスタービンで使用して電力を発生することを特徴とする全動翼蒸気ガスタービン合体機関。
【請求項１６６０】
前記全動翼蒸気ガスタービンに於いて、燃焼ガスの全部を別用途の全動翼ガスタービンで使用して二酸化炭素を製造することを特徴とする全動翼蒸気ガスタービン合体機関。
【請求項１６６１】
前記全動翼蒸気ガスタービンに於いて、燃焼ガスの全部を別用途の全動翼ガスタービンで使用して液体窒素を製造することを特徴とする全動翼蒸気ガスタービン合体機関。
【請求項１６６２】
前記気化潜熱回収器（６６ａ）に換えて空冷式気化潜熱回収器（６６ｂ）を使用することを特徴とする全動翼蒸気ガスタービン合体機関。
【請求項１６６３】
前記気化潜熱回収器（６６ａ）に換えて空冷式気化潜熱回収器（６６ｂ）を使用する自動車としたことを特徴とする全動翼蒸気ガスタービン合体機関。
【請求項１６６４】
前記気化潜熱回収器（６６ａ）に換えて空冷式気化潜熱回収器（６６ｂ）を使用する輸送用機器としたことを特徴とする全動翼蒸気ガスタービン合体機関。
【請求項１６６５】
前記気化潜熱回収器（６６ａ）に換えて空冷式気化潜熱回収器（６６ｂ）を使用するプロペラ飛行機としたことを特徴とする全動翼蒸気ガスタービン合体機関。
【請求項１６６６】
前記気化潜熱回収器（６６ａ）に換えて空冷式気化潜熱回収器（６６ｂ）を使用するヘリコプターとしたことを特徴とする全動翼蒸気ガスタービン合体機関。
【請求項１６６７】
前記気化潜熱回収器（６６ａ）に換えて空冷式気化潜熱回収器（６６ｂ）を使用する飛行物体としたことを特徴とする全動翼蒸気ガスタービン合体機関。
【請求項１６６８】
前記高温水（５ｂ）は、送水ポンプ兼二重反転磁気摩擦動力伝達装置（１４ａ）により昇圧することを特徴とする全動翼蒸気ガスタービン合体機関。
【請求項１６６９】
前記高温水（５ｂ）は、送水ポンプ兼二重反転磁気摩擦動力伝達装置（１４ａ）により超臨界圧力等に昇圧することを特徴とする全動翼蒸気ガスタービン合体機関。
【請求項１６７０】
前記高温水（５ｂ）は、送水ポンプ兼二重反転磁気摩擦動力伝達装置（１４ａ）により昇圧して動力を伝達することを特徴とする全動翼蒸気ガスタービン合体機関。
【請求項１６７１】
前記高温水（５ｂ）は、送水ポンプ兼二重反転磁気摩擦動力伝達装置（１４ａ）により超臨界圧力等に昇圧して動力を伝達することを特徴とする全動翼蒸気ガスタービン合体機関。
【請求項１６７２】
前記高温水（５ｂ）は、送水ポンプ兼二重反転磁気摩擦動力伝達装置（１４ａ）により昇圧して超臨界温度等複数温度にすることを特徴とする全動翼蒸気ガスタービン合体機関。
【請求項１６７３】
前記高温水（５ｂ）は、送水ポンプ兼二重反転磁気摩擦動力伝達装置（１４ａ）により超臨界圧力等に昇圧して超臨界温度等複数温度にすることを特徴とする全動翼蒸気ガスタービン合体機関。
【請求項１６７４】
前記高温水（５ｂ）は、送水ポンプ兼二重反転磁気摩擦動力伝達装置（１４ａ）により昇圧して超臨界温度等複数温度にして動力を伝達することを特徴とする全動翼蒸気ガスタービン合体機関。
【請求項１６７５】
前記高温水（５ｂ）は、送水ポンプ兼二重反転磁気摩擦動力伝達装置（１４ａ）により超臨界圧力等に昇圧して超臨界温度等複数温度にして動力を伝達することを特徴とする全動翼蒸気ガスタービン合体機関。
【請求項１６７６】
前記高温水（５ｂ）は、送水ポンプ兼二重反転磁気摩擦動力伝達装置（１４ａ）により超臨界圧力等に昇圧して超臨界温度等複数温度にして動力を伝達し、既存技術の倍回転数にすることを特徴とする全動翼蒸気ガスタービン合体機関。
【請求項１６７７】
前記高温水（５ｂ）は、送水ポンプ兼二重反転磁気摩擦動力伝達装置（１４ａ）により超臨界圧力等に昇圧して超臨界温度等複数温度にして動力を伝達し、既存技術の３倍回転数にすることを特徴とする全動翼蒸気ガスタービン合体機関。
【請求項１６７８】
前記高温水（５ｂ）は、送水ポンプ兼二重反転磁気摩擦動力伝達装置（１４ａ）により超臨界圧力等に昇圧して超臨界温度等複数温度にして動力を伝達し、既存技術の５倍回転数にすることを特徴とする全動翼蒸気ガスタービン合体機関。
【請求項１６７９】
前記高温水（５ｂ）は、送水ポンプ兼二重反転磁気摩擦動力伝達装置（１４ａ）により超臨界圧力等に昇圧して超臨界温度等複数温度にして動力を伝達し、既存技術の８倍回転数にすることを特徴とする全動翼蒸気ガスタービン合体機関。
【請求項１６８０】
前記高温水（５ｂ）は、送水ポンプ兼二重反転磁気摩擦動力伝達装置（１４ａ）により超臨界圧力等に昇圧して超臨界温度等複数温度にして動力を伝達し、既存技術の１０倍回転数にすることを特徴とする全動翼蒸気ガスタービン合体機関。
【請求項１６８１】
前記高温水（５ｂ）は、送水ポンプ兼磁気摩擦動力伝達装置（１００ａ）により昇圧することを特徴とする全動翼蒸気ガスタービン合体機関。
【請求項１６８２】
前記高温水（５ｂ）は、送水ポンプ兼磁気摩擦動力伝達装置（１００ａ）により超臨界圧力等に昇圧することを特徴とする全動翼蒸気ガスタービン合体機関。
【請求項１６８３】
前記高温水（５ｂ）は、送水ポンプ兼磁気摩擦動力伝達装置（１００ａ）により昇圧して動力を伝達することを特徴とする全動翼蒸気ガスタービン合体機関。
【請求項１６８４】
前記高温水（５ｂ）は、送水ポンプ兼磁気摩擦動力伝達装置（１００ａ）により超臨界圧力等に昇圧して動力を伝達することを特徴とする全動翼蒸気ガスタービン合体機関。
【請求項１６８５】
前記高温水（５ｂ）は、送水ポンプ兼磁気摩擦動力伝達装置（１００ａ）により昇圧して超臨界温度等複数温度にすることを特徴とする全動翼蒸気ガスタービン合体機関。
【請求項１６８６】
前記高温水（５ｂ）は、送水ポンプ兼磁気摩擦動力伝達装置（１００ａ）により超臨界圧力等に昇圧して超臨界温度等複数温度にすることを特徴とする全動翼蒸気ガスタービン合体機関。
【請求項１６８７】
前記高温水（５ｂ）は、送水ポンプ兼磁気摩擦動力伝達装置（１００ａ）により昇圧して超臨界温度等複数温度にして動力を伝達することを特徴とする全動翼蒸気ガスタービン合体機関。
【請求項１６８８】
前記高温水（５ｂ）は、送水ポンプ兼磁気摩擦動力伝達装置（１００ａ）により超臨界圧力等に昇圧して超臨界温度等複数温度にして動力を伝達することを特徴とする全動翼蒸気ガスタービン合体機関。
【請求項１６８９】
前記高温水（５ｂ）は、送水ポンプ兼磁気摩擦動力伝達装置（１００ａ）により超臨界圧力等に昇圧して超臨界温度等複数温度にして動力を伝達し、既存技術の２倍回転数にすることを特徴とする全動翼蒸気ガスタービン合体機関。
【請求項１６９０】
前記高温水（５ｂ）は、送水ポンプ兼磁気摩擦動力伝達装置（１００ａ）により超臨界圧力等に昇圧して超臨界温度等複数温度にして動力を伝達し、既存技術の３倍回転数にすることを特徴とする全動翼蒸気ガスタービン合体機関。
【請求項１６９１】
前記高温水（５ｂ）は、送水ポンプ兼磁気摩擦動力伝達装置（１００ａ）により超臨界圧力等に昇圧して超臨界温度等複数温度にして動力を伝達し、既存技術の５倍回転数にすることを特徴とする全動翼蒸気ガスタービン合体機関。
【請求項１６９２】
前記高温水（５ｂ）は、送水ポンプ兼磁気摩擦動力伝達装置（１００ａ）により超臨界圧力等に昇圧して超臨界温度等複数温度にして動力を伝達し、既存技術の８倍回転数にすることを特徴とする全動翼蒸気ガスタービン合体機関。
【請求項１６９３】
前記高温水（５ｂ）は、送水ポンプ兼磁気摩擦動力伝達装置（１００ａ）により超臨界圧力等に昇圧して超臨界温度等複数温度にして動力を伝達し、既存技術の１０倍回転数にすることを特徴とする全動翼蒸気ガスタービン合体機関。
【請求項１６９４】
前記超臨界温度等複数温度水（５ｂ）は、中心に最高温度水（５ｂ）爆発力を配置して噴射することを特徴とする全動翼蒸気ガスタービン合体機関。
【請求項１６９５】
前記超臨界温度等複数温度水（５ｂ）は、中心に超臨界温度等最高温度水（５ｂ）爆発力を配置して噴射することを特徴とする全動翼蒸気ガスタービン合体機関。
【請求項１６９６】
前記超臨界温度等複数温度水（５ｂ）は、中心に最高温度水（５ｂ）爆発力を配置して１以上複数温度水（５ｂ）を噴射することが特徴の全動翼蒸気ガスタービン合体機関。
【請求項１６９７】
前記超臨界温度等複数温度水（５ｂ）は、中心に超臨界温度等最高温度水（５ｂ）爆発力を配置して１以上複数温度水（５ｂ）を噴射することを特徴とする全動翼蒸気ガスタービン合体機関。
【請求項１６９８】
前記超臨界温度等複数温度水（５ｂ）は、中心に最高温度水（５ｂ）爆発力を配置して９０度以下で合流噴射することを特徴とする全動翼蒸気ガスタービン合体機関。
【請求項１６９９】
前記超臨界温度等複数温度水（５ｂ）は、中心に超臨界温度等最高温度水（５ｂ）爆発力を配置して９０度以下で合流噴射することを特徴とする全動翼蒸気ガスタービン合体機関。
【請求項１７００】
前記超臨界温度等複数温度水（５ｂ）は、中心に最高温度水（５ｂ）爆発力を配置して１以上複数温度水（５ｂ）を９０度以下で合流噴射することを特徴とする全動翼蒸気ガスタービン合体機関。
【請求項１７０１】
前記超臨界温度等複数温度水（５ｂ）は、中心に超臨界温度等最高温度水（５ｂ）爆発力を配置して１以上複数温度水（５ｂ）を９０度以下で合流噴射することを特徴とする全動翼蒸気ガスタービン合体機関。
【請求項１７０２】
前記超臨界温度等複数温度水（５ｂ）は、中心に最高温度水（５ｂ）爆発力を配置して霧吹きの原理で合流噴射することを特徴とする全動翼蒸気ガスタービン合体機関。
【請求項１７０３】
前記超臨界温度等複数温度水（５ｂ）は、中心に超臨界温度等最高温度水（５ｂ）爆発力を配置して霧吹きの原理で合流噴射することを特徴とする全動翼蒸気ガスタービン合体機関。
【請求項１７０４】
前記超臨界温度等複数温度水（５ｂ）は、中心に最高温度水（５ｂ）爆発力を配置して１以上複数温度水（５ｂ）を霧吹きの原理で合流噴射することを特徴とする全動翼蒸気ガスタービン合体機関。
【請求項１７０５】
前記超臨界温度等複数温度水（５ｂ）は、中心に超臨界温度等最高温度水（５ｂ）爆発力を配置して１以上複数温度水（５ｂ）を霧吹きの原理で合流噴射することを特徴とする全動翼蒸気ガスタービン合体機関。
【請求項１７０６】
前記超臨界温度等複数温度水（５ｂ）は、中心に最高温度水（５ｂ）爆発力を配置して９０度以下で合流噴射して高温水（５ｂ）を加速することを特徴とする全動翼蒸気ガスタービン合体機関。
【請求項１７０７】
前記超臨界温度等複数温度水（５ｂ）は、中心に超臨界温度等最高温度水（５ｂ）爆発力を配置して９０度以下で合流噴射して高温水（５ｂ）を加速することを特徴とする全動翼蒸気ガスタービン合体機関。
【請求項１７０８】
前記超臨界温度等複数温度水（５ｂ）は、中心に最高温度水（５ｂ）爆発力を配置して１以上複数温度水（５ｂ）を９０度以下で合流噴射して高温水（５ｂ）を加速することを特徴とする全動翼蒸気ガスタービン合体機関。
【請求項１７０９】
前記超臨界温度等複数温度水（５ｂ）は、中心に超臨界温度等最高温度水（５ｂ）爆発力を配置して１以上複数温度水（５ｂ）を９０度以下で合流噴射して高温水（５ｂ）を加速することを特徴とする全動翼蒸気ガスタービン合体機関。
【請求項１７１０】
前記超臨界温度等複数温度水（５ｂ）は、中心に最高温度水（５ｂ）爆発力を配置して霧吹きの原理で合流噴射して高温水（５ｂ）を加速することを特徴とする全動翼蒸気ガスタービン合体機関。
【請求項１７１１】
前記超臨界温度等複数温度水（５ｂ）は、中心に超臨界温度等最高温度水（５ｂ）爆発力を配置して霧吹きの原理で合流噴射して高温水（５ｂ）を加速することを特徴とする全動翼蒸気ガスタービン合体機関。
【請求項１７１２】
前記超臨界温度等複数温度水（５ｂ）は、中心に最高温度水（５ｂ）爆発力を配置して１以上複数温度水（５ｂ）を霧吹きの原理で合流噴射して高温水（５ｂ）を加速することを特徴とする全動翼蒸気ガスタービン合体機関。
【請求項１７１３】
前記超臨界温度等複数温度水（５ｂ）は、中心に超臨界温度等最高温度水（５ｂ）爆発力を配置して１以上複数温度水（５ｂ）を霧吹きの原理で合流噴射して高温水（５ｂ）を加速することを特徴とする全動翼蒸気ガスタービン合体機関。
【請求項１７１４】
前記超臨界温度等複数温度水（５ｂ）は、中心に最高温度水（５ｂ）爆発力を配置して９０度以下で合流噴射して高温水（５ｂ）を加速する高温水噴射ノズル（５９ｂ）としたことを特徴とする全動翼蒸気ガスタービン合体機関。
【請求項１７１５】
前記超臨界温度等複数温度水（５ｂ）は、中心に超臨界温度等最高温度水（５ｂ）爆発力を配置して９０度以下で合流噴射して高温水（５ｂ）を加速する高温水噴射ノズル（５９ｂ）としたことを特徴とする全動翼蒸気ガスタービン合体機関。
【請求項１７１６】
前記超臨界温度等複数温度水（５ｂ）は、中心に最高温度水（５ｂ）爆発力を配置して１以上複数温度水（５ｂ）を９０度以下で合流噴射して高温水（５ｂ）を加速する高温水噴射ノズル（５９ｂ）としたことを特徴とする全動翼蒸気ガスタービン合体機関。
【請求項１７１７】
前記超臨界温度等複数温度水（５ｂ）は、中心に超臨界温度等最高温度水（５ｂ）爆発力を配置して１以上複数温度水（５ｂ）を９０度以下で合流噴射して高温水（５ｂ）を加速する高温水噴射ノズル（５９ｂ）としたことを特徴とする全動翼蒸気ガスタービン合体機関。
【請求項１７１８】
前記超臨界温度等複数温度水（５ｂ）は、中心に最高温度水（５ｂ）爆発力を配置して霧吹きの原理で合流噴射して高温水（５ｂ）を加速する高温水噴射ノズル（５９ｂ）としたことを特徴とする全動翼蒸気ガスタービン合体機関。
【請求項１７１９】
前記超臨界温度等複数温度水（５ｂ）は、中心に超臨界温度等最高温度水（５ｂ）爆発力を配置して霧吹きの原理で合流噴射して高温水（５ｂ）を加速する高温水噴射ノズル（５９ｂ）としたことを特徴とする全動翼蒸気ガスタービン合体機関。
【請求項１７２０】
前記超臨界温度等複数温度水（５ｂ）は、中心に最高温度水（５ｂ）爆発力を配置して１以上複数温度水（５ｂ）を霧吹きの原理で合流噴射して高温水（５ｂ）を加速する高温水噴射ノズル（５９ｂ）としたことを特徴とする全動翼蒸気ガスタービン合体機関。
【請求項１７２１】
前記超臨界温度等複数温度水（５ｂ）は、中心に超臨界温度等最高温度水（５ｂ）爆発力を配置して１以上複数温度水（５ｂ）を霧吹きの原理で合流噴射して高温水（５ｂ）を加速する高温水噴射ノズル（５９ｂ）としたことを特徴とする全動翼蒸気ガスタービン合体機関。
【請求項１７２２】
前記全動翼ガスタービン及び全動翼蒸気タービン及び全動翼蒸気ガスタービンの、何れか１以上の出力で駆動する装置を、大中小各種発電設備としたことを特徴とする全動翼蒸気ガスタービン合体機関。
【請求項１７２３】
前記全動翼ガスタービン及び全動翼蒸気タービン及び全動翼蒸気ガスタービンの、何れか１以上の出力で駆動する装置を、大中小各種熱と電気と冷熱の供給設備としたことを特徴とする全動翼蒸気ガスタービン合体機関。
【請求項１７２４】
前記全動翼ガスタービン及び全動翼蒸気タービン及び全動翼蒸気ガスタービンの何れか１以上の出力で駆動する装置を、大中小各種熱と電気の供給設備としたことを特徴とする全動翼蒸気ガスタービン合体機関。
【請求項１７２５】
前記全動翼ガスタービン及び全動翼蒸気タービン及び全動翼蒸気ガスタービン及び特殊装置及び水噴射装置の何れか１以上の出力で駆動する装置を、大中小各種船舶としたことを特徴とする全動翼蒸気ガスタービン合体機関。
【請求項１７２６】
前記全動翼ガスタービン及び全動翼蒸気タービン及び全動翼蒸気ガスタービン及び特殊装置及び水噴射装置の何れか１以上の出力で駆動する装置を、大中小各種航空機としたことを特徴とする全動翼蒸気ガスタービン合体機関。
【請求項１７２７】
前記全動翼ガスタービン及び全動翼蒸気タービン及び全動翼蒸気ガスタービン及び特殊装置及び水噴射装置の何れか１以上の出力で駆動する装置を、大中小各種超音速飛行機としたことを特徴とする全動翼蒸気ガスタービン合体機関。
【請求項１７２８】
前記全動翼ガスタービン及び全動翼蒸気タービン及び全動翼蒸気ガスタービン及び特殊装置及び水噴射装置の何れか１以上の出力で駆動する装置を、大中小各種宇宙往還親飛行機としたことを特徴とする全動翼蒸気ガスタービン合体機関。
【請求項１７２９】
前記全動翼ガスタービン及び全動翼蒸気タービン及び全動翼蒸気ガスタービン及び特殊装置及び水噴射装置の何れか１以上の出力で駆動する装置を、大中小各種車両としたことを特徴とする全動翼蒸気ガスタービン合体機関。
【請求項１７３０】
前記全動翼ガスタービン及び全動翼蒸気タービン及び全動翼蒸気ガスタービン及び特殊装置及び水噴射装置の何れか１以上の出力で駆動する装置を、大中小各種自動車としたことを特徴とする全動翼蒸気ガスタービン合体機関。
【請求項１７３１】
前記全動翼ガスタービン及び全動翼蒸気タービン及び全動翼蒸気ガスタービン及び特殊装置及び水噴射装置の何れか１以上の出力で駆動する装置を、大中小各種機械としたことを特徴とする全動翼蒸気ガスタービン合体機関。
【請求項１７３２】
前記全動翼ガスタービン及び全動翼蒸気タービン及び全動翼蒸気ガスタービン及び特殊装置及び水噴射装置の何れか１以上の出力で駆動する装置を、大中小各種艦船としたことを特徴とする全動翼蒸気ガスタービン合体機関。
【請求項１７３３】
前記全動翼ガスタービン及び全動翼蒸気タービン及び全動翼蒸気ガスタービン及び特殊装置及び水噴射装置の何れか１以上の出力で駆動する装置を、大中小各種戦車としたことを特徴とする全動翼蒸気ガスタービン合体機関。
【請求項１７３４】
前記全動翼ガスタービン及び全動翼蒸気タービン及び全動翼蒸気ガスタービン及び特殊装置及び水噴射装置の何れか１以上の出力で駆動する装置を、大中小各種戦闘機としたことを特徴とする全動翼蒸気ガスタービン合体機関。
【請求項１７３５】
前記全動翼蒸気タービン及び全動翼蒸気ガスタービン及び特殊装置及び水噴射装置の何れか１以上の出力で駆動する装置を、大中小各種発電設備としたことを特徴とする全動翼蒸気ガスタービン合体機関。
【請求項１７３６】
前記全動翼蒸気タービン及び全動翼蒸気ガスタービンの何れか１以上の出力で駆動する装置を、大中小各種熱と電気と冷熱の供給設備としたことを特徴とする全動翼蒸気ガスタービン合体機関。
【請求項１７３７】
前記全動翼蒸気タービン及び全動翼蒸気ガスタービンの何れか１以上の出力で駆動する装置を、大中小各種熱と電気の供給設備としたことを特徴とする全動翼蒸気ガスタービン合体機関。
【請求項１７３８】
前記全動翼蒸気タービン及び全動翼蒸気ガスタービン及び特殊装置及び水噴射装置の何れか１以上の出力で駆動する装置を、大中小各種船舶としたことを特徴とする全動翼蒸気ガスタービン合体機関。
【請求項１７３９】
前記全動翼蒸気タービン及び全動翼蒸気ガスタービン及び特殊装置及び水噴射装置の何れか１以上の出力で駆動する装置を、大中小各種航空機としたことを特徴とする全動翼蒸気ガスタービン合体機関。
【請求項１７４０】
前記全動翼蒸気タービン及び全動翼蒸気ガスタービン及び特殊装置及び水噴射装置の何れか１以上の出力で駆動する装置を、大中小各種車両としたことを特徴とする全動翼蒸気ガスタービン合体機関。
【請求項１７４１】
前記全動翼蒸気タービン及び全動翼蒸気ガスタービン及び特殊装置及び水噴射装置の何れか１以上の出力で駆動する装置を、大中小各種自動車としたことを特徴とする全動翼蒸気ガスタービン合体機関。
【請求項１７４２】
前記全動翼蒸気タービン及び全動翼蒸気ガスタービン及び特殊装置及び水噴射装置の何れか１以上の出力で駆動する装置を、大中小各種機械としたことを特徴とする全動翼蒸気ガスタービン合体機関。
【請求項１７４３】
前記全動翼蒸気タービン及び全動翼蒸気ガスタービン及び特殊装置及び水噴射装置の何れか１以上の出力で駆動する装置を、大中小各種艦船としたことを特徴とする全動翼蒸気ガスタービン合体機関。
【請求項１７４４】
前記全動翼蒸気タービン及び全動翼蒸気ガスタービン及び特殊装置及び水噴射装置の何れか１以上の出力で駆動する装置を、大中小各種戦車としたことを特徴とする全動翼蒸気ガスタービン合体機関。
【請求項１７４５】
前記全動翼蒸気タービン及び全動翼蒸気ガスタービン及び特殊装置及び水噴射装置の何れか１以上の出力で駆動する装置を、大中小各種戦闘機としたことを特徴とする全動翼蒸気ガスタービン合体機関。
【請求項１７４６】
前記全動翼蒸気ガスタービン合体機関で燃焼させる燃料は、ガソリン・天然ガス・プロパンガス・アルコール・メタノール・メタン・水素・軽油・重油・微粉炭・ゴミガス化燃料・ゴミ微細化燃料・可燃物の内、何れか１種類にしたことを特徴とする全動翼蒸気ガスタービン合体機関。
【請求項１７４７】
前記全動翼蒸気ガスタービン合体機関で燃焼させる燃料は、ガソリン・天然ガス・プロパンガス・アルコール・メタノール・メタン・水素・軽油・重油・微粉炭・ゴミガス化燃料・ゴミ微細化燃料・可燃物の内、何れか２種類にしたことを特徴とする全動翼蒸気ガスタービン合体機関。
【請求項１７４８】
前記全動翼蒸気ガスタービン合体機関で燃焼させる燃料は、ガソリン・天然ガス・プロパンガス・アルコール・メタノール・メタン・水素・軽油・重油・微粉炭・ゴミガス化燃料・ゴミ微細化燃料・可燃物の内、何れか３種類以上にしたことを特徴とする全動翼蒸気ガスタービン合体機関。
【請求項１７４９】
前記全動翼蒸気ガスタービン合体機関で燃焼させる燃料は、その種類を問わないことを特徴とする全動翼蒸気ガスタービン合体機関。
【請求項１７５０】
前記全動翼蒸気ガスタービン合体機関の出力で駆動する装置の種類を問わないことを特徴とする全動翼蒸気ガスタービン合体機関。
【発明の詳細な説明】
【技術分野】
【０００１】
本発明は既存内燃機関技術が、熱量を殆ど利用しない容積利用で、燃料電池や風力発電と競合する理由を、明快に説明するため、アイディアを仮説数字で説明するが、正解は実験数値とし、アイディア仮説数字に限定しない。例えば最先端再熱蒸気タービンは、熱量を全く利用しない容積利用のため、断熱膨張真空部では１００００倍以上に膨張し、単位容積の重力仕事率が、水の１／１００００以下に低減して、同一出力では１００００倍の動翼面積を必要とし、超臨界圧力等に落差を増大しても超大速度利用は不可能なため、動翼の１０〜２０倍前後も速度エネルギを消費し、回転仕事をしない静翼を１／２段列も設け、ボイラで加熱した熱量全部で海水温度を上昇する無茶苦茶をしております。
【０００２】
そこで気化潜熱回収器６６ａを設けた全動翼蒸気タービンとして、超臨界圧力超臨界温度等最高温度水５ｂ爆発力により低温水５ｂを噴射加速して、最適速度×５０倍質量等で、既存ガスタービンの５００倍仮説発電量等を発生すると共に、気化熱回収後の凝縮水を、燃焼器兼熱交換器４で再再利用することで、供給熱量を最少の気化熱に近付け、圧縮空気保有熱量を含めて供給熱量略全部を１００℃以下の水道水温熱として、製造原価略０で需要家に供給して電気料金を１／１０等とし、水道水温熱利用の暖房器具や調理器具と共に製造供給して、海水温度の上昇を皆無にし、地球温暖化防止する技術に関する。
【０００３】
既存ガスタービンも熱量を利用しない容積利用のため、仮説発電量を１／５００等に低減しております。そこで既存ガスタービン燃焼器を全動翼ガスタービン燃焼器兼熱交換器４とし、既存技術の１０倍回転数を狙う、送水ポンプ兼二重反転磁気摩擦動力伝達装置１４ａにより、全動翼圧縮機を駆動して限り無く高圧燃焼熱交換冷却燃焼し、圧縮空気保有熱量を含めて、熱交換して得た既存ボイラの２倍前後熱量の、燃焼ガス熱量出力＋燃焼ガス質量出力に分離して、温度と容積の障害を最低とし、撥水鍍金して水冷却した撥水鍍金水冷却翼８７の全動翼圧縮機により、最も効率良く空気を冷却圧縮して、水冷却した水を噴射して直接圧縮空気を冷却し、落差を２倍以上に限り無く高圧燃焼熱交換冷却燃焼して、用途により二酸化炭素や液体窒素の製造を可能にする技術に関する。
【０００４】
そして燃焼器兼熱交換器４の出口の燃焼ガスタービン入り口温度を、用途に合わせて最低にし、出力発生の過程では撥水鍍金タービン全動翼８１と、単位質量最大の燃焼ガス質量との間の摩擦損失を最少として、略直線蛇行的に噴射して機械効率を１０〜２０倍に上昇し、全動翼ガスタービン燃焼ガス質量発電量を（既存ガスタービンの２倍落差以上×同一質量１０〜２０倍機械効率）＝（既存ガスタービンの２０〜４０倍仮説発電量以上）に増大し、排気温度を−２７３℃に近付けて冷熱回収器１０２により、熱交換排水の過程でＣＯ２等の燃焼ガスを大量の水に溶解して、ＣＯ２等の排気を０等として排水し、熱交換して得た５℃前後の水道水冷熱を製造原価略０で需要家に販売すると共に、水道水冷熱利用の業務用や家庭用の冷凍設備や冷房設備や冷蔵庫等を製造販売し、電気料金を１／１０等として、ＣＯ２排気０や脱フロンにより地球温暖化防止する技術に関する。
【０００５】
全動翼ガスタービン燃焼器兼熱交換器４により、限り無く高圧燃焼熱交換冷却燃焼して、熱回収して得た圧縮空気保有熱量を含めた燃焼ガス熱量を、超臨界圧力超臨界温度等複数温度水５ｂとして、既存ボイラの２倍前後の回収熱量に増大し、出力発生の過程では複数温度水全部を、夫々の高温水加減弁７ａより高温水管６ａを介して、全動翼蒸気タービンの最上流複数の高温水溜３２ａに供給します。そして加熱高温手段１０１で加熱高温とした、夫々の高温水噴射ノズル５９ｂの霧吹きの原理（実施例２）を利用して、超臨界圧力超臨界温度等最高温度水５ｂ爆発力により、複数温度水５ｂを噴射加速して、爆発エネルギを最も効率良く利用し、撥水鍍金した撥水鍍金タービン全動翼８１により、摩擦損失最少で最も効率良く出力の発生増大を図る技術に関する。
【０００６】
加熱高温の高温水噴射ノズル５９ｂにより、超臨界温度等複数温度水５ｂとの間に気化膜を設けて、摩擦損失最少で超臨界圧力超臨界温度等最高温度水５ｂの爆発力により、５０℃等の複数温度水５ｂを噴射加速し、高温水噴射ノズル５９ｂ内では火薬爆発機関銃の弾丸のように噴射加速して、ノズル外では複数温度水５ｂを吹雪のように加速し、大速度を大質量に変換して最適速度に減速して、重力仕事率を既存ガスタービンの５０倍等に増大し、全動翼蒸気タービン燃焼ガス熱量発電量を（既存ガスタービンの５倍落差×２倍熱量×５０倍質量重力仕事率×１０〜２０倍機械効率×１／２０減少率）＝（既存ガスタービンの２５０〜５００倍燃焼ガス熱量仮説発電量乃至出力）等とし、燃焼ガス熱量略全部を１００℃以下の水道水温熱として、製造原価略０で需要家に供給する技術に関する。
【０００７】
大気圧重力仕事率を最先端再熱蒸気タービンの１７００倍高温水５ｂ出力として、大気圧重力仕事率（以下合理的な設計が可能な速度単位容積×大質量に変換）を１７００倍に近付け、超臨界圧力から大気圧まで使用では、気化潜熱回収器６６ａにより気化熱を給水３又は水道水７０で回収し、飽和温度１００℃前後凝縮水を再再使用することで、回収熱量及び供給熱量を気化熱の最少に近付け、回収熱量略全部を１００℃以下の水道水温熱として、製造原価略０で需要家に供給して海水温度上昇０とし、同一燃料量燃焼ガス熱量発電量を、既存ガスタービンの２５０〜５００倍仮説発電量等に上昇します。動翼面積の一部乃至大部分を既存再熱蒸気タービンの１／１７００に縮小して、重力仕事率を最大に変換し、高温水を略直線蛇行的に噴射して、機械効率を１０〜２０倍に上昇し、全動翼蒸気タービンや全動翼蒸気ガスタービン等として、静翼で堰き止める無茶苦茶を全廃し、電気料金の１／１０や１０倍速度の飛行機や船舶等を狙う技術に関する。
【０００８】
微粉炭燃料燃焼の場合、発電量及び冷熱の回収量を最大にするため、熱交換して得た大部分の超臨界温度等複数温度水は、別途全動翼蒸気タービンを駆動し、超臨界温度等の最少最適量複数温度水５ｂを、全動翼蒸気ガスタービンの最上流高温水溜３２ａに供給し、加熱高温手段１０１により加熱高温として、高温水との間に気化膜を設けて摩擦損失を最少とした、高温水噴射ノズル５９ｂより高温水５ｂを、霧吹きの原理（実施例２）を利用して、超臨界温度等最高温度水５ｂ爆発力により低温水５ｂを噴射し、ノズル内やノズル外では、低温水５ｂを火薬爆発機関銃の弾丸や吹雪のように加速して、撥水鍍金タービン全動翼８１で略直線蛇行的に噴射し、撥水鍍金により摩擦損失最少で出力を発生して、全動翼蒸気ガスタービン合体機関を駆動する技術に関する。
【０００９】
そして中流最適圧力段に低温燃焼ガス質量出力全部を供給して、出力発生の過程で断熱膨張し、−２７３℃に近付く低温燃焼ガス灰分を核に水分を凝集して、用途により復水器真空まで断熱膨張を可能にし、最適最少量高温水５ｂの使用で冷熱回収量と発電量を最大にして、燃焼ガス質量発電量を（既存ガスタービンの２倍落差×２倍質量×１０〜２０倍機械効率）＝（既存ガスタービンの４０〜８０倍仮説発電量）に増大し、冷熱回収器１０２により燃焼ガス質量排気全部を、膨大な水道水冷熱に変換して、製造原価略０で需要家に供給し、冷熱回収して排水する過程の冷熱回収器１０２で、大量の海水等に溶解して冷却してＣＯ２等の排気を０等として、地球温暖化防止する技術に関する。
【００１０】
（実施例４）の全動翼蒸気ガスタービン合体機関等、起動時には高温水５ｂが皆無のため、起動時のみ各種全動翼ガスタービンとして燃焼ガス質量で駆動し、燃焼器兼熱交換器４により、既存ボイラの２倍前後の回収熱量の超臨界温度等複数温度水５ｂを、全動翼蒸気ガスタービンの最上流高温水溜３２ａに供給し、霧吹きの原理（実施例２）を利用して噴射する、高温水噴射ノズル５９ｂより、超臨界圧力超臨界温度等最高温度水５ｂの爆発力により低温水５ｂを噴射して、ノズル内やノズル外では低温水５ｂを火薬爆発機関銃の弾丸や吹雪のように加速して、高温水の重力仕事率を既存ガスタービン燃焼ガスの５０倍質量以上等に増大し、最適速度の高温水５ｂで出力を発生して、各種合体機関の構造を１／１０〜１／５０等に簡単とし、製造原価の１／１０等を狙う技術に関する。
【００１１】
最適速度５０倍以上重力仕事率等の高温水５ｂで出力発生の過程で、撥水鍍金した撥水鍍金タービン全動翼８１により略直線蛇行的に噴射して、摩擦損失最少で機械効率を１０〜２０倍に上昇し、中流最適段に燃料熱量０以下等の燃焼ガス質量全部を供給して、出力発生燃焼ガスを低温水５ｂで冷却して、燃焼ガス質量の排気温度を−２７３℃に近付け、排気飽和温度１００℃以下の気化熱を気化潜熱回収器６６ａで回収して、燃焼器兼熱交換器４に給水３として利用の他方で、ＣＯ２等の燃焼ガスを５０倍質量等の凝縮水に溶解して排水し、ＣＯ２等の排気を０等にします。用途により膨大な窒素やＣＯ２等の溶解水回収により、肥料等の製造を可能にして、全動翼蒸気ガスタービン燃焼ガス熱量出力＋燃焼ガス質量出力を（既存ガスタービンの２０〜４０倍出力＋２５０〜５００倍出力）＝（既存ガスタービンの２７０〜５４０倍仮説出力）に増大し、回転出力で駆動する自動車や船舶やプロペラ飛行機やヘリコプター等の回転出力を発生させる技術に関する。
【００１２】
回転出力輸送機器用等は高温水噴射ノズル５９ｂ（実施例２）により、超臨界圧力超臨界温度等最高温度水５ｂ爆発力により複数温度水５ｂを噴射加速し、大気圧水蒸気の１７００倍水質量の重力仕事率に大変換大減速して、出力発生部分の構造を１／１７００に近付けて、全体構造を１／１０〜１／５０等に最も小型簡単とし、低温燃焼ガス溶解用の凝縮水を５０倍質量以上等用途に合わせて最大として、ＣＯ２等燃焼ガス質量の排気０を容易とし、全出力を全動翼蒸気ガスタービン回転出力として、既存ガスタービンの２７０〜５４０倍仮説出力とし、自動車等の陸上輸送機器や船舶等の水上輸送機器に搭載容易や、プロペラ飛行機やヘリコプター等の、回転力で駆動する各種機器用の、全動翼蒸気ガスタービン合体機関にする技術に関する。
【００１３】
用途により高温水噴射用の水に化学物質等を混入し、ＣＯ２等の燃焼ガスを合成溶解容易とし、輸送用機器等からのＣＯ２等公害ガス排気を無害化し、燃焼ガス質量の排気温度を−２７３℃側に近付け、気化潜熱回収器６６ａの給水３の冷却水と、低温ＣＯ２等燃焼ガスにより直接飽和水蒸気を冷却して、５０倍質量以上等の凝縮水に溶解し、ＣＯ２等燃焼ガス質量の排気を０にする過程で、動力を伝達しながら既存技術１０倍回転数を狙い、転がり接触にすると共に、多段に昇圧して自己水冷却超高圧少量送水する、送水ポンプ兼磁気摩擦動力伝達装置１００ａや、送水ポンプ兼二重反転磁気摩擦動力伝達装置１４ａを、各種全動翼蒸気ガスタービン合体機関の中核技術として、限り無く高速回転高速吸入して空気圧縮し、高圧燃焼熱交換冷却燃焼する、１０倍速度のジェット機や超高速噴射推進船舶等を狙う技術に関する。
【００１４】
噴射推進の空中輸送機器用や空中移動機器用等としては、ＣＯ２等の燃焼ガス質量の排気を０に近付けて、２７０〜５４０倍仮説出力等とするため、燃焼器兼熱交換器４により、限り無く高圧燃焼熱交換冷却燃焼して最大の熱回収量とし、熱回収した超臨界温度等複数温度水５ｂの一部で、用途により全動翼圧縮機を含む全動翼蒸気タービンを駆動します。残りの高温水５ｂの大部分及び燃焼ガス全部を、夫々の霧吹きの原理９１ｅ・９１ｂを利用してバイパス噴射推進し、残りの高温水を燃焼器兼熱交換器４等に適宜に貯蔵して最適利用します。そして火災や非常時に安全な１０倍速度等の超音速飛行機や１０倍速度の超高速船舶等として使用し、排気の過程では低温燃焼ガスや低温水５ｂにより冷却して、水蒸気容積を１／１７００に冷却凝集し、排気騒音を１／１０等に低減する、各種噴射推進輸送機器用等の、各種全動翼蒸気ガスタービン合体機関技術に関する。
【００１５】
燃焼ガス１０全部や高温水５ｂの大部分をバイパス噴射して、水を吸引噴射して水噴射推進する船舶等では、既存ガスタービンの２７０〜５４０倍仮説出力に増大することで、その噴射推進速度を用途により１０倍速度に近付けます。浮上噴射推進の過程では、超臨界圧力超臨界温度等最高温度水５ｂ爆発力により、全動翼蒸気タービンの排気圧力を上昇して、船体を浮上して噴射推進し、バイパス噴射水吸引噴射推進の過程では、霧吹きの原理９１ｇ及び９１ｈと夫々の水噴射装置９３ｇ及び９３ｂにより、複数温度水５ｂ大部分及び燃焼ガス質量全部をバイパス噴射して、夫々前方の水を吸引噴射の過程で、断熱膨張低温燃焼ガスにより直接海水を冷却して、ＣＯ２等の燃焼ガス全部を海底に供給する過程で、用途により酸素等の空気を吸引して供給し、膨大な海水域に僅少な窒素や酸素やＣＯ２を供給して海域を活性化し、微生物や藻類や魚介類等の食料増産を図る技術に関する。
【００１６】
そして夫々回転出力や噴射推進出力を利用する、各種発電設備や熱と電気と冷熱の併給設備や、熱と電気の併給設備や各種汎用機関や、各種車両や各種機械用や、各種航空機や各種飛行物体や、各種船舶や各種飛行船舶や、各種飛行車両等あらゆる用途に対応可能な、各種全動翼蒸気ガスタービン合体機関にする技術に関する。
【背景技術】
【００１７】
既存ガスタービンは偶々出力を発生したものの改良で、基礎研究皆無の熱量を全く利用しない容積利用のため、タービンの耐熱限界温度に制約されて、燃焼ガス落差×質量＝重力仕事率の増大が不可能乃至困難に加えて、熱量を利用しないで断熱膨張５００℃前後に、単位容積の重力仕事率を大幅に低減して高温排気し、断熱膨張して熱回収が困難な排気後に熱回収する等、無茶苦茶過ぎるのです。更に動翼の１０〜２０倍前後も速度エネルギを消費して、回転仕事を全くしない静翼を１／２列も設けているため、全熱量質量仮説出力が１／２７０や１／５４０等に低減して、燃料電池の出力に近付き大損失です。
【００１８】
既存蒸気タービンも偶々出力を発生したものの改良で、基礎研究皆無の熱量を全く利用しない容積利用のため、超臨界圧力過熱蒸気を再三再熱して、復水器真空では１００００倍以上に断熱膨張し、単位容積の重力仕事率を１／１００００以下に低減して、同一出力に１００００倍の動翼面積を必要としております。膨大過ぎる蒸気速度も容積利用では全く利用不可のため、動翼の１０〜２０倍前後も速度エネルギを消費して、回転仕事を全くしない静翼を半分も設けて、蒸気速度を堰き止めて減速する等、無茶苦茶過ぎるのです。蒸気容積のみ利用のサイクルでは、合理的な設計が不可能なため、無茶苦茶な設計となり、全熱量仮説出力が１／２５０や１／５００等に低減して、燃料電池の発電量に近付き、膨大な熱需要があるのに、ボイラで加熱した全熱量で海水温度を上昇する無茶苦茶をし、ＣＯ２等をボイラから排気して地球温暖化を加速する、無茶苦茶をしております。
【００１９】
そこで先の出願として、既存ガスタービン燃焼器を熱交換器と兼用した、
【特許文献１】特願２０００−０２４５５２号、特願２０００−０３２５３９号、特願２０００−０４３７０６号、特願２０００−０５８０７９号、特願２０００−１０７４４６号、特願２０００−３９２４０１号、特願２００１−０１１３９９号、特願２００１−０１５２３４号、特願２００１−０２０９６３号、特願２００１−１７１１２８号、特願２００１−３１２３３８号、特願２００１−３３６１３９号、特願２００２−１２５７２号、特願２００２−１１８９３３号、特願２００２−１４２２７０号、特願２００２−３４９５４４号、特願２００３−３１２５号、特願２００３−６９０９８号、特願２００３−７３０４２号があります。
【００２０】
以上先の出願に基づく優先権主張出願等は概略的に、全動翼を含む及び／ガスタービンの全複数の燃焼器を、熱交換器としても兼用して、限りなく高圧燃焼熱交換冷却燃焼して、燃焼ガスタービン入り口温度を最低に近付け、該排気温度を-２７３℃に近付けて、燃焼ガス熱量出力と燃焼ガス質量出力を別々に使用可能とします。燃焼ガス熱量出力５００倍等発生の過程では、大気圧重力仕事率が水蒸気の１７００倍の水質量を最適最大として、発電用では供給熱量を気化熱のみの爆発エネルギに近付けて、重力仕事率を最大にして構造を小型簡単にすると共に、供給熱量略全部を１００℃以下の水道水温熱で需要家に供給します。燃焼ガス質量出力発生排気の過程では、低温燃焼ガスにより水蒸気を冷却凝集し、冷熱回収器により５℃前後の水道水冷熱を需要家に供給して、ＣＯ２等を水に溶解して燃焼ガス質量の排気を〇等とし、用途に合わせて無駄の最少を狙うものです。
【発明の開示】
【発明が解決しようとする課題】
【００２１】
既存最先端再熱蒸気タービンは、熱量を全く利用しない容積利用のため、再三再熱して容積を増大し、最終段復水器真空では蒸気容積が１００００倍以上に増大し、重力仕事率が１／１００００等に低減するため、動翼面積を１００００倍に増大しないと、同一落差では同一出力が得られません。即ち、合理的な設計が不可能な動翼面積や大蒸気速度のため、動翼の１０〜２０倍も速度エネルギを消費して、回転仕事をしない膨大な量の静翼を設けて、多段に堰き止めて風向きを反転させ、実用過熱蒸気速度に減速する、無茶苦茶過ぎる設計のため、無茶苦茶の比較的少ない既存ガスタービンと比較説明します。そして合理的な設計が可能な全動翼蒸気タービンや、全動翼蒸気ガスタービンや全動翼ガスタービン等の、全動翼蒸気ガスタービン合体機関を提供することを目的とします。
【００２２】
既存再熱蒸気タービンで更に問題なのは、膨大な温熱や冷熱の需要が有るのに、ボイラで発生回収した熱量を全く利用しないで断熱膨張させて、使用した熱量全部で海水温度を上昇し、膨大なＣＯ２等の燃焼ガスをボイラから排気して地球温暖化を加速し、仮説発電量を１／２５０〜１／５００に低減しております。そこで既存ボイラに換えて既存ガスタービン燃焼器を、全動翼ガスタービン燃焼器兼熱交換器４として、既存技術の１０倍回転数を狙う、送水ポンプ兼二重反転磁気摩擦動力伝達装置１４ａにより、全動翼圧縮機を駆動して限り無く高圧空気圧縮して、限り無く高圧燃焼熱交換冷却燃焼し、燃焼ガスタービン入口温度を最低として、燃焼ガス質量の排気温度を−２７３℃に近付け、熱交換して得た燃焼ガス熱量出力の、超臨界圧力超臨界温度等複数温度水５ｂ回収熱量を、圧縮空気保有熱量を含めて、既存ボイラの２倍前後に増大することを目的とします。
【００２３】
燃焼ガス熱量出力発生の過程では、超臨界圧力超臨界温度等最高温度水５ｂ爆発力により複数温度水５ｂを噴射して、加熱高温の高温水噴射ノズル５９ｂ内では、低温水５ｂを火薬爆発機関銃の弾丸のように加速し、ノズル外では吹雪のように低温水５ｂを加速して、大気圧単位容積の重力仕事率を水蒸気の１７００倍に増大し、動翼面積等出力発生部の構造簡単小型化を１／１７００に近付けて、全重力仕事率を燃焼ガス全質量の５０倍以上に増大し、撥水鍍金タービン全動翼８１により略直線蛇行的に出力を発生させ、摩擦損失最少で機械効率を１０〜２０倍に上昇し、全動翼蒸気タービンの燃焼ガス熱量出力を（既存ガスタービンの５倍落差×２倍熱量×５０倍重力仕事率×１０〜２０倍機械効率×１／２０減少率）＝（既存ガスタービンの２５０〜５００倍仮説発電量乃至出力）に増大することを目的にします。
【００２４】
燃焼ガス熱量出力発生排気の過程では、全動翼蒸気タービン気化潜熱回収器６６ａにより熱回収して、１００℃以下の凝縮水を燃焼器兼熱交換器に限り無く循環再々供給し、熱交換して得た供給熱量略全部と同量を、１００℃以下の水道水温熱として製造原価略０で需要家に供給し、既存蒸気タービン海水温度の上昇を皆無とします。燃焼ガス質量出力発生排気の過程では、全動翼ガスタービン燃焼ガス質量の排気温度を−２７３℃に近付け、冷熱回収器１０２で燃焼ガス質量略全部より冷熱回収して、５℃前後の水道水冷熱として製造原価略０で需要家に供給し、冷熱回収後の燃焼ガス質量で海水等を冷却の過程で、ＣＯ２等を海水に溶解して排水し、ＣＯ２等の排気を０に近付けて、燃焼ガス熱量発電量＋燃焼ガス質量発電量を、既存ガスタービンの２７０〜５４０倍仮説発電量に増大し、電気料金を１／１０等に低減して、夫々により地球温暖化防止することを目的とする。
【００２５】
安価発電と冷熱供給量を最大にする場合は、微粉炭燃焼ガスと灰と最少量高温水５ｂ出力とし、全動翼蒸気ガスタービン燃焼器兼熱交換器４により、限り無く高圧燃焼熱交換冷却燃焼して、熱交換して得た大部分の超臨界温度等複数温度水５ｂは、別途全動翼蒸気タービンで出力発生します。そして撥水鍍金タービン全動翼８１を具備した、全動翼蒸気ガスタービンの最上流に最適最少量の高温水５ｂを供給し、略直線蛇行的に噴射して摩擦損失最少で出力を発生し、中流最適段に熱交換して得た低温燃焼ガス質量を供給して、燃焼ガス質量発電量を（既存ガスタービンの２倍落差×灰分等２倍質量×１０〜２０倍機械効率）＝（既存ガスタービンの４０〜８０倍仮説発電量）にし、燃焼ガス質量の排気温度を−２７３℃に近付け、燃焼ガス質量全部を水道水冷熱に変換して、５℃前後の水道水冷熱を、製造原価略０で需要家に供給することを目的とする。
【００２６】
既存ガスタービンも、熱量を全く利用しない容積利用のため、タービン耐熱限界温度の上昇により、落差の増大が不可能になり、排気温度が５００℃前後と非常に高く、動翼の１０〜２０倍も速度エネルギを消費して、回転仕事をしない静翼を１／２も設けて、燃焼ガス速度を堰き止めて減速する無茶苦茶設計です。そこで冷熱回収量を最大にする場合は、石油燃料全動翼ガスタービン燃焼器兼熱交換器４とし、送水ポンプ兼二重反転磁気摩擦動力伝達装置と全動翼により、極限まで高圧燃焼熱交換冷却燃焼して、熱交換して得た燃焼ガス質量出力を、既存ガスタービンの２０〜４０倍仮説発電量乃至出力とし、燃焼ガス質量の排気温度を−２７３℃に近付け、冷熱回収器１０２により極低温燃焼ガス全部より、二酸化炭素や液体窒素等の分離製造を可能にすることを目的とする。
【００２７】
自動車等の回転出力輸送機器用等の場合は、全動翼蒸気ガスタービン合体機関燃焼器兼熱交換器４で、熱交換して得た燃焼ガス熱量出力を、圧縮空気保有熱量−２７３℃以上略全部も含めて、既存ボイラの２倍前後の熱回収量の、超臨界温度等複数温度水５ｂとし、全動翼蒸気ガスタービンの最上流に供給し、出力発生の過程で中流最適圧力段に、熱交換して得た燃焼ガス質量出力を供給して、既存ガスタービンの２７０〜５４０倍仮説出力の、全動翼蒸気ガスタービン合体機関とし、回転出力利用の各種自動車や各種船舶や各種飛行機や、各種機械類を回転駆動することを目的とします。
【００２８】
ジェット機等の噴射推進出力輸送機器用等の場合は、全動翼蒸気タービン合体機関乃至、全動翼ガスタービン合体機関乃至、全動翼蒸気ガスタービン合体機関を駆動し、更に霧吹きの原理９１ｂ・９１ｅ乃至９１ｈ・９１ｇを利用して、夫々の特殊装置９２ｂ・９２ｅ乃至水噴射装置９３ｂ・９３ｇを駆動し、既存ガスタービンの２７０〜５４０倍仮説出力１０倍速度を狙う、各種超音速ジェット機や宇宙往還親飛行機や各種超高速船舶等の、各種輸送機器や各種移動機器等にして、地球温暖化防止することを目的とする。
【課題を解決するための手段】
【００２９】
実験数値が正解ですが、前段階のアイディアを明快に説明するため、すべて仮説数字で説明しておりますが、アイディア仮説数字に限定はしません。例えば既存最先端再熱蒸気タービンのように再熱して、熱量を全く利用しない容積利用では、超臨界圧力から真空部まで蒸気速度が膨大過ぎて、有効利用困難乃至不可能に加えて、蒸気容積も１００００倍等に膨張し、単位容積重力仕事率が１／１００００に減少して、同一落差同一出力に１００００倍の動翼面積が必要になり、合理的な設計は不可能になり、動翼の１０〜２０倍も蒸気速度を消費して、回転仕事をしない静翼を１／２も設けて、蒸気速度を堰き止めて反転させ、実用蒸気速度に減速する等、無茶苦茶過ぎるのです。そこで合理的設計が可能な合体機関（燃焼ガスの熱量出力＋質量出力）の、各種全動翼ガスタービン合体機関や、各種全動翼蒸気タービン合体機関の、各種全動翼蒸気ガスタービン合体機関を提供します。
【００３０】
図１図２では既存再熱蒸気タービンが、合理的な設計不可能な動翼面積のため、既存再熱を逆転した全動翼蒸気タービン（実施例１）を発明して、図２霧吹きの原理（実施例２）により、超臨界圧力超臨界温度等複数温度水５ｂのうち、中央の高温水噴射ノズル５９ｂより最高温度水５ｂを噴射し、その爆発力により両側の高温水噴射ノズル５９ａの、複数温度水５ｂの低温水５ｂ等を噴射します。噴射の過程は加熱高温手段１０１により加熱高温として、高温水５ｂとの間に気化膜を設けて摩擦損失を最少とした、砲身状乃至末広砲身状の高温水噴射ノズル５９ｂ内では、低温水５ｂを火薬爆発機関銃の弾丸のように加速し、ノズル外では吹雪のように低温水５ｂを加速して、大速度を最適速度×大質量に変換して合理的に出力を発生し、供給熱量を気化熱に近付けた最少にします。そして燃焼ガス熱量出力を（既存ガスタービンの５倍落差×２倍回収熱量×５０倍重力仕事率×１０〜２０倍機械効率×１／２０減少率）＝（既存ガスタービンの２５０〜５００倍燃焼ガス熱量仮説発電量乃至出力）に増大します。
【００３１】
（実施例１）の大気圧部重力仕事率が水蒸気の１７００倍の、高温水質量を最適最大として、動翼面積の一部乃至大部分を、既存再熱蒸気タービンの１／１７００に縮小し、合理的な設計を可能にして、出力発生部の構造を１／１７００に近付け、全構造を１／１０〜１／５０等小型簡単にします。燃焼ガス熱量出力の超臨界圧力超臨界温度等複数温度高温水５ｂの落差や、最高温度水爆発力や質量を最適利用することで、容積の増大を僅少として、合理的な全動翼の設計を可能にし、重力仕事率が全燃焼ガスの５０倍質量以上等の高温水５ｂと、撥水鍍金外側タービン動翼群１９や、撥水鍍金内側タービン動翼群２０との間に撥水作用を設けて、摩擦損失最少で略直線蛇行的に噴射して、機械効率を１０〜２０倍に上昇して回転出力を発生し、高温水５ｂの噴射速度を合理的な設計が可能に減速して、重力仕事率を極限まで増大に変換し、燃焼ガス熱量出力を、既存ガスタービンの２５０〜５００倍仮説発電量乃至出力等に上昇します。
【００３２】
全動翼蒸気タービン撥水鍍金タービン全動翼８１により、略直線蛇行的に噴射して、爆発力最適利用により既存技術静翼を全廃し、機械効率を１０〜２０倍に上昇し、排気の過程では復水器と略同様に設けた、気化潜熱回収器６６ａの空気抽出器により、用途に合わせて飽和温度を１００℃・８０℃以下等とし、凝縮水を燃焼器兼熱交換器４に繰返し供給して、冷却水も給水３や水道水７０を用途に合わせて使用し、既存蒸気タービン海水温度の上昇を全廃します。そして供給熱量略全部を１００℃以下の水道水温熱として、製造原価略０で需要家に供給すると共に、水道水温熱利用の暖房機器や調理機器や厨房機器を製造供給します。気化潜熱回収器６６ａにより熱回収した凝縮水を、燃焼器兼熱交換器４に供給することで、同一熱量を限り無く繰り返し再再使用して、供給熱量の燃料燃焼質量を略気化熱の最低に低減し、電気料金も１／１０等とします。
【００３３】
図３（実施例３）では、全動翼ガスタービン全動翼圧縮機と、既存技術の１０倍回転数を狙う、送水ポンプ兼二重反転磁気摩擦動力伝達装置により、限り無く高圧圧縮した圧縮空気で、限り無く高圧燃焼熱交換冷却燃焼する燃焼器兼熱交換器４として、燃焼ガスタービン入口温度を最低にして、燃焼ガス温度と容積の障害を最低にし、燃焼ガス質量の排気温度を−２７３℃に近付けます。そして圧縮した空気の保有熱量−２７３℃以上略全部も含めて、既存ボイラの２倍前後の熱回収量の、超臨界圧力超臨界温度等各種温度の高温水５ｂとして、熱回収量を用途に合わせて最大にし、既存ガスタービンの５００倍燃焼ガス熱量仮説出力等とし、燃焼ガス質量出力も（既存ガスタービンの２倍落差×１０〜２０倍機械効率）＝（既存ガスタービンの２０〜４０倍仮説発電量）に上昇します。
【００３４】
発電設備の冷熱回収用に限定した全動翼ガスタービンでは、燃焼ガス質量の排気温度を−２７３℃に近付け、従来復水器と略同様に冷熱回収器１０２を設けて、従来冷却水に換えて水道水により冷熱を回収して、５℃前後の水道水冷熱に変換して貯蔵しておき、製造原価略０で需要家に供給すると共に、水道水冷熱利用の、業務用家庭用の各種冷蔵冷凍設備機器や各種冷房設備機器を製造供給し、脱フロンにより地球温暖化防止します。二酸化炭素や液体窒素等を回収する用途の場合は、全動翼圧縮機の圧縮空気圧力を限り無く上昇して、高圧燃焼熱交換冷却燃焼して全動翼ガスタービン入口温度を最低にし、出力発生の過程で遠心力により例えば二酸化炭素を先ず分別して、二酸化炭素回収器１０４で回収貯蔵します。順次液体窒素等を分別して液体窒素回収器１０５で回収貯蔵し、燃焼ガス質量の排気温度を−２７３℃に近付けます。
【００３５】
既存技術の１０倍回転数を狙う、送水ポンプ兼二重反転磁気摩擦動力伝達装置１４ａと、撥水鍍金水冷却翼８７の全動翼圧縮機により、圧縮圧力を既存ガスタービンの２〜４倍の１０〜２０ＭＰａ等として、理論空燃比まで燃料燃焼質量も、同一圧縮空気量既存ガスタービンの略４倍にし、同一圧縮空気量出力を（既存ガスタービンの２倍落差×４倍質量×１０〜２０倍機械効率）＝（既存ガスタービンの８０〜１６０倍仮説発電量）に増大します。そして燃焼ガス熱量の消費を０以下とした、同一燃料量燃焼ガス質量出力を（既存ガスタービンの２倍落差同一質量×１０〜２０倍機械効率）＝（既存ガスタービンの２０〜４０倍仮説発電量）に増大し、（燃焼ガス熱量発電量＋燃焼ガス質量発電量）＝（既存ガスタービンの２５０〜５００倍仮説発電量＋２０〜４０倍仮説発電量）＝（既存ガスタービンの２７０〜５４０倍仮説発電量）の全動翼蒸気ガスタービン合体機関にします。
【００３６】
図４の全動翼蒸気ガスタービン合体機関（実施例４）で、安価発電と冷熱回収量を最大にして、ＣＯ２等の燃焼ガス質量の排気を０等にする場合は、起動時のみ全動翼ガスタービンとして使用する、安価微粉炭燃料燃焼の全動翼蒸気ガスタービンを使用します。全動翼圧縮機を撥水鍍金水冷却翼８７で構成して、水等との間の摩擦損失を最小に近付け、低温圧縮空気にする過程で既存技術の１０倍回転数を狙う、送水ポンプ兼二重反転磁気摩擦動力伝達装置１４ａにより、圧縮空気を略直線蛇行的に限り無く高圧圧縮して水冷却翼で冷却して、更にその水を水噴射手段５６から水噴射して直接接触空気冷却し、圧縮圧力を既存ガスタービンの２〜４倍の１０〜２０ＭＰａ等とします。
【００３７】
最低温度の圧縮空気を燃焼器兼熱交換器４に供給し、限りなく高圧燃焼熱交換冷却燃焼して、燃焼ガス全動翼蒸気ガスタービン入口温度を、用途に合わせた最低温度に低下させ、燃焼ガス温度と容積の障害を最低に低下させます。燃焼ガス質量の排気温度を−２７３℃に近付け、圧縮空気保有熱量−２７３℃以上略全部を含め、既存ボイラの２倍前後の回収熱量の燃焼ガス熱量を、超臨界圧力超臨界温度等複数温度水５ｂにし、同一燃料量燃焼ガス質量発電量を（既存ガスタービンの２倍落差×１０〜２０倍機械効率×燃焼灰を含め２倍質量）＝（既存ガスタービンの４０〜８０倍燃焼ガス質量仮説発電量）にします。
【００３８】
熱交換して得た超臨界圧力超臨界温度等複数温度水５ｂの大部分を、別途全動翼蒸気タービンに供給して出力を発生し、最適最少量を全動翼蒸気ガスタービン（実施例４）の最上流の高温水溜３２ａに供給し、高温水噴射ノズル５９ｂ（実施例２）により超臨界温度等最高温度水５ｂ爆発力により、複数温度水の５０℃低温水５ｂ等を噴射加速します。ノズル内では低温水５ｂを火薬爆発機関銃の弾丸のように加速し、撥水鍍金タービン全動翼８１に噴射して、略直線蛇行的に出力発生して機械効率を１０〜２０倍に上昇の過程で、中流最適段に冷却された灰分を含む燃焼ガス質量を供給して、低温水５ｂにより水蒸気や燃焼ガスを冷却し、灰分を含めて重力仕事率を増大して最適減速して、合理的な設計により最大量の電力を発生供給すると共に、断熱膨張低温燃焼ガス灰を核に全水分を凝集することで、ＣＯ２等の燃焼ガスに水の被覆を設けて、撥水鍍金タービン全動翼８１により摩擦損失最少で出力を発生し、排気真空度の上昇やＣＯ２排気０を可能にします。
【００３９】
燃焼ガス質量の排気温度は−２７３℃に近付け、冷熱回収器１０２により熱交換５℃前後の水道水冷熱として貯蔵し、製造原価略０で冷熱水道水管を配管して需要家に供給し、既存の業務用家庭用冷蔵設備やクーラーに変えて、脱フロンの安価な水道水冷熱利用の、業務用家庭用の冷凍設備や冷蔵設備やクーラーを提供し、膨大過ぎる冷熱は散水して都市部を丸ごと冷却する等とし、冷房や冷凍設備や冷蔵設備の運用費を１／１０等に低減します。膨大になり過ぎる冷熱水で海水を冷却する過程では、低温ＣＯ２や窒素等を大量の海水に溶解して冷熱海水とし、酸素等の空気を吸引して海底に最適量を希薄供給し、微生物や海草や魚介類を繁殖させる工夫をして海域の活性化を図ります。又は水道水等を冷却した冷熱のＣＯ２や窒素等の溶解水は、生ゴミや泥土や植物片に固定して膨大安価な肥料等とし、ＣＯ２深海固定等の常識を逆転し、世界の火力発電所から排出されるＣＯ２等の排気を０等にし、海水温度は冷却に逆転して地球温暖化防止します。
【００４０】
自動車等の回転出力輸送機器等の場合は、燃焼ガス熱量出力＋燃焼ガス質量出力全部を、回転出力として燃焼ガス質量の排気を０等とするときは、（実施例４）全動翼蒸気ガスタービンの最上流複数の高温水溜３２ａに、燃焼器兼熱交換器４で熱交換して得た超臨界温度等複数温度水５ｂ全部を、夫々の高温水加減弁７ａより燃焼ガス熱量出力として供給し、加熱高温手段１０１で加熱高温とした、砲身状乃至末広砲身状の高温水噴射ノズル５９ｂより噴射して、ノズルと高温水５ｂとの間に気化膜を設けて、摩擦損失最少で高温水５ｂ爆発速度を最適利用し、ノズル内やノズル外では火薬爆発機関銃の弾丸や吹雪のように低温水５ｂを加速して、低温水５ｂ等の質量を燃焼ガスの５０倍以上等に増大して最適減速し、撥水鍍金タービン全動翼８１と高温水との間の摩擦損失を最少とし、重力仕事率最大で略直線蛇行的に噴射し、機械効率を１０〜２０倍に上昇します。
【００４１】
大気圧重力仕事率が既存蒸気タービンの１７００倍の、低温水５ｂ等の質量を用途に合わせて最大にし、出力発生部の構造を１／１７００の小型簡単に近付け、中流最適圧力段に最低温度の燃焼ガス質量を供給して、一瞬低温水５ｂで燃焼ガス１０を冷却し、出力発生の過程で逆転して、低温燃焼ガスにより水蒸気を冷却し、排気の過程で気化潜熱回収器６６ａにより給水３により熱回収して、燃焼器兼熱交換器４に供給使用し、ＣＯ２等の燃焼ガスを５０倍質量等の凝縮水に溶解して排水し、ＣＯ２等の燃焼ガス質量の排気を０等にすると共に、大気圧部重力仕事率を水蒸気の１７００倍の高温水出力にして、タービン動翼面積の一部乃至大部分を、既存蒸気タービンの１／１７００に近付けて、合理的な動翼面積にし、全体構造を１／１０〜１／５０等小型簡単にします。
【００４２】
自動車等の回転出力輸送用機器でＣＯ２等を０にしない、燃焼ガス溶解水の用途が無い場合は、大気圧飽和温度を１００℃前後とし、気化潜熱回収器６６ａは気化熱空冷器６６ｂとして、凝縮水を燃焼器兼熱交換器４に限り無く再再供給使用とし、燃焼ガス質量出力の全部により別途全動翼ガスタービンを駆動して、発電・蓄電して各種用途に利用し、発電後の排気により空気を冷却して冷房用等の別用途に使用する、全動翼蒸気ガスタービン合体機関とします。そして燃焼ガス熱量出力＋燃焼ガス質量出力を（同一燃料量既存ガスタービンの２５０〜５００倍出力＋２０〜４０倍出力）＝（既存ガスタービンの２７０〜５４０倍仮説出力）等とし、回転出力利用の、各種自動車等の各種陸上輸送移動機器や、各種船舶等の各種水上輸送移動機器や、各種飛行機等の各種空中輸送移動機器用等の、全動翼蒸気ガスタービン合体機関として使用します。
【００４３】
（実施例５）回転出力＋バイパス噴射で、空気吸引力＋噴射推進力利用の場合、各種空中輸送移動機器では水の補給が困難と、バイパス噴射では大速度が利用可能なため、超臨界圧力超臨界温度等複数温度水５ｂ温度は、高温側高温水５ｂを多く使用した霧吹きの原理を利用し、空気吸引噴射する噴射推進出力発生とします。従って全動翼蒸気ガスタービン合体機関の空気圧縮機を駆動するため、最高温度水５ｂ爆発力を回転出力に変換する部分を除き、霧吹きの原理を利用した構造が非常に簡単になるため、廃熱回収が不可能を相殺した出力となり、既存ガスタービンの２７０〜５４０倍仮説出力等の、全動翼蒸気ガスタービン合体機関とし、既存技術の１０倍回転数を狙う、送水ポンプ兼二重反転磁気摩擦動力伝達装置により、全動翼圧縮機その他を駆動して、超音速旅客機や宇宙往還親飛行機や空気吸引噴射推進船舶等として使用し、その速度を１０倍前後に増大します。
【００４４】
例えば図６（実施例６）の、全動翼蒸気タービン合体機関の全動翼蒸気ガスタービン合体機関は、通常の起動装置により全動翼蒸気タービンを含む全動翼圧縮機を駆動し、起動時のみ全動翼蒸気タービンを全動翼ガスタービンで使用します。公知技術により図に無いバルブ制御して、熱交換して得た燃焼ガス熱量出力の、高温水５ｂを超臨界圧力等として貯蔵増大しながら、熱交換して得た燃焼ガス質量出力の低温燃焼ガスを、全動翼蒸気タービンの最上流に供給し、その回転出力で全動翼圧縮機を駆動して前方の空気を吸入し、送水ポンプ兼二重反転磁気摩擦動力伝達装置による、高圧圧縮空気と燃焼器兼熱交換器４により、限り無く高圧燃焼熱交換冷却燃焼して、超臨界温度等複数温度水５ｂ温度を上昇貯蔵しながら、起動準備運転を継続します。
【００４５】
起動準備運転で熱交換して得た超臨界温度等の高温水温度上昇時には、図に無いバルブ制御により、燃焼ガス質量の低温燃焼ガス１０全部を、霧吹きの原理９１ｂの特殊装置９２ｂよりバイパス噴射して、前方の空気を吸引して噴射し、その吸引力と噴射速度質量を噴射推進力とします。熱交換して得た燃焼ガス熱量の超臨界温度等複数温度水５ｂの一部を、全動翼蒸気タービンの最上流複数の高温水溜り３２ａに供給して、夫々の高温水噴射ノズル５９ｂ（実施例２）により噴射し、撥水鍍金タービン全動翼８１により摩擦損失最少で回転出力を発生して、その回転出力と１０倍回転数を狙う（実施例１１）の、送水ポンプ兼二重反転磁気摩擦動力伝達装置により、全動翼空気圧縮機を既存技術の１０倍前後で高速回転駆動し、その空気吸引力と排気噴射速度×質量を噴射推進力とします。残り大部分の高温水全部を適宜に貯蔵してバイパス噴射して、超音速旅客機や宇宙往還親飛行機や空気吸引噴射推進船舶等として使用し、その速度を１０倍前後に増大します。
【００４６】
即ち公知技術による図に無いバルブ制御により、熱交換して得た燃焼ガス全部と残り大部分の高温水５ｂは、夫々の霧吹きの原理９１ｂと９１ｅ＋実施例２を利用してバイパス噴射し、断熱膨張ラムジエツトを遥かに越える大落差で燃焼ガスをバイパス噴射し、ラムジェットの５倍落差前後５０倍仮説質量等で高温水５ｂをバイパス噴射して、前方の空気を吸引して噴射推進し、空気吸引力と噴射速度×質量により、既存ジェット機の１０倍前後の超音速飛行を含めて、超音速ジエツト機や宇宙往還親飛行機や、水上飛行船舶や飛行物体等を最も効率良く噴射推進し、噴射推進の過程で低温燃焼ガスや低温水５ｂにより、水蒸気容積を１/１７００容積等に冷却縮小して、溶解水を海上等に希薄供給して海域の活性化を図り、排気騒音を１／１０等に低減して、騒音公害を皆無に近付けます。
【００４７】
（実施例７）回転出力＋バイパス水吸引噴射推進力利用の場合、各種水上輸送移動機器では水の補給が容易なのと、バイパス水吸引噴射では大重力仕事率が有効等のため、超臨界圧力超臨界温度等最高温度水５ｂ爆発力は大きく、低温水５ｂは低温で多く使用した、霧吹きの原理９１ｇや（実施例２）とし、霧吹きの原理９１ｈの水噴射装置９３ｂにより燃焼ガス質量を噴射し、水を吸引して噴射する噴射推進出力発生とします。従って全動翼蒸気タービンの空気圧縮機を駆動する、超臨界圧力最高温度水５ｂ爆発力を回転出力にする過程で、排気圧力を限り無く上昇して船体を浮上推進します。霧吹きの原理を利用した構造が非常に簡単になるため、廃熱回収が不可能を相殺した出力となり、既存ガスタービンの２７０〜５４０倍仮説出力等の、全動翼蒸気タービン合体機関として、既存技術の５倍速度を狙う、水吸引噴射推進する各種超高速船舶等として使用します。
【発明の効果】
【００４８】
熱交換して得た燃焼ガス熱量出力に、圧縮空気保有熱量を加えて、同一燃料量既存ボイラの２倍前後の燃焼ガス熱量出力を、超臨界圧力超臨界温度等複数温度水５ｂに変換し、燃焼ガス熱量出力＋燃焼ガス質量出力を（既存ガスタービンの２５０〜５００倍＋２０〜４０倍＝２７０〜５４０倍仮説出力）に上昇する効果がある。
【００４９】
加熱高温とした高温水噴射ノズル５９ｂにより、超臨界圧力超臨界温度等最高温度水５ｂ爆発力により、複数温度低温水５ｂを噴射加速する過程で、気化膜を設けて摩擦損失最少で噴射するため、最も効率良く大気圧単位容積重力仕事率を、既存蒸気タービンの１７００倍に近付けて、撥水鍍金タービン全動翼による、同一燃料量燃焼ガス熱量出力を、既存ガスタービンの２５０〜５００倍仮説出力等に増大する効果がある。
【００５０】
高温水噴射ノズル５９ｂにより、超臨界圧力超臨界温度等最高温度水５ｂ爆発力により、複数温度低温水５ｂを噴射加速する過程で、最も効率良く大気圧単位容積重力仕事率を、既存蒸気タービンの１７００倍に近付け、動翼面積の一部乃至大部分を１／１７００に縮小して、出力発生部の構造を１／１７００の小型簡単に近付け、全体構造を１／１０〜１／５０等の小型簡単にする効果がある。
【００５１】
超臨界温度等複数温度水５ｂを使用するため、加熱高温手段により加熱高温とした高温水噴射ノズル５９ｂにより、高温水５ｂとの間に気化膜を設けて、摩擦損失最少で超臨界圧力最高温度水５ｂ爆発力により、高温水噴射ノズル５９ｂ内や外では、高温水５ｂ乃至低温水５ｂを火薬爆発機関銃の弾丸や吹雪のように加速し、撥水鍍金タービン全動翼８１により略直線蛇行的噴射して、機械効率を１０〜２０倍に上昇する効果がある。
【００５２】
撥水鍍金タービン全動翼８１及び撥水鍍金噴口８３を、撥水鍍金して摩擦損失を僅少とし、超臨界温度等最高温度水５ｂ爆発力により、重力仕事率最大×最適速度に減速し、撥水鍍金タービン全動翼８１により略直線蛇行的に噴射して、最も効率良く出力を発生させるため、機械効率を１０〜２０倍に上昇する効果があります。
【００５３】
大気圧単位容積重力仕事率を、既存蒸気タービンの１７００倍に近付け、動翼面積の一部乃至大部分を１／１７００の小型簡単に近付けるため、撥水鍍金外側タービン動翼群１９及び、撥水鍍金内側タービン動翼群２０を段落毎環状に一体鋳造として、全自動加工組立てを容易にし、製造原価を１／１０等に近付ける効果があります。
【００５４】
水噴射手段５６の鋳込みにより、水噴射して圧縮空気を直接冷却し、撥水鍍金水冷却翼により空気圧縮するため、送水ポンプ兼二重反転磁気摩擦動力伝達装置により、限り無く高圧圧縮して最も効率良く空気圧縮して、最低温度の圧縮空気を燃焼器兼熱交換器に供給し、限りなく高圧燃焼熱交換冷却燃焼を可能にする効果があります。
【００５５】
低温高圧空気を燃焼器兼熱交換器で、限りなく高圧燃焼熱交換冷却燃焼することで、理論空燃比まで燃料燃焼質量を、既存ガスタービンの４倍前後に増大し、全動翼蒸気ガスタービン合体機関圧縮空気圧力を２倍以上に上昇し、燃焼ガス質量出力を（同一燃料量既存ガスタービンの２０〜４０倍仮説出力）に上昇する効果があります。
【００５６】
燃焼器兼熱交換器で限りなく高圧燃焼熱交換冷却燃焼して、既存ボイラの２倍前後の熱回収量とし、電気料金を１／１０等に低下させて、発電所等から排出されるＣＯ２等の地球温暖化燃焼ガスを、最も効率良く水に溶解して回収して、植物片や泥土等に固定した肥料等として、有効利用する効果もあります。
【００５７】
全動翼蒸気タービン同一燃料量の、燃焼ガス熱量出力を（既存ガスタービンの２５０〜５００倍仮説出力）に増大し、気化潜熱回収器により使用燃焼ガス熱量略全部を、１００℃以下の水道水温熱として製造原価略０で需要家に供給して、既存蒸気タービンが使用熱量全部で海水温度を上昇する無茶苦茶を全廃し、地球温暖化防止する効果があります。
【００５８】
全動翼蒸気タービン同一燃料量の、燃焼ガス熱量出力を（既存ガスタービンの２５０〜５００倍仮説出力）に増大し、気化潜熱回収器により使用燃焼ガス熱量略全部を、１００℃以下の水道水温熱として需要家に供給して、水道水温熱利用の暖房厨房調理設備機器を製造供給して、電気料金を１／１０等にする効果があります。
【００５９】
全動翼ガスタービン燃焼ガス排気温度を−２７３℃に近付けて、大きな単位容積重力仕事率で大きな出力を発生させ、排気燃焼ガス質量全部を冷熱回収器により、５℃前後の水道水冷熱として製造原価略０で需要家に供給して、電気料金を１／１０等にし、ＣＯ２等燃焼ガス排気を０に近付ける効果があります。
【００６０】
全動翼ガスタービン燃焼ガス排気温度を−２７３℃に近付けて、撥水鍍金タービン全動翼により、燃焼ガス熱量消費０以下等の、同一燃料量燃焼ガス質量出力を（既存ガスタービンの２０〜４０倍仮説出力）とし、水道水冷熱利用の冷凍冷蔵冷房設備機器を製造供給して、脱フロンにより地球温暖化防止する効果があります。
【００６１】
冷熱回収器により５℃前後の水道水冷熱で供給して、燃焼ガス全部を水に溶解回収して別利用し、水道水冷熱利用の業務用や家庭用の、冷蔵設備機器や冷凍設備機器や冷房設備機器を製造供給して、既存の業務用や家庭用の冷蔵設備機器や冷凍設備機器や冷房設備機器を全廃し、脱フロンやＣＯ２排気０等による地球温暖化防止の効果もあります。
【００６２】
発電量を増大する程極低温燃焼ガスの増産になるため、海水を冷却すると海底にＣＯ２や窒素や酸素を希薄供給して、餌となる微生物や海藻や魚類等を繁殖させて、海域等を活性化する効果があり、濃度さえ適正なら有効利用可能で、深海底固定等の誤りを逆転して、人類のために貢献する手法を皆で考える効果がある。
【００６３】
超臨界圧力等最高温度水５ｂ爆発力により低温水５ｂを噴射加速して、大気圧質量が水蒸気の１７００倍の低温水５ｂの質量を、燃焼ガスの５０倍以上等に増大して最適減速するため、全動翼蒸気ガスタービン合体機関出力発生部の構造を１／１７００に近付け、全体構造を１／５０等に小型簡単大出力に近付ける効果があります。
【００６４】
全体構造を１／５０等に小型簡単大出力に近付けることで、回転出力の各種自動車や各種船舶や各種飛行機等を駆動する、各種全動翼蒸気ガスタービン合体機関を積載容易として、燃料消費量を１／１００等に低減して水を大量消費することで、火災の発生を１／１０等に低減すると共に、自動消火等を可能にして安全にする効果があります。
【００６５】
全体構造を１／５０等に小型簡単大出力に近付けて、送水ポンプ兼二重反転磁気摩擦動力伝達装置を使用し、性能の上昇も１０倍等に近付け、回転出力の各種船舶や各種飛行機等を駆動する各種プロペラを、用途に合わせた二重反転プロペラにすることで、垂直上昇降下空中移動全盛や、５倍速度船舶に近付ける効果があります。
【００６６】
全体構造を１／５０等に小型簡単大出力に近付けて、気化熱冷却器６６ｂを含めたため、各種自動車等の陸上輸送移動用車両や各種プロペラ飛行機やヘリコプター等の空中輸送移動飛行機等では、凝縮水を燃焼器兼熱交換器４に限り無く繰返し供給して、凝縮水を循環使用出来る効果があります。
【００６７】
超臨界圧力等最高温度水５ｂ爆発力により低温水５ｂを噴射加速して、撥水鍍金タービン全動翼や特殊装置９２ｅを駆動し、燃焼ガス質量で特殊装置９２ｂを駆動して、燃焼ガス熱量出力＋燃焼ガス質量出力を（既存ガスタービンの２７０〜５４０倍仮説出力）に増大し、噴射推進各種空中輸送移動飛行機を１０倍速度に近付ける効果があります。
【００６８】
超臨界圧力等最高温度水５ｂ爆発力で、撥水鍍金タービン全動翼や特殊装置９２ｅを駆動し、燃焼ガス質量で特殊装置９２ｂを駆動して、送水ポンプ兼二重反転磁気摩擦動力伝達装置で全動翼圧縮機等を駆動して（既存ガスタービンの２７０〜５４０倍仮説出力）に増大し、噴射推進各種空中輸送移動飛行機を１０倍速度に近付ける効果があります。
【００６９】
超臨界圧力等最高温度水５ｂ爆発力と送水ポンプ兼二重反転磁気摩擦動力伝達装置で、撥水鍍金タービン全動翼と全動翼圧縮機等を駆動して船体を浮上推進し、超臨界圧力等最高温度水５ｂ爆発力と燃焼ガス質量で水噴射装置９３ｇと９３ｈを駆動して、水を吸引噴射推進し、各種水上輸送移動船舶を１０倍速度に近付ける効果があります。
【発明を実施するための最良の形態】
【００７０】
発明の実施の形態や実施例を、図面を参照して説明するが、既説明の発明の開示等と、その構成が略同じ部分には、同一の名称又は符号を付して、重複説明は省略し、特徴的な部分や説明不足部分は、順次追加重複説明する。又、発明の意図する所及び予想を具体的に明快に説明するため、アイディアを仮説数字で説明しておりますが、無限大の用途により千変万化する最良の形態がありますので、前記仮説倍率を含めて数字に限定しません。
【００７１】
この発明により最も簡単に効率良く空気を冷却圧縮し、熱回収して低温空気として使用する燃焼器兼熱交換器４は、既に特許出願済の燃焼器兼熱交換器を、用途に合わせて選択使用します。又、超臨界圧力超臨界温度等最高温度水５ｂ爆発力により、複数温度水５ｂを噴射加速しますが、最も効率良く出力を発生させるため、加熱高温の高温水噴射ノズル５９ｂを使用し、複数温度水５ｂとの間に気化膜を設けて、摩擦損失最少で噴射加速しますが、用途によりその複数温度水５ｂ温度を高温水５ｂや、低温水５ｂ等に用途に合わせて夫々千変万化します。また燃焼ガス質量の排気温度を−２７３℃に近付けますが、明快に説明するため前記説明を含めて−２７３℃は、実用的な最低温度として使用し、−１００℃前後や−２０℃前後等、用途により千変万化します。
【実施例１】
【００７２】
図１の全動翼蒸気タービン（実施例１）には、図３（実施例３）の燃焼器兼熱交換器４により限り無く高圧燃焼熱交換冷却燃焼して得た、燃焼ガス質量＋燃焼ガス熱量のうち、既存ボイラの２倍前後の燃焼ガス熱量を、超臨界温度等複数温度水５ｂとして高温水管６ａにより、高温水加減弁７ａを介して、全動翼蒸気タービンの最上流複数の高温水溜３２ａに、夫々複数温度水５ｂを別々に供給し、断熱材４８ａを介して設けて、直接電気抵抗等公知技術により加熱高温とする、加熱高温手段１０１により加熱高温とした、砲身状乃至末広砲身状の高温水噴射ノズル５９ｂにより、霧吹きの原理（実施例２）を利用して、超臨界圧力超臨界温度等最高温度水５ｂ爆発力により、３０℃等低温水５ｂ乃至高温水５ｂを噴射加速し、出力発生の過程で爆発水蒸気容積を低温水５ｂにより、大気圧部１／１７００容積に縮小して、大気圧部単位動翼面積出力を１７００倍に近付け、高温水５ｂ噴射加速質量を燃焼ガス質量の５０倍以上等、用途に合わせて増大します。
【００７３】
出力発生の過程では主として超臨界圧力より大気圧まで使用し、高温水５ｂとの間に気化膜を設けて、高温水噴射ノズル５９ｂ内では高温水５ｂを火薬爆発機関銃の弾丸のように加速し、ノズル外では吹雪のように高温水５ｂを加速して、摩擦損失最少で撥水鍍金タービン全動翼８１に噴射し、撥水鍍金により高温水５ｂとの間の摩擦損失を最少として、略直線蛇行的に噴射して出力を発生し、機械効率を既存蒸気タービンの１０〜２０倍に上昇し、供給燃料燃焼熱量を気化熱の最少に近付けます。そして燃焼ガス熱量出力を（既存ガスタービンの５倍落差×２倍回収熱量×５０倍質量重力仕事率×１０〜２０倍機械効率×１／２０減少率）＝（既存ガスタービンの２５０〜５００倍仮説発電量乃至出力）等に増大し、爆発速度を変換減速して大気圧部１７００倍仕事率５ｂ質量を最大にして、合理的な設計を可能にし、出力発生部の構造を１／１７００に近付け、全体構造が１／５０等の小型簡単大出力の、全動翼蒸気タービンに近付けます。
【００７４】
超臨界圧力最高温度水５ｂ爆発力により低温水５ｂを加速して、複数温度水５ｂの質量を燃焼ガスの５０倍等に増大し、最適速度に減速して出力を発生して、合理的設計や低速大出力回転可能や、全体構造を１／１０〜１／５０等に小型簡単大出力にすることで、翼間隔を拡大した全動翼翼形や全動翼翼幅や全動翼翼角度を、重力仕事率大気圧部１７００倍等の増大に合わせた形状にし、全動翼翼形として略直線蛇行的に噴射を可能にすると共に、撥水鍍金外側タービン動翼群１９及び、撥水鍍金内側タービン動翼群２０を、段落毎環状に一体鋳造８４及び全自動加工も可能にし、全自動組立も可能な構造の小型簡単大出力も含めて、製造原価を１／１０前後等に低減します。
【００７５】
排気の過程では、既存復水器と略同様に設けた気化潜熱回収器６６ａの空気抽出器により、飽和温度１００℃以下等を可能とし、冷却水の海水に換えて水道水７０で熱回収することで、１００℃等の回収凝縮水を限り無く繰り返し燃焼器兼熱交換器４に供給して再再使用し、供給燃料燃焼熱量を気化熱の最少に近付けると共に、その供給燃料燃焼熱量略全部を飽和温度１００℃以下の水道水温熱として、気化潜熱回収器６６ａにより熱回収して貯蔵しておき、膨大な１００℃以下水道水温熱を発電の副産物として、製造原価略０で需要家に供給すると共に、水道水温熱利用の暖房設備機器器具や調理設備機器器具を製造供給して需要の拡大を図り、既存蒸気タービンの燃料燃焼使用熱量全部による、海水温度上昇地球温暖化加速の無茶苦茶を皆無として、電気料金を１／１０等とします。
【実施例２】
【００７６】
図２の霧吹きの原理（実施例２）により、各種高温水噴射ノズル５９ｂを説明する。超臨界圧力超臨界温度等最高温度水５ｂ爆発力を中心に配置した、霧吹きの原理（実施例２）より、１以上複数温度水５ｂと９０°以内で合流混合して、超臨界圧力超臨界高温等最高温度水５ｂ爆発力により、３０℃前後の低温水５ｂや高温水５ｂを噴射する、電気抵抗等の公知技術で加熱する加熱高温手段１０１により加熱高温とした、高温水噴射ノズル５９ｂとして、燃焼ガス熱量出力発生の過程では気化膜を設けて摩擦損失を最少とし、超臨界圧力超臨界温度等最高温度水５ｂ爆発力により、１以上複数温度水５ｂを噴射加速して、高温水噴射ノズル５９ｂ内では、低温水５ｂや高温水５ｂを火薬爆発機関銃の弾丸のように加速し、ノズル外では吹雪のように加速して、大気圧重力仕事率を水蒸気の１７００倍５ｂ質量を増大し、全重力仕事率を燃焼ガス全質量の５０倍以上等に増大し、撥水鍍金タービン全動翼８１に噴射します。
【００７７】
出力発生の過程では各種高温水噴射ノズル５９ｂより、撥水鍍金タービン全動翼８１に噴射し、撥水鍍金した撥水鍍金タービン全動翼により、摩擦損失最少で略直線蛇行的に噴射して出力を発生し、最も効率良く駆動して機械効率を既存蒸気タービンの１０〜２０倍に上昇します。加熱高温手段１０１の外側には断熱材４８ａを設けて、全動翼蒸気タービンや全動翼蒸気タービン合体機関や全動翼蒸気ガスタービンや全動翼蒸気ガスタービン合体機関の最上流及び、霧吹きの原理９１ｅ・９１ｇの最上流に具備して、全動翼蒸気タービン合体機関や全動翼蒸気ガスタービン合体機関及び、特殊装置９２ｅや水噴射装置９３ｇを構成し、最も効率良く回転出力及び噴射推進出力を発生します。
【実施例３】
【００７８】
図３の全動翼ガスタービン（実施例３）は、全動翼圧縮機の主要部分の、撥水鍍金外側圧縮機動翼群１６及び撥水鍍金内側圧縮機動翼群１７の、撥水鍍金水冷却翼８７等を、図にない冷却手段５５により通水して水冷却し、その給水３を水噴射手段５６より水噴射して圧縮空気を直接接触冷却し、その熱を給水３で回収して空気容積を縮小します。撥水鍍金水冷却翼８７を、既存技術の１０倍相対回転数全動翼大幅構造簡単化を狙う、送水ポンプ兼二重反転磁気摩擦動力伝達装置１４ａにより、二重反転させることで超高速二重反転を可能にし、翼間隔を増大した全動翼翼形として、圧縮空気を略直線蛇行的に効率よく圧縮し、水との摩擦損失最小で圧縮する、撥水鍍金の撥水鍍金外側圧縮機動翼群１６及び撥水鍍金内側圧縮機動翼群１７を、段落毎全自動加工が可能な環状に一体鋳造８４として、全自動組立も可能な構造とし、環状鋳造組立部で冷却手段５５の水路を連結して、該組立接続部付近に水噴射手段５６を設けて、製造原価を大幅に低減します。
【００７９】
冷却手段５５の水路を、１以上複数又は段落全部又は段落半分の撥水鍍金水冷却翼８７を冷却後に、水噴射手段５６より水噴射して直接空気冷却し、最も効率良く水冷却した低温空気を、既存技術の１０倍回転数全動翼大幅簡単化を狙う、送水ポンプ兼二重反転磁気摩擦動力伝達装置１４ａ（実施例１１）で駆動する全動翼により、用途に合わせて限り無く高圧圧縮します。熱回収した給水３と低温圧縮空気により、燃焼器兼熱交換器４で限りなく高圧燃焼熱交換冷却燃焼して熱回収し、全動翼ガスタービン燃焼ガス入口温度を最低に低下させ、熱回収量を既存ボイラの２倍前後に増大します。低温燃焼ガス質量の排気温度を−２７３℃に近付け、冷熱回収器１０２により熱交換して水道水冷熱で貯蔵し、５℃前後の水道水冷熱を製造原価略０で需要家に供給すると共に、水道水冷熱利用の業務用や家庭用の冷凍冷蔵冷房設備機器を製造供給します。用途により出力発生排気の過程で、二酸化炭素や液体窒素等を遠心力により分離して、各種冷熱回収器で貯蔵供給します。
【００８０】
燃焼器兼熱交換器４で限りなく高圧燃焼熱交換冷却燃焼熱回収して、燃焼ガス熱量出力＋燃焼ガス質量出力に分離し、燃焼ガス質量の排気温度を−２７３℃に近付け、燃焼ガスの温度と容積の障害を最低にし、例えば１０倍回転数を狙う（実施例１１）により限り無い圧縮圧力の上昇を可能にし、既存ガスタービンの２〜４倍以上の１０〜２０ＭＰa以上を可能とします。燃料燃焼質量も理論空燃比まで、同一圧縮空気量既存ガスタービンの略４倍燃焼とし、燃料燃焼熱量の消費を０以下とした、燃焼ガス質量出力を（同一圧縮空気量最低温度の燃焼ガス質量出力）＝（既存ガスタービンの２倍落差×４倍燃料質量×１０〜２０倍機械効率）＝（同一圧縮空気量既存ガスタービンの８０〜１６０倍仮説発電量）の全動翼ガスタービンとし、燃焼ガス質量出力を（同一燃料量既存ガスタービンの２倍落差×１０〜２０倍機械効率）＝（同一燃料量既存ガスタービンの２０〜４０倍仮説発電量乃至出力）の全動翼ガスタービンとします。
【００８１】
熱交換して得た最低温度の燃焼ガス１０質量を、撥水鍍金タービン全動翼８１を具備した、全動翼ガスタービンの最上流の環状の燃焼ガス溜９より、環状の撥水鍍金噴口群２４より噴射して、外側軸装置の環状の受け口２３の、全動翼ガスタービンの最上流より順次出力を発生させます。その出力により撥水鍍金水冷却翼８７の全動翼圧縮機を駆動しながら、燃焼器兼熱交換器４内で、超臨界温度等複数温度水５ｂ温度を上昇して、保存貯金増大します。その高温水５ｂの温度上昇時に、夫々の高温水加減弁７ａを開放制御して、高温水５ｂを図１の全動翼蒸気タービンの、夫々複数の高温水溜３２ａに複数温度水を別々に供給して、燃焼ガス熱量出力を発生させ、燃焼ガス熱量出力＋燃焼ガス質量出力を（既存ガスタービンの２５０〜５００＋２０〜４０＝２７０〜５４０倍仮説発電量や出力等）とし、１００℃以下の水道水温熱や５℃前後の水道水冷熱を、製造原価略０で需要家に供給し、電気料金を１／１０等に低減します。
【００８２】
出力発生の過程では撥水鍍金した、撥水鍍金タービン全動翼と燃焼ガスとの間の摩擦損失を最少として、略直線蛇行的に噴射して機械効率を１０〜２０倍に上昇し、用途により水噴射して燃焼ガス温度を低下させて最適速度に低減し、又は全動翼圧縮機により限り無く高圧圧縮して、出力発生排気の過程では遠心力により極低温燃焼ガス全部を、二酸化炭素や液体窒素等として分別回収して、各種冷熱回収器により貯蔵利用し、又は冷熱回収器１０２により熱交換２〜５℃の水道水冷熱に変換して、発電の副産物として製造原価略０で需要家に供給し、同時に水道水冷熱により圧縮空気を冷却する、業務用や家庭用の、冷凍設備機器や冷蔵設備機器や空冷設備機器等を製造供給して、既存設備機器を全廃した脱フロンによる地球温暖化防止すると共に、冷熱回収後のＣＯ２等の燃焼ガスを海水等に溶解して冷却排水し、ＣＯ２等燃焼ガス排気を０や僅少にして地球温暖化防止します。
【実施例４】
【００８３】
図４（実施例４）の全動翼蒸気ガスタービン合体機関は、燃焼ガス熱量出力＋燃焼ガス質量出力全部を使用しますが、起動時には燃焼ガス熱量出力の高温水５ｂが皆無のため、燃焼ガス１０のみにより全動翼ガスタービンとして使用し、高温水加減弁７ａを閉止して、燃焼器兼熱交換器４により限り無く高圧燃焼熱交換冷却燃焼し、燃焼ガスタービン入口温度を用途に合わせて最低温度として、内側軸装置の最適圧力中間段に燃焼ガス質量を供給し、その出力により全動翼圧縮機等を駆動し、熱交換して得た超臨界温度等複数温度水５ｂ温度を上昇して、起動準備を終了します。そして高温水加減弁７ａを開放して複数の高温水溜３２ａに、超臨界温度等複数温度水５ｂを別々に供給し、（実施例１）と同様に設けた高温水噴射ノズル５９ｂより、霧吹きの原理（実施例２）を利用して、超臨界圧力超臨界温度等最高温度水５ｂ爆発力により、用途に合わせた低温水５ｂ乃至高温水５ｂを噴射して、（実施例１）と同様に出力を発生します。
【００８４】
（１）出力発生は（実施例３）と同様にして熱回収した、既存ボイラの２倍前後の燃焼ガス熱量出力で、（実施例１）と同様に出力発生の過程で、中流最適圧力段に燃焼ガス質量を、燃焼器兼熱交換器４より、環状の燃焼ガス溜９・環状の外軸ガス穴１８Ａ・環状の内軸ガス穴１８Ｂを介して、内側軸装置の内側から圧力に合わせて供給し、同一燃料量出力を（燃焼ガス熱量出力＋燃焼ガス質量出力）＝（既存ガスタービンの２５０〜５００倍出力＋２０〜４０倍出力）＝（既存ガスタービンの２７０〜５４０倍仮説発電量乃至出力）とし、排気の過程に気化潜熱回収器６６ａで熱回収して、大気圧まで使用の場合は熱回収した１００℃前後の給水３を、燃焼器兼熱交換器４に供給します。断熱膨張燃焼ガス質量の排気温度を−２７３℃に近付ける過程で、爆発水蒸気容積を燃焼ガスにより１／１７００容積に冷却凝集縮小し、排気騒音を１／１０等に低減して、ＣＯ２等の燃焼ガスを５０倍質量等の凝縮水に溶解して排水し、ＣＯ２等の燃焼ガス排気を０や０に近付けます。
【００８５】
（２）有限の燃料資源を子孫に残す場合は、公害低減・地球温暖化防止が急務であり、発電用補助燃料として有限の燃料資源を子孫にも残すため、公知のゴミガス化燃料やゴミ微細化燃料や、燃えるもの全部を燃焼して熱回収補助使用して、超臨界温度等複数温度水５ｂとして、高温水加減弁７ａを介して、夫々複数の高温水溜３２ａに別々に供給して（実施例１）により電力に変換します。そして該燃焼ガス空気も（実施例３・４）の全動翼圧縮機で圧縮して、水噴射手段５６により直接低温空気に冷却し、燃焼器兼熱交換器４により発電用主燃料燃焼で再燃焼させて通常使用に合流して、熱回収量を増大して発電用主燃料燃焼時に、ＣＯ２や公害ガス排気を０や０に近付けます。
【００８６】
発電用主燃料には安価豊富な微粉炭燃料の燃焼として、全動翼蒸気ガスタービン燃焼器兼熱交換器４により、限り無く高圧燃焼熱交換冷却燃焼して、燃焼ガス熱量出力＋燃焼ガス質量出力に分離し、熱交換して得た既存ボイラの２倍前後の燃焼ガス熱量出力の、超臨界温度等複数温度水５ｂの大部分を、別途全動翼蒸気タービンに供給して、（実施例１）と同様に電力や水道水温熱として需要家に供給します。熱交換して得た既存ボイラの２倍前後の燃焼ガス熱量出力の、超臨界温度等複数温度水５ｂの一部最適量を、全動翼蒸気ガスタービンの最上流に供給して出力を発生の過程で、中流最適圧力段に燃焼ガス質量出力全部を（既存ガスタービンの２倍落差×石炭灰等２倍質量×１０〜２０倍機械効率）＝（既存ガスタービンの４０〜８０倍燃焼ガス質量仮説発電量）に増大して供給します。
【００８７】
そして全動翼蒸気ガスタービン合体機関発電量を（燃焼ガス質量発電量＋燃焼ガス熱量発電量）＝（既存ガスタービンの４０〜８０倍＋２５０〜５００倍）＝（既存ガスタービンの２９０〜５８０倍仮説発電量）に増大し、同一燃料量の発電量を増大して地球温暖化防止します。出力発生燃焼ガスや灰により水蒸気や低温水５ｂを冷却し、燃焼ガスや灰に水の被覆を設けて、燃焼ガス質量の排気温度を−２７３℃に近付け、燃焼ガス全部を冷熱回収器１０２により、１〜５℃の水道水冷熱として回収して貯蔵しておき、製造原価略０で需要家に供給し、その安価な冷熱利用の家庭用や業務用の、冷蔵設備機器や冷凍設備機器や冷房設備機器を製造供給し、既存の家庭用や業務用の冷蔵設備等を全廃して、脱フロンとした地球温暖化防止にし、電気料金を１／１０等に低減します。
【００８８】
冷熱水道水管を満杯にし、膨大過ぎる水道水冷熱は散水して都市部等を丸ごと冷却します。又は膨大な残りのＣＯ２や燃焼灰等を含む冷熱は、含有する窒素やＣＯ２等を植物が要求しており、有効利用するため生ゴミや植物片や泥土等に合成固定して、肥料等として有効利用し、膨大な肥料を生成して食料の増産を図ります。残りの冷熱は海底にＣＯ２や窒素等の冷熱を供給する過程で、酸素等の必要物質を吸引して海の生物や微生物に最適濃度で供給し、魚介類や海藻類を繁殖させる最適微生物や動植物を先ず繁殖させ、微生物や魚介類や海草類や海藻類を繁殖させます。ＣＯ２や窒素等の燃焼ガスにより食料の増産を図り、ＣＯ２等の燃焼ガス質量の排気を０や０に近付け、地球温暖化防止します。
【００８９】
（３）回転出力輸送機器等の場合、全動翼蒸気ガスタービン合体機関の起動時には、公知の起動装置により全動翼圧縮機を含めて駆動し、燃焼器兼熱交換器４により限り無く高圧燃焼熱交換冷却燃焼して、最低温度の燃焼ガス１０を、環状の燃焼ガス溜９より、環状の外軸ガス穴１８Ａ・環状の内軸ガス穴１８Ｂを介して、内側軸装置の内側より圧力に合わせて、中流最適圧力段に供給して出力を発生させ、全動翼圧縮機を駆動しながら燃焼器兼熱交換器４内で、超臨界温度等複数温度水５ｂ温度を上昇して保存貯金増大し、その高温水５ｂの温度上昇時に、夫々の高温水加減弁７ａを開放制御して、高温水全部を夫々複数の高温水溜３２ａに別々に供給して、断熱して設けて加熱高温とした加熱高温手段１０１により、加熱高温とした砲身状乃至末広砲身状の高温水噴射ノズル５９ｂより、高温水５ｂとの間に気化膜を設けて、摩擦損失最少で最高温度水５ｂ爆発力により、霧吹きの原理（実施例２）を利用して高温水５ｂ乃至低温水５ｂを噴射加速し、既存ガスタービンの２７０〜５４０倍仮説出力を発生します。
【００９０】
出力発生の過程では、超臨界圧力超臨界温度等最高温度水５ｂ爆発力により、霧吹きの原理（実施例２）を利用して、高温水５ｂ乃至低温水５ｂを噴射加速し、高温水噴射ノズル５９ｂ内では高温水５ｂ乃至低温水５ｂを火薬爆発機関銃の弾丸のように加速し、ノズル外では吹雪のように５ｂを加速して、撥水鍍金した撥水鍍金タービン全動翼８１により摩擦損失を最少とし、全動翼により略直線蛇行的に噴射して、機械効率を既存蒸気タービンの１０〜２０倍に上昇し、蒸気爆発速度の一部乃至大部分を、水５ｂ質量の速度重力仕事率にエネルギ変換して最適速度に低減し、合理的な設計を可能にします。そして中流最適圧力段に燃焼ガス１０質量を供給して、最初は低温水５ｂで燃焼ガスを冷却し、出力発生の過程で逆転して燃焼ガス排気温度を−２７３℃に近付け、排気の過程で５０倍質量等の凝縮水に溶解して排水し、ＣＯ２等の燃焼ガス排気僅少や、排気騒音の１／１０に低減等を可能とします。
【００９１】
（４）全出力を最良回転力で利用する、自動車等の各種陸上輸送移動機器や、海空の回転出力各種輸送移動機器の用途では、大気圧付近で排気する、全動翼蒸気ガスタービン合体機関（実施例４）の別形態の（実施例１＋３）とし、全動翼蒸気タービン（実施例１）を１／５０の小型簡単大出力に近付け、全動翼翼形にして環状に一体鋳造全自動加工を可能にして、製造原価を１／１０等に低減します。そしてその凝縮水を繰返し全動翼ガスタービン（実施例３）燃焼器兼熱交換器４に再供給して、限りなく高圧燃焼熱交換冷却燃焼熱回収して、熱交換して得た既存ボイラの２倍前後の燃焼ガス熱量出力を、超臨界温度等複数温度水５ｂ全部として、全動翼蒸気タービンの最上流に供給し、略直線蛇行的に噴射して出力を発生し、気化熱空冷器６６ｂにより熱回収した空気は、暖房用等として使用して、燃焼ガス熱量出力を（既存ガスタービンの２５０〜５００倍仮説出力）にします。
【００９２】
低温燃焼ガス１０質量出力全部は、全動翼ガスタービン（実施例３）の最上流に供給し、出力を発生して全動翼圧縮機や燃焼器兼熱交換器４を駆動して、限り無く高圧燃焼熱交換冷却して、熱交換して得た燃焼ガス熱量出力を、全動翼蒸気タービン（実施例１）に供給します。熱交換して得た燃焼ガス質量出力を（既存ガスタービンの２０〜４０倍燃焼ガス質量仮説出力）として、（実施例１＋３）直列駆動や、全動翼ガスタービンで発電して、電気モーターによる複合駆動を可能にし、燃焼ガス質量の排気温度を−２７３℃に近付けて、冷熱回収器１０２により冷房用等とし、排気の過程では水蒸気容積を１／１７００に冷却凝集縮小して、排気騒音を１／１０等に低減し、各種自動車や各種船舶や各種飛行機等各種輸送用移動用機器等とする、製造原価を１／１０に近付けた全動翼蒸気ガスタービン合体機関として、最も効率良く回転出力を発生します。
【実施例５】
【００９３】
図５の超臨界温度等複数温度高温水５ｂを、バイパス噴射して空気を吸引噴射推進する、全動翼蒸気ガスタービン合体機関（実施例５）は、通常の起動装置により起動して、全動翼ガスタービンとして駆動の過程で、（実施例３）と同様に全動翼圧縮機により限り無く高圧圧縮して、燃焼器兼熱交換器４により高圧燃焼熱交換冷却燃焼熱回収して、燃焼ガス質量の低温燃焼ガス１０を、内側軸装置の内側から最適中流段に供給して、その出力により全動翼圧縮機を駆動し、燃焼ガス熱量出力の超臨界温度等複数温度水５ｂ温度を上昇し、起動準備を完了して通常運転に移行します。通常運転では、（実施例３）と同様に設けた全動翼圧縮機により限り無く高圧圧縮して、燃焼器兼熱交換器４により高圧燃焼熱交換冷却燃焼熱回収して、全動翼蒸気ガスタービン燃焼ガス入口温度を最低に低下させ、燃焼ガス質量出力＋燃焼ガス熱量出力に分離します。
【００９４】
熱交換して得た燃焼ガス熱量出力の、既存ボイラの２倍前後の熱回収量を、超臨界圧力超臨界温度等複数温度水５ｂとして一部を、全動翼蒸気ガスタービンの最上流に供給し、中流最適圧力段に燃焼ガス質量出力全部を供給し、既存技術の１０倍回転数を狙う、送水ポンプ兼二重反転磁気摩擦動力伝達装置１４ａ（実施例１１）により、全動翼圧縮機を含む全動翼蒸気ガスタービンを駆動して、超高速空気吸引力と噴射質量速度により噴射推進出力を発生し、内側軸装置の中空部や外側軸装置の外周部の空気も吸引して噴射推進します。大部分の高温水５ｂは複数の霧吹きの原理（実施例２）により、超臨界圧力超臨界温度等最高温度水５ｂ爆発力で、高温水５ｂや低温水５ｂを噴射加速して、爆発速度を質量に最適変換して最適減速し、複数の霧吹きの原理９１ｅを最適稼動して、夫々の特殊装置９２ｅにより最も効率良く前方の空気を吸引して噴射推進し、排気の過程では−２７３℃に近付く、全動翼蒸気ガスタービン排気の低温燃焼ガスにより、５ｂ爆発水蒸気容積を１／１７００の水滴に縮小して、排気騒音を１／１０等に低減します。
【００９５】
各種ジェット機や各種飛行船舶や各種飛行物体等を噴射推進させる過程を、霧吹きの原理を利用して最も効率良く、超臨界圧力超臨界温度等最高温度水５ｂ爆発力で、高温水５ｂや低温水５ｂを噴射加速して、爆発速度を重力の慣性運動に変換して超高速度を利用可能にし、複数の霧吹きの原理９１ｅで直接空気質量×速度に最適変換し、ラムジエツトを遥かに越える高速度で、最も効率良く空気を吸引して大量噴射推進し、既存ガスタービンの２７０〜５４０倍仮説出力とし、既存ジェット機の１０倍速度を狙うマッハ１０以上で噴射推進を可能にします。超臨界温度等複数温度水５ｂの貯蔵により、非常に安全な噴射推進にすると共に、燃料の積載量を１／１０等に低減して使用量を１／１００等に低減し、火災の発生１／１００等も可能にして、火災発生時も高温水５ｂを噴射して消火容易にし、非常に安全なジェット機や飛行船舶や飛行物体や超高速船舶等にします。
【実施例６】
【００９６】
図６の超臨界温度等複数温度水５ｂの大部分と、燃焼ガス全部をバイパス噴射して空気を吸引噴射推進する、全動翼蒸気タービン合体機関（実施例６）も、起動時は図に無い弁を開閉制御して、燃焼器兼熱交換器４により限り無く高圧燃焼熱交換冷却燃焼して、熱交換して得た低温燃焼ガス１０を、高温水溜３２ａに供給して全動翼蒸気タービンを駆動する、全動翼ガスタービンとして使用します。燃焼器兼熱交換器４の超臨界温度等複数温度水５ｂの温度上昇時に、燃焼ガス１０から高温水５ｂに切り替える、弁開弁閉弁制御して、高温水加減弁７ａを開放制御し、超臨界温度等複数温度水５ｂの一部により、全動翼圧縮機を含む全動翼蒸気タービンを駆動して、高温水５ｂや爆発水蒸気を排気して、全動翼圧縮機や内側軸装置の中空部や外側軸装置の外周部から空気を吸引して、空気吸入出力と噴射質量速度により噴射推進出力を発生します。
【００９７】
燃焼ガス熱量を取り除いた、燃焼ガス質量出力の低温燃焼ガス１０全部や、残り大部分の高温水５ｂは夫々の霧吹きの原理を利用して、構造を簡単にすることでエネルギ変換効率を最高とし、ラムジエツトの５倍落差×５０倍質量重力仕事率等の噴射質量速度で噴射推進し、既存ガスタービンの２７０〜５４０倍仮説出力の、ジェット旅客機や飛行船舶や宇宙往還親飛行機等とし、その速度を１０倍前後に増大します。燃焼ガス１０や高温水５ｂは、夫々複数の霧吹きの原理９１ｂや霧吹きの原理（実施例２）及び９１ｅを利用して、夫々の特殊装置９２ｂや９２ｅによりバイパス噴射し、夫々前方の空気を多段に吸引して噴射推進する過程で、低温燃焼ガスにより爆発水蒸気を冷却凝集して、水蒸気容積の一部乃至大部分を１／１７００等に縮小し、排気騒音を１／１０等に低減します。
【００９８】
全動翼圧縮機の主要部分は全て（実施例３）と同様にして、既存技術の１０倍回転数を狙う、送水ポンプ兼二重反転磁気摩擦動力伝達装置１４ａにより、１０倍速度に対応する全動翼圧縮機とし、全動翼蒸気タービン合体機関とすることで、全体構造を既存蒸気タービンの１／５０等に小型簡単大出力とします。超臨界圧力超臨界温度等複数温度水５ｂの大部分と、燃焼ガス全部を夫々の特殊装置９２ｅ・９２ｂで最も効率良くバイパス噴射し、大部分の出力を構造が最も簡単な霧吹きの原理を利用することで、エネルギ変換効率を最高として、燃焼ガス熱量出力＋燃焼ガス質量出力を（同一燃料量既存ガスタービンの２７０〜５４０倍仮説出力）にし、１０倍速度のマッハ１０以上を狙う各種宇宙往還親飛行機や、各種超音速飛行機や各種超高速船舶等を狙います。
【実施例７】
【００９９】
図７の超臨界圧力超臨界温度等複数温度水５ｂの大部分と、燃焼ガス全部をバイパス噴射して水を吸引噴射推進する、全動翼蒸気タービン合体機関（実施例７）は、（実施例６）と同様に設けた全動翼蒸気タービンの排気圧力を、超臨界圧力超臨界温度高温水５ｂの使用により大幅に上昇して、船体を浮上して推進します。燃焼ガス１０全部及び残り大部分の超臨界温度等複数温度水５ｂを、夫々の霧吹きの原理９１ｈ・（実施例２）９１ｇを利用して、夫々前方の水を多段に吸引して噴射し、夫々の速度を直接水の速度質量にエネルギ変換して最適減速し、最も効率良く大量の水を吸引して噴射する、夫々１以上複数の水噴射装置９３ｂ・９３ｇにより出力を発生し、大部分の出力を構造が最も簡単な霧吹きの原理を利用することで、エネルギ変換効率を最高として、既存ガスタービンの２７０〜５４０倍仮説出力の、各種高速船舶や各種高速水上移動機器等を、既存技術の５倍前後等適宜の速度で、最も効率良く噴射推進させます。
【０１００】
燃焼ガス１０全部を夫々の霧吹きの原理９１ｈを利用して噴射し、前方の水を多段に吸引して噴射して、直接水の速度質量にエネルギ変換する過程では、燃焼ガス１０が断熱膨張大気圧−２７３℃に近付くため、海水等を冷却してＣＯ２や窒素等の燃焼ガスを大量の海水に溶解し、海底などに冷熱として供給する過程でも、霧吹きの原理を適宜に利用して、空気や酸素等を吸引して海中に希薄供給し、海の生物の生態を微生物まで徹底的に研究し、微生物や魚介類や海草類や海藻類を繁殖させて、食料の増産を図り、ＣＯ２等の燃焼ガス排気を０にし、海水等を冷却して地球温暖化防止します。
【実施例８】
【０１０１】
図８・図９・図１０・図１１を参照して、送水ポンプ兼磁気摩擦動力伝達装置１００ａ及び、１００ａを複数組み合わせた、送水ポンプ兼二重反転磁気摩擦動力伝達装置１４ａを説明する。通常の変速や逆転を含む各種動力伝達装置は、主として歯車装置を使用している。このため、歯面に大きな荷重を含む、滑り歯面を必須とするため、潤滑油を必要とするのに加えて、摩擦熱損失も非常に大きく、高速回転を含む大動力の伝達装置には、使用不可という問題がある。
【０１０２】
全動翼蒸気タービン合体機関や全動翼ガスタービン合体機関等の、全動翼蒸気ガスタービン合体機関を実用化するには、ころがり接触による超高圧少量送水ポンプや、超高速大動力伝達装置が必要です。超高速大動力伝達装置を可能にすると共に、潤滑油も不用にするためには、歯車装置の滑り歯面を皆無に近づけた転がり接触の、水冷却して摩擦熱を回収して燃焼器兼熱交換器４に供給する、多段多数で超高圧少量送水して、既存技術の２〜１０倍回転数を狙う宇宙往還親飛行機等の、送水ポンプ兼二重反転磁気摩擦動力伝達装置１４ａ（実施例１１）や、送水ポンプ兼磁気摩擦動力伝達装置１００ａ（実施例９・１０）として使用し、互いに反対方向に回転する外側軸装置と内側軸装置を結合して、超高圧少量送水ポンプ兼各種動力伝達装置として使用し、給水３により熱回収して超高圧少量送水します。
【０１０３】
歯車のかみ合い高さを限りなく縮小した低凹凸４０として、転がり接触の送水ポンプ兼磁気摩擦動力伝達装置１００ａ（実施例９・１０）とし、回転方向３５上流側及び下流側、又は上流側又は下流側に、棒磁石３３又は電磁石３４を設けます。そして磁石の強い吸引力を利用して、各種着磁摩擦車装置５１や、図にない各種磁着摩擦車装置９０や、各種内着磁摩擦車装置４９や、図にない各種内磁着摩擦車装置８９等の、すべての噛み合わせ使用を可能にし、既存技術の２〜１０倍回転数を狙います。
【実施例９】
【０１０４】
超高圧少量送水の各種送水ポンプ兼各種二重反転磁気摩擦動力伝達装置１４ａ（実施例１１）とし、外箱９４に吸水路９５や送水路９６を設け、各種送水ポンプ９７兼用として、公知技術を含めて全面的に使用します。即ち、転がり接触に近付けて、摩擦熱損失を大幅に低減し、更に超高圧少量送水する送水ポンプ９７と兼用として、自己発熱を回収する、超高速で大動力を伝達する、送水ポンプ兼磁気摩擦動力伝達装置１００ａ（実施例９・１０）や、送水ポンプ兼二重反転磁気摩擦動力伝達装置１４ａや、潤滑油に換えて無公害の水冷却とし、熱回収した給水３を、燃焼器兼熱交換器４側に供給して使用する、送水ポンプ９７兼用の二重反転磁気摩擦動力伝達装置１４とするものです。
【実施例１０】
【０１０５】
超高速大動力を伝達する、二重反転磁気摩擦動力伝達装置１４や、磁気摩擦動力伝達装置１００とするために、転がり接触に近付けても、摩擦熱の発生を避けられません。一方全動翼蒸気ガスタービン合体機関は、超高圧少量の水や大量の熱を利用して、内側軸装置と外側軸装置を二重反転させて、出力を発生させるため、超高速大動力を伝達すると共に、熱回収して超高圧少量送水する送水ポンプ９７が必要なため、送水ポンプ兼二重反転磁気摩擦動力伝達装置１４ａ（実施例１１）や、送水ポンプ兼磁気摩擦動力伝達装置１００ａ（実施例９・１０）として使用します。
【０１０６】
そこで各種歯車に換えて（実施例８）等の、各種着磁摩擦車３７や各種内着磁摩擦車３８や、各種磁着摩擦車３９や図にない各種内磁着摩擦車４４等を使用し、二重反転磁気摩擦動力伝達装置１４として使用の過程で、回転方向上流側及び下流側又は上流側又は下流側に、棒磁石３３乃至電磁石３４を設けることで、着磁摩擦車や磁着摩擦車や内着磁摩擦車や内磁着摩擦車の、すべての組み合わせを、磁石の強い吸引力により、互いに互換して使用を可能にし、既存技術の２〜１０倍回転数を狙う、各種送水ポンプ兼二重反転磁気摩擦動力伝達装置１４ａ（実施例１１）や、各種送水ポンプ兼磁気摩擦動力伝達装置１００ａ（実施例９・１０）として使用します。
【０１０７】
着磁摩擦車３７や磁着摩擦車３９や内着磁摩擦車３８や内磁着摩擦車４４の、（実施例８）動力伝達面３１には低凹凸４０を設けます。低凹凸４０は噛み合い高さを限りなく低下させて、転がり接触として歯車以外の形状を可能にし、図に無いすべての噛み合う形状全部とします。歯車形低凹凸４０として具体的には、平歯車に換えて平凹凸４１車とし、ハスバ歯車に換えてハスバ凹凸４２車とし、ヤマバ歯車に換えてヤマバ凹凸４３車を設けて、超高圧少量送水や大動力高速伝達を可能にします。
【０１０８】
又は（実施例８）に無い平内歯車に換えて平内凹凸４１ａ車とし、ハスバ内歯車に換えてハスバ内凹凸４２ａ車とし、ヤマバ内歯車に換えてヤマバ内凹凸４３ａ車を設ける。そして公知の各種歯車ポンプと同様に、外箱９４や吸水路９５や送水路９６を設けて、摩擦熱を回収して超高圧少量送水する送水ポンプ９７兼用として、超高速大動力を伝達する、既存技術の２〜１０倍回転数を狙う、各種送水ポンプ兼二重反転磁気摩擦動力伝達装置１４ａや、各種送水ポンプ兼磁気摩擦動力伝達装置１００ａとして使用します。
【０１０９】
図８ａ・図８ｂの着磁摩擦車３７ａの（実施例８）は、環筒状の強磁性材料の径方向左右に、磁極のＮ極及びＳ極を着磁して、その両側を環板状のヨーク４７で挟んで、外径方向動力伝達面３１に延長して固着します。該動力伝達面３１の外周面に低凹凸４０の平凹凸４１やハスバ凹凸４２等を設けて、夫々着磁摩擦車３７ａ・３７ａ等として、各要素を互いに互換して、着磁摩擦車３７ａ・磁着摩擦車３９や、転がり接触の着磁摩擦車装置５１とし、図９の着磁摩擦車装置５１ｃ＋９７や図１１の９７＋１４と同様に外箱９４や吸水路９５や送水路９６等を設けて、各種送水ポンプ兼二重反転磁気摩擦動力伝達装置１４ａや、各種送水ポンプ兼磁気摩擦動力伝達装置１００ａとして使用します。
【０１１０】
図８ｃの着磁摩擦車３７ｂの（実施例８）は、環筒状の強磁性材料の内径側と外径側に磁極のＮ極及びＳ極を着磁して、ヨーク４７を磁石の内周側から左右外径動力伝達面３１に延長します。該動力伝達面近傍のヨークと磁石の間に、摩擦増大手段４５を環状に設けて固着し、その外周面に低凹凸４０のヤマバ凹凸４３を設けて、夫々着磁摩擦車３７ｂ・３７ｂとして、各要素を互いに互換して磁着摩擦車３９・着磁摩擦車３７ｂや、図１０の着磁摩擦車装置５１ｄ＋９７や図１１の９７＋１４と同様に外箱９４や吸水路９５や送水路９６等を設けて、各種送水ポンプ兼二重反転磁気摩擦動力伝達装置１４ａや、各種送水ポンプ兼磁気摩擦動力伝達装置１００ａとして使用します。
【０１１１】
図８ｄ・図８ｅ・図８ｆの磁着摩擦車３９の（実施例８）は、環筒状の強磁性材料の外径面の動力伝達面３１に、摩擦増大手段４５を設けます。又は動力伝達面３１のまま、その外周面に低凹凸４０の平凹凸４１又はハスバ凹凸４２又はヤマバ凹凸４３を設けて、夫々各種磁着摩擦車３９・３９等とします。図９・図１０・図１１のように、回転方向上流側及び下流側に棒磁石３３又は電磁石３４を設けることで、夫々各要素を互いに互換して、図に無い転がり接触の各種磁着摩擦車装置９０や、各種磁気摩擦動力伝達装置１００とします。
【０１１２】
又は図にない環筒状の強磁性材料の内径面の動力伝達面３１に、摩擦増大手段４５を設けます。又は動力伝達面３１のまま、その内周面に低凹凸４０の平凹凸４１又はハスバ凹凸４２又はヤマバ凹凸４３を設けて、夫々各種内磁着摩擦車４４・４４等とします。夫々各要素を互いに互換して、転がり接触の各種内磁着摩擦車装置８９等とし、図９や図１０や図１１の、磁気摩擦動力伝達装置１００や二重反転磁気摩擦動力伝達装置１４と略同様に、外箱９４や多数の吸水路９５や多数の送水路９６等を設けて、送水ポンプ兼二重反転磁気摩擦動力伝達装置１４ａ（実施例１１）や、送水ポンプ兼磁気摩擦動力伝達装置１００ａ（実施例９・１０）等として使用します。
【０１１３】
例えば図９・図１０の各種送水ポンプ兼磁気摩擦動力伝達装置１００ａの、（実施例９・１０）は、着磁摩擦車装置５１ｃ・５１ｄに、既存歯車ポンプと同様に外箱９４を設け、夫々に吸水路９５及び送水路９６を設けて、各種送水ポンプ９７を構成使用します。そして吸水路９５より給水３を供給して、各種磁気摩擦動力伝達装置１００で発生する熱を回収して、送水路９６より燃焼器兼熱交換器４側に送水します。
【０１１４】
しかし着磁摩擦車装置５１ｃ・５１ｄ等、多種多数の各種送水ポンプ兼磁気摩擦動力伝達装置１００ａ（実施例９・１０）により、送水ポンプ兼用となるのと動力伝達が主力のため、回転数も変化します。そこで公知の制御装置により、１以上多数の送水路９６や吸水路９５を最適制御して、１以上多段に昇圧の過程で水噴射手段５６・５６ａに供給し、燃焼器兼熱交換器４で超臨界温度等複数温度水５ｂとします。即ち１以上多数の送水ポンプ９７により、摩擦熱を回収して自己水冷却し、超高速大動力を伝達しながら超高圧少量送水して、既存技術の１０倍回転数を狙う、各種送水ポンプ兼二重反転磁気摩擦動力伝達装置１４ａ（実施例１１）や、各種送水ポンプ兼磁気摩擦動力伝達装置１００ａ（実施例９・１０）として使用します。
【０１１５】
例えば、図１１の超高速大動力を伝達して、超高圧少量送水を可能にする、送水ポンプ兼二重反転磁気摩擦動力伝達装置１４ａ（実施例１１）は、外箱９４に多数の吸水路９５及び多数の送水路９６及び多数の着磁摩擦車３７ａ及び内着磁摩擦車３８ａ等で、多数の送水ポンプ９７が構成されるため、外箱９４も非常に複雑になります。しかし着磁摩擦車３７ａの周速度は２種類のため、同じ周速度のものを合流して、この場合は２段や多段に昇圧して圧力制御し、用途に合わせて他の送水ポンプとも組み合わせて、燃焼器兼熱交換器４側に給水します。多数の送水ポンプ９７により摩擦熱を回収して自己水冷却し、超高速大動力を伝達する、送水ポンプ９７兼用の各種二重反転磁気摩擦動力伝達装置１４として使用します。
【実施例１１】
【０１１６】
（実施例１１）の図１１（ａ）（ｂ）（ｃ）を参照して説明する。（ｂ）（ｃ）は夫々（ａ）のｃ−ｃ及びｄ−ｄ視図であり、互いに反対方向に回転する全動翼蒸気ガスタービン合体機関の、内側軸装置と外側軸装置の回転動力を結合する、二重反転磁気摩擦動力伝達装置１４は、多数の送水ポンプ９７により摩擦熱を多段に回収して自己水冷却し、互いに反対方向に回転する２軸の超高速大動力を、最適回転比で二重反転伝達する、二重反転磁気摩擦動力伝達装置１４として使用します。
【０１１７】
全動翼蒸気ガスタービン合体機関の外側軸装置に固着された、磁石部４６及びヨーク４７を含む、第一主動内着磁摩擦車３８ａの回転により、機関本体に固定された外箱９４に軸支された、支軸５０の左端に固着された複数の第一従動着磁摩擦車３７ａが回転し、その回転により支軸５０の右端に固着した、複数の第二主動着磁摩擦車３７ａが回転し、その回転により内側軸装置に固着された、第二従動着磁摩擦車３７ａが回転し、互いに反対方向に回転する外側軸装置の回転力と、内側軸装置の回転力を結合して、内側軸装置又は外側軸装置より全回転出力を取り出し可能にし、又は両方より夫々回転出力を取り出し可能とします。
【０１１８】
図１１（ｂ）（ｃ）は、超高速大動力の伝達と超高圧少量送水する、送水ポンプ９７兼用の二重反転磁気摩擦動力伝達装置１４として使用の過程で、回転方向上流側及び下流側又は上流側又は下流側に、棒磁石３３乃至電磁石３４を設けることで、着磁摩擦車３７や磁着摩擦車３９や内着磁摩擦車３８や内磁着摩擦車４４の、すべての組み合わせを、磁石の強い吸引力により、互いに互換して使用を可能にします。外側軸装置に固着の内着磁摩擦車３８ａや、内側軸装置に固着の着磁摩擦車３７ａや、夫々に噛み合う夫々複数の着磁摩擦車３７ａを含めて、既存歯車ポンプと略同様に外箱９４を設けます。
【０１１９】
そして内着磁摩擦車３８ａに噛み合う複数の着磁摩擦車３７ａの、回転方向棒磁石３３又は電磁石３４を含む上流側に送水路９６を設け、回転方向棒磁石３３又は電磁石３４を含む下流側に吸水路９５を設け、内側軸装置に固着の着磁摩擦車３７ａに噛み合う複数の着磁摩擦車３７ａの、回転方向電磁石３４又は棒磁石３３を含む上流側に送水路９６を設け、回転方向電磁石３４又は棒磁石３３を含む下流側に吸水路９５を設けて、送水ポンプ９７兼超高速大動力を伝達して既存技術の１０倍回転数を狙う、送水ポンプ兼二重反転磁気摩擦動力伝達装置１４ａ（実施例１１）を構成します。
【実施例１２】
【０１２０】
図１２により本発明による地球温暖化防止の（実施例１２）を説明する。世界の火力発電所や原子力発電所では、ボイラや原子力等で加熱した超臨界圧力過熱蒸気は、蒸気タービンにより断熱膨張させて、容積のみ利用して熱量を全く利用しないで、ボイラや原子力等で加熱した熱量全部で海水温度を上昇するため、膨大な熱量の損失と環境破壊になります。更に超臨界圧力過熱蒸気から復水器真空まで再熱等で断熱膨張させると、容積は１００００倍を超えて重力仕事率が１／１００００以下となり、同一条件の出力に１００００倍以上の動翼面積が必要で、膨大な蒸気速度も利用困難となり、動翼の１０〜２０倍も蒸気速度を消費して、回転仕事をしない静翼を１／２も設けて、蒸気速度を堰き止めて実用速度に減速する等、無茶苦茶設計による地球温暖化加速を避けられません。
【０１２１】
最も甚大な無茶苦茶は、動翼の１０〜２０倍も速度エネルギを消費して、全く回転仕事をしない静翼を１／２も設けて、過熱蒸気速度を堰き止めて減速していることです。そこで熱量を有効利用するため、ガスタービン燃焼器を熱交換器と兼用して、全動翼蒸気ガスタービン合体機関燃焼器兼熱交換器４により、限り無く高圧燃焼熱交換冷却燃焼して、燃焼ガス熱量出力＋燃焼ガス質量出力に分離し、（実施例１）＋（実施例３）により（燃焼ガス熱量出力＋燃焼ガス質量出力）＝（既存ガスタービンの２７０〜５４０倍仮説発電量）に増大し、排気の過程で燃焼ガス質量略全部を５℃等の水道水冷熱で、燃焼ガス熱量略全部を１００℃以下の水道水温熱で製造原価略０で需要家に供給して、海水温度の上昇を全廃し、膨大に成り過ぎる冷熱で海水を冷却して地球温暖化防止します。
【実施例１３】
【０１２２】
図１３の各種全動翼蒸気タービン合体機関等の、各種全動翼蒸気ガスタービン合体機関の回転力や噴射推進力で駆動する、（実施例１３）の各種装置を説明する。（実施例４・５・６・７）の全動翼圧縮機を、既存技術の１０倍回転数を狙う、送水ポンプ兼二重反転磁気摩擦動力伝達装置により駆動して、全動翼圧縮機の性能を極限まで上昇し、超音速マッハ１０以上の飛行を可能として、燃焼器兼熱交換器４により限り無く高圧燃焼熱交換冷却燃焼して、燃焼ガス熱量出力＋燃焼ガス質量出力を（既存ガスタービンの２７０〜５４０倍仮説発電量乃至出力）とし、回転出力利用では電気料金を１／１０等に低減した、各種熱と電気と冷熱の供給設備を駆動や、各種自動車・各種プロペラ飛行機・各種プロペラ船舶や、各種車両・各種機械・各種汎用機関・各種戦車等を駆動します。
【０１２３】
噴射推進力で駆動する各種装置（実施例５・６・７）は、超臨界圧力等複数温度水５ｂの一部で回転出力発生の、全動翼蒸気タービン合体機関や全動翼蒸気ガスタービン合体機関の、燃焼器兼熱交換器４により限り無く高圧燃焼熱交換冷却燃焼し、燃焼ガス質量の排気温度を−２７３℃に近付けます。熱交換して得た大部分の高温水５ｂや燃焼ガス全部を、霧吹きの原理を利用してバイパス噴射し、前方の空気又は水を吸引して噴射し、既存ガスタービンの２７０〜５４０倍仮説出力として、既存技術の１０倍速度や排気騒音の１／１０等を狙う、各種全動翼蒸気ガスタービン合体機関により、各種超高速船舶・各種垂直昇降飛行機・各種超高速艦船・各種超高速戦闘機・各種宇宙往還親飛行機・各種超高速音速機・各種飛行物体等を駆動します。
【産業上の利用可能性】
【０１２４】
大気圧単位容積重力仕事率が既存蒸気タービンの１７００倍の、超臨界温度等複数温度水５ｂを、高温水噴射ノズル５９ｂより噴射するため、出力発生部の構造を１／１７００に近付け、全体構造を１／５０の小型簡単大出力に近付けて、各種全動翼蒸気ガスタービン合体機関とし、回転出力利用では電気料金を１／１０等に低減した、各種熱と電気と冷熱の供給設備や、各種自動車・各種プロペラ飛行機・各種プロペラ船舶や、各種車両・各種機械・各種汎用機関・各種戦車等を、最も効率良く駆動可能とします。
【０１２５】
大気圧単位容積重力仕事率が既存蒸気タービンの１７００倍の、超臨界温度等複数温度水５ｂを、高温水噴射ノズル５９ｂより噴射するため、出力発生部の構造を１／１７００に近付け、全体構造を１／５０の小型簡単大出力に近付けて、各種全動翼蒸気ガスタービン合体機関とし、噴射推進力利用では既存噴射推進力利用の１０倍速度を狙う、各種宇宙往還親飛行機や各種超音速飛行機や各種超高速船舶等、各種噴射推進輸送移動機器を、最も効率良く駆動可能とします。
【０１２６】
超臨界圧力超臨界温度等複数温度水５ｂや燃焼ガス質量として、全動翼蒸気ガスタービン合体機関や、全動翼蒸気タービン合体機関や、特殊装置９３ｇ・９３ｈを駆動して、最も効率良く水を吸引して噴射推進するため、構造を１／１０〜１／５０に小型簡単大出力とし、各種超高速船舶・各種超高速艦船・各種水上移動物体等を、最も効率良く駆動可能とします。
【０１２７】
超臨界圧力超臨界温度等複数温度水５ｂや燃焼ガス質量として、全動翼蒸気ガスタービン合体機関や、全動翼蒸気タービン合体機関や、特殊装置９２ｅ・９２ｂを駆動して、最も効率良く空気を吸引して噴射推進するため、構造を１／１０〜１／５０に小型簡単大出力とし、各種超高速船舶・各種垂直昇降飛行機・各種超高速艦船・各種超高速戦闘機・各種宇宙往還親飛行機・各種超高速音速機・各種飛行物体等を、最も効率良く駆動可能とします。
【０１２８】
燃焼ガス質量略全部を５℃以下等の水道水冷熱に変換して、製造原価略０で需要家に供給し、既存の業務用や家庭用の冷蔵設備や冷凍設備や冷房設備を全廃して、水道水冷熱利用の業務用や家庭用の冷蔵設備や冷凍設備や冷房設備を製造供給し、脱フロンやＣＯ２排気０等による地球温暖化防止を可能にします。
【０１２９】
燃焼ガス熱量略全部を１００℃以下の水道水温熱に変換して、製造原価略０で需要家に供給し、既存の業務用や家庭用の暖房設備等を全廃して、水道水温熱利用の業務用や家庭用の暖房設備や調理設備機器を製造供給し、既存発電技術による海水温度の上昇を皆無にした、地球温暖化防止を可能にします。
【０１３０】
発電量を増大する程極低温燃焼ガスの増産になるため、海水を冷却すると海底にＣＯ２や窒素や酸素を希薄供給して、濃度さえ適正なら餌となる微生物や海藻や魚類等を繁殖させて、海域等を活性化する有効利用が可能で、海底固定等の常識を逆転して、人類のために貢献可能にします。
【図面の簡単な説明】
【０１３１】
【図１】全動翼蒸気タービンを示す一部断面図。（実施例１）
【図２】高温水噴射ノズル５９ｂを示す断面説明図。（実施例２）
【図３】全動翼ガスタービンを示す一部断面図。（実施例３）
【図４】全動翼蒸気ガスタービン合体機関を示す一部断面図。（実施例４）
【図５】全動翼蒸気ガスタービン合体機関を示す一部断面図。（実施例５）
【図６】全動翼蒸気タービン合体機関を示す一部断面図。（実施例６）
【図７】全動翼蒸気タービン合体機関を示す一部断面図。（実施例７）
【図８】着磁摩擦車及び磁着摩擦車を示す一部断面図。（実施例８）
【図９】送水ポンプ兼磁気摩擦動力伝達装置の一部断面図。（実施例９）
【図１０】送水ポンプ兼磁気摩擦動力伝達装置の一部断面図。（実施例１０）
【図１１】送水ポンプ兼二重反転磁気摩擦動力伝達装置の一部断面図。（実施例１１）
【図１２】全動翼蒸気ガスタービン合体機関の説明図。（実施例１２）
【図１３】全動翼蒸気ガスタービン合体機関で駆動する装置の説明図。（実施例１３）
【符号の説明】
【０１３２】
１：導水管    ２：給水ポンプ    ３：給水    ４：燃焼器兼熱交換器    ５：水蒸気    ５ａ：高温水    ５ｂ：高温水（高温水噴射ノズル５９ｂで噴射する超臨界温度水や低温水等）    ６：蒸気管    ６ａ：高温水管    ７：蒸気加減弁    ７ａ：高温水加減弁    ８：環状の圧縮空気溜    ９：環状の燃焼ガス溜    １０：燃焼ガス    １１：燃料    １２：出力軸    １３：止め弁    １４：二重反転磁気摩擦動力伝達装置    １４ａ：送水ポンプ兼二重反転磁気摩擦動力伝達装置    １５：圧縮空気    １６：撥水鍍金外側圧縮機動翼群（撥水鍍金で摩擦低減）    １７：撥水鍍金内側圧縮機動翼群（撥水鍍金で摩擦低減）    １８Ａ：環状の外軸ガス穴    １８Ｂ：環状の内軸ガス穴    １９：撥水鍍金外側タービン動翼群（撥水鍍金で摩擦低減）    ２０：撥水鍍金内側タービン動翼群（撥水鍍金で摩擦低減）    ２１：環状の出口    ２２：環状の受け口    ２３：環状の受け口    ２４：環状の撥水鍍金噴口群（撥水鍍金で摩擦低減）    ２５：燃焼器外箱部    ２６：水冷外壁    ２７：燃料蒸気供給手段    ２８：バイパス    ３１：動力伝達面    ３２：過熱蒸気溜    ３２ａ：高温水溜    ３３：棒磁石    ３４：電磁石    ３５：回転方向    ３６：磁極    ３７：着磁摩擦車    ３８：内着磁摩擦車    ３９：磁着摩擦車    ４０：低凹凸    ４１：平凹凸    ４２：ハスバ凹凸    ４３：ヤマバ凹凸    ４４：内磁着摩擦車    ４５：摩擦増大耐久手段    ４６：磁石部    ４７：ヨーク（着磁摩擦車用）    ４８：絶縁材料    ４８ａ：断熱材    ４９ａ：内着磁摩擦車装置    ４９ｂ：内着磁摩擦車装置    ５０：支軸    ５１ａ：着磁摩擦車装置    ５１ｂ：着磁摩擦車装置    ５１ｃ：着磁摩擦車装置    ５１ｄ：着磁摩擦車装置    ５２：水冷外壁単位    ５３：鍔    ５４：水冷内壁    ５５：冷却手段    ５６：水噴射手段    ５６ａ：水噴射手段    ５７：毛細管放出手段    ５８：排気熱交換器    ５９：過熱蒸気筒口    ５９ａ：高温水噴射ノズル    ５９ｂ：高温水噴射ノズル（超臨界温度等複数温度水を霧吹きの原理実施例２で噴射）    ６０：燃料噴口    ６１：針弁    ６２：燃料小穴    ６３：燃料穴開閉器    ６４：空気穴開閉器    ６５：空気穴    ６６：凝縮水熱交換器    ６６ａ：気化潜熱回収器    ６６ｂ：気化熱空冷器    ６７：復水器    ６８：凝縮水    ６９：排気    ７０：水道水    ７１：温熱    ７２：冷熱    ７３：冷却水    ７４：推力    ８０：ヨーク    ８１：撥水鍍金タービン全動翼（撥水鍍金で摩擦低減）    ８３：撥水鍍金噴口（撥水鍍金で摩擦低減）    ８４：環状に一体鋳造    ８５：外径組立環状部    ８６：内径組立環状部    ８７：撥水鍍金水冷却翼（撥水鍍金で摩擦低減）    ８７ａ：撥水鍍金タービン全動翼（撥水鍍金で摩擦低減）    ８８：燃焼ガス取出口    ８９：内磁着摩擦車装置    ９０：磁着摩擦車装置    ９１ａ：霧吹きの原理（高温水噴射で空気を吸引噴射）    ９１ｂ：霧吹きの原理（燃焼ガス噴射で空気を吸引噴射）    ９１ｃ：霧吹きの原理（高温水噴射で水を吸引噴射）    ９１ｄ：霧吹きの原理（燃焼ガス複数段噴射で水を吸引噴射）    ９１ｅ：霧吹きの原理（複数温度水噴射で空気を吸引噴射）    ９１ｆ：霧吹きの原理（複数温度水複数段噴射で水を吸引噴射）    ９１ｇ：霧吹きの原理（複数温度水噴射で水を吸引噴射）    ９１���：霧吹きの原理（燃焼ガス噴射で水を吸引噴射）    ９２ａ：特殊装置（高温水噴射で空気を吸引噴射）    ９２ｂ：特殊装置（燃焼ガス噴射で空気吸引噴射）    ９２ｅ：特殊装置（複数温度水噴射で空気を吸引噴射）    ９３ａ：水噴射装置（高温水複数段噴射で水を吸引噴射）    ９３ｂ：水噴射装置（燃焼ガス噴射で水を吸引噴射）    ９３ｄ：水噴射装置（燃焼ガス複数段噴射で水を吸引噴射）    ９３ｆ：水噴射装置（複数温度水複数段噴射で水を吸引噴射）    ９３ｇ：水噴射装置（複数温度水噴射で水を吸引噴射）    ９４：外箱    ９５：吸水路    ９６：送水路    ９７：送水ポンプ    ９８：コイル    ９９：磁力線          １００：磁気摩擦動力伝達装置    １００ａ：送水ポンプ兼磁気摩擦動力伝達装置    １０１：加熱高温手段    １０２：冷熱回収器    １０３：全動翼送風圧縮機    １０４：二酸化炭素回収器    １０５：液体窒素回収器
【図１】
2005002981.tif 000003
【図２】
2005002981.tif 000004
【図３】
2005002981.tif 000005
【図４】
2005002981.tif 000006
【図５】
2005002981.tif 000007
【図６】
2005002981.tif 000008
【図７】
2005002981.tif 000009
【図８】
2005002981.tif 000010
【図９】
2005002981.tif 000011
【図１０】
2005002981.tif 000012
【図１１】
2005002981.tif 000013
【図１２】
2005002981.tif 000014
【図１３】
2005002981.tif 000015